(57)【要約】【課題】既存ガソリン機関やディーゼル機関は、基礎研究皆無の容積利用で熱量を全く利用しないため、同一燃料量の出力が１／１００等と僅少な燃料電池並出力に近く、膨大なＣＯ２を排気して地球温暖化を加速するため革命が必要。【解決手段】縮径主燃焼室熱交換器内ＮＯｘ低減皆無隔離長時間冷却燃焼により、密封容器内完全燃焼終了に近付けて熱回収量を最大とし、廃熱回収熱交換器を含めて、既存５００℃前後の排気温度を５０℃前後とし、１回転毎に４００℃回収熱量を限りなく増大し、超臨界圧力高温水大量噴射による気化爆発力により、高温水噴射電磁弁のノズル内では水滴を弾丸のように加速し、ノズル外ではロケットのように加速して重力パワーを最大とし、死点後９０°の出力を、既存ガソリン機関の４０倍落差×１００倍質量重力パワー×１／８効率＝同一燃料量既存ガソリン機関の５００倍仮説出力等とし、ＣＯ２の排気を０等にします。【選択図】        図１１
2004332539.tif 000002
【特許請求の範囲】
【請求項１】
縮径主燃焼室（１）に具備した高温水噴射電磁弁（８７Ａａ）より高温水を噴射して、燃焼温度を低下させるＨ型エネルギ保存サイクル機関。
【請求項２】
縮径主燃焼室（１）に具備した高温水噴射電磁弁（８７Ａａ）より高温水を噴射して、燃焼温度を低下させるＤ型エネルギ保存サイクル機関。
【請求項３】
縮径主燃焼室（１）に具備した高温水噴射電磁弁（８７Ａａ）より高温水を噴射して、燃焼温度を低下させるＥ型エネルギ保存サイクル機関。
【請求項４】
縮径主燃焼室（１）に具備した高温水噴射電磁弁（８７Ａａ）より高温水を噴射して、燃焼温度を低下させるエネルギ保存サイクル機関。
【請求項５】
縮径主燃焼室（１）に具備した高温水噴射電磁弁（８７Ａａ）より高温水を噴射して、ノズル内では水滴を弾丸のように加速するＨ型エネルギ保存サイクル機関。
【請求項６】
縮径主燃焼室（１）に具備した高温水噴射電磁弁（８７Ａａ）より高温水を噴射して、ノズル内では水滴を弾丸のように加速するＤ型エネルギ保存サイクル機関。
【請求項７】
縮径主燃焼室（１）に具備した高温水噴射電磁弁（８７Ａａ）より高温水を噴射して、ノズル内では水滴を弾丸のように加速するＥ型エネルギ保存サイクル機関。
【請求項８】
縮径主燃焼室（１）に具備した高温水噴射電磁弁（８７Ａａ）より高温水を噴射して、ノズル内では水滴を弾丸のように加速するエネルギ保存サイクル機関。
【請求項９】
縮径主燃焼室（１）に具備した高温水噴射電磁弁（８７Ａａ）より高温水を噴射して、ノズル内では水滴を弾丸のように加速して、ノズル外ではロケットのように加速するＨ型エネルギ保存サイクル機関。
【請求項１０】
縮径主燃焼室（１）に具備した高温水噴射電磁弁（８７Ａａ）より高温水を噴射して、ノズル内では水滴を弾丸のように加速して、ノズル外ではロケットのように加速するＤ型エネルギ保存サイクル機関。
【請求項１１】
縮径主燃焼室（１）に具備した高温水噴射電磁弁（８７Ａａ）より高温水を噴射して、ノズル内では水滴を弾丸のように加速して、ノズル外ではロケットのように加速するＥ型エネルギ保存サイクル機関。
【請求項１２】
縮径主燃焼室（１）に具備した高温水噴射電磁弁（８７Ａａ）より高温水を噴射して、ノズル内では水滴を弾丸のように加速して、ノズル外ではロケットのように加速するエネルギ保存サイクル機関。
【請求項１３】
縮径主燃焼室（１）に具備した高温水噴射電磁弁（８７Ａａ）より高温水を噴射して、ノズル内では水滴を弾丸のように加速して、ノズル外ではロケットのように加速して燃焼温度を低下させるＨ型エネルギ保存サイクル機関。
【請求項１４】
縮径主燃焼室（１）に具備した高温水噴射電磁弁（８７Ａａ）より高温水を噴射して、ノズル内では水滴を弾丸のように加速して、ノズル外ではロケットのように加速して燃焼温度を低下させるＤ型エネルギ保存サイクル機関。
【請求項１５】
縮径主燃焼室（１）に具備した高温水噴射電磁弁（８７Ａａ）より高温水を噴射して、ノズル内では水滴を弾丸のように加速して、ノズル外ではロケットのように加速して燃焼温度を低下させるＥ型エネルギ保存サイクル機関。
【請求項１６】
縮径主燃焼室（１）に具備した高温水噴射電磁弁（８７Ａａ）より高温水を噴射して、ノズル内では水滴を弾丸のように加速して、ノズル外ではロケットのように加速して燃焼温度を低下させるエネルギ保存サイクル機関。
【請求項１７】
縮径主燃焼室（１）に具備した高温水噴射電磁弁（８７Ａａ）より高温水を噴射して、燃焼温度を低下させ燃焼ガスを高温水で噴射するＨ型エネルギ保存サイクル機関。
【請求項１８】
縮径主燃焼室（１）に具備した高温水噴射電磁弁（８７Ａａ）より高温水を噴射して、燃焼温度を低下させ燃焼ガスを高温水で噴射するＤ型エネルギ保存サイクル機関。
【請求項１９】
縮径主燃焼室（１）に具備した高温水噴射電磁弁（８７Ａａ）より高温水を噴射して、燃焼温度を低下させ燃焼ガスを高温水で噴射するＥ型エネルギ保存サイクル機関。
【請求項２０】
縮径主燃焼室（１）に具備した高温水噴射電磁弁（８７Ａａ）より高温水を噴射して、燃焼温度を低下させ燃焼ガスを高温水で噴射するエネルギ保存サイクル機関。
【請求項２１】
縮径主燃焼室（１）に具備した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射するＨ型エネルギ保存サイクル機関。
【請求項２２】
縮径主燃焼室（１）に具備した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射するＤ型エネルギ保存サイクル機関。
【請求項２３】
縮径主燃焼室（１）に具備した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射するＥ型エネルギ保存サイクル機関。
【請求項２４】
縮径主燃焼室（１）に具備した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射するエネルギ保存サイクル機関。
【請求項２５】
縮径主燃焼室（１）に具備した高温水噴射電磁弁（８７Ａａ）より高温水を噴射して、燃焼温度を低下させて断熱膨張極低温燃焼ガスを核に水分を凝集するＨ型エネルギ保存サイクル機関。
【請求項２６】
縮径主燃焼室（１）に具備した高温水噴射電磁弁（８７Ａａ）より高温水を噴射して、燃焼温度を低下させて断熱膨張極低温燃焼ガスを核に水分を凝集するＤ型エネルギ保存サイクル機関。
【請求項２７】
縮径主燃焼室（１）に具備した高温水噴射電磁弁（８７Ａａ）より高温水を噴射して、燃焼温度を低下させて断熱膨張極低温燃焼ガスを核に水分を凝集するＥ型エネルギ保存サイクル機関。
【請求項２８】
縮径主燃焼室（１）に具備した高温水噴射電磁弁（８７Ａａ）より高温水を噴射して、燃焼温度を低下させて断熱膨張極低温燃焼ガスを核に水分を凝集するエネルギ保存サイクル機関。
【請求項２９】
縮径主燃焼室（１）に具備した高温水噴射電磁弁（８７Ａａ）より高温水を噴射して、ノズル内では水滴を弾丸のように加速して、ノズル外ではロケットのように加速して燃焼温度を低下させて断熱膨張極低温燃焼ガスを核に水分を凝集するＨ型エネルギ保存サイクル機関。
【請求項３０】
縮径主燃焼室（１）に具備した高温水噴射電磁弁（８７Ａａ）より高温水を噴射して、ノズル内では水滴を弾丸のように加速して、ノズル外ではロケットのように加速して燃焼温度を低下させて断熱膨張極低温燃焼ガスを核に水分を凝集するＤ型エネルギ保存サイクル機関。
【請求項３１】
縮径主燃焼室（１）に具備した高温水噴射電磁弁（８７Ａａ）より高温水を噴射して、ノズル内では水滴を弾丸のように加速して、ノズル外ではロケットのように加速して燃焼温度を低下させて断熱膨張極低温燃焼ガスを核に水分を凝集するＥ型エネルギ保存サイクル機関。
【請求項３２】
縮径主燃焼室（１）に具備した高温水噴射電磁弁（８７Ａａ）より高温水を噴射して、ノズル内では水滴を弾丸のように加速して、ノズル外ではロケットのように加速して燃焼温度を低下させて断熱膨張極低温燃焼ガスを核に水分を凝集するエネルギ保存サイクル機関。
【請求項３３】
縮径主燃焼室（１）に具備した高温水噴射電磁弁（８７Ａａ）より高温水を噴射して、燃焼温度を低下させ燃焼ガスを高温水で噴射して断熱膨張極低温燃焼ガスを核に水分を凝集するＨ型エネルギ保存サイクル機関。
【請求項３４】
縮径主燃焼室（１）に具備した高温水噴射電磁弁（８７Ａａ）より高温水を噴射して、燃焼温度を低下させ燃焼ガスを高温水で噴射して断熱膨張極低温燃焼ガスを核に水分を凝集するＤ型エネルギ保存サイクル機関。
【請求項３５】
縮径主燃焼室（１）に具備した高温水噴射電磁弁（８７Ａａ）より高温水を噴射して、燃焼温度を低下させ燃焼ガスを高温水で噴射して断熱膨張極低温燃焼ガスを核に水分を凝集するＥ型エネルギ保存サイクル機関。
【請求項３６】
縮径主燃焼室（１）に具備した高温水噴射電磁弁（８７Ａａ）より高温水を噴射して、燃焼温度を低下させ燃焼ガスを高温水で噴射して断熱膨張極低温燃焼ガスを核に水分を凝集するエネルギ保存サイクル機関。
【請求項３７】
縮径主燃焼室（１）に具備した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射して断熱膨張極低温燃焼ガスを核に水分を凝集するＨ型エネルギ保存サイクル機関。
【請求項３８】
縮径主燃焼室（１）に具備した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射して断熱膨張極低温燃焼ガスを核に水分を凝集するＤ型エネルギ保存サイクル機関。
【請求項３９】
縮径主燃焼室（１）に具備した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射して断熱膨張極低温燃焼ガスを核に水分を凝集するＥ型エネルギ保存サイクル機関。
【請求項４０】
縮径主燃焼室（１）に具備した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射して断熱膨張極低温燃焼ガスを核に水分を凝集するエネルギ保存サイクル機関。
【請求項４１】
縮径主燃焼室（１）に具備した高温水噴射電磁弁（８７Ａａ）より高温水を噴射して、燃焼温度を低下させて断熱膨張極低温燃焼ガスを核に水分を凝集し、ＣＯ２排気を０に近付けるＨ型エネルギ保存サイクル機関。
【請求項４２】
縮径主燃焼室（１）に具備した高温水噴射電磁弁（８７Ａａ）より高温水を噴射して、燃焼温度を低下させて断熱膨張極低温燃焼ガスを核に水分を凝集し、ＣＯ２排気を０に近付けるＤ型エネルギ保存サイクル機関。
【請求項４３】
縮径主燃焼室（１）に具備した高温水噴射電磁弁（８７Ａａ）より高温水を噴射して、燃焼温度を低下させて断熱膨張極低温燃焼ガスを核に水分を凝集し、ＣＯ２排気を０に近付けるＥ型エネルギ保存サイクル機関。
【請求項４４】
縮径主燃焼室（１）に具備した高温水噴射電磁弁（８７Ａａ）より高温水を噴射して、燃焼温度を低下させて断熱膨張極低温燃焼ガスを核に水分を凝集し、ＣＯ２排気を０に近付けるエネルギ保存サイクル機関。
【請求項４５】
縮径主燃焼室（１）に具備した高温水噴射電磁弁（８７Ａａ）より高温水を噴射して、ノズル内では水滴を弾丸のように加速して、ノズル外ではロケットのように加速して燃焼温度を低下させて断熱膨張極低温燃焼ガスを核に水分を凝集し、ＣＯ２排気を０に近付けるＨ型エネルギ保存サイクル機関。
【請求項４６】
縮径主燃焼室（１）に具備した高温水噴射電磁弁（８７Ａａ）より高温水を噴射して、ノズル内では水滴を弾丸のように加速して、ノズル外ではロケットのように加速して燃焼温度を低下させて断熱膨張極低温燃焼ガスを核に水分を凝集し、ＣＯ２排気を０に近付けるＤ型エネルギ保存サイクル機関。
【請求項４７】
縮径主燃焼室（１）に具備した高温水噴射電磁弁（８７Ａａ）より高温水を噴射して、ノズル内では水滴を弾丸のように加速して、ノズル外ではロケットのように加速して燃焼温度を低下させて断熱膨張極低温燃焼ガスを核に水分を凝集し、ＣＯ２排気を０に近付けるＥ型エネルギ保存サイクル機関。
【請求項４８】
縮径主燃焼室（１）に具備した高温水噴射電磁弁（８７Ａａ）より高温水を噴射して、ノズル内では水滴を弾丸のように加速して、ノズル外ではロケットのように加速して燃焼温度を低下させて断熱膨張極低温燃焼ガスを核に水分を凝集し、ＣＯ２排気を０に近付けるエネルギ保存サイクル機関。
【請求項４９】
縮径主燃焼室（１）に具備した高温水噴射電磁弁（８７Ａａ）より高温水を噴射して、燃焼温度を低下させ燃焼ガスを高温水で噴射して断熱膨張極低温燃焼ガスを核に水分を凝集し、ＣＯ２排気を０に近付けるＨ型エネルギ保存サイクル機関。
【請求項５０】
縮径主燃焼室（１）に具備した高温水噴射電磁弁（８７Ａａ）より高温水を噴射して、燃焼温度を低下させ燃焼ガスを高温水で噴射して断熱膨張極低温燃焼ガスを核に水分を凝集し、ＣＯ２排気を０に近付けるＤ型エネルギ保存サイクル機関。
【請求項５１】
縮径主燃焼室（１）に具備した高温水噴射電磁弁（８７Ａａ）より高温水を噴射して、燃焼温度を低下させ燃焼ガスを高温水で噴射して断熱膨張極低温燃焼ガスを核に水分を凝集し、ＣＯ２排気を０に近付けるＥ型エネルギ保存サイクル機関。
【請求項５２】
縮径主燃焼室（１）に具備した高温水噴射電磁弁（８７Ａａ）より高温水を噴射して、燃焼温度を低下させ燃焼ガスを高温水で噴射して断熱膨張極低温燃焼ガスを核に水分を凝集し、ＣＯ２排気を０に近付けるエネルギ保存サイクル機関。
【請求項５３】
縮径主燃焼室（１）に具備した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射して断熱膨張極低温燃焼ガスを核に水分を凝集し、ＣＯ２排気を０に近付けるＨ型エネルギ保存サイクル機関。
【請求項５４】
縮径主燃焼室（１）に具備した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射して断熱膨張極低温燃焼ガスを核に水分を凝集し、ＣＯ２排気を０に近付けるＤ型エネルギ保存サイクル機関。
【請求項５５】
縮径主燃焼室（１）に具備した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射して断熱膨張極低温燃焼ガスを核に水分を凝集し、ＣＯ２排気を０に近付けるＥ型エネルギ保存サイクル機関。
【請求項５６】
縮径主燃焼室（１）に具備した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射して断熱膨張極低温燃焼ガスを核に水分を凝集し、ＣＯ２排気を０に近付けるエネルギ保存サイクル機関。
【請求項５７】
縮径主燃焼室（１）に具備した高温水噴射電磁弁（８７Ａａ）より高温水を噴射して、最高燃焼圧力を上昇するＨ型エネルギ保存サイクル機関。
【請求項５８】
縮径主燃焼室（１）に具備した高温水噴射電磁弁（８７Ａａ）より高温水を噴射して、最高燃焼圧力を上昇するＤ型エネルギ保存サイクル機関。
【請求項５９】
縮径主燃焼室（１）に具備した高温水噴射電磁弁（８７Ａａ）より高温水を噴射して、最高燃焼圧力を上昇するＥ型エネルギ保存サイクル機関。
【請求項６０】
縮径主燃焼室（１）に具備した高温水噴射電磁弁（８７Ａａ）より高温水を噴射して、最高燃焼圧力を上昇するエネルギ保存サイクル機関。
【請求項６１】
縮径主燃焼室（１）に具備した高温水噴射電磁弁（８７Ａａ）より高温水を噴射して、ノズル内では水滴を弾丸のように加速して、ノズル外ではロケットのように加速して最高燃焼圧力を上昇するＨ型エネルギ保存サイクル機関。
【請求項６２】
縮径主燃焼室（１）に具備した高温水噴射電磁弁（８７Ａａ）より高温水を噴射して、ノズル内では水滴を弾丸のように加速して、ノズル外ではロケットのように加速して最高燃焼圧力を上昇するＤ型エネルギ保存サイクル機関。
【請求項６３】
縮径主燃焼室（１）に具備した高温水噴射電磁弁（８７Ａａ）より高温水を噴射して、ノズル内では水滴を弾丸のように加速して、ノズル外ではロケットのように加速して最高燃焼圧力を上昇するＥ型エネルギ保存サイクル機関。
【請求項６４】
縮径主燃焼室（１）に具備した高温水噴射電磁弁（８７Ａａ）より高温水を噴射して、ノズル内では水滴を弾丸のように加速して、ノズル外ではロケットのように加速して最高燃焼圧力を上昇するエネルギ保存サイクル機関。
【請求項６５】
縮径主燃焼室（１）に具備した高温水噴射電磁弁（８７Ａａ）より高温水を噴射して、最高燃焼圧力を上昇し燃焼温度を低下させるＨ型エネルギ保存サイクル機関。
【請求項６６】
縮径主燃焼室（１）に具備した高温水噴射電磁弁（８７Ａａ）より高温水を噴射して、最高燃焼圧力を上昇し燃焼温度を低下させるＤ型エネルギ保存サイクル機関。
【請求項６７】
縮径主燃焼室（１）に具備した高温水噴射電磁弁（８７Ａａ）より高温水を噴射して、最高燃焼圧力を上昇し燃焼温度を低下させるＥ型エネルギ保存サイクル機関。
【請求項６８】
縮径主燃焼室（１）に具備した高温水噴射電磁弁（８７Ａａ）より高温水を噴射して、最高燃焼圧力を上昇し燃焼温度を低下させるエネルギ保存サイクル機関。
【請求項６９】
縮径主燃焼室（１）に具備した高温水噴射電磁弁（８７Ａａ）より高温水を噴射して、ノズル内では水滴を弾丸のように加速して、ノズル外ではロケットのように加速して最高燃焼圧力を上昇し燃焼温度を低下させるＨ型エネルギ保存サイクル機関。
【請求項７０】
縮径主燃焼室（１）に具備した高温水噴射電磁弁（８７Ａａ）より高温水を噴射して、ノズル内では水滴を弾丸のように加速して、ノズル外ではロケットのように加速して最高燃焼圧力を上昇し燃焼温度を低下させるＤ型エネルギ保存サイクル機関。
【請求項７１】
縮径主燃焼室（１）に具備した高温水噴射電磁弁（８７Ａａ）より高温水を噴射して、ノズル内では水滴を弾丸のように加速して、ノズル外ではロケットのように加速して最高燃焼圧力を上昇し燃焼温度を低下させるＥ型エネルギ保存サイクル機関。
【請求項７２】
縮径主燃焼室（１）に具備した高温水噴射電磁弁（８７Ａａ）より高温水を噴射して、ノズル内では水滴を弾丸のように加速して、ノズル外ではロケットのように加速して最高燃焼圧力を上昇し燃焼温度を低下させるエネルギ保存サイクル機関。
【請求項７３】
縮径主燃焼室（１）に具備した高温水噴射電磁弁（８７Ｂａ）より高温水を噴射して、燃焼温度を低下させ燃焼ガスを高温水で噴射するＨ型エネルギ保存サイクル機関。
【請求項７４】
縮径主燃焼室（１）に具備した高温水噴射電磁弁（８７Ｂａ）より高温水を噴射して、燃焼温度を低下させ燃焼ガスを高温水で噴射するＤ型エネルギ保存サイクル機関。
【請求項７５】
縮径主燃焼室（１）に具備した高温水噴射電磁弁（８７Ｂａ）より高温水を噴射して、燃焼温度を低下させ燃焼ガスを高温水で噴射するＥ型エネルギ保存サイクル機関。
【請求項７６】
縮径主燃焼室（１）に具備した高温水噴射電磁弁（８７Ｂａ）より高温水を噴射して、燃焼温度を低下させ燃焼ガスを高温水で噴射するエネルギ保存サイクル機関。
【請求項７７】
縮径主燃焼室（１）に具備した高温水噴射電磁弁（８７Ｂａ）より高温水を噴射して、ノズル内では水滴を弾丸のように加速して、ノズル外ではロケットのように加速して燃焼温度を低下させ燃焼ガスを高温水で噴射するＨ型エネルギ保存サイクル機関。
【請求項７８】
縮径主燃焼室（１）に具備した高温水噴射電磁弁（８７Ｂａ）より高温水を噴射して、ノズル内では水滴を弾丸のように加速して、ノズル外ではロケットのように加速して燃焼温度を低下させ燃焼ガスを高温水で噴射するＤ型エネルギ保存サイクル機関。
【請求項７９】
縮径主燃焼室（１）に具備した高温水噴射電磁弁（８７Ｂａ）より高温水を噴射して、ノズル内では水滴を弾丸のように加速して、ノズル外ではロケットのように加速して燃焼温度を低下させ燃焼ガスを高温水で噴射するＥ型エネルギ保存サイクル機関。
【請求項８０】
縮径主燃焼室（１）に具備した高温水噴射電磁弁（８７Ｂａ）より高温水を噴射して、ノズル内では水滴を弾丸のように加速して、ノズル外ではロケットのように加速して燃焼温度を低下させ燃焼ガスを高温水で噴射するエネルギ保存サイクル機関。
【請求項８１】
縮径主燃焼室（１）に具備した高温水噴射電磁弁（８７Ｂａ）より高温水を噴射して、燃焼温度を低下させ燃焼ガスを高温水で噴射して断熱膨張低温燃焼ガスを核に水分を凝集するＨ型エネルギ保存サイクル機関。
【請求項８２】
縮径主燃焼室（１）に具備した高温水噴射電磁弁（８７Ｂａ）より高温水を噴射して、燃焼温度を低下させ燃焼ガスを高温水で噴射して断熱膨張低温燃焼ガスを核に水分を凝集するＤ型エネルギ保存サイクル機関。
【請求項８３】
縮径主燃焼室（１）に具備した高温水噴射電磁弁（８７Ｂａ）より高温水を噴射して、燃焼温度を低下させ燃焼ガスを高温水で噴射して断熱膨張低温燃焼ガスを核に水分を凝集するＥ型エネルギ保存サイクル機関。
【請求項８４】
縮径主燃焼室（１）に具備した高温水噴射電磁弁（８７Ｂａ）より高温水を噴射して、燃焼温度を低下させ燃焼ガスを高温水で噴射して断熱膨張低温燃焼ガスを核に水分を凝集するエネルギ保存サイクル機関。
【請求項８５】
縮径主燃焼室（１）に具備した高温水噴射電磁弁（８７Ｂａ）より高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集するＨ型エネルギ保存サイクル機関。
【請求項８６】
縮径主燃焼室（１）に具備した高温水噴射電磁弁（８７Ｂａ）より高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集するＤ型エネルギ保存サイクル機関。
【請求項８７】
縮径主燃焼室（１）に具備した高温水噴射電磁弁（８７Ｂａ）より高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集するＥ型エネルギ保存サイクル機関。
【請求項８８】
縮径主燃焼室（１）に具備した高温水噴射電磁弁（８７Ｂａ）より高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集するエネルギ保存サイクル機関。
【請求項８９】
縮径主燃焼室（１）に具備した高温水噴射電磁弁（８７Ｂａ）より高温水を噴射して、燃焼温度を低下させ燃焼ガスを高温水で噴射して断熱膨張低温燃焼ガスを核に水分を凝集し、ＣＯ２排気を０に近付けるＨ型エネルギ保存サイクル機関。
【請求項９０】
縮径主燃焼室（１）に具備した高温水噴射電磁弁（８７Ｂａ）より高温水を噴射して、燃焼温度を低下させ燃焼ガスを高温水で噴射して断熱膨張低温燃焼ガスを核に水分を凝集し、ＣＯ２排気を０に近付けるＤ型エネルギ保存サイクル機関。
【請求項９１】
縮径主燃焼室（１）に具備した高温水噴射電磁弁（８７Ｂａ）より高温水を噴射して、燃焼温度を低下させ燃焼ガスを高温水で噴射して断熱膨張低温燃焼ガスを核に水分を凝集し、ＣＯ２排気を０に近付けるＥ型エネルギ保存サイクル機関。
【請求項９２】
縮径主燃焼室（１）に具備した高温水噴射電磁弁（８７Ｂａ）より高温水を噴射して、燃焼温度を低下させ燃焼ガスを高温水で噴射して断熱膨張低温燃焼ガスを核に水分を凝集し、ＣＯ２排気を０に近付けるエネルギ保存サイクル機関。
【請求項９３】
縮径主燃焼室（１）に具備した高温水噴射電磁弁（８７Ｂａ）より高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集し、ＣＯ２排気を０に近付けるＨ型エネルギ保存サイクル機関。
【請求項９４】
縮径主燃焼室（１）に具備した高温水噴射電磁弁（８７Ｂａ）より高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集し、ＣＯ２排気を０に近付けるＤ型エネルギ保存サイクル機関。
【請求項９５】
縮径主燃焼室（１）に具備した高温水噴射電磁弁（８７Ｂａ）より高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集し、ＣＯ２排気を０に近付けるＥ型エネルギ保存サイクル機関。
【請求項９６】
縮径主燃焼室（１）に具備した高温水噴射電磁弁（８７Ｂａ）より高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集し、ＣＯ２排気を０に近付けるエネルギ保存サイクル機関。
【請求項９７】
縮径主燃焼室（１）に具備した一方向空気流路（９）より噴射する空気と燃料を燃焼して、高温水噴射電磁弁（８７Ａａ）より高温水を噴射して、最高燃焼圧力を上昇するＨ型エネルギ保存サイクル機関。
【請求項９８】
縮径主燃焼室（１）に具備した一方向空気流路（９）より噴射する空気と燃料を燃焼して、高温水噴射電磁弁（８７Ａａ）より高温水を噴射して、最高燃焼圧力を上昇するＤ型エネルギ保存サイクル機関。
【請求項９９】
縮径主燃焼室（１）に具備した一方向空気流路（９）より噴射する空気と燃料を燃焼して、高温水噴射電磁弁（８７Ａａ）より高温水を噴射して、最高燃焼圧力を上昇するＥ型エネルギ保存サイクル機関。
【請求項１００】
縮径主燃焼室（１）に具備した一方向空気流路（９）より噴射する空気と燃料を燃焼して、高温水噴射電磁弁（８７Ａａ）より高温水を噴射して、最高燃焼圧力を上昇するエネルギ保存サイクル機関。
【請求項１０１】
縮径主燃焼室（１）に具備した一方向空気流路（９）より噴射する空気と燃料を燃焼して、高温水噴射電磁弁（８７Ａａ）より高温水を噴射して、ノズル内では水滴を弾丸のように加速して、ノズル外ではロケットのように加速して最高燃焼圧力を上昇するＨ型エネルギ保存サイクル機関。
【請求項１０２】
縮径主燃焼室（１）に具備した一方向空気流路（９）より噴射する空気と燃料を燃焼して、高温水噴射電磁弁（８７Ａａ）より高温水を噴射して、ノズル内では水滴を弾丸のように加速して、ノズル外ではロケットのように加速して最高燃焼圧力を上昇するＤ型エネルギ保存サイクル機関。
【請求項１０３】
縮径主燃焼室（１）に具備した一方向空気流路（９）より噴射する空気と燃料を燃焼して、高温水噴射電磁弁（８７Ａａ）より高温水を噴射して、ノズル内では水滴を弾丸のように加速して、ノズル外ではロケットのように加速して最高燃焼圧力を上昇するＥ型エネルギ保存サイクル機関。
【請求項１０４】
縮径主燃焼室（１）に具備した一方向空気流路（９）より噴射する空気と燃料を燃焼して、高温水噴射電磁弁（８７Ａａ）より高温水を噴射して、ノズル内では水滴を弾丸のように加速して、ノズル外ではロケットのように加速して最高燃焼圧力を上昇するエネルギ保存サイクル機関。
【請求項１０５】
縮径主燃焼室（１）に具備した一方向空気流路（９）より噴射する空気と燃料を燃焼して、高温水噴射電磁弁（８７Ａａ）より高温水を噴射して、燃焼温度を低下させるＨ型エネルギ保存サイクル機関。
【請求項１０６】
縮径主燃焼室（１）に具備した一方向空気流路（９）より噴射する空気と燃料を燃焼して、高温水噴射電磁弁（８７Ａａ）より高温水を噴射して、燃焼温度を低下させるＤ型エネルギ保存サイクル機関。
【請求項１０７】
縮径主燃焼室（１）に具備した一方向空気流路（９）より噴射する空気と燃料を燃焼して、高温水噴射電磁弁（８７Ａａ）より高温水を噴射して、燃焼温度を低下させるＥ型エネルギ保存サイクル機関。
【請求項１０８】
縮径主燃焼室（１）に具備した一方向空気流路（９）より噴射する空気と燃料を燃焼して、高温水噴射電磁弁（８７Ａａ）より高温水を噴射して、燃焼温度を低下させるエネルギ保存サイクル機関。
【請求項１０９】
縮径主燃焼室（１）に具備した一方向空気流路（９）より噴射する空気と燃料を燃焼して、高温水噴射電磁弁（８７Ａａ）より高温水を噴射して、ノズル内では水滴を弾丸のように加速して、ノズル外ではロケットのように加速して燃焼温度を低下させるＨ型エネルギ保存サイクル機関。
【請求項１１０】
縮径主燃焼室（１）に具備した一方向空気流路（９）より噴射する空気と燃料を燃焼して、高温水噴射電磁弁（８７Ａａ）より高温水を噴射して、ノズル内では水滴を弾丸のように加速して、ノズル外ではロケットのように加速して燃焼温度を低下させるＤ型エネルギ保存サイクル機関。
【請求項１１１】
縮径主燃焼室（１）に具備した一方向空気流路（９）より噴射する空気と燃料を燃焼して、高温水噴射電磁弁（８７Ａａ）より高温水を噴射して、ノズル内では水滴を弾丸のように加速して、ノズル外ではロケットのように加速して燃焼温度を低下させるＥ型エネルギ保存サイクル機関。
【請求項１１２】
縮径主燃焼室（１）に具備した一方向空気流路（９）より噴射する空気と燃料を燃焼して、高温水噴射電磁弁（８７Ａａ）より高温水を噴射して、ノズル内では水滴を弾丸のように加速して、ノズル外ではロケットのように加速して燃焼温度を低下させるエネルギ保存サイクル機関。
【請求項１１３】
縮径主燃焼室（１）に具備した一方向空気流路（９）より噴射する空気と燃料を燃焼して、高温水噴射電磁弁（８７Ａａ）より高温水を噴射して、燃焼温度を低下させ燃焼ガスを高温水で噴射するＨ型エネルギ保存サイクル機関。
【請求項１１４】
縮径主燃焼室（１）に具備した一方向空気流路（９）より噴射する空気と燃料を燃焼して、高温水噴射電磁弁（８７Ａａ）より高温水を噴射して、燃焼温度を低下させ燃焼ガスを高温水で噴射するＤ型エネルギ保存サイクル機関。
【請求項１１５】
縮径主燃焼室（１）に具備した一方向空気流路（９）より噴射する空気と燃料を燃焼して、高温水噴射電磁弁（８７Ａａ）より高温水を噴射して、燃焼温度を低下させ燃焼ガスを高温水で噴射するＥ型エネルギ保存サイクル機関。
【請求項１１６】
縮径主燃焼室（１）に具備した一方向空気流路（９）より噴射する空気と燃料を燃焼して、高温水噴射電磁弁（８７Ａａ）より高温水を噴射して、燃焼温度を低下させ燃焼ガスを高温水で噴射するエネルギ保存サイクル機関。
【請求項１１７】
縮径主燃焼室（１）に具備した一方向空気流路（９）より噴射する空気と燃料を燃焼して、高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射するＨ型エネルギ保存サイクル機関。
【請求項１１８】
縮径主燃焼室（１）に具備した一方向空気流路（９）より噴射する空気と燃料を燃焼して、高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射するＤ型エネルギ保存サイクル機関。
【請求項１１９】
縮径主燃焼室（１）に具備した一方向空気流路（９）より噴射する空気と燃料を燃焼して、高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射するＥ型エネルギ保存サイクル機関。
【請求項１２０】
縮径主燃焼室（１）に具備した一方向空気流路（９）より噴射する空気と燃料を燃焼して、高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射するエネルギ保存サイクル機関。
【請求項１２１】
縮径主燃焼室（１）に具備した一方向空気流路（９）より噴射する空気と燃料を燃焼して、高温水噴射電磁弁（８７Ａａ）より高温水を噴射して、燃焼温度を低下させ燃焼ガスを高温水で噴射して断熱膨張低温燃焼ガスを核に水分を凝集するＨ型エネルギ保存サイクル機関。
【請求項１２２】
縮径主燃焼室（１）に具備した一方向空気流路（９）より噴射する空気と燃料を燃焼して、高温水噴射電磁弁（８７Ａａ）より高温水を噴射して、燃焼温度を低下させ燃焼ガスを高温水で噴射して断熱膨張低温燃焼ガスを核に水分を凝集するＤ型エネルギ保存サイクル機関。
【請求項１２３】
縮径主燃焼室（１）に具備した一方向空気流路（９）より噴射する空気と燃料を燃焼して、高温水噴射電磁弁（８７Ａａ）より高温水を噴射して、燃焼温度を低下させ燃焼ガスを高温水で噴射して断熱膨張低温燃焼ガスを核に水分を凝集するＥ型エネルギ保存サイクル機関。
【請求項１２４】
縮径主燃焼室（１）に具備した一方向空気流路（９）より噴射する空気と燃料を燃焼して、高温水噴射電磁弁（８７Ａａ）より高温水を噴射して、燃焼温度を低下させ燃焼ガスを高温水で噴射して断熱膨張低温燃焼ガスを核に水分を凝集するエネルギ保存サイクル機関。
【請求項１２５】
縮径主燃焼室（１）に具備した一方向空気流路（９）より噴射する空気と燃料を燃焼して、高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集するＨ型エネルギ保存サイクル機関。
【請求項１２６】
縮径主燃焼室（１）に具備した一方向空気流路（９）より噴射する空気と燃料を燃焼して、高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集するＤ型エネルギ保存サイクル機関。
【請求項１２７】
縮径主燃焼室（１）に具備した一方向空気流路（９）より噴射する空気と燃料を燃焼して、高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集するＥ型エネルギ保存サイクル機関。
【請求項１２８】
縮径主燃焼室（１）に具備した一方向空気流路（９）より噴射する空気と燃料を燃焼して、高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集するエネルギ保存サイクル機関。
【請求項１２９】
縮径主燃焼室（１）に具備した一方向空気流路（９）より噴射する空気と燃料を燃焼して、高温水噴射電磁弁（８７Ａａ）より高温水を噴射して、燃焼温度を低下させ燃焼ガスを高温水で噴射して断熱膨張低温燃焼ガスを核に水分を凝集し、ＣＯ２排気を０に近付けるＨ型エネルギ保存サイクル機関。
【請求項１３０】
縮径主燃焼室（１）に具備した一方向空気流路（９）より噴射する空気と燃料を燃焼して、高温水噴射電磁弁（８７Ａａ）より高温水を噴射して、燃焼温度を低下させ燃焼ガスを高温水で噴射して断熱膨張低温燃焼ガスを核に水分を凝集し、ＣＯ２排気を０に近付けるＤ型エネルギ保存サイクル機関。
【請求項１３１】
縮径主燃焼室（１）に具備した一方向空気流路（９）より噴射する空気と燃料を燃焼して、高温水噴射電磁弁（８７Ａａ）より高温水を噴射して、燃焼温度を低下させ燃焼ガスを高温水で噴射して断熱膨張低温燃焼ガスを核に水分を凝集し、ＣＯ２排気を０に近付けるＥ型エネルギ保存サイクル機関。
【請求項１３２】
縮径主燃焼室（１）に具備した一方向空気流路（９）より噴射する空気と燃料を燃焼して、高温水噴射電磁弁（８７Ａａ）より高温水を噴射して、燃焼温度を低下させ燃焼ガスを高温水で噴射して断熱膨張低温燃焼ガスを核に水分を凝集し、ＣＯ２排気を０に近付けるエネルギ保存サイクル機関。
【請求項１３３】
縮径主燃焼室（１）に具備した一方向空気流路（９）より噴射する空気と燃料を燃焼して、高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集し、ＣＯ２排気を０に近付けるＨ型エネルギ保存サイクル機関。
【請求項１３４】
縮径主燃焼室（１）に具備した一方向空気流路（９）より噴射する空気と燃料を燃焼して、高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集し、ＣＯ２排気を０に近付けるＤ型エネルギ保存サイクル機関。
【請求項１３５】
縮径主燃焼室（１）に具備した一方向空気流路（９）より噴射する空気と燃料を燃焼して、高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集し、ＣＯ２排気を０に近付けるＥ型エネルギ保存サイクル機関。
【請求項１３６】
縮径主燃焼室（１）に具備した一方向空気流路（９）より噴射する空気と燃料を燃焼して、高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集し、ＣＯ２排気を０に近付けるエネルギ保存サイクル機関。
【請求項１３７】
縮径主燃焼室（１）に具備した高温水噴射電磁弁（８７Ａａ）より縮径主燃焼室熱交換器（２）の高温水を噴射して、最高燃焼圧力を上昇するＨ型エネルギ保存サイクル機関。
【請求項１３８】
縮径主燃焼室（１）に具備した高温水噴射電磁弁（８７Ａａ）より縮径主燃焼室熱交換器（２）の高温水を噴射して、最高燃焼圧力を上昇するＤ型エネルギ保存サイクル機関。
【請求項１３９】
縮径主燃焼室（１）に具備した高温水噴射電磁弁（８７Ａａ）より縮径主燃焼室熱交換器（２）の高温水を噴射して、最高燃焼圧力を上昇するＥ型エネルギ保存サイクル機関。
【請求項１４０】
縮径主燃焼室（１）に具備した高温水噴射電磁弁（８７Ａａ）より縮径主燃焼室熱交換器（２）の高温水を噴射して、最高燃焼圧力を上昇するエネルギ保存サイクル機関。
【請求項１４１】
縮径主燃焼室（１）に具備した高温水噴射電磁弁（８７Ａａ）より縮径主燃焼室熱交換器（２）の高温水を噴射して、ノズル内では水滴を弾丸のように加速して、ノズル外ではロケットのように加速して最高燃焼圧力を上昇するＨ型エネルギ保存サイクル機関。
【請求項１４２】
縮径主燃焼室（１）に具備した高温水噴射電磁弁（８７Ａａ）より縮径主燃焼室熱交換器（２）の高温水を噴射して、ノズル内では水滴を弾丸のように加速して、ノズル外ではロケットのように加速して最高燃焼圧力を上昇するＤ型エネルギ保存サイクル機関。
【請求項１４３】
縮径主燃焼室（１）に具備した高温水噴射電磁弁（８７Ａａ）より縮径主燃焼室熱交換器（２）の高温水を噴射して、ノズル内では水滴を弾丸のように加速して、ノズル外ではロケットのように加速して最高燃焼圧力を上昇するＥ型エネルギ保存サイクル機関。
【請求項１４４】
縮径主燃焼室（１）に具備した高温水噴射電磁弁（８７Ａａ）より縮径主燃焼室熱交換器（２）の高温水を噴射して、ノズル内では水滴を弾丸のように加速して、ノズル外ではロケットのように加速して最高燃焼圧力を上昇するエネルギ保存サイクル機関。
【請求項１４５】
縮径主燃焼室（１）に具備した高温水噴射電磁弁（８７Ａａ）より縮径主燃焼室熱交換器（２）の高温水を噴射して、燃焼温度を低下させるＨ型エネルギ保存サイクル機関。
【請求項１４６】
縮径主燃焼室（１）に具備した高温水噴射電磁弁（８７Ａａ）より縮径主燃焼室熱交換器（２）の高温水を噴射して、燃焼温度を低下させるＤ型エネルギ保存サイクル機関。
【請求項１４７】
縮径主燃焼室（１）に具備した高温水噴射電磁弁（８７Ａａ）より縮径主燃焼室熱交換器（２）の高温水を噴射して、燃焼温度を低下させるＥ型エネルギ保存サイクル機関。
【請求項１４８】
縮径主燃焼室（１）に具備した高温水噴射電磁弁（８７Ａａ）より縮径主燃焼室熱交換器（２）の高温水を噴射して、燃焼温度を低下させるエネルギ保存サイクル機関。
【請求項１４９】
縮径主燃焼室（１）に具備した高温水噴射電磁弁（８７Ａａ）より縮径主燃焼室熱交換器（２）の高温水を噴射して、ノズル内では水滴を弾丸のように加速して、ノズル外ではロケットのように加速して燃焼温度を低下させるＨ型エネルギ保存サイクル機関。
【請求項１５０】
縮径主燃焼室（１）に具備した高温水噴射電磁弁（８７Ａａ）より縮径主燃焼室熱交換器（２）の高温水を噴射して、ノズル内では水滴を弾丸のように加速して、ノズル外ではロケットのように加速して燃焼温度を低下させるＤ型エネルギ保存サイクル機関。
【請求項１５１】
縮径主燃焼室（１）に具備した高温水噴射電磁弁（８７Ａａ）より縮径主燃焼室熱交換器（２）の高温水を噴射して、ノズル内では水滴を弾丸のように加速して、ノズル外ではロケットのように加速して燃焼温度を低下させるＥ型エネルギ保存サイクル機関。
【請求項１５２】
縮径主燃焼室（１）に具備した高温水噴射電磁弁（８７Ａａ）より縮径主燃焼室熱交換器（２）の高温水を噴射して、ノズル内では水滴を弾丸のように加速して、ノズル外ではロケットのように加速して燃焼温度を低下させるエネルギ保存サイクル機関。
【請求項１５３】
縮径主燃焼室（１）に具備した高温水噴射電磁弁（８７Ａａ）より縮径主燃焼室熱交換器（２）の高温水を噴射して、燃焼温度を低下させ燃焼ガスを高温水で噴射するＨ型エネルギ保存サイクル機関。
【請求項１５４】
縮径主燃焼室（１）に具備した高温水噴射電磁弁（８７Ａａ）より縮径主燃焼室熱交換器（２）の高温水を噴射して、燃焼温度を低下させ燃焼ガスを高温水で噴射するＤ型エネルギ保存サイクル機関。
【請求項１５５】
縮径主燃焼室（１）に具備した高温水噴射電磁弁（８７Ａａ）より縮径主燃焼室熱交換器（２）の高温水を噴射して、燃焼温度を低下させ燃焼ガスを高温水で噴射するＥ型エネルギ保存サイクル機関。
【請求項１５６】
縮径主燃焼室（１）に具備した高温水噴射電磁弁（８７Ａａ）より縮径主燃焼室熱交換器（２）の高温水を噴射して、燃焼温度を低下させ燃焼ガスを高温水で噴射するエネルギ保存サイクル機関。
【請求項１５７】
縮径主燃焼室（１）に具備した高温水噴射電磁弁（８７Ａａ）より縮径主燃焼室熱交換器（２）の高温水を噴射して、ノズル内では水滴を弾丸のように加速して、ノズル外ではロケットのように加速して燃焼温度を低下させ燃焼ガスを高温水で噴射するＨ型エネルギ保存サイクル機関。
【請求項１５８】
縮径主燃焼室（１）に具備した高温水噴射電磁弁（８７Ａａ）より縮径主燃焼室熱交換器（２）の高温水を噴射して、ノズル内では水滴を弾丸のように加速して、ノズル外ではロケットのように加速して燃焼温度を低下させ燃焼ガスを高温水で噴射するＤ型エネルギ保存サイクル機関。
【請求項１５９】
縮径主燃焼室（１）に具備した高温水噴射電磁弁（８７Ａａ）より縮径主燃焼室熱交換器（２）の高温水を噴射して、ノズル内では水滴を弾丸のように加速して、ノズル外ではロケットのように加速して燃焼温度を低下させ燃焼ガスを高温水で噴射するＥ型エネルギ保存サイクル機関。
【請求項１６０】
縮径主燃焼室（１）に具備した高温水噴射電磁弁（８７Ａａ）より縮径主燃焼室熱交換器（２）の高温水を噴射して、ノズル内では水滴を弾丸のように加速して、ノズル外ではロケットのように加速して燃焼温度を低下させ燃焼ガスを高温水で噴射するエネルギ保存サイクル機関。
【請求項１６１】
縮径主燃焼室（１）に具備した高温水噴射電磁弁（８７Ａａ）より縮径主燃焼室熱交換器（２）の高温水を噴射して、燃焼温度を低下させ燃焼ガスを高温水で噴射して断熱膨張低温燃焼ガスを核に水分を凝集するＨ型エネルギ保存サイクル機関。
【請求項１６２】
縮径主燃焼室（１）に具備した高温水噴射電磁弁（８７Ａａ）より縮径主燃焼室熱交換器（２）の高温水を噴射して、燃焼温度を低下させ燃焼ガスを高温水で噴射して断熱膨張低温燃焼ガスを核に水分を凝集するＤ型エネルギ保存サイクル機関。
【請求項１６３】
縮径主燃焼室（１）に具備した高温水噴射電磁弁（８７Ａａ）より縮径主燃焼室熱交換器（２）の高温水を噴射して、燃焼温度を低下させ燃焼ガスを高温水で噴射して断熱膨張低温燃焼ガスを核に水分を凝集するＥ型エネルギ保存サイクル機関。
【請求項１６４】
縮径主燃焼室（１）に具備した高温水噴射電磁弁（８７Ａａ）より縮径主燃焼室熱交換器（２）の高温水を噴射して、燃焼温度を低下させ燃焼ガスを高温水で噴射して断熱膨張低温燃焼ガスを核に水分を凝集するエネルギ保存サイクル機関。
【請求項１６５】
縮径主燃焼室（１）に具備した高温水噴射電磁弁（８７Ａａ）より縮径主燃焼室熱交換器（２）の高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集するＨ型エネルギ保存サイクル機関。
【請求項１６６】
縮径主燃焼室（１）に具備した高温水噴射電磁弁（８７Ａａ）より縮径主燃焼室熱交換器（２）の高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集するＤ型エネルギ保存サイクル機関。
【請求項１６７】
縮径主燃焼室（１）に具備した高温水噴射電磁弁（８７Ａａ）より縮径主燃焼室熱交換器（２）の高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集するＥ型エネルギ保存サイクル機関。
【請求項１６８】
縮径主燃焼室（１）に具備した高温水噴射電磁弁（８７Ａａ）より縮径主燃焼室熱交換器（２）の高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集するエネルギ保存サイクル機関。
【請求項１６９】
縮径主燃焼室（１）に具備した高温水噴射電磁弁（８７Ａａ）より縮径主燃焼室熱交換器（２）の高温水を噴射して、燃焼温度を低下させ燃焼ガスを高温水で噴射して断熱膨張低温燃焼ガスを核に水分を凝集し、ＣＯ２排気を０に近付けるＨ型エネルギ保存サイクル機関。
【請求項１７０】
縮径主燃焼室（１）に具備した高温水噴射電磁弁（８７Ａａ）より縮径主燃焼室熱交換器（２）の高温水を噴射して、燃焼温度を低下させ燃焼ガスを高温水で噴射して断熱膨張低温燃焼ガスを核に水分を凝集し、ＣＯ２排気を０に近付けるＤ型エネルギ保存サイクル機関。
【請求項１７１】
縮径主燃焼室（１）に具備した高温水噴射電磁弁（８７Ａａ）より縮径主燃焼室熱交換器（２）の高温水を噴射して、燃焼温度を低下させ燃焼ガスを高温水で噴射して断熱膨張低温燃焼ガスを核に水分を凝集し、ＣＯ２排気を０に近付けるＥ型エネルギ保存サイクル機関。
【請求項１７２】
縮径主燃焼室（１）に具備した高温水噴射電磁弁（８７Ａａ）より縮径主燃焼室熱交換器（２）の高温水を噴射して、燃焼温度を低下させ燃焼ガスを高温水で噴射して断熱膨張低温燃焼ガスを核に水分を凝集し、ＣＯ２排気を０に近付けるエネルギ保存サイクル機関。
【請求項１７３】
縮径主燃焼室（１）に具備した高温水噴射電磁弁（８７Ａａ）より縮径主燃焼室熱交換器（２）の高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集し、ＣＯ２排気を０に近付けるＨ型エネルギ保存サイクル機関。
【請求項１７４】
縮径主燃焼室（１）に具備した高温水噴射電磁弁（８７Ａａ）より縮径主燃焼室熱交換器（２）の高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集し、ＣＯ２排気を０に近付けるＤ型エネルギ保存サイクル機関。
【請求項１７５】
縮径主燃焼室（１）に具備した高温水噴射電磁弁（８７Ａａ）より縮径主燃焼室熱交換器（２）の高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集し、ＣＯ２排気を０に近付けるＥ型エネルギ保存サイクル機関。
【請求項１７６】
縮径主燃焼室（１）に具備した高温水噴射電磁弁（８７Ａａ）より縮径主燃焼室熱交換器（２）の高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集し、ＣＯ２排気を０に近付けるエネルギ保存サイクル機関。
【請求項１７７】
縮径主燃焼室（１）に具備した一方向空気流路（９）より噴射する空気と燃料を燃焼して、高温水噴射電磁弁（８７Ａａ）より縮径主燃焼室熱交換器（２）の高温水を噴射して、最高燃焼圧力を上昇するＨ型エネルギ保存サイクル機関。
【請求項１７８】
縮径主燃焼室（１）に具備した一方向空気流路（９）より噴射する空気と燃料を燃焼して、高温水噴射電磁弁（８７Ａａ）より縮径主燃焼室熱交換器（２）の高温水を噴射して、最高燃焼圧力を上昇するＤ型エネルギ保存サイクル機関。
【請求項１７９】
縮径主燃焼室（１）に具備した一方向空気流路（９）より噴射する空気と燃料を燃焼して、高温水噴射電磁弁（８７Ａａ）より縮径主燃焼室熱交換器（２）の高温水を噴射して、最高燃焼圧力を上昇するＥ型エネルギ保存サイクル機関。
【請求項１８０】
縮径主燃焼室（１）に具備した一方向空気流路（９）より噴射する空気と燃料を燃焼して、高温水噴射電磁弁（８７Ａａ）より縮径主燃焼室熱交換器（２）の高温水を噴射して、最高燃焼圧力を上昇するエネルギ保存サイクル機関。
【請求項１８１】
縮径主燃焼室（１）に具備した一方向空気流路（９）より噴射する空気と燃料を燃焼して、高温水噴射電磁弁（８７Ａａ）より縮径主燃焼室熱交換器（２）の高温水を噴射して、ノズル内では水滴を弾丸のように加速して、ノズル外ではロケットのように加速して最高燃焼圧力を上昇するＨ型エネルギ保存サイクル機関。
【請求項１８２】
縮径主燃焼室（１）に具備した一方向空気流路（９）より噴射する空気と燃料を燃焼して、高温水噴射電磁弁（８７Ａａ）より縮径主燃焼室熱交換器（２）の高温水を噴射して、ノズル内では水滴を弾丸のように加速して、ノズル外ではロケットのように加速して最高燃焼圧力を上昇するＤ型エネルギ保存サイクル機関。
【請求項１８３】
縮径主燃焼室（１）に具備した一方向空気流路（９）より噴射する空気と燃料を燃焼して、高温水噴射電磁弁（８７Ａａ）より縮径主燃焼室熱交換器（２）の高温水を噴射して、ノズル内では水滴を弾丸のように加速して、ノズル外ではロケットのように加速して最高燃焼圧力を上昇するＥ型エネルギ保存サイクル機関。
【請求項１８４】
縮径主燃焼室（１）に具備した一方向空気流路（９）より噴射する空気と燃料を燃焼して、高温水噴射電磁弁（８７Ａａ）より縮径主燃焼室熱交換器（２）の高温水を噴射して、ノズル内では水滴を弾丸のように加速して、ノズル外ではロケットのように加速して最高燃焼圧力を上昇するエネルギ保存サイクル機関。
【請求項１８５】
縮径主燃焼室（１）に具備した一方向空気流路（９）より噴射する空気と燃料を燃焼して、高温水噴射電磁弁（８７Ａａ）より縮径主燃焼室熱交換器（２）の高温水を噴射して、燃焼温度を低下させるＨ型エネルギ保存サイクル機関。
【請求項１８６】
縮径主燃焼室（１）に具備した一方向空気流路（９）より噴射する空気と燃料を燃焼して、高温水噴射電磁弁（８７Ａａ）より縮径主燃焼室熱交換器（２）の高温水を噴射して、燃焼温度を低下させるＤ型エネルギ保存サイクル機関。
【請求項１８７】
縮径主燃焼室（１）に具備した一方向空気流路（９）より噴射する空気と燃料を燃焼して、高温水噴射電磁弁（８７Ａａ）より縮径主燃焼室熱交換器（２）の高温水を噴射して、燃焼温度を低下させるＥ型エネルギ保存サイクル機関。
【請求項１８８】
縮径主燃焼室（１）に具備した一方向空気流路（９）より噴射する空気と燃料を燃焼して、高温水噴射電磁弁（８７Ａａ）より縮径主燃焼室熱交換器（２）の高温水を噴射して、燃焼温度を低下させるエネルギ保存サイクル機関。
【請求項１８９】
縮径主燃焼室（１）に具備した一方向空気流路（９）より噴射する空気と燃料を燃焼して、高温水噴射電磁弁（８７Ａａ）より縮径主燃焼室熱交換器（２）の高温水を噴射して、ノズル内では水滴を弾丸のように加速して、ノズル外ではロケットのように加速して燃焼温度を低下させるＨ型エネルギ保存サイクル機関。
【請求項１９０】
縮径主燃焼室（１）に具備した一方向空気流路（９）より噴射する空気と燃料を燃焼して、高温水噴射電磁弁（８７Ａａ）より縮径主燃焼室熱交換器（２）の高温水を噴射して、ノズル内では水滴を弾丸のように加速して、ノズル外ではロケットのように加速して燃焼温度を低下させるＤ型エネルギ保存サイクル機関。
【請求項１９１】
縮径主燃焼室（１）に具備した一方向空気流路（９）より噴射する空気と燃料を燃焼して、高温水噴射電磁弁（８７Ａａ）より縮径主燃焼室熱交換器（２）の高温水を噴射して、ノズル内では水滴を弾丸のように加速して、ノズル外ではロケットのように加速して燃焼温度を低下させるＥ型エネルギ保存サイクル機関。
【請求項１９２】
縮径主燃焼室（１）に具備した一方向空気流路（９）より噴射する空気と燃料を燃焼して、高温水噴射電磁弁（８７Ａａ）より縮径主燃焼室熱交換器（２）の高温水を噴射して、ノズル内では水滴を弾丸のように加速して、ノズル外ではロケットのように加速して燃焼温度を低下させるエネルギ保存サイクル機関。
【請求項１９３】
縮径主燃焼室（１）に具備した一方向空気流路（９）より噴射する空気と燃料を燃焼して、高温水噴射電磁弁（８７Ａａ）より縮径主燃焼室熱交換器（２）の高温水を噴射して、燃焼温度を低下させ燃焼ガスを高温水で噴射するＨ型エネルギ保存サイクル機関。
【請求項１９４】
縮径主燃焼室（１）に具備した一方向空気流路（９）より噴射する空気と燃料を燃焼して、高温水噴射電磁弁（８７Ａａ）より縮径主燃焼室熱交換器（２）の高温水を噴射して、燃焼温度を低下させ燃焼ガスを高温水で噴射するＤ型エネルギ保存サイクル機関。
【請求項１９５】
縮径主燃焼室（１）に具備した一方向空気流路（９）より噴射する空気と燃料を燃焼して、高温水噴射電磁弁（８７Ａａ）より縮径主燃焼室熱交換器（２）の高温水を噴射して、燃焼温度を低下させ燃焼ガスを高温水で噴射するＥ型エネルギ保存サイクル機関。
【請求項１９６】
縮径主燃焼室（１）に具備した一方向空気流路（９）より噴射する空気と燃料を燃焼して、高温水噴射電磁弁（８７Ａａ）より縮径主燃焼室熱交換器（２）の高温水を噴射して、燃焼温度を低下させ燃焼ガスを高温水で噴射するエネルギ保存サイクル機関。
【請求項１９７】
縮径主燃焼室（１）に具備した一方向空気流路（９）より噴射する空気と燃料を燃焼して、高温水噴射電磁弁（８７Ａａ）より縮径主燃焼室熱交換器（２）の高温水を噴射して、ノズル内では水滴を弾丸のように加速して、ノズル外ではロケットのように加速して燃焼温度を低下させ燃焼ガスを高温水で噴射するＨ型エネルギ保存サイクル機関。
【請求項１９８】
縮径主燃焼室（１）に具備した一方向空気流路（９）より噴射する空気と燃料を燃焼して、高温水噴射電磁弁（８７Ａａ）より縮径主燃焼室熱交換器（２）の高温水を噴射して、ノズル内では水滴を弾丸のように加速して、ノズル外ではロケットのように加速して燃焼温度を低下させ燃焼ガスを高温水で噴射するＤ型エネルギ保存サイクル機関。
【請求項１９９】
縮径主燃焼室（１）に具備した一方向空気流路（９）より噴射する空気と燃料を燃焼して、高温水噴射電磁弁（８７Ａａ）より縮径主燃焼室熱交換器（２）の高温水を噴射して、ノズル内では水滴を弾丸のように加速して、ノズル外ではロケットのように加速して燃焼温度を低下させ燃焼ガスを高温水で噴射するＥ型エネルギ保存サイクル機関。
【請求項２００】
縮径主燃焼室（１）に具備した一方向空気流路（９）より噴射する空気と燃料を燃焼して、高温水噴射電磁弁（８７Ａａ）より縮径主燃焼室熱交換器（２）の高温水を噴射して、ノズル内では水滴を弾丸のように加速して、ノズル外ではロケットのように加速して燃焼温度を低下させ燃焼ガスを高温水で噴射するエネルギ保存サイクル機関。
【請求項２０１】
縮径主燃焼室（１）に具備した一方向空気流路（９）より噴射する空気と燃料を燃焼して、高温水噴射電磁弁（８７Ａａ）より縮径主燃焼室熱交換器（２）の高温水を噴射して、燃焼温度を低下させ燃焼ガスを高温水で噴射して断熱膨張低温燃焼ガスを核に水分を凝集するＨ型エネルギ保存サイクル機関。
【請求項２０２】
縮径主燃焼室（１）に具備した一方向空気流路（９）より噴射する空気と燃料を燃焼して、高温水噴射電磁弁（８７Ａａ）より縮径主燃焼室熱交換器（２）の高温水を噴射して、燃焼温度を低下させ燃焼ガスを高温水で噴射して断熱膨張低温燃焼ガスを核に水分を凝集するＤ型エネルギ保存サイクル機関。
【請求項２０３】
縮径主燃焼室（１）に具備した一方向空気流路（９）より噴射する空気と燃料を燃焼して、高温水噴射電磁弁（８７Ａａ）より縮径主燃焼室熱交換器（２）の高温水を噴射して、燃焼温度を低下させ燃焼ガスを高温水で噴射して断熱膨張低温燃焼ガスを核に水分を凝集するＥ型エネルギ保存サイクル機関。
【請求項２０４】
縮径主燃焼室（１）に具備した一方向空気流路（９）より噴射する空気と燃料を燃焼して、高温水噴射電磁弁（８７Ａａ）より縮径主燃焼室熱交換器（２）の高温水を噴射して、燃焼温度を低下させ燃焼ガスを高温水で噴射して断熱膨張低温燃焼ガスを核に水分を凝集するエネルギ保存サイクル機関。
【請求項２０５】
縮径主燃焼室（１）に具備した一方向空気流路（９）より噴射する空気と燃料を燃焼して、高温水噴射電磁弁（８７Ａａ）より縮径主燃焼室熱交換器（２）の高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集するＨ型エネルギ保存サイクル機関。
【請求項２０６】
縮径主燃焼室（１）に具備した一方向空気流路（９）より噴射する空気と燃料を燃焼して、高温水噴射電磁弁（８７Ａａ）より縮径主燃焼室熱交換器（２）の高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集するＤ型エネルギ保存サイクル機関。
【請求項２０７】
縮径主燃焼室（１）に具備した一方向空気流路（９）より噴射する空気と燃料を燃焼して、高温水噴射電磁弁（８７Ａａ）より縮径主燃焼室熱交換器（２）の高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集するＥ型エネルギ保存サイクル機関。
【請求項２０８】
縮径主燃焼室（１）に具備した一方向空気流路（９）より噴射する空気と燃料を燃焼して、高温水噴射電磁弁（８７Ａａ）より縮径主燃焼室熱交換器（２）の高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集するエネルギ保存サイクル機関。
【請求項２０９】
縮径主燃焼室（１）に具備した一方向空気流路（９）より噴射する空気と燃料を燃焼して、高温水噴射電磁弁（８７Ａａ）より縮径主燃焼室熱交換器（２）の高温水を噴射して、燃焼温度を低下させ燃焼ガスを高温水で噴射して断熱膨張低温燃焼ガスを核に水分を凝集し、ＣＯ２排気を０に近付けるＨ型エネルギ保存サイクル機関。
【請求項２１０】
縮径主燃焼室（１）に具備した一方向空気流路（９）より噴射する空気と燃料を燃焼して、高温水噴射電磁弁（８７Ａａ）より縮径主燃焼室熱交換器（２）の高温水を噴射して、燃焼温度を低下させ燃焼ガスを高温水で噴射して断熱膨張低温燃焼ガスを核に水分を凝集し、ＣＯ２排気を０に近付けるＤ型エネルギ保存サイクル機関。
【請求項２１１】
縮径主燃焼室（１）に具備した一方向空気流路（９）より噴射する空気と燃料を燃焼して、高温水噴射電磁弁（８７Ａａ）より縮径主燃焼室熱交換器（２）の高温水を噴射して、燃焼温度を低下させ燃焼ガスを高温水で噴射して断熱膨張低温燃焼ガスを核に水分を凝集し、ＣＯ２排気を０に近付けるＥ型エネルギ保存サイクル機関。
【請求項２１２】
縮径主燃焼室（１）に具備した一方向空気流路（９）より噴射する空気と燃料を燃焼して、高温水噴射電磁弁（８７Ａａ）より縮径主燃焼室熱交換器（２）の高温水を噴射して、燃焼温度を低下させ燃焼ガスを高温水で噴射して断熱膨張低温燃焼ガスを核に水分を凝集し、ＣＯ２排気を０に近付けるエネルギ保存サイクル機関。
【請求項２１３】
縮径主燃焼室（１）に具備した一方向空気流路（９）より噴射する空気と燃料を燃焼して、高温水噴射電磁弁（８７Ａａ）より縮径主燃焼室熱交換器（２）の高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集し、ＣＯ２排気を０に近付けるＨ型エネルギ保存サイクル機関。
【請求項２１４】
縮径主燃焼室（１）に具備した一方向空気流路（９）より噴射する空気と燃料を燃焼して、高温水噴射電磁弁（８７Ａａ）より縮径主燃焼室熱交換器（２）の高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集し、ＣＯ２排気を０に近付けるＤ型エネルギ保存サイクル機関。
【請求項２１５】
縮径主燃焼室（１）に具備した一方向空気流路（９）より噴射する空気と燃料を燃焼して、高温水噴射電磁弁（８７Ａａ）より縮径主燃焼室熱交換器（２）の高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集し、ＣＯ２排気を０に近付けるＥ型エネルギ保存サイクル機関。
【請求項２１６】
縮径主燃焼室（１）に具備した一方向空気流路（９）より噴射する空気と燃料を燃焼して、高温水噴射電磁弁（８７Ａａ）より縮径主燃焼室熱交換器（２）の高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集し、ＣＯ２排気を０に近付けるエネルギ保存サイクル機関。
【請求項２１７】
縮径主燃焼室（１）に具備した高温水噴射電磁弁（８７Ａａ）より縮径主燃焼室熱交換器（２）の複数の導水管（３）の高温水を噴射して、最高燃焼圧力を上昇するＨ型エネルギ保存サイクル機関。
【請求項２１８】
縮径主燃焼室（１）に具備した高温水噴射電磁弁（８７Ａａ）より縮径主燃焼室熱交換器（２）の複数の導水管（３）の高温水を噴射して、最高燃焼圧力を上昇するＤ型エネルギ保存サイクル機関。
【請求項２１９】
縮径主燃焼室（１）に具備した高温水噴射電磁弁（８７Ａａ）より縮径主燃焼室熱交換器（２）の複数の導水管（３）の高温水を噴射して、最高燃焼圧力を上昇するＥ型エネルギ保存サイクル機関。
【請求項２２０】
縮径主燃焼室（１）に具備した高温水噴射電磁弁（８７Ａａ）より縮径主燃焼室熱交換器（２）の複数の導水管（３）の高温水を噴射して、最高燃焼圧力を上昇するエネルギ保存サイクル機関。
【請求項２２１】
縮径主燃焼室（１）に具備した高温水噴射電磁弁（８７Ａａ）より縮径主燃焼室熱交換器（２）の複数の導水管（３）の高温水を噴射して、ノズル内では水滴を弾丸のように加速して、ノズル外ではロケットのように加速して最高燃焼圧力を上昇するＨ型エネルギ保存サイクル機関。
【請求項２２２】
縮径主燃焼室（１）に具備した高温水噴射電磁弁（８７Ａａ）より縮径主燃焼室熱交換器（２）の複数の導水管（３）の高温水を噴射して、ノズル内では水滴を弾丸のように加速して、ノズル外ではロケットのように加速して最高燃焼圧力を上昇するＤ型エネルギ保存サイクル機関。
【請求項２２３】
縮径主燃焼室（１）に具備した高温水噴射電磁弁（８７Ａａ）より縮径主燃焼室熱交換器（２）の複数の導水管（３）の高温水を噴射して、ノズル内では水滴を弾丸のように加速して、ノズル外ではロケットのように加速して最高燃焼圧力を上昇するＥ型エネルギ保存サイクル機関。
【請求項２２４】
縮径主燃焼室（１）に具備した高温水噴射電磁弁（８７Ａａ）より縮径主燃焼室熱交換器（２）の複数の導水管（３）の高温水を噴射して、ノズル内では水滴を弾丸のように加速して、ノズル外ではロケットのように加速して最高燃焼圧力を上昇するエネルギ保存サイクル機関。
【請求項２２５】
縮径主燃焼室（１）に具備した高温水噴射電磁弁（８７Ａａ）より縮径主燃焼室熱交換器（２）の複数の導水管（３）の高温水を噴射して、燃焼温度を低下させるＨ型エネルギ保存サイクル機関。
【請求項２２６】
縮径主燃焼室（１）に具備した高温水噴射電磁弁（８７Ａａ）より縮径主燃焼室熱交換器（２）の複数の導水管（３）の高温水を噴射して、燃焼温度を低下させるＤ型エネルギ保存サイクル機関。
【請求項２２７】
縮径主燃焼室（１）に具備した高温水噴射電磁弁（８７Ａａ）より縮径主燃焼室熱交換器（２）の複数の導水管（３）の高温水を噴射して、燃焼温度を低下させるＥ型エネルギ保存サイクル機関。
【請求項２２８】
縮径主燃焼室（１）に具備した高温水噴射電磁弁（８７Ａａ）より縮径主燃焼室熱交換器（２）の複数の導水管（３）の高温水を噴射して、燃焼温度を低下させるエネルギ保存サイクル機関。
【請求項２２９】
縮径主燃焼室（１）に具備した高温水噴射電磁弁（８７Ａａ）より縮径主燃焼室熱交換器（２）の複数の導水管（３）の高温水を噴射して、ノズル内では水滴を弾丸のように加速して、ノズル外ではロケットのように加速して燃焼温度を低下させるＨ型エネルギ保存サイクル機関。
【請求項２３０】
縮径主燃焼室（１）に具備した高温水噴射電磁弁（８７Ａａ）より縮径主燃焼室熱交換器（２）の複数の導水管（３）の高温水を噴射して、ノズル内では水滴を弾丸のように加速して、ノズル外ではロケットのように加速して燃焼温度を低下させるＤ型エネルギ保存サイクル機関。
【請求項２３１】
縮径主燃焼室（１）に具備した高温水噴射電磁弁（８７Ａａ）より縮径主燃焼室熱交換器（２）の複数の導水管（３）の高温水を噴射して、ノズル内では水滴を弾丸のように加速して、ノズル外ではロケットのように加速して燃焼温度を低下させるＥ型エネルギ保存サイクル機関。
【請求項２３２】
縮径主燃焼室（１）に具備した高温水噴射電磁弁（８７Ａａ）より縮径主燃焼室熱交換器（２）の複数の導水管（３）の高温水を噴射して、ノズル内では水滴を弾丸のように加速して、ノズル外ではロケットのように加速して燃焼温度を低下させるエネルギ保存サイクル機関。
【請求項２３３】
縮径主燃焼室（１）に具備した高温水噴射電磁弁（８７Ａａ）より縮径主燃焼室熱交換器（２）の複数の導水管（３）の高温水を噴射して、燃焼温度を低下させ燃焼ガスを高温水で噴射するＨ型エネルギ保存サイクル機関。
【請求項２３４】
縮径主燃焼室（１）に具備した高温水噴射電磁弁（８７Ａａ）より縮径主燃焼室熱交換器（２）の複数の導水管（３）の高温水を噴射して、燃焼温度を低下させ燃焼ガスを高温水で噴射するＤ型エネルギ保存サイクル機関。
【請求項２３５】
縮径主燃焼室（１）に具備した高温水噴射電磁弁（８７Ａａ）より縮径主燃焼室熱交換器（２）の複数の導水管（３）の高温水を噴射して、燃焼温度を低下させ燃焼ガスを高温水で噴射するＥ型エネルギ保存サイクル機関。
【請求項２３６】
縮径主燃焼室（１）に具備した高温水噴射電磁弁（８７Ａａ）より縮径主燃焼室熱交換器（２）の複数の導水管（３）の高温水を噴射して、燃焼温度を低下させ燃焼ガスを高温水で噴射するエネルギ保存サイクル機関。
【請求項２３７】
縮径主燃焼室（１）に具備した高温水噴射電磁弁（８７Ａａ）より縮径主燃焼室熱交換器（２）の複数の導水管（３）の高温水を噴射して、ノズル内では水滴を弾丸のように加速して、ノズル外ではロケットのように加速して燃焼温度を低下させ燃焼ガスを高温水で噴射するＨ型エネルギ保存サイクル機関。
【請求項２３８】
縮径主燃焼室（１）に具備した高温水噴射電磁弁（８７Ａａ）より縮径主燃焼室熱交換器（２）の複数の導水管（３）の高温水を噴射して、ノズル内では水滴を弾丸のように加速して、ノズル外ではロケットのように加速して燃焼温度を低下させ燃焼ガスを高温水で噴射するＤ型エネルギ保存サイクル機関。
【請求項２３９】
縮径主燃焼室（１）に具備した高温水噴射電磁弁（８７Ａａ）より縮径主燃焼室熱交換器（２）の複数の導水管（３）の高温水を噴射して、ノズル内では水滴を弾丸のように加速して、ノズル外ではロケットのように加速して燃焼温度を低下させ燃焼ガスを高温水で噴射するＥ型エネルギ保存サイクル機関。
【請求項２４０】
縮径主燃焼室（１）に具備した高温水噴射電磁弁（８７Ａａ）より縮径主燃焼室熱交換器（２）の複数の導水管（３）の高温水を噴射して、ノズル内では水滴を弾丸のように加速して、ノズル外ではロケットのように加速して燃焼温度を低下させ燃焼ガスを高温水で噴射するエネルギ保存サイクル機関。
【請求項２４１】
縮径主燃焼室（１）に具備した高温水噴射電磁弁（８７Ａａ）より縮径主燃焼室熱交換器（２）の複数の導水管（３）の高温水を噴射して、燃焼温度を低下させ燃焼ガスを高温水で噴射して断熱膨張低温燃焼ガスを核に水分を凝集するＨ型エネルギ保存サイクル機関。
【請求項２４２】
縮径主燃焼室（１）に具備した高温水噴射電磁弁（８７Ａａ）より縮径主燃焼室熱交換器（２）の複数の導水管（３）の高温水を噴射して、燃焼温度を低下させ燃焼ガスを高温水で噴射して断熱膨張低温燃焼ガスを核に水分を凝集するＤ型エネルギ保存サイクル機関。
【請求項２４３】
縮径主燃焼室（１）に具備した高温水噴射電磁弁（８７Ａａ）より縮径主燃焼室熱交換器（２）の複数の導水管（３）の高温水を噴射して、燃焼温度を低下させ燃焼ガスを高温水で噴射して断熱膨張低温燃焼ガスを核に水分を凝集するＥ型エネルギ保存サイクル機関。
【請求項２４４】
縮径主燃焼室（１）に具備した高温水噴射電磁弁（８７Ａａ）より縮径主燃焼室熱交換器（２）の複数の導水管（３）の高温水を噴射して、燃焼温度を低下させ燃焼ガスを高温水で噴射して断熱膨張低温燃焼ガスを核に水分を凝集するエネルギ保存サイクル機関。
【請求項２４５】
縮径主燃焼室（１）に具備した高温水噴射電磁弁（８７Ａａ）より縮径主燃焼室熱交換器（２）の複数の導水管（３）の高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集するＨ型エネルギ保存サイクル機関。
【請求項２４６】
縮径主燃焼室（１）に具備した高温水噴射電磁弁（８７Ａａ）より縮径主燃焼室熱交換器（２）の複数の導水管（３）の高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集するＤ型エネルギ保存サイクル機関。
【請求項２４７】
縮径主燃焼室（１）に具備した高温水噴射電磁弁（８７Ａａ）より縮径主燃焼室熱交換器（２）の複数の導水管（３）の高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集するＥ型エネルギ保存サイクル機関。
【請求項２４８】
縮径主燃焼室（１）に具備した高温水噴射電磁弁（８７Ａａ）より縮径主燃焼室熱交換器（２）の複数の導水管（３）の高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集するエネルギ保存サイクル機関。
【請求項２４９】
縮径主燃焼室（１）に具備した高温水噴射電磁弁（８７Ａａ）より縮径主燃焼室熱交換器（２）の複数の導水管（３）の高温水を噴射して、燃焼温度を低下させ燃焼ガスを高温水で噴射して断熱膨張低温燃焼ガスを核に水分を凝集し、ＣＯ２排気を０に近付けるＨ型エネルギ保存サイクル機関。
【請求項２５０】
縮径主燃焼室（１）に具備した高温水噴射電磁弁（８７Ａａ）より縮径主燃焼室熱交換器（２）の複数の導水管（３）の高温水を噴射して、燃焼温度を低下させ燃焼ガスを高温水で噴射して断熱膨張低温燃焼ガスを核に水分を凝集し、ＣＯ２排気を０に近付けるＤ型エネルギ保存サイクル機関。
【請求項２５１】
縮径主燃焼室（１）に具備した高温水噴射電磁弁（８７Ａａ）より縮径主燃焼室熱交換器（２）の複数の導水管（３）の高温水を噴射して、燃焼温度を低下させ燃焼ガスを高温水で噴射して断熱膨張低温燃焼ガスを核に水分を凝集し、ＣＯ２排気を０に近付けるＥ型エネルギ保存サイクル機関。
【請求項２５２】
縮径主燃焼室（１）に具備した高温水噴射電磁弁（８７Ａａ）より縮径主燃焼室熱交換器（２）の複数の導水管（３）の高温水を噴射して、燃焼温度を低下させ燃焼ガスを高温水で噴射して断熱膨張低温燃焼ガスを核に水分を凝集し、ＣＯ２排気を０に近付けるエネルギ保存サイクル機関。
【請求項２５３】
縮径主燃焼室（１）に具備した高温水噴射電磁弁（８７Ａａ）より縮径主燃焼室熱交換器（２）の複数の導水管（３）の高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集し、ＣＯ２排気を０に近付けるＨ型エネルギ保存サイクル機関。
【請求項２５４】
縮径主燃焼室（１）に具備した高温水噴射電磁弁（８７Ａａ）より縮径主燃焼室熱交換器（２）の複数の導水管（３）の高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集し、ＣＯ２排気を０に近付けるＤ型エネルギ保存サイクル機関。
【請求項２５５】
縮径主燃焼室（１）に具備した高温水噴射電磁弁（８７Ａａ）より縮径主燃焼室熱交換器（２）の複数の導水管（３）の高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集し、ＣＯ２排気を０に近付けるＥ型エネルギ保存サイクル機関。
【請求項２５６】
縮径主燃焼室（１）に具備した高温水噴射電磁弁（８７Ａａ）より縮径主燃焼室熱交換器（２）の複数の導水管（３）の高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集し、ＣＯ２排気を０に近付けるエネルギ保存サイクル機関。
【請求項２５７】
縮径主燃焼室（１）に具備した一方向空気流路（９）より噴射する空気と燃料を燃焼して、高温水噴射電磁弁（８７Ａａ）より縮径主燃焼室熱交換器（２）の複数の導水管（３）の高温水を噴射して、最高燃焼圧力を上昇するＨ型エネルギ保存サイクル機関。
【請求項２５８】
縮径主燃焼室（１）に具備した一方向空気流路（９）より噴射する空気と燃料を燃焼して、高温水噴射電磁弁（８７Ａａ）より縮径主燃焼室熱交換器（２）の複数の導水管（３）の高温水を噴射して、最高燃焼圧力を上昇するＤ型エネルギ保存サイクル機関。
【請求項２５９】
縮径主燃焼室（１）に具備した一方向空気流路（９）より噴射する空気と燃料を燃焼して、高温水噴射電磁弁（８７Ａａ）より縮径主燃焼室熱交換器（２）の複数の導水管（３）の高温水を噴射して、最高燃焼圧力を上昇するＥ型エネルギ保存サイクル機関。
【請求項２６０】
縮径主燃焼室（１）に具備した一方向空気流路（９）より噴射する空気と燃料を燃焼して、高温水噴射電磁弁（８７Ａａ）より縮径主燃焼室熱交換器（２）の複数の導水管（３）の高温水を噴射して、最高燃焼圧力を上昇するエネルギ保存サイクル機関。
【請求項２６１】
縮径主燃焼室（１）に具備した一方向空気流路（９）より噴射する空気と燃料を燃焼して、高温水噴射電磁弁（８７Ａａ）より縮径主燃焼室熱交換器（２）の複数の導水管（３）の高温水を噴射して、ノズル内では水滴を弾丸のように加速して、ノズル外ではロケットのように加速して最高燃焼圧力を上昇するＨ型エネルギ保存サイクル機関。
【請求項２６２】
縮径主燃焼室（１）に具備した一方向空気流路（９）より噴射する空気と燃料を燃焼して、高温水噴射電磁弁（８７Ａａ）より縮径主燃焼室熱交換器（２）の複数の導水管（３）の高温水を噴射して、ノズル内では水滴を弾丸のように加速して、ノズル外ではロケットのように加速して最高燃焼圧力を上昇するＤ型エネルギ保存サイクル機関。
【請求項２６３】
縮径主燃焼室（１）に具備した一方向空気流路（９）より噴射する空気と燃料を燃焼して、高温水噴射電磁弁（８７Ａａ）より縮径主燃焼室熱交換器（２）の複数の導水管（３）の高温水を噴射して、ノズル内では水滴を弾丸のように加速して、ノズル外ではロケットのように加速して最高燃焼圧力を上昇するＥ型エネルギ保存サイクル機関。
【請求項２６４】
縮径主燃焼室（１）に具備した一方向空気流路（９）より噴射する空気と燃料を燃焼して、高温水噴射電磁弁（８７Ａａ）より縮径主燃焼室熱交換器（２）の複数の導水管（３）の高温水を噴射して、ノズル内では水滴を弾丸のように加速して、ノズル外ではロケットのように加速して最高燃焼圧力を上昇するエネルギ保存サイクル機関。
【請求項２６５】
縮径主燃焼室（１）に具備した一方向空気流路（９）より噴射する空気と燃料を燃焼して、高温水噴射電磁弁（８７Ａａ）より縮径主燃焼室熱交換器（２）の複数の導水管（３）の高温水を噴射して、燃焼温度を低下させるＨ型エネルギ保存サイクル機関。
【請求項２６６】
縮径主燃焼室（１）に具備した一方向空気流路（９）より噴射する空気と燃料を燃焼して、高温水噴射電磁弁（８７Ａａ）より縮径主燃焼室熱交換器（２）の複数の導水管（３）の高温水を噴射して、燃焼温度を低下させるＤ型エネルギ保存サイクル機関。
【請求項２６７】
縮径主燃焼室（１）に具備した一方向空気流路（９）より噴射する空気と燃料を燃焼して、高温水噴射電磁弁（８７Ａａ）より縮径主燃焼室熱交換器（２）の複数の導水管（３）の高温水を噴射して、燃焼温度を低下させるＥ型エネルギ保存サイクル機関。
【請求項２６８】
縮径主燃焼室（１）に具備した一方向空気流路（９）より噴射する空気と燃料を燃焼して、高温水噴射電磁弁（８７Ａａ）より縮径主燃焼室熱交換器（２）の複数の導水管（３）の高温水を噴射して、燃焼温度を低下させるエネルギ保存サイクル機関。
【請求項２６９】
縮径主燃焼室（１）に具備した一方向空気流路（９）より噴射する空気と燃料を燃焼して、高温水噴射電磁弁（８７Ａａ）より縮径主燃焼室熱交換器（２）の複数の導水管（３）の高温水を噴射して、ノズル内では水滴を弾丸のように加速して、ノズル外ではロケットのように加速して燃焼温度を低下させるＨ型エネルギ保存サイクル機関。
【請求項２７０】
縮径主燃焼室（１）に具備した一方向空気流路（９）より噴射する空気と燃料を燃焼して、高温水噴射電磁弁（８７Ａａ）より縮径主燃焼室熱交換器（２）の複数の導水管（３）の高温水を噴射して、ノズル内では水滴を弾丸のように加速して、ノズル外ではロケットのように加速して燃焼温度を低下させるＤ型エネルギ保存サイクル機関。
【請求項２７１】
縮径主燃焼室（１）に具備した一方向空気流路（９）より噴射する空気と燃料を燃焼して、高温水噴射電磁弁（８７Ａａ）より縮径主燃焼室熱交換器（２）の複数の導水管（３）の高温水を噴射して、ノズル内では水滴を弾丸のように加速して、ノズル外ではロケットのように加速して燃焼温度を低下させるＥ型エネルギ保存サイクル機関。
【請求項２７２】
縮径主燃焼室（１）に具備した一方向空気流路（９）より噴射する空気と燃料を燃焼して、高温水噴射電磁弁（８７Ａａ）より縮径主燃焼室熱交換器（２）の複数の導水管（３）の高温水を噴射して、ノズル内では水滴を弾丸のように加速して、ノズル外ではロケットのように加速して燃焼温度を低下させるエネルギ保存サイクル機関。
【請求項２７３】
縮径主燃焼室（１）に具備した一方向空気流路（９）より噴射する空気と燃料を燃焼して、高温水噴射電磁弁（８７Ａａ）より縮径主燃焼室熱交換器（２）の複数の導水管（３）の高温水を噴射して、燃焼温度を低下させ燃焼ガスを高温水で噴射するＨ型エネルギ保存サイクル機関。
【請求項２７４】
縮径主燃焼室（１）に具備した一方向空気流路（９）より噴射する空気と燃料を燃焼して、高温水噴射電磁弁（８７Ａａ）より縮径主燃焼室熱交換器（２）の複数の導水管（３）の高温水を噴射して、燃焼温度を低下させ燃焼ガスを高温水で噴射するＤ型エネルギ保存サイクル機関。
【請求項２７５】
縮径主燃焼室（１）に具備した一方向空気流路（９）より噴射する空気と燃料を燃焼して、高温水噴射電磁弁（８７Ａａ）より縮径主燃焼室熱交換器（２）の複数の導水管（３）の高温水を噴射して、燃焼温度を低下させ燃焼ガスを高温水で噴射するＥ型エネルギ保存サイクル機関。
【請求項２７６】
縮径主燃焼室（１）に具備した一方向空気流路（９）より噴射する空気と燃料を燃焼して、高温水噴射電磁弁（８７Ａａ）より縮径主燃焼室熱交換器（２）の複数の導水管（３）の高温水を噴射して、燃焼温度を低下させ燃焼ガスを高温水で噴射するエネルギ保存サイクル機関。
【請求項２７７】
縮径主燃焼室（１）に具備した一方向空気流路（９）より噴射する空気と燃料を燃焼して、高温水噴射電磁弁（８７Ａａ）より縮径主燃焼室熱交換器（２）の複数の導水管（３）の高温水を噴射して、ノズル内では水滴を弾丸のように加速して、ノズル外ではロケットのように加速して燃焼温度を低下させ燃焼ガスを高温水で噴射するＨ型エネルギ保存サイクル機関。
【請求項２７８】
縮径主燃焼室（１）に具備した一方向空気流路（９）より噴射する空気と燃料を燃焼して、高温水噴射電磁弁（８７Ａａ）より縮径主燃焼室熱交換器（２）の複数の導水管（３）の高温水を噴射して、ノズル内では水滴を弾丸のように加速して、ノズル外ではロケットのように加速して燃焼温度を低下させ燃焼ガスを高温水で噴射するＤ型エネルギ保存サイクル機関。
【請求項２７９】
縮径主燃焼室（１）に具備した一方向空気流路（９）より噴射する空気と燃料を燃焼して、高温水噴射電磁弁（８７Ａａ）より縮径主燃焼室熱交換器（２）の複数の導水管（３）の高温水を噴射して、ノズル内では水滴を弾丸のように加速して、ノズル外ではロケットのように加速して燃焼温度を低下させ燃焼ガスを高温水で噴射するＥ型エネルギ保存サイクル機関。
【請求項２８０】
縮径主燃焼室（１）に具備した一方向空気流路（９）より噴射する空気と燃料を燃焼して、高温水噴射電磁弁（８７Ａａ）より縮径主燃焼室熱交換器（２）の複数の導水管（３）の高温水を噴射して、ノズル内では水滴を弾丸のように加速して、ノズル外ではロケットのように加速して燃焼温度を低下させ燃焼ガスを高温水で噴射するエネルギ保存サイクル機関。
【請求項２８１】
縮径主燃焼室（１）に具備した一方向空気流路（９）より噴射する空気と燃料を燃焼して、高温水噴射電磁弁（８７Ａａ）より縮径主燃焼室熱交換器（２）の複数の導水管（３）の高温水を噴射して、燃焼温度を低下させ燃焼ガスを高温水で噴射して断熱膨張低温燃焼ガスを核に水分を凝集するＨ型エネルギ保存サイクル機関。
【請求項２８２】
縮径主燃焼室（１）に具備した一方向空気流路（９）より噴射する空気と燃料を燃焼して、高温水噴射電磁弁（８７Ａａ）より縮径主燃焼室熱交換器（２）の複数の導水管（３）の高温水を噴射して、燃焼温度を低下させ燃焼ガスを高温水で噴射して断熱膨張低温燃焼ガスを核に水分を凝集するＤ型エネルギ保存サイクル機関。
【請求項２８３】
縮径主燃焼室（１）に具備した一方向空気流路（９）より噴射する空気と燃料を燃焼して、高温水噴射電磁弁（８７Ａａ）より縮径主燃焼室熱交換器（２）の複数の導水管（３）の高温水を噴射して、燃焼温度を低下させ燃焼ガスを高温水で噴射して断熱膨張低温燃焼ガスを核に水分を凝集するＥ型エネルギ保存サイクル機関。
【請求項２８４】
縮径主燃焼室（１）に具備した一方向空気流路（９）より噴射する空気と燃料を燃焼して、高温水噴射電磁弁（８７Ａａ）より縮径主燃焼室熱交換器（２）の複数の導水管（３）の高温水を噴射して、燃焼温度を低下させ燃焼ガスを高温水で噴射して断熱膨張低温燃焼ガスを核に水分を凝集するエネルギ保存サイクル機関。
【請求項２８５】
縮径主燃焼室（１）に具備した一方向空気流路（９）より噴射する空気と燃料を燃焼して、高温水噴射電磁弁（８７Ａａ）より縮径主燃焼室熱交換器（２）の複数の導水管（３）の高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集するＨ型エネルギ保存サイクル機関。
【請求項２８６】
縮径主燃焼室（１）に具備した一方向空気流路（９）より噴射する空気と燃料を燃焼して、高温水噴射電磁弁（８７Ａａ）より縮径主燃焼室熱交換器（２）の複数の導水管（３）の高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集するＤ型エネルギ保存サイクル機関。
【請求項２８７】
縮径主燃焼室（１）に具備した一方向空気流路（９）より噴射する空気と燃料を燃焼して、高温水噴射電磁弁（８７Ａａ）より縮径主燃焼室熱交換器（２）の複数の導水管（３）の高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集するＥ型エネルギ保存サイクル機関。
【請求項２８８】
縮径主燃焼室（１）に具備した一方向空気流路（９）より噴射する空気と燃料を燃焼して、高温水噴射電磁弁（８７Ａａ）より縮径主燃焼室熱交換器（２）の複数の導水管（３）の高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集するエネルギ保存サイクル機関。
【請求項２８９】
縮径主燃焼室（１）に具備した一方向空気流路（９）より噴射する空気と燃料を燃焼して、高温水噴射電磁弁（８７Ａａ）より縮径主燃焼室熱交換器（２）の複数の導水管（３）の高温水を噴射して、燃焼温度を低下させ燃焼ガスを高温水で噴射して断熱膨張低温燃焼ガスを核に水分を凝集し、ＣＯ２排気を０に近付けるＨ型エネルギ保存サイクル機関。
【請求項２９０】
縮径主燃焼室（１）に具備した一方向空気流路（９）より噴射する空気と燃料を燃焼して、高温水噴射電磁弁（８７Ａａ）より縮径主燃焼室熱交換器（２）の複数の導水管（３）の高温水を噴射して、燃焼温度を低下させ燃焼ガスを高温水で噴射して断熱膨張低温燃焼ガスを核に水分を凝集し、ＣＯ２排気を０に近付けるＤ型エネルギ保存サイクル機関。
【請求項２９１】
縮径主燃焼室（１）に具備した一方向空気流路（９）より噴射する空気と燃料を燃焼して、高温水噴射電磁弁（８７Ａａ）より縮径主燃焼室熱交換器（２）の複数の導水管（３）の高温水を噴射して、燃焼温度を低下させ燃焼ガスを高温水で噴射して断熱膨張低温燃焼ガスを核に水分を凝集し、ＣＯ２排気を０に近付けるＥ型エネルギ保存サイクル機関。
【請求項２９２】
縮径主燃焼室（１）に具備した一方向空気流路（９）より噴射する空気と燃料を燃焼して、高温水噴射電磁弁（８７Ａａ）より縮径主燃焼室熱交換器（２）の複数の導水管（３）の高温水を噴射して、燃焼温度を低下させ燃焼ガスを高温水で噴射して断熱膨張低温燃焼ガスを核に水分を凝集し、ＣＯ２排気を０に近付けるエネルギ保存サイクル機関。
【請求項２９３】
縮径主燃焼室（１）に具備した一方向空気流路（９）より噴射する空気と燃料を燃焼して、高温水噴射電磁弁（８７Ａａ）より縮径主燃焼室熱交換器（２）の複数の導水管（３）の高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集し、ＣＯ２排気を０に近付けるＨ型エネルギ保存サイクル機関。
【請求項２９４】
縮径主燃焼室（１）に具備した一方向空気流路（９）より噴射する空気と燃料を燃焼して、高温水噴射電磁弁（８７Ａａ）より縮径主燃焼室熱交換器（２）の複数の導水管（３）の高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集し、ＣＯ２排気を０に近付けるＤ型エネルギ保存サイクル機関。
【請求項２９５】
縮径主燃焼室（１）に具備した一方向空気流路（９）より噴射する空気と燃料を燃焼して、高温水噴射電磁弁（８７Ａａ）より縮径主燃焼室熱交換器（２）の複数の導水管（３）の高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集し、ＣＯ２排気を０に近付けるＥ型エネルギ保存サイクル機関。
【請求項２９６】
縮径主燃焼室（１）に具備した一方向空気流路（９）より噴射する空気と燃料を燃焼して、高温水噴射電磁弁（８７Ａａ）より縮径主燃焼室熱交換器（２）の複数の導水管（３）の高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集し、ＣＯ２排気を０に近付けるエネルギ保存サイクル機関。
【請求項２９７】
縮径主燃焼室（１）に導水管（３）を螺旋環状に具備した縮径主燃焼室熱交換器（２）に連絡した高温水噴射電磁弁（８７Ａａ）より高温水を噴射して、最高燃焼圧力を上昇するＨ型エネルギ保存サイクル機関。
【請求項２９８】
縮径主燃焼室（１）に導水管（３）を螺旋環状に具備した縮径主燃焼室熱交換器（２）に連絡した高温水噴射電磁弁（８７Ａａ）より高温水を噴射して、最高燃焼圧力を上昇するＤ型エネルギ保存サイクル機関。
【請求項２９９】
縮径主燃焼室（１）に導水管（３）を螺旋環状に具備した縮径主燃焼室熱交換器（２）に連絡した高温水噴射電磁弁（８７Ａａ）より高温水を噴射して、最高燃焼圧力を上昇するＥ型エネルギ保存サイクル機関。
【請求項３００】
縮径主燃焼室（１）に導水管（３）を螺旋環状に具備した縮径主燃焼室熱交換器（２）に連絡した高温水噴射電磁弁（８７Ａａ）より高温水を噴射して、最高燃焼圧力を上昇するエネルギ保存サイクル機関。
【請求項３０１】
縮径主燃焼室（１）に導水管（３）を螺旋環状に具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して最高燃焼圧力を上昇するＨ型エネルギ保存サイクル機関。
【請求項３０２】
縮径主燃焼室（１）に導水管（３）を螺旋環状に具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して最高燃焼圧力を上昇するＤ型エネルギ保存サイクル機関。
【請求項３０３】
縮径主燃焼室（１）に導水管（３）を螺旋環状に具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して最高燃焼圧力を上昇するＥ型エネルギ保存サイクル機関。
【請求項３０４】
縮径主燃焼室（１）に導水管（３）を螺旋環状に具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して最高燃焼圧力を上昇するエネルギ保存サイクル機関。
【請求項３０５】
縮径主燃焼室（１）に導水管（３）を螺旋環状に具備した縮径主燃焼室熱交換器（２）に連絡した高温水噴射電磁弁（８７Ａａ）より高温水を噴射して、燃焼温度を低下させるＨ型エネルギ保存サイクル機関。
【請求項３０６】
縮径主燃焼室（１）に導水管（３）を螺旋環状に具備した縮径主燃焼室熱交換器（２）に連絡した高温水噴射電磁弁（８７Ａａ）より高温水を噴射して、燃焼温度を低下させるＤ型エネルギ保存サイクル機関。
【請求項３０７】
縮径主燃焼室（１）に導水管（３）を螺旋環状に具備した縮径主燃焼室熱交換器（２）に連絡した高温水噴射電磁弁（８７Ａａ）より高温水を噴射して、燃焼温度を低下させるＥ型エネルギ保存サイクル機関。
【請求項３０８】
縮径主燃焼室（１）に導水管（３）を螺旋環状に具備した縮径主燃焼室熱交換器（２）に連絡した高温水噴射電磁弁（８７Ａａ）より高温水を噴射して、燃焼温度を低下させるエネルギ保存サイクル機関。
【請求項３０９】
縮径主燃焼室（１）に導水管（３）を螺旋環状に具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させるＨ型エネルギ保存サイクル機関。
【請求項３１０】
縮径主燃焼室（１）に導水管（３）を螺旋環状に具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させるＤ型エネルギ保存サイクル機関。
【請求項３１１】
縮径主燃焼室（１）に導水管（３）を螺旋環状に具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させるＥ型エネルギ保存サイクル機関。
【請求項３１２】
縮径主燃焼室（１）に導水管（３）を螺旋環状に具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させるエネルギ保存サイクル機関。
【請求項３１３】
縮径主燃焼室（１）に導水管（３）を螺旋環状に具備した縮径主燃焼室熱交換器（２）に連絡した高温水噴射電磁弁（８７Ａａ）より高温水を噴射して、燃焼温度を低下させ燃焼ガスを高温水で噴射するＨ型エネルギ保存サイクル機関。
【請求項３１４】
縮径主燃焼室（１）に導水管（３）を螺旋環状に具備した縮径主燃焼室熱交換器（２）に連絡した高温水噴射電磁弁（８７Ａａ）より高温水を噴射して、燃焼温度を低下させ燃焼ガスを高温水で噴射するＤ型エネルギ保存サイクル機関。
【請求項３１５】
縮径主燃焼室（１）に導水管（３）を螺旋環状に具備した縮径主燃焼室熱交換器（２）に連絡した高温水噴射電磁弁（８７Ａａ）より高温水を噴射して、燃焼温度を低下させ燃焼ガスを高温水で噴射するＥ型エネルギ保存サイクル機関。
【請求項３１６】
縮径主燃焼室（１）に導水管（３）を螺旋環状に具備した縮径主燃焼室熱交換器（２）に連絡した高温水噴射電磁弁（８７Ａａ）より高温水を噴射して、燃焼温度を低下させ燃焼ガスを高温水で噴射するエネルギ保存サイクル機関。
【請求項３１７】
縮径主燃焼室（１）に導水管（３）を螺旋環状に具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射するＨ型エネルギ保存サイクル機関。
【請求項３１８】
縮径主燃焼室（１）に導水管（３）を螺旋環状に具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射するＤ型エネルギ保存サイクル機関。
【請求項３１９】
縮径主燃焼室（１）に導水管（３）を螺旋環状に具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射するＥ型エネルギ保存サイクル機関。
【請求項３２０】
縮径主燃焼室（１）に導水管（３）を螺旋環状に具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射するエネルギ保存サイクル機関。
【請求項３２１】
縮径主燃焼室（１）に導水管（３）を螺旋環状に具備した縮径主燃焼室熱交換器（２）に連絡した高温水噴射電磁弁（８７Ａａ）より高温水を噴射して、燃焼温度を低下させ燃焼ガスを高温水で噴射して断熱膨張低温燃焼ガスを核に水分を凝集するＨ型エネルギ保存サイクル機関。
【請求項３２２】
縮径主燃焼室（１）に導水管（３）を螺旋環状に具備した縮径主燃焼室熱交換器（２）に連絡した高温水噴射電磁弁（８７Ａａ）より高温水を噴射して、燃焼温度を低下させ燃焼ガスを高温水で噴射して断熱膨張低温燃焼ガスを核に水分を凝集するＤ型エネルギ保存サイクル機関。
【請求項３２３】
縮径主燃焼室（１）に導水管（３）を螺旋環状に具備した縮径主燃焼室熱交換器（２）に連絡した高温水噴射電磁弁（８７Ａａ）より高温水を噴射して、燃焼温度を低下させ燃焼ガスを高温水で噴射して断熱膨張低温燃焼ガスを核に水分を凝集するＥ型エネルギ保存サイクル機関。
【請求項３２４】
縮径主燃焼室（１）に導水管（３）を螺旋環状に具備した縮径主燃焼室熱交換器（２）に連絡した高温水噴射電磁弁（８７Ａａ）より高温水を噴射して、燃焼温度を低下させ燃焼ガスを高温水で噴射して断熱膨張低温燃焼ガスを核に水分を凝集するエネルギ保存サイクル機関。
【請求項３２５】
縮径主燃焼室（１）に導水管（３）を螺旋環状に具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集するＨ型エネルギ保存サイクル機関。
【請求項３２６】
縮径主燃焼室（１）に導水管（３）を螺旋環状に具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集するＤ型エネルギ保存サイクル機関。
【請求項３２７】
縮径主燃焼室（１）に導水管（３）を螺旋環状に具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集するＥ型エネルギ保存サイクル機関。
【請求項３２８】
縮径主燃焼室（１）に導水管（３）を螺旋環状に具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集するエネルギ保存サイクル機関。
【請求項３２９】
縮径主燃焼室（１）に導水管（３）を螺旋環状に具備した縮径主燃焼室熱交換器（２）に連絡した高温水噴射電磁弁（８７Ａａ）より高温水を噴射して、燃焼温度を低下させ燃焼ガスを高温水で噴射して断熱膨張低温燃焼ガスを核に水分を凝集し、ＣＯ排気を０に近付けるＨ型エネルギ保存サイクル機関。
【請求項３３０】
縮径主燃焼室（１）に導水管（３）を螺旋環状に具備した縮径主燃焼室熱交換器（２）に連絡した高温水噴射電磁弁（８７Ａａ）より高温水を噴射して、燃焼温度を低下させ燃焼ガスを高温水で噴射して断熱膨張低温燃焼ガスを核に水分を凝集し、ＣＯ排気を０に近付けるＤ型エネルギ保存サイクル機関。
【請求項３３１】
縮径主燃焼室（１）に導水管（３）を螺旋環状に具備した縮径主燃焼室熱交換器（２）に連絡した高温水噴射電磁弁（８７Ａａ）より高温水を噴射して、燃焼温度を低下させ燃焼ガスを高温水で噴射して断熱膨張低温燃焼ガスを核に水分を凝集し、ＣＯ排気を０に近付けるＥ型エネルギ保存サイクル機関。
【請求項３３２】
縮径主燃焼室（１）に導水管（３）を螺旋環状に具備した縮径主燃焼室熱交換器（２）に連絡した高温水噴射電磁弁（８７Ａａ）より高温水を噴射して、燃焼温度を低下させ燃焼ガスを高温水で噴射して断熱膨張低温燃焼ガスを核に水分を凝集し、ＣＯ排気を０に近付けるエネルギ保存サイクル機関。
【請求項３３３】
縮径主燃焼室（１）に導水管（３）を螺旋環状に具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集し、ＣＯ排気を０に近付けるＨ型エネルギ保存サイクル機関。
【請求項３３４】
縮径主燃焼室（１）に導水管（３）を螺旋環状に具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集し、ＣＯ排気を０に近付けるＤ型エネルギ保存サイクル機関。
【請求項３３５】
縮径主燃焼室（１）に導水管（３）を螺旋環状に具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集し、ＣＯ排気を０に近付けるＥ型エネルギ保存サイクル機関。
【請求項３３６】
縮径主燃焼室（１）に導水管（３）を螺旋環状に具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集し、ＣＯ排気を０に近付けるエネルギ保存サイクル機関。
【請求項３３７】
縮径主燃焼室（１）で一方向空気流路（９）より噴射する空気と燃料を燃焼して、導水管（３）を螺旋環状に具備した縮径主燃焼室熱交換器（２）に連絡した高温水噴射電磁弁（８７Ａａ）より高温水を噴射して、最高燃焼圧力を上昇するＨ型エネルギ保存サイクル機関。
【請求項３３８】
縮径主燃焼室（１）で一方向空気流路（９）より噴射する空気と燃料を燃焼して、導水管（３）を螺旋環状に具備した縮径主燃焼室熱交換器（２）に連絡した高温水噴射電磁弁（８７Ａａ）より高温水を噴射して、最高燃焼圧力を上昇するＤ型エネルギ保存サイクル機関。
【請求項３３９】
縮径主燃焼室（１）で一方向空気流路（９）より噴射する空気と燃料を燃焼して、導水管（３）を螺旋環状に具備した縮径主燃焼室熱交換器（２）に連絡した高温水噴射電磁弁（８７Ａａ）より高温水を噴射して、最高燃焼圧力を上昇するＥ型エネルギ保存サイクル機関。
【請求項３４０】
縮径主燃焼室（１）で一方向空気流路（９）より噴射する空気と燃料を燃焼して、導水管（３）を螺旋環状に具備した縮径主燃焼室熱交換器（２）に連絡した高温水噴射電磁弁（８７Ａａ）より高温水を噴射して、最高燃焼圧力を上昇するエネルギ保存サイクル機関。
【請求項３４１】
縮径主燃焼室（１）で一方向空気流路（９）より噴射する空気と燃料を燃焼して、導水管（３）を螺旋環状に具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して最高燃焼圧力を上昇するＨ型エネルギ保存サイクル機関。
【請求項３４２】
縮径主燃焼室（１）で一方向空気流路（９）より噴射する空気と燃料を燃焼して、導水管（３）を螺旋環状に具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して最高燃焼圧力を上昇するＤ型エネルギ保存サイクル機関。
【請求項３４３】
縮径主燃焼室（１）で一方向空気流路（９）より噴射する空気と燃料を燃焼して、導水管（３）を螺旋環状に具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して最高燃焼圧力を上昇するＥ型エネルギ保存サイクル機関。
【請求項３４４】
縮径主燃焼室（１）で一方向空気流路（９）より噴射する空気と燃料を燃焼して、導水管（３）を螺旋環状に具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して最高燃焼圧力を上昇するエネルギ保存サイクル機関。
【請求項３４５】
縮径主燃焼室（１）で一方向空気流路（９）より噴射する空気と燃料を燃焼して、導水管（３）を螺旋環状に具備した縮径主燃焼室熱交換器（２）に連絡した高温水噴射電磁弁（８７Ａａ）より高温水を噴射して、燃焼温度を低下させるＨ型エネルギ保存サイクル機関。
【請求項３４６】
縮径主燃焼室（１）で一方向空気流路（９）より噴射する空気と燃料を燃焼して、導水管（３）を螺旋環状に具備した縮径主燃焼室熱交換器（２）に連絡した高温水噴射電磁弁（８７Ａａ）より高温水を噴射して、燃焼温度を低下させるＤ型エネルギ保存サイクル機関。
【請求項３４７】
縮径主燃焼室（１）で一方向空気流路（９）より噴射する空気と燃料を燃焼して、導水管（３）を螺旋環状に具備した縮径主燃焼室熱交換器（２）に連絡した高温水噴射電磁弁（８７Ａａ）より高温水を噴射して、燃焼温度を低下させるＥ型エネルギ保存サイクル機関。
【請求項３４８】
縮径主燃焼室（１）で一方向空気流路（９）より噴射する空気と燃料を燃焼して、導水管（３）を螺旋環状に具備した縮径主燃焼室熱交換器（２）に連絡した高温水噴射電磁弁（８７Ａａ）より高温水を噴射して、燃焼温度を低下させるエネルギ保存サイクル機関。
【請求項３４９】
縮径主燃焼室（１）で一方向空気流路（９）より噴射する空気と燃料を燃焼して、導水管（３）を螺旋環状に具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させるＨ型エネルギ保存サイクル機関。
【請求項３５０】
縮径主燃焼室（１）で一方向空気流路（９）より噴射する空気と燃料を燃焼して、導水管（３）を螺旋環状に具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させるＤ型エネルギ保存サイクル機関。
【請求項３５１】
縮径主燃焼室（１）で一方向空気流路（９）より噴射する空気と燃料を燃焼して、導水管（３）を螺旋環状に具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させるＥ型エネルギ保存サイクル機関。
【請求項３５２】
縮径主燃焼室（１）で一方向空気流路（９）より噴射する空気と燃料を燃焼して、導水管（３）を螺旋環状に具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させるエネルギ保存サイクル機関。
【請求項３５３】
縮径主燃焼室（１）で一方向空気流路（９）より噴射する空気と燃料を燃焼して、導水管（３）を螺旋環状に具備した縮径主燃焼室熱交換器（２）に連絡した高温水噴射電磁弁（８７Ａａ）より高温水を噴射して、燃焼温度を低下させ燃焼ガスを高温水で噴射するＨ型エネルギ保存サイクル機関。
【請求項３５４】
縮径主燃焼室（１）で一方向空気流路（９）より噴射する空気と燃料を燃焼して、導水管（３）を螺旋環状に具備した縮径主燃焼室熱交換器（２）に連絡した高温水噴射電磁弁（８７Ａａ）より高温水を噴射して、燃焼温度を低下させ燃焼ガスを高温水で噴射するＤ型エネルギ保存サイクル機関。
【請求項３５５】
縮径主燃焼室（１）で一方向空気流路（９）より噴射する空気と燃料を燃焼して、導水管（３）を螺旋環状に具備した縮径主燃焼室熱交換器（２）に連絡した高温水噴射電磁弁（８７Ａａ）より高温水を噴射して、燃焼温度を低下させ燃焼ガスを高温水で噴射するＥ型エネルギ保存サイクル機関。
【請求項３５６】
縮径主燃焼室（１）で一方向空気流路（９）より噴射する空気と燃料を燃焼して、導水管（３）を螺旋環状に具備した縮径主燃焼室熱交換器（２）に連絡した高温水噴射電磁弁（８７Ａａ）より高温水を噴射して、燃焼温度を低下させ燃焼ガスを高温水で噴射するエネルギ保存サイクル機関。
【請求項３５７】
縮径主燃焼室（１）で一方向空気流路（９）より噴射する空気と燃料を燃焼して、導水管（３）を螺旋環状に具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射するＨ型エネルギ保存サイクル機関。
【請求項３５８】
縮径主燃焼室（１）で一方向空気流路（９）より噴射する空気と燃料を燃焼して、導水管（３）を螺旋環状に具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射するＤ型エネルギ保存サイクル機関。
【請求項３５９】
縮径主燃焼室（１）で一方向空気流路（９）より噴射する空気と燃料を燃焼して、導水管（３）を螺旋環状に具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射するＥ型エネルギ保存サイクル機関。
【請求項３６０】
縮径主燃焼室（１）で一方向空気流路（９）より噴射する空気と燃料を燃焼して、導水管（３）を螺旋環状に具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射するエネルギ保存サイクル機関。
【請求項３６１】
縮径主燃焼室（１）で一方向空気流路（９）より噴射する空気と燃料を燃焼して、導水管（３）を螺旋環状に具備した縮径主燃焼室熱交換器（２）に連絡した高温水噴射電磁弁（８７Ａａ）より高温水を噴射して、燃焼温度を低下させ燃焼ガスを高温水で噴射して断熱膨張低温燃焼ガスを核に水分を凝集するＨ型エネルギ保存サイクル機関。
【請求項３６２】
縮径主燃焼室（１）で一方向空気流路（９）より噴射する空気と燃料を燃焼して、導水管（３）を螺旋環状に具備した縮径主燃焼室熱交換器（２）に連絡した高温水噴射電磁弁（８７Ａａ）より高温水を噴射して、燃焼温度を低下させ燃焼ガスを高温水で噴射して断熱膨張低温燃焼ガスを核に水分を凝集するＤ型エネルギ保存サイクル機関。
【請求項３６３】
縮径主燃焼室（１）で一方向空気流路（９）より噴射する空気と燃料を燃焼して、導水管（３）を螺旋環状に具備した縮径主燃焼室熱交換器（２）に連絡した高温水噴射電磁弁（８７Ａａ）より高温水を噴射して、燃焼温度を低下させ燃焼ガスを高温水で噴射して断熱膨張低温燃焼ガスを核に水分を凝集するＥ型エネルギ保存サイクル機関。
【請求項３６４】
縮径主燃焼室（１）で一方向空気流路（９）より噴射する空気と燃料を燃焼して、導水管（３）を螺旋環状に具備した縮径主燃焼室熱交換器（２）に連絡した高温水噴射電磁弁（８７Ａａ）より高温水を噴射して、燃焼温度を低下させ燃焼ガスを高温水で噴射して断熱膨張低温燃焼ガスを核に水分を凝集するエネルギ保存サイクル機関。
【請求項３６５】
縮径主燃焼室（１）で一方向空気流路（９）より噴射する空気と燃料を燃焼して、導水管（３）を螺旋環状に具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集するＨ型エネルギ保存サイクル機関。
【請求項３６６】
縮径主燃焼室（１）で一方向空気流路（９）より噴射する空気と燃料を燃焼して、導水管（３）を螺旋環状に具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集するＤ型エネルギ保存サイクル機関。
【請求項３６７】
縮径主燃焼室（１）で一方向空気流路（９）より噴射する空気と燃料を燃焼して、導水管（３）を螺旋環状に具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集するＥ型エネルギ保存サイクル機関。
【請求項３６８】
縮径主燃焼室（１）で一方向空気流路（９）より噴射する空気と燃料を燃焼して、導水管（３）を螺旋環状に具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集するエネルギ保存サイクル機関。
【請求項３６９】
縮径主燃焼室（１）で一方向空気流路（９）より噴射する空気と燃料を燃焼して、導水管（３）を螺旋環状に具備した縮径主燃焼室熱交換器（２）に連絡した高温水噴射電磁弁（８７Ａａ）より高温水を噴射して、燃焼温度を低下させ燃焼ガスを高温水で噴射して断熱膨張低温燃焼ガスを核に水分を凝集し、ＣＯ２排気を０に近付けるＨ型エネルギ保存サイクル機関。
【請求項３７０】
縮径主燃焼室（１）で一方向空気流路（９）より噴射する空気と燃料を燃焼して、導水管（３）を螺旋環状に具備した縮径主燃焼室熱交換器（２）に連絡した高温水噴射電磁弁（８７Ａａ）より高温水を噴射して、燃焼温度を低下させ燃焼ガスを高温水で噴射して断熱膨張低温燃焼ガスを核に水分を凝集し、ＣＯ２排気を０に近付けるＤ型エネルギ保存サイクル機関。
【請求項３７１】
縮径主燃焼室（１）で一方向空気流路（９）より噴射する空気と燃料を燃焼して、導水管（３）を螺旋環状に具備した縮径主燃焼室熱交換器（２）に連絡した高温水噴射電磁弁（８７Ａａ）より高温水を噴射して、燃焼温度を低下させ燃焼ガスを高温水で噴射して断熱膨張低温燃焼ガスを核に水分を凝集し、ＣＯ２排気を０に近付けるＥ型エネルギ保存サイクル機関。
【請求項３７２】
縮径主燃焼室（１）で一方向空気流路（９）より噴射する空気と燃料を燃焼して、導水管（３）を螺旋環状に具備した縮径主燃焼室熱交換器（２）に連絡した高温水噴射電磁弁（８７Ａａ）より高温水を噴射して、燃焼温度を低下させ燃焼ガスを高温水で噴射して断熱膨張低温燃焼ガスを核に水分を凝集し、ＣＯ２排気を０に近付けるエネルギ保存サイクル機関。
【請求項３７３】
縮径主燃焼室（１）で一方向空気流路（９）より噴射する空気と燃料を燃焼して、導水管（３）を螺旋環状に具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集し、ＣＯ２排気を０に近付けるＨ型エネルギ保存サイクル機関。
【請求項３７４】
縮径主燃焼室（１）で一方向空気流路（９）より噴射する空気と燃料を燃焼して、導水管（３）を螺旋環状に具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集し、ＣＯ２排気を０に近付けるＤ型エネルギ保存サイクル機関。
【請求項３７５】
縮径主燃焼室（１）で一方向空気流路（９）より噴射する空気と燃料を燃焼して、導水管（３）を螺旋環状に具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集し、ＣＯ２排気を０に近付けるＥ型エネルギ保存サイクル機関。
【請求項３７６】
縮径主燃焼室（１）で一方向空気流路（９）より噴射する空気と燃料を燃焼して、導水管（３）を螺旋環状に具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集し、ＣＯ２排気を０に近付けるエネルギ保存サイクル機関。
【請求項３７７】
縮径主燃焼室（１）に導水管（３）を螺旋環状に複数具備した縮径主燃焼室熱交換器（２）に連絡した高温水噴射電磁弁（８７Ａａ）より高温水を噴射して、最高燃焼圧力を上昇するＨ型エネルギ保存サイクル機関。
【請求項３７８】
縮径主燃焼室（１）に導水管（３）を螺旋環状に複数具備した縮径主燃焼室熱交換器（２）に連絡した高温水噴射電磁弁（８７Ａａ）より高温水を噴射して、最高燃焼圧力を上昇するＤ型エネルギ保存サイクル機関。
【請求項３７９】
縮径主燃焼室（１）に導水管（３）を螺旋環状に複数具備した縮径主燃焼室熱交換器（２）に連絡した高温水噴射電磁弁（８７Ａａ）より高温水を噴射して、最高燃焼圧力を上昇するＥ型エネルギ保存サイクル機関。
【請求項３８０】
縮径主燃焼室（１）に導水管（３）を螺旋環状に複数具備した縮径主燃焼室熱交換器（２）に連絡した高温水噴射電磁弁（８７Ａａ）より高温水を噴射して、最高燃焼圧力を上昇するエネルギ保存サイクル機関。
【請求項３８１】
縮径主燃焼室（１）に導水管（３）を螺旋環状に複数具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して最高燃焼圧力を上昇するＨ型エネルギ保存サイクル機関。
【請求項３８２】
縮径主燃焼室（１）に導水管（３）を螺旋環状に複数具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して最高燃焼圧力を上昇するＤ型エネルギ保存サイクル機関。
【請求項３８３】
縮径主燃焼室（１）に導水管（３）を螺旋環状に複数具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して最高燃焼圧力を上昇するＥ型エネルギ保存サイクル機関。
【請求項３８４】
縮径主燃焼室（１）に導水管（３）を螺旋環状に複数具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して最高燃焼圧力を上昇するエネルギ保存サイクル機関。
【請求項３８５】
縮径主燃焼室（１）に導水管（３）を螺旋環状に複数具備した縮径主燃焼室熱交換器（２）に連絡した高温水噴射電磁弁（８７Ａａ）より高温水を噴射して、燃焼温度を低下させるＨ型エネルギ保存サイクル機関。
【請求項３８６】
縮径主燃焼室（１）に導水管（３）を螺旋環状に複数具備した縮径主燃焼室熱交換器（２）に連絡した高温水噴射電磁弁（８７Ａａ）より高温水を噴射して、燃焼温度を低下させるＤ型エネルギ保存サイクル機関。
【請求項３８７】
縮径主燃焼室（１）に導水管（３）を螺旋環状に複数具備した縮径主燃焼室熱交換器（２）に連絡した高温水噴射電磁弁（８７Ａａ）より高温水を噴射して、燃焼温度を低下させるＥ型エネルギ保存サイクル機関。
【請求項３８８】
縮径主燃焼室（１）に導水管（３）を螺旋環状に複数具備した縮径主燃焼室熱交換器（２）に連絡した高温水噴射電磁弁（８７Ａａ）より高温水を噴射して、燃焼温度を低下させるエネルギ保存サイクル機関。
【請求項３８９】
縮径主燃焼室（１）に導水管（３）を螺旋環状に複数具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させるＨ型エネルギ保存サイクル機関。
【請求項３９０】
縮径主燃焼室（１）に導水管（３）を螺旋環状に複数具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させるＤ型エネルギ保存サイクル機関。
【請求項３９１】
縮径主燃焼室（１）に導水管（３）を螺旋環状に複数具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させるＥ型エネルギ保存サイクル機関。
【請求項３９２】
縮径主燃焼室（１）に導水管（３）を螺旋環状に複数具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させるエネルギ保存サイクル機関。
【請求項３９３】
縮径主燃焼室（１）に導水管（３）を螺旋環状に複数具備した縮径主燃焼室熱交換器（２）に連絡した高温水噴射電磁弁（８７Ａａ）より高温水を噴射して、燃焼温度を低下させ燃焼ガスを高温水で噴射するＨ型エネルギ保存サイクル機関。
【請求項３９４】
縮径主燃焼室（１）に導水管（３）を螺旋環状に複数具備した縮径主燃焼室熱交換器（２）に連絡した高温水噴射電磁弁（８７Ａａ）より高温水を噴射して、燃焼温度を低下させ燃焼ガスを高温水で噴射するＤ型エネルギ保存サイクル機関。
【請求項３９５】
縮径主燃焼室（１）に導水管（３）を螺旋環状に複数具備した縮径主燃焼室熱交換器（２）に連絡した高温水噴射電磁弁（８７Ａａ）より高温水を噴射して、燃焼温度を低下させ燃焼ガスを高温水で噴射するＥ型エネルギ保存サイクル機関。
【請求項３９６】
縮径主燃焼室（１）に導水管（３）を螺旋環状に複数具備した縮径主燃焼室熱交換器（２）に連絡した高温水噴射電磁弁（８７Ａａ）より高温水を噴射して、燃焼温度を低下させ燃焼ガスを高温水で噴射するエネルギ保存サイクル機関。
【請求項３９７】
縮径主燃焼室（１）に導水管（３）を螺旋環状に複数具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射するＨ型エネルギ保存サイクル機関。
【請求項３９８】
縮径主燃焼室（１）に導水管（３）を螺旋環状に複数具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射するＤ型エネルギ保存サイクル機関。
【請求項３９９】
縮径主燃焼室（１）に導水管（３）を螺旋環状に複数具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射するＥ型エネルギ保存サイクル機関。
【請求項４００】
縮径主燃焼室（１）に導水管（３）を螺旋環状に複数具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射するエネルギ保存サイクル機関。
【請求項４０１】
縮径主燃焼室（１）に導水管（３）を螺旋環状に複数具備した縮径主燃焼室熱交換器（２）に連絡した高温水噴射電磁弁（８７Ａａ）より高温水を噴射して、燃焼温度を低下させ燃焼ガスを高温水で噴射して断熱膨張低温燃焼ガスを核に水分を凝縮するＨ型エネルギ保存サイクル機関。
【請求項４０２】
縮径主燃焼室（１）に導水管（３）を螺旋環状に複数具備した縮径主燃焼室熱交換器（２）に連絡した高温水噴射電磁弁（８７Ａａ）より高温水を噴射して、燃焼温度を低下させ燃焼ガスを高温水で噴射して断熱膨張低温燃焼ガスを核に水分を凝縮するＤ型エネルギ保存サイクル機関。
【請求項４０３】
縮径主燃焼室（１）に導水管（３）を螺旋環状に複数具備した縮径主燃焼室熱交換器（２）に連絡した高温水噴射電磁弁（８７Ａａ）より高温水を噴射して、燃焼温度を低下させ燃焼ガスを高温水で噴射して断熱膨張低温燃焼ガスを核に水分を凝縮するＥ型エネルギ保存サイクル機関。
【請求項４０４】
縮径主燃焼室（１）に導水管（３）を螺旋環状に複数具備した縮径主燃焼室熱交換器（２）に連絡した高温水噴射電磁弁（８７Ａａ）より高温水を噴射して、燃焼温度を低下させ燃焼ガスを高温水で噴射して断熱膨張低温燃焼ガスを核に水分を凝縮するエネルギ保存サイクル機関。
【請求項４０５】
縮径主燃焼室（１）に導水管（３）を螺旋環状に複数具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝縮するＨ型エネルギ保存サイクル機関。
【請求項４０６】
縮径主燃焼室（１）に導水管（３）を螺旋環状に複数具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝縮するＤ型エネルギ保存サイクル機関。
【請求項４０７】
縮径主燃焼室（１）に導水管（３）を螺旋環状に複数具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝縮するＥ型エネルギ保存サイクル機関。
【請求項４０８】
縮径主燃焼室（１）に導水管（３）を螺旋環状に複数具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝縮するエネルギ保存サイクル機関。
【請求項４０９】
縮径主燃焼室（１）に導水管（３）を螺旋環状に複数具備した縮径主燃焼室熱交換器（２）に連絡した高温水噴射電磁弁（８７Ａａ）より高温水を噴射して、燃焼温度を低下させ燃焼ガスを高温水で噴射して断熱膨張低温燃焼ガスを核に水分を凝縮し、ＣＯ２排気を０に近付けるＨ型エネルギ保存サイクル機関。
【請求項４１０】
縮径主燃焼室（１）に導水管（３）を螺旋環状に複数具備した縮径主燃焼室熱交換器（２）に連絡した高温水噴射電磁弁（８７Ａａ）より高温水を噴射して、燃焼温度を低下させ燃焼ガスを高温水で噴射して断熱膨張低温燃焼ガスを核に水分を凝縮し、ＣＯ２排気を０に近付けるＤ型エネルギ保存サイクル機関。
【請求項４１１】
縮径主燃焼室（１）に導水管（３）を螺旋環状に複数具備した縮径主燃焼室熱交換器（２）に連絡した高温水噴射電磁弁（８７Ａａ）より高温水を噴射して、燃焼温度を低下させ燃焼ガスを高温水で噴射して断熱膨張低温燃焼ガスを核に水分を凝縮し、ＣＯ２排気を０に近付けるＥ型エネルギ保存サイクル機関。
【請求項４１２】
縮径主燃焼室（１）に導水管（３）を螺旋環状に複数具備した縮径主燃焼室熱交換器（２）に連絡した高温水噴射電磁弁（８７Ａａ）より高温水を噴射して、燃焼温度を低下させ燃焼ガスを高温水で噴射して断熱膨張低温燃焼ガスを核に水分を凝縮し、ＣＯ２排気を０に近付けるエネルギ保存サイクル機関。
【請求項４１３】
縮径主燃焼室（１）に導水管（３）を螺旋環状に複数具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝縮し、ＣＯ２排気を０に近付けるＨ型エネルギ保存サイクル機関。
【請求項４１４】
縮径主燃焼室（１）に導水管（３）を螺旋環状に複数具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝縮し、ＣＯ２排気を０に近付けるＤ型エネルギ保存サイクル機関。
【請求項４１５】
縮径主燃焼室（１）に導水管（３）を螺旋環状に複数具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝縮し、ＣＯ２排気を０に近付けるＥ型エネルギ保存サイクル機関。
【請求項４１６】
縮径主燃焼室（１）に導水管（３）を螺旋環状に複数具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝縮し、ＣＯ２排気を０に近付けるエネルギ保存サイクル機関。
【請求項４１７】
縮径主燃焼室（１）で一方向空気流路（９）より噴射する空気と燃料を燃焼して、導水管（３）を螺旋環状に複数具備した縮径主燃焼室熱交換器（２）に連絡した高温水噴射電磁弁（８７Ａａ）より高温水を噴射して、最高燃焼圧力を上昇するＨ型エネルギ保存サイクル機関。
【請求項４１８】
縮径主燃焼室（１）で一方向空気流路（９）より噴射する空気と燃料を燃焼して、導水管（３）を螺旋環状に複数具備した縮径主燃焼室熱交換器（２）に連絡した高温水噴射電磁弁（８７Ａａ）より高温水を噴射して、最高燃焼圧力を上昇するＤ型エネルギ保存サイクル機関。
【請求項４１９】
縮径主燃焼室（１）で一方向空気流路（９）より噴射する空気と燃料を燃焼して、導水管（３）を螺旋環状に複数具備した縮径主燃焼室熱交換器（２）に連絡した高温水噴射電磁弁（８７Ａａ）より高温水を噴射して、最高燃焼圧力を上昇するＥ型エネルギ保存サイクル機関。
【請求項４２０】
縮径主燃焼室（１）で一方向空気流路（９）より噴射する空気と燃料を燃焼して、導水管（３）を螺旋環状に複数具備した縮径主燃焼室熱交換器（２）に連絡した高温水噴射電磁弁（８７Ａａ）より高温水を噴射して、最高燃焼圧力を上昇するエネルギ保存サイクル機関。
【請求項４２１】
縮径主燃焼室（１）で一方向空気流路（９）より噴射する空気と燃料を燃焼して、導水管（３）を螺旋環状に複数具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して最高燃焼圧力を上昇するＨ型エネルギ保存サイクル機関。
【請求項４２２】
縮径主燃焼室（１）で一方向空気流路（９）より噴射する空気と燃料を燃焼して、導水管（３）を螺旋環状に複数具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して最高燃焼圧力を上昇するＤ型エネルギ保存サイクル機関。
【請求項４２３】
縮径主燃焼室（１）で一方向空気流路（９）より噴射する空気と燃料を燃焼して、導水管（３）を螺旋環状に複数具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して最高燃焼圧力を上昇するＥ型エネルギ保存サイクル機関。
【請求項４２４】
縮径主燃焼室（１）で一方向空気流路（９）より噴射する空気と燃料を燃焼して、導水管（３）を螺旋環状に複数具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して最高燃焼圧力を上昇するエネルギ保存サイクル機関。
【請求項４２５】
縮径主燃焼室（１）で一方向空気流路（９）より噴射する空気と燃料を燃焼して、導水管（３）を螺旋環状に複数具備した縮径主燃焼室熱交換器（２）に連絡した高温水噴射電磁弁（８７Ａａ）より高温水を噴射して、燃焼温度を低下させるＨ型エネルギ保存サイクル機関。
【請求項４２６】
縮径主燃焼室（１）で一方向空気流路（９）より噴射する空気と燃料を燃焼して、導水管（３）を螺旋環状に複数具備した縮径主燃焼室熱交換器（２）に連絡した高温水噴射電磁弁（８７Ａａ）より高温水を噴射して、燃焼温度を低下させるＤ型エネルギ保存サイクル機関。
【請求項４２７】
縮径主燃焼室（１）で一方向空気流路（９）より噴射する空気と燃料を燃焼して、導水管（３）を螺旋環状に複数具備した縮径主燃焼室熱交換器（２）に連絡した高温水噴射電磁弁（８７Ａａ）より高温水を噴射して、燃焼温度を低下させるＥ型エネルギ保存サイクル機関。
【請求項４２８】
縮径主燃焼室（１）で一方向空気流路（９）より噴射する空気と燃料を燃焼して、導水管（３）を螺旋環状に複数具備した縮径主燃焼室熱交換器（２）に連絡した高温水噴射電磁弁（８７Ａａ）より高温水を噴射して、燃焼温度を低下させるエネルギ保存サイクル機関。
【請求項４２９】
縮径主燃焼室（１）で一方向空気流路（９）より噴射する空気と燃料を燃焼して、導水管（３）を螺旋環状に複数具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させるＨ型エネルギ保存サイクル機関。
【請求項４３０】
縮径主燃焼室（１）で一方向空気流路（９）より噴射する空気と燃料を燃焼して、導水管（３）を螺旋環状に複数具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させるＤ型エネルギ保存サイクル機関。
【請求項４３１】
縮径主燃焼室（１）で一方向空気流路（９）より噴射する空気と燃料を燃焼して、導水管（３）を螺旋環状に複数具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させるＥ型エネルギ保存サイクル機関。
【請求項４３２】
縮径主燃焼室（１）で一方向空気流路（９）より噴射する空気と燃料を燃焼して、導水管（３）を螺旋環状に複数具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させるエネルギ保存サイクル機関。
【請求項４３３】
縮径主燃焼室（１）で一方向空気流路（９）より噴射する空気と燃料を燃焼して、導水管（３）を螺旋環状に複数具備した縮径主燃焼室熱交換器（２）に連絡した高温水噴射電磁弁（８７Ａａ）より高温水を噴射して、燃焼温度を低下させ燃焼ガスを高温水で噴射するＨ型エネルギ保存サイクル機関。
【請求項４３４】
縮径主燃焼室（１）で一方向空気流路（９）より噴射する空気と燃料を燃焼して、導水管（３）を螺旋環状に複数具備した縮径主燃焼室熱交換器（２）に連絡した高温水噴射電磁弁（８７Ａａ）より高温水を噴射して、燃焼温度を低下させ燃焼ガスを高温水で噴射するＤ型エネルギ保存サイクル機関。
【請求項４３５】
縮径主燃焼室（１）で一方向空気流路（９）より噴射する空気と燃料を燃焼して、導水管（３）を螺旋環状に複数具備した縮径主燃焼室熱交換器（２）に連絡した高温水噴射電磁弁（８７Ａａ）より高温水を噴射して、燃焼温度を低下させ燃焼ガスを高温水で噴射するＥ型エネルギ保存サイクル機関。
【請求項４３６】
縮径主燃焼室（１）で一方向空気流路（９）より噴射する空気と燃料を燃焼して、導水管（３）を螺旋環状に複数具備した縮径主燃焼室熱交換器（２）に連絡した高温水噴射電磁弁（８７Ａａ）より高温水を噴射して、燃焼温度を低下させ燃焼ガスを高温水で噴射するエネルギ保存サイクル機関。
【請求項４３７】
縮径主燃焼室（１）で一方向空気流路（９）より噴射する空気と燃料を燃焼して、導水管（３）を螺旋環状に複数具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射するＨ型エネルギ保存サイクル機関。
【請求項４３８】
縮径主燃焼室（１）で一方向空気流路（９）より噴射する空気と燃料を燃焼して、導水管（３）を螺旋環状に複数具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射するＤ型エネルギ保存サイクル機関。
【請求項４３９】
縮径主燃焼室（１）で一方向空気流路（９）より噴射する空気と燃料を燃焼して、導水管（３）を螺旋環状に複数具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射するＥ型エネルギ保存サイクル機関。
【請求項４４０】
縮径主燃焼室（１）で一方向空気流路（９）より噴射する空気と燃料を燃焼して、導水管（３）を螺旋環状に複数具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射するエネルギ保存サイクル機関。
【請求項４４１】
縮径主燃焼室（１）で一方向空気流路（９）より噴射する空気と燃料を燃焼して、導水管（３）を螺旋環状に複数具備した縮径主燃焼室熱交換器（２）に連絡した高温水噴射電磁弁（８７Ａａ）より高温水を噴射して、燃焼温度を低下させ燃焼ガスを高温水で噴射して断熱膨張低温燃焼ガスを核に水分を凝集するＨ型エネルギ保存サイクル機関。
【請求項４４２】
縮径主燃焼室（１）で一方向空気流路（９）より噴射する空気と燃料を燃焼して、導水管（３）を螺旋環状に複数具備した縮径主燃焼室熱交換器（２）に連絡した高温水噴射電磁弁（８７Ａａ）より高温水を噴射して、燃焼温度を低下させ燃焼ガスを高温水で噴射して断熱膨張低温燃焼ガスを核に水分を凝集するＤ型エネルギ保存サイクル機関。
【請求項４４３】
縮径主燃焼室（１）で一方向空気流路（９）より噴射する空気と燃料を燃焼して、導水管（３）を螺旋環状に複数具備した縮径主燃焼室熱交換器（２）に連絡した高温水噴射電磁弁（８７Ａａ）より高温水を噴射して、燃焼温度を低下させ燃焼ガスを高温水で噴射して断熱膨張低温燃焼ガスを核に水分を凝集するＥ型エネルギ保存サイクル機関。
【請求項４４４】
縮径主燃焼室（１）で一方向空気流路（９）より噴射する空気と燃料を燃焼して、導水管（３）を螺旋環状に複数具備した縮径主燃焼室熱交換器（２）に連絡した高温水噴射電磁弁（８７Ａａ）より高温水を噴射して、燃焼温度を低下させ燃焼ガスを高温水で噴射して断熱膨張低温燃焼ガスを核に水分を凝集するエネルギ保存サイクル機関。
【請求項４４５】
縮径主燃焼室（１）で一方向空気流路（９）より噴射する空気と燃料を燃焼して、導水管（３）を螺旋環状に複数具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集するＨ型エネルギ保存サイクル機関。
【請求項４４６】
縮径主燃焼室（１）で一方向空気流路（９）より噴射する空気と燃料を燃焼して、導水管（３）を螺旋環状に複数具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集するＤ型エネルギ保存サイクル機関。
【請求項４４７】
縮径主燃焼室（１）で一方向空気流路（９）より噴射する空気と燃料を燃焼して、導水管（３）を螺旋環状に複数具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集するＥ型エネルギ保存サイクル機関。
【請求項４４８】
縮径主燃焼室（１）で一方向空気流路（９）より噴射する空気と燃料を燃焼して、導水管（３）を螺旋環状に複数具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集するエネルギ保存サイクル機関。
【請求項４４９】
縮径主燃焼室（１）で一方向空気流路（９）より噴射する空気と燃料を燃焼して、導水管（３）を螺旋環状に複数具備した縮径主燃焼室熱交換器（２）に連絡した高温水噴射電磁弁（８７Ａａ）より高温水を噴射して、燃焼温度を低下させ燃焼ガスを高温水で噴射して断熱膨張低温燃焼ガスを核に水分を凝集し、ＣＯ２排気を０に近付けるＨ型エネルギ保存サイクル機関。
【請求項４５０】
縮径主燃焼室（１）で一方向空気流路（９）より噴射する空気と燃料を燃焼して、導水管（３）を螺旋環状に複数具備した縮径主燃焼室熱交換器（２）に連絡した高温水噴射電磁弁（８７Ａａ）より高温水を噴射して、燃焼温度を低下させ燃焼ガスを高温水で噴射して断熱膨張低温燃焼ガスを核に水分を凝集し、ＣＯ２排気を０に近付けるＤ型エネルギ保存サイクル機関。
【請求項４５１】
縮径主燃焼室（１）で一方向空気流路（９）より噴射する空気と燃料を燃焼して、導水管（３）を螺旋環状に複数具備した縮径主燃焼室熱交換器（２）に連絡した高温水噴射電磁弁（８７Ａａ）より高温水を噴射して、燃焼温度を低下させ燃焼ガスを高温水で噴射して断熱膨張低温燃焼ガスを核に水分を凝集し、ＣＯ２排気を０に近付けるＥ型エネルギ保存サイクル機関。
【請求項４５２】
縮径主燃焼室（１）で一方向空気流路（９）より噴射する空気と燃料を燃焼して、導水管（３）を螺旋環状に複数具備した縮径主燃焼室熱交換器（２）に連絡した高温水噴射電磁弁（８７Ａａ）より高温水を噴射して、燃焼温度を低下させ燃焼ガスを高温水で噴射して断熱膨張低温燃焼ガスを核に水分を凝集し、ＣＯ２排気を０に近付けるエネルギ保存サイクル機関。
【請求項４５３】
縮径主燃焼室（１）で一方向空気流路（９）より噴射する空気と燃料を燃焼して、導水管（３）を螺旋環状に複数具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集し、ＣＯ２排気を０に近付けるＨ型エネルギ保存サイクル機関。
【請求項４５４】
縮径主燃焼室（１）で一方向空気流路（９）より噴射する空気と燃料を燃焼して、導水管（３）を螺旋環状に複数具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集し、ＣＯ２排気を０に近付けるＤ型エネルギ保存サイクル機関。
【請求項４５５】
縮径主燃焼室（１）で一方向空気流路（９）より噴射する空気と燃料を燃焼して、導水管（３）を螺旋環状に複数具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集し、ＣＯ２排気を０に近付けるＥ型エネルギ保存サイクル機関。
【請求項４５６】
縮径主燃焼室（１）で一方向空気流路（９）より噴射する空気と燃料を燃焼して、導水管（３）を螺旋環状に複数具備した縮径主燃焼室熱交換器（２）に連絡した高温水噴射電磁弁（８７Ａａ）より高温水を噴射して、ノズル内では水滴を弾丸のように加速して、ノズル外ではロケットのように加速して燃焼温度を低下させ燃焼ガスを高温水で噴射して断熱膨張低温燃焼ガスを核に水分を凝集し、ＣＯ２排気を０に近付けるエネルギ保存サイクル機関。
【請求項４５７】
送水ポンプ兼磁気摩擦動力伝達装置（５５）により昇圧した水を縮径主燃焼室（１）に高温水噴射電磁弁（８７Ａａ）から高温水噴射燃焼圧力を上昇させると共に、電磁加熱縮径ピストン（２２）の拡径部に高温水噴射電磁弁（８７Ａｂ）の嵌入用凹部（８６）を具備し、嵌入用凹部に嵌合自在に設けた高温水噴射電磁弁（８７Ａｂ）より拡径部に直接水噴射するＨ型エネルギ保存サイクル機関。
【請求項４５８】
送水ポンプ兼磁気摩擦動力伝達装置（５５）により昇圧した水を縮径主燃焼室（１）に高温水噴射電磁弁（８７Ａａ）から高温水噴射燃焼圧力を上昇させると共に、電磁加熱縮径ピストン（２２）の拡径部に高温水噴射電磁弁（８７Ａｂ）の嵌入用凹部（８６）を具備し、嵌入用凹部に嵌合自在に設けた高温水噴射電磁弁（８７Ａｂ）より拡径部に直接水噴射するＤ型エネルギ保存サイクル機関。
【請求項４５９】
送水ポンプ兼磁気摩擦動力伝達装置（５５）により昇圧した水を縮径主燃焼室（１）に高温水噴射電磁弁（８７Ａａ）から高温水噴射燃焼温度を低下させると共に、電磁加熱縮径ピストン（２２）の拡径部に高温水噴射電磁弁（８７Ａｂ）ノズルの嵌入用凹部（８６）を具備し、嵌入用凹部に嵌合自在に設けた高温水噴射電磁弁（８７Ａｂ）より拡径部に直接水噴射するＨ型エネルギ保存サイクル機関。
【請求項４６０】
送水ポンプ兼磁気摩擦動力伝達装置（５５）により昇圧した水を縮径主燃焼室（１）に高温水噴射電磁弁（８７Ａａ）から高温水噴射燃焼温度を低下させると共に、電磁加熱縮径ピストン（２２）の拡径部に高温水噴射電磁弁（８７Ａｂ）ノズルの嵌入用凹部（８６）を具備し、嵌入用凹部に嵌合自在に設けた高温水噴射電磁弁（８７Ａｂ）より拡径部に直接水噴射するＤ型エネルギ保存サイクル機関。
【請求項４６１】
送水ポンプ兼磁気摩擦動力伝達装置（５５）により昇圧した水を縮径主燃焼室（１）に高温水噴射電磁弁（８７Ａａ）から高温水噴射燃焼温度を低下させると共に、電磁加熱縮径ピストン（２２）の拡径部に高温水噴射電磁弁（８７Ａｂ）の嵌入用凹部（８６）を具備し、嵌入用凹部に嵌合自在に設けた高温水噴射電磁弁（８７Ａｂ）より拡径部に直接水噴射するＥ型エネルギ保存サイクル機関。
【請求項４６２】
送水ポンプ兼磁気摩擦動力伝達装置（５５）により昇圧した水を縮径主燃焼室（１）に高温水噴射電磁弁（８７Ａａ）から高温水噴射燃焼温度を低下させると共に、電磁加熱縮径ピストン（２２）の拡径部に高温水噴射電磁弁（８７Ａｂ）の嵌入用凹部（８６）を具備し、嵌入用凹部に嵌合自在に設けた高温水噴射電磁弁（８７Ａｂ）より拡径部に直接水噴射するエネルギ保存サイクル機関。
【請求項４６３】
送水ポンプ兼磁気摩擦動力伝達装置（５５）により昇圧した水を縮径主燃焼室（１）に高温水噴射電磁弁（８７Ａａ）から高温水噴射燃焼温度を低下させると共に、電磁加熱縮径ピストン（２２）の拡径部に高温水噴射電磁弁（８７Ａｂ）ノズルの嵌入用凹部（８６）を具備し、嵌入用凹部に嵌合自在に設けた高温水噴射電磁弁（８７Ａｂ）より拡径部に直接水噴射するＥ型エネルギ保存サイクル機関。
【請求項４６４】
送水ポンプ兼磁気摩擦動力伝達装置（５５）により昇圧した水を縮径主燃焼室（１）に高温水噴射電磁弁（８７Ａａ）から高温水噴射燃焼温度を低下させると共に、電磁加熱縮径ピストン（２２）の拡径部に高温水噴射電磁弁（８７Ａｂ）ノズルの嵌入用凹部（８６）を具備し、嵌入用凹部に嵌合自在に設けた高温水噴射電磁弁（８７Ａｂ）より拡径部に直接水噴射するエネルギ保存サイクル機関。
【請求項４６５】
送水ポンプ兼磁気摩擦動力伝達装置（５５）により昇圧した水を縮径主燃焼室（１）に高温水噴射電磁弁（８７Ａａ）から高温水噴射燃焼温度を低下させると共に、シリンダヘッド（１５）の電磁弁装着部（９３ａ）に後退して設けた高温水噴射電磁弁（８７Ａｂ）より電磁加熱縮径ピストン（２２）の拡径部に直接高温水噴射するＨ型エネルギ保存サイクル機関。
【請求項４６６】
送水ポンプ兼磁気摩擦動力伝達装置（５５）により昇圧した水を縮径主燃焼室（１）に高温水噴射電磁弁（８７Ａａ）から高温水噴射燃焼温度を低下させると共に、シリンダヘッド（１５）の電磁弁装着部（９３ａ）に後退して設けた高温水噴射電磁弁（８７Ａｂ）より電磁加熱縮径ピストン（２２）の拡径部に直接高温水噴射するＤ型エネルギ保存サイクル機関。
【請求項４６７】
送水ポンプ兼磁気摩擦動力伝達装置（５５）により昇圧した水を縮径主燃焼室（１）に高温水噴射電磁弁（８７Ａａ）から高温水噴射燃焼温度を低下させると共に、シリンダヘッド（１５）の電磁弁装着部（９３ａ）に後退して設けた高温水噴射電磁弁（８７Ａｂ）より電磁加熱縮径ピストン（２２）の拡径部に直接高温水噴射するＥ型エネルギ保存サイクル機関。
【請求項４６８】
送水ポンプ兼磁気摩擦動力伝達装置（５５）により昇圧した水を縮径主燃焼室（１）に高温水噴射電磁弁（８７Ａａ）から高温水噴射燃焼温度を低下させると共に、シリンダヘッド（１５）の電磁弁装着部（９３ａ）に後退して設けた高温水噴射電磁弁（８７Ａｂ）より電磁加熱縮径ピストン（２２）の拡径部に直接高温水噴射するエネルギ保存サイクル機関。
【請求項４６９】
送水ポンプ兼磁気摩擦動力伝達装置（５５）により昇圧した水を縮径主燃焼室（１）に高温水噴射電磁弁（８７Ａａ）から高温水噴射燃焼温度を低下させると共に、シリンダヘッド（１５）の電磁弁装着部（９３ａ）に後退して設けた高温水噴射電磁弁（８７Ａｂ）より電磁加熱縮径ピストン（２２）の拡径部に直接高温水噴射し、夫々の気化爆発力により重力パワーを最大にするＨ型エネルギ保存サイクル機関。
【請求項４７０】
送水ポンプ兼磁気摩擦動力伝達装置（５５）により昇圧した水を縮径主燃焼室（１）に高温水噴射電磁弁（８７Ａａ）から高温水噴射燃焼温度を低下させると共に、シリンダヘッド（１５）の電磁弁装着部（９３ａ）に後退して設けた高温水噴射電磁弁（８７Ａｂ）より電磁加熱縮径ピストン（２２）の拡径部に直接高温水噴射し、夫々の気化爆発力により重力パワーを最大にするＤ型エネルギ保存サイクル機関。
【請求項４７１】
送水ポンプ兼磁気摩擦動力伝達装置（５５）により昇圧した水を縮径主燃焼室（１）に高温水噴射電磁弁（８７Ａａ）から高温水噴射燃焼温度を低下させると共に、シリンダヘッド（１５）の電磁弁装着部（９３ａ）に後退して設けた高温水噴射電磁弁（８７Ａｂ）より電磁加熱縮径ピストン（２２）の拡径部に直接高温水噴射し、夫々の気化爆発力により重力パワーを最大にするＥ型エネルギ保存サイクル機関。
【請求項４７２】
送水ポンプ兼磁気摩擦動力伝達装置（５５）により昇圧した水を縮径主燃焼室（１）に高温水噴射電磁弁（８７Ａａ）から高温水噴射燃焼温度を低下させると共に、シリンダヘッド（１５）の電磁弁装着部（９３ａ）に後退して設けた高温水噴射電磁弁（８７Ａｂ）より電磁加熱縮径ピストン（２２）の拡径部に直接高温水噴射し、夫々の気化爆発力により重力パワーを最大にするエネルギ保存サイクル機関。
【請求項４７３】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を高温水噴射電磁弁（８７Ａｂ）より拡径部に直接水噴射すると共に、高温水噴射電磁弁（８７Ａａ）から高温水を噴射するＨ型エネルギ保存サイクル機関。
【請求項４７４】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を高温水噴射電磁弁（８７Ａｂ）より拡径部に直接水噴射すると共に、高温水噴射電磁弁（８７Ａａ）から高温水を噴射するＤ型エネルギ保存サイクル機関。
【請求項４７５】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を高温水噴射電磁弁（８７Ａｂ）より拡径部に直接水噴射すると共に、高温水噴射電磁弁（８７Ａａ）から高温水を噴射するＥ型エネルギ保存サイクル機関。
【請求項４７６】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を高温水噴射電磁弁（８７Ａｂ）より拡径部に直接水噴射すると共に、高温水噴射電磁弁（８７Ａａ）から高温水を噴射するエネルギ保存サイクル機関。
【請求項４７７】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を高温水噴射電磁弁（８７Ａｂ）より拡径部に直接水噴射すると共に、高温水噴射電磁弁（８７Ａａ）から高温水を噴射するＨ型エネルギ保存サイクル機関。
【請求項４７８】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を高温水噴射電磁弁（８７Ａｂ）より拡径部に直接水噴射すると共に、高温水噴射電磁弁（８７Ａａ）から高温水を噴射するＤ型エネルギ保存サイクル機関。
【請求項４７９】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を高温水噴射電磁弁（８７Ａｂ）より拡径部に直接水噴射すると共に、高温水噴射電磁弁（８７Ａａ）から高温水を噴射するＥ型エネルギ保存サイクル機関。
【請求項４８０】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を高温水噴射電磁弁（８７Ａｂ）より拡径部に直接水噴射すると共に、高温水噴射電磁弁（８７Ａａ）から高温水を噴射するエネルギ保存サイクル機関。
【請求項４８１】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を高温水噴射電磁弁（８７Ａｂ）より拡径部に直接水噴射すると共に、高温水噴射電磁弁（８７Ａａ）から高温水を噴射し、夫々の気化爆発力により重力パワーを最大にするＨ型エネルギ保存サイクル機関。
【請求項４８２】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を高温水噴射電磁弁（８７Ａｂ）より拡径部に直接水噴射すると共に、高温水噴射電磁弁（８７Ａａ）から高温水を噴射し、夫々の気化爆発力により重力パワーを最大にするＤ型エネルギ保存サイクル機関。
【請求項４８３】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を高温水噴射電磁弁（８７Ａｂ）より拡径部に直接水噴射すると共に、高温水噴射電磁弁（８７Ａａ）から高温水を噴射し、夫々の気化爆発力により重力パワーを最大にするＥ型エネルギ保存サイクル機関。
【請求項４８４】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を高温水噴射電磁弁（８７Ａｂ）より拡径部に直接水噴射すると共に、高温水噴射電磁弁（８７Ａａ）から高温水を噴射し、夫々の気化爆発力により重力パワーを最大にするエネルギ保存サイクル機関。
【請求項４８５】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を高温水噴射電磁弁（８７Ａｂ）より拡径部に直接水噴射すると共に、高温水噴射電磁弁（８７Ａａ）から高温水を噴射し、夫々の気化爆発力により重力パワーを最大にするＨ型エネルギ保存サイクル機関。
【請求項４８６】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を高温水噴射電磁弁（８７Ａｂ）より拡径部に直接水噴射すると共に、高温水噴射電磁弁（８７Ａａ）から高温水を噴射し、夫々の気化爆発力により重力パワーを最大にするＤ型エネルギ保存サイクル機関。
【請求項４８７】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を高温水噴射電磁弁（８７Ａｂ）より拡径部に直接水噴射すると共に、高温水噴射電磁弁（８７Ａａ）から高温水を噴射し、夫々の気化爆発力により重力パワーを最大にするＥ型エネルギ保存サイクル機関。
【請求項４８８】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を高温水噴射電磁弁（８７Ａｂ）より拡径部に直接水噴射すると共に、高温水噴射電磁弁（８７Ａａ）から高温水を噴射し、夫々の気化爆発力により重力パワーを最大にするエネルギ保存サイクル機関。
【請求項４８９】
電磁弁装着部（９３ａ）に高温水噴射電磁弁（８７Ａｂ）を後退して具備し、送水ポンプ兼磁気摩擦動力伝達装置（５５）により昇圧した水を高温水噴射電磁弁（８７Ａｂ）より拡径部に直接水噴射すると共に、高温水噴射電磁弁（８７Ａａ）から高温水を噴射するＨ型エネルギ保存サイクル機関。
【請求項４９０】
電磁弁装着部（９３ａ）に高温水噴射電磁弁（８７Ａｂ）を後退して具備し、送水ポンプ兼磁気摩擦動力伝達装置（５５）により昇圧した水を高温水噴射電磁弁（８７Ａｂ）より拡径部に直接水噴射すると共に、高温水噴射電磁弁（８７Ａａ）から高温水を噴射するＤ型エネルギ保存サイクル機関。
【請求項４９１】
電磁弁装着部（９３ａ）に高温水噴射電磁弁（８７Ａｂ）を後退して具備し、送水ポンプ兼磁気摩擦動力伝達装置（５５）により昇圧した水を高温水噴射電磁弁（８７Ａｂ）より拡径部に直接水噴射すると共に、高温水噴射電磁弁（８７Ａａ）から高温水を噴射するＥ型エネルギ保存サイクル機関。
【請求項４９２】
電磁弁装着部（９３ａ）に高温水噴射電磁弁（８７Ａｂ）を後退して具備し、送水ポンプ兼磁気摩擦動力伝達装置（５５）により昇圧した水を高温水噴射電磁弁（８７Ａｂ）より拡径部に直接水噴射すると共に、高温水噴射電磁弁（８７Ａａ）から高温水を噴射するエネルギ保存サイクル機関。
【請求項４９３】
電磁弁装着部（９３ａ）に高温水噴射電磁弁（８７Ａｂ）を後退して具備し、送水ポンプ兼磁気摩擦動力伝達装置（５５）により昇圧した水を高温水噴射電磁弁（８７Ａｂ）より拡径部に直接水噴射すると共に、高温水噴射電磁弁（８７Ａａ）から高温水を噴射し、夫々の気化爆発力により重力パワーを最大にするＨ型エネルギ保存サイクル機関。
【請求項４９４】
電磁弁装着部（９３ａ）に高温水噴射電磁弁（８７Ａｂ）を後退して具備し、送水ポンプ兼磁気摩擦動力伝達装置（５５）により昇圧した水を高温水噴射電磁弁（８７Ａｂ）より拡径部に直接水噴射すると共に、高温水噴射電磁弁（８７Ａａ）から高温水を噴射し、夫々の気化爆発力により重力パワーを最大にするＤ型エネルギ保存サイクル機関。
【請求項４９５】
電磁弁装着部（９３ａ）に高温水噴射電磁弁（８７Ａｂ）を後退して具備し、送水ポンプ兼磁気摩擦動力伝達装置（５５）により昇圧した水を高温水噴射電磁弁（８７Ａｂ）より拡径部に直接水噴射すると共に、高温水噴射電磁弁（８７Ａａ）から高温水を噴射し、夫々の気化爆発力により重力パワーを最大にするＥ型エネルギ保存サイクル機関。
【請求項４９６】
電磁弁装着部（９３ａ）に高温水噴射電磁弁（８７Ａｂ）を後退して具備し、送水ポンプ兼磁気摩擦動力伝達装置（５５）により昇圧した水を高温水噴射電磁弁（８７Ａｂ）より拡径部に直接水噴射すると共に、高温水噴射電磁弁（８７Ａａ）から高温水を噴射し、夫々の気化爆発力により重力パワーを最大にするエネルギ保存サイクル機関。
【請求項４９７】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇させるＨ型エネルギ保存サイクル機関。
【請求項４９８】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇させるＤ型エネルギ保存サイクル機関。
【請求項４９９】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇させるＥ型エネルギ保存サイクル機関。
【請求項５００】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇させるエネルギ保存サイクル機関。
【請求項５０１】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇させるＨ型エネルギ保存サイクル機関。
【請求項５０２】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇させるＤ型エネルギ保存サイクル機関。
【請求項５０３】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇させるＥ型エネルギ保存サイクル機関。
【請求項５０４】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇させるエネルギ保存サイクル機関。
【請求項５０５】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼圧力を上昇させるＨ型エネルギ保存サイクル機関。
【請求項５０６】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼圧力を上昇させるＤ型エネルギ保存サイクル機関。
【請求項５０７】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼圧力を上昇させるＥ型エネルギ保存サイクル機関。
【請求項５０８】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼圧力を上昇させるエネルギ保存サイクル機関。
【請求項５０９】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼圧力を上昇させるＨ型エネルギ保存サイクル機関。
【請求項５１０】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼圧力を上昇させるＤ型エネルギ保存サイクル機関。
【請求項５１１】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼圧力を上昇させるＥ型エネルギ保存サイクル機関。
【請求項５１２】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼圧力を上昇させるエネルギ保存サイクル機関。
【請求項５１３】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼温度を低下させるＨ型エネルギ保存サイクル機関。
【請求項５１４】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼温度を低下させるＤ型エネルギ保存サイクル機関。
【請求項５１５】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼温度を低下させるＥ型エネルギ保存サイクル機関。
【請求項５１６】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼温度を低下させるエネルギ保存サイクル機関。
【請求項５１７】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼温度を低下させるＨ型エネルギ保存サイクル機関。
【請求項５１８】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼温度を低下させるＤ型エネルギ保存サイクル機関。
【請求項５１９】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼温度を低下させるＥ型エネルギ保存サイクル機関。
【請求項５２０】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼温度を低下させるエネルギ保存サイクル機関。
【請求項５２１】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼温度を低下させるＨ型エネルギ保存サイクル機関。
【請求項５２２】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼温度を低下させるＤ型エネルギ保存サイクル機関。
【請求項５２３】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼温度を低下させるＥ型エネルギ保存サイクル機関。
【請求項５２４】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼温度を低下させるエネルギ保存サイクル機関。
【請求項５２５】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼温度を低下させるＨ型エネルギ保存サイクル機関。
【請求項５２６】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼温度を低下させるＤ型エネルギ保存サイクル機関。
【請求項５２７】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼温度を低下させるＥ型エネルギ保存サイクル機関。
【請求項５２８】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼温度を低下させるエネルギ保存サイクル機関。
【請求項５２９】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼温度を低下させ燃焼ガスを高温水で噴射するＨ型エネルギ保存サイクル機関。
【請求項５３０】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼温度を低下させ燃焼ガスを高温水で噴射するＤ型エネルギ保存サイクル機関。
【請求項５３１】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼温度を低下させ燃焼ガスを高温水で噴射するＥ型エネルギ保存サイクル機関。
【請求項５３２】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼温度を低下させ燃焼ガスを高温水で噴射するエネルギ保存サイクル機関。
【請求項５３３】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼温度を低下させ燃焼ガスを高温水で噴射するＨ型エネルギ保存サイクル機関。
【請求項５３４】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼温度を低下させ燃焼ガスを高温水で噴射するＤ型エネルギ保存サイクル機関。
【請求項５３５】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼温度を低下させ燃焼ガスを高温水で噴射するＥ型エネルギ保存サイクル機関。
【請求項５３６】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼温度を低下させ燃焼ガスを高温水で噴射するエネルギ保存サイクル機関。
【請求項５３７】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼温度を低下させ燃焼ガスを高温水で噴射するＨ型エネルギ保存サイクル機関。
【請求項５３８】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼温度を低下させ燃焼ガスを高温水で噴射するＤ型エネルギ保存サイクル機関。
【請求項５３９】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼温度を低下させ燃焼ガスを高温水で噴射するＥ型エネルギ保存サイクル機関。
【請求項５４０】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼温度を低下させ燃焼ガスを高温水で噴射するエネルギ保存サイクル機関。
【請求項５４１】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼温度を低下させ燃焼ガスを高温水で噴射するＨ型エネルギ保存サイクル機関。
【請求項５４２】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼温度を低下させ燃焼ガスを高温水で噴射するＤ型エネルギ保存サイクル機関。
【請求項５４３】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼温度を低下させ燃焼ガスを高温水で噴射するＥ型エネルギ保存サイクル機関。
【請求項５４４】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼温度を低下させ燃焼ガスを高温水で噴射するエネルギ保存サイクル機関。
【請求項５４５】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼温度を低下させ燃焼ガスを高温水で噴射して断熱膨張低温燃焼ガスを核に水分を凝集するＨ型エネルギ保存サイクル機関。
【請求項５４６】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼温度を低下させ燃焼ガスを高温水で噴射して断熱膨張低温燃焼ガスを核に水分を凝集するＤ型エネルギ保存サイクル機関。
【請求項５４７】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼温度を低下させ燃焼ガスを高温水で噴射して断熱膨張低温燃焼ガスを核に水分を凝集するＥ型エネルギ保存サイクル機関。
【請求項５４８】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼温度を低下させ燃焼ガスを高温水で噴射して断熱膨張低温燃焼ガスを核に水分を凝集するエネルギ保存サイクル機関。
【請求項５４９】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼温度を低下させ燃焼ガスを高温水で噴射して断熱膨張低温燃焼ガスを核に水分を凝集するＨ型エネルギ保存サイクル機関。
【請求項５５０】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼温度を低下させ燃焼ガスを高温水で噴射して断熱膨張低温燃焼ガスを核に水分を凝集するＤ型エネルギ保存サイクル機関。
【請求項５５１】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼温度を低下させ燃焼ガスを高温水で噴射して断熱膨張低温燃焼ガスを核に水分を凝集するＥ型エネルギ保存サイクル機関。
【請求項５５２】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼温度を低下させ燃焼ガスを高温水で噴射して断熱膨張低温燃焼ガスを核に水分を凝集するエネルギ保存サイクル機関。
【請求項５５３】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼温度を低下させ燃焼ガスを高温水で噴射して断熱膨張低温燃焼ガスを核に水分を凝集するＨ型エネルギ保存サイクル機関。
【請求項５５４】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼温度を低下させ燃焼ガスを高温水で噴射して断熱膨張低温燃焼ガスを核に水分を凝集するＤ型エネルギ保存サイクル機関。
【請求項５５５】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼温度を低下させ燃焼ガスを高温水で噴射して断熱膨張低温燃焼ガスを核に水分を凝集するＥ型エネルギ保存サイクル機関。
【請求項５５６】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼温度を低下させ燃焼ガスを高温水で噴射して断熱膨張低温燃焼ガスを核に水分を凝集するエネルギ保存サイクル機関。
【請求項５５７】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼温度を低下させ燃焼ガスを高温水で噴射して断熱膨張低温燃焼ガスを核に水分を凝集するＨ型エネルギ保存サイクル機関。
【請求項５５８】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼温度を低下させ燃焼ガスを高温水で噴射して断熱膨張低温燃焼ガスを核に水分を凝集するＤ型エネルギ保存サイクル機関。
【請求項５５９】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼温度を低下させ燃焼ガスを高温水で噴射して断熱膨張低温燃焼ガスを核に水分を凝集するＥ型エネルギ保存サイクル機関。
【請求項５６０】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼温度を低下させ燃焼ガスを高温水で噴射して断熱膨張低温燃焼ガスを核に水分を凝集するエネルギ保存サイクル機関。
【請求項５６１】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼温度を低下させ燃焼ガスを高温水で噴射して断熱膨張低温燃焼ガスを核に水分を凝集し、ＣＯ２排気を０に近付けるＨ型エネルギ保存サイクル機関。
【請求項５６２】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼温度を低下させ燃焼ガスを高温水で噴射して断熱膨張低温燃焼ガスを核に水分を凝集し、ＣＯ２排気を０に近付けるＤ型エネルギ保存サイクル機関。
【請求項５６３】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼温度を低下させ燃焼ガスを高温水で噴射して断熱膨張低温燃焼ガスを核に水分を凝集し、ＣＯ２排気を０に近付けるＥ型エネルギ保存サイクル機関。
【請求項５６４】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼温度を低下させ燃焼ガスを高温水で噴射して断熱膨張低温燃焼ガスを核に水分を凝集し、ＣＯ２排気を０に近付けるエネルギ保存サイクル機関。
【請求項５６５】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼温度を低下させ燃焼ガスを高温水で噴射して断熱膨張低温燃焼ガスを核に水分を凝集し、ＣＯ２排気を０に近付けるＨ型エネルギ保存サイクル機関。
【請求項５６６】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼温度を低下させ燃焼ガスを高温水で噴射して断熱膨張低温燃焼ガスを核に水分を凝集し、ＣＯ２排気を０に近付けるＤ型エネルギ保存サイクル機関。
【請求項５６７】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼温度を低下させ燃焼ガスを高温水で噴射して断熱膨張低温燃焼ガスを核に水分を凝集し、ＣＯ２排気を０に近付けるＥ型エネルギ保存サイクル機関。
【請求項５６８】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼温度を低下させ燃焼ガスを高温水で噴射して断熱膨張低温燃焼ガスを核に水分を凝集し、ＣＯ２排気を０に近付けるエネルギ保存サイクル機関。
【請求項５６９】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼温度を低下させ燃焼ガスを高温水で噴射して断熱膨張低温燃焼ガスを核に水分を凝集し、ＣＯ２排気を０に近付けるＨ型エネルギ保存サイクル機関。
【請求項５７０】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼温度を低下させ燃焼ガスを高温水で噴射して断熱膨張低温燃焼ガスを核に水分を凝集し、ＣＯ２排気を０に近付けるＤ型エネルギ保存サイクル機関。
【請求項５７１】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼温度を低下させ燃焼ガスを高温水で噴射して断熱膨張低温燃焼ガスを核に水分を凝集し、ＣＯ２排気を０に近付けるＥ型エネルギ保存サイクル機関。
【請求項５７２】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼温度を低下させ燃焼ガスを高温水で噴射して断熱膨張低温燃焼ガスを核に水分を凝集し、ＣＯ２排気を０に近付けるエネルギ保存サイクル機関。
【請求項５７３】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼温度を低下させ燃焼ガスを高温水で噴射して断熱膨張低温燃焼ガスを核に水分を凝集し、ＣＯ２排気を０に近付けるＨ型エネルギ保存サイクル機関。
【請求項５７４】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼温度を低下させ燃焼ガスを高温水で噴射して断熱膨張低温燃焼ガスを核に水分を凝集し、ＣＯ２排気を０に近付けるＤ型エネルギ保存サイクル機関。
【請求項５７５】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼温度を低下させ燃焼ガスを高温水で噴射して断熱膨張低温燃焼ガスを核に水分を凝集し、ＣＯ２排気を０に近付けるＥ型エネルギ保存サイクル機関。
【請求項５７６】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼温度を低下させ燃焼ガスを高温水で噴射して断熱膨張低温燃焼ガスを核に水分を凝集し、ＣＯ２排気を０に近付けるエネルギ保存サイクル機関。
【請求項５７７】
電磁弁装着部（９３ａ）に高温水噴射電磁弁（８７Ａｂ）を後退して具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇させるＨ型エネルギ保存サイクル機関。
【請求項５７８】
電磁弁装着部（９３ａ）に高温水噴射電磁弁（８７Ａｂ）を後退して具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇させるＤ型エネルギ保存サイクル機関。
【請求項５７９】
電磁弁装着部（９３ａ）に高温水噴射電磁弁（８７Ａｂ）を後退して具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇させるＥ型エネルギ保存サイクル機関。
【請求項５８０】
電磁弁装着部（９３ａ）に高温水噴射電磁弁（８７Ａｂ）を後退して具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇させるエネルギ保存サイクル機関。
【請求項５８１】
電磁弁装着部（９３ａ）に高温水噴射電磁弁（８７Ａｂ）を後退して具備し、適宜に昇圧した水を加熱高温として、縮径主燃焼室（１）に高温水噴射電磁弁（８７Ａａ）より高温水噴射燃焼圧力を上昇させるＨ型エネルギ保存サイクル機関。
【請求項５８２】
電磁弁装着部（９３ａ）に高温水噴射電磁弁（８７Ａｂ）を後退して具備し、適宜に昇圧した水を加熱高温として、縮径主燃焼室（１）に高温水噴射電磁弁（８７Ａａ）より高温水噴射燃焼圧力を上昇させるＤ型エネルギ保存サイクル機関。
【請求項５８３】
電磁弁装着部（９３ａ）に高温水噴射電磁弁（８７Ａｂ）を後退して具備し、適宜に昇圧した水を加熱高温として、縮径主燃焼室（１）に高温水噴射電磁弁（８７Ａａ）より高温水噴射燃焼圧力を上昇させるＥ型エネルギ保存サイクル機関。
【請求項５８４】
電磁弁装着部（９３ａ）に高温水噴射電磁弁（８７Ａｂ）を後退して具備し、適宜に昇圧した水を加熱高温として、縮径主燃焼室（１）に高温水噴射電磁弁（８７Ａａ）より高温水噴射燃焼圧力を上昇させるエネルギ保存サイクル機関。
【請求項５８５】
電磁弁装着部（９３ａ）に高温水噴射電磁弁（８７Ａｂ）を後退して具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼圧力を上昇させるＨ型エネルギ保存サイクル機関。
【請求項５８６】
電磁弁装着部（９３ａ）に高温水噴射電磁弁（８７Ａｂ）を後退して具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼圧力を上昇させるＤ型エネルギ保存サイクル機関。
【請求項５８７】
電磁弁装着部（９３ａ）に高温水噴射電磁弁（８７Ａｂ）を後退して具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼圧力を上昇させるＥ型エ
ネルギ保存サイクル機関。
【請求項５８８】
電磁弁装着部（９３ａ）に高温水噴射電磁弁（８７Ａｂ）を後退して具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼圧力を上昇させるエネルギ保存サイクル機関。
【請求項５８９】
電磁弁装着部（９３ａ）に高温水噴射電磁弁（８７Ａｂ）を後退して具備し、適宜に昇圧した水を加熱高温として、縮径主燃焼室（１）に高温水噴射電磁弁（８７Ａａ）より高温水噴射し、夫々の気化爆発力により重力パワーを最大にし、燃焼圧力を上昇させるＨ型エネルギ保存サイクル機関。
【請求項５９０】
電磁弁装着部（９３ａ）に高温水噴射電磁弁（８７Ａｂ）を後退して具備し、適宜に昇圧した水を加熱高温として、縮径主燃焼室（１）に高温水噴射電磁弁（８７Ａａ）より高温水噴射し、夫々の気化爆発力により重力パワーを最大にし、燃焼圧力を上昇させるＤ型エネルギ保存サイクル機関。
【請求項５９１】
電磁弁装着部（９３ａ）に高温水噴射電磁弁（８７Ａｂ）を後退して具備し、適宜に昇圧した水を加熱高温として、縮径主燃焼室（１）に高温水噴射電磁弁（８７Ａａ）より高温水噴射し、夫々の気化爆発力により重力パワーを最大にし、燃焼圧力を上昇させるＥ型エネルギ保存サイクル機関。
【請求項５９２】
電磁弁装着部（９３ａ）に高温水噴射電磁弁（８７Ａｂ）を後退して具備し、適宜に昇圧した水を加熱高温として、縮径主燃焼室（１）に高温水噴射電磁弁（８７Ａａ）より高温水噴射し、夫々の気化爆発力により重力パワーを最大にし、燃焼圧力を上昇させるエネルギ保存サイクル機関。
【請求項５９３】
電磁弁装着部（９３ａ）に高温水噴射電磁弁（８７Ａｂ）を後退して具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼温度を低下させるＨ型エネルギ保存サイクル機関。
【請求項５９４】
電磁弁装着部（９３ａ）に高温水噴射電磁弁（８７Ａｂ）を後退して具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼温度を低下させるＤ型エネルギ保存サイクル機関。
【請求項５９５】
電磁弁装着部（９３ａ）に高温水噴射電磁弁（８７Ａｂ）を後退して具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼温度を低下させるＥ型エネルギ保存サイクル機関。
【請求項５９６】
電磁弁装着部（９３ａ）に高温水噴射電磁弁（８７Ａｂ）を後退して具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼温度を低下させるエネルギ保存サイクル機関。
【請求項５９７】
電磁弁装着部（９３ａ）に高温水噴射電磁弁（８７Ａｂ）を後退して具備し、適宜に昇圧した水を加熱高温として、縮径主燃焼室（１）に高温水噴射電磁弁（８７Ａａ）より高温水噴射燃焼温度を低下させるＨ型エネルギ保存サイクル機関。
【請求項５９８】
電磁弁装着部（９３ａ）に高温水噴射電磁弁（８７Ａｂ）を後退して具備し、適宜に昇圧した水を加熱高温として、縮径主燃焼室（１）に高温水噴射電磁弁（８７Ａａ）より高温水噴射燃焼温度を低下させるＤ型エネルギ保存サイクル機関。
【請求項５９９】
電磁弁装着部（９３ａ）に高温水噴射電磁弁（８７Ａｂ）を後退して具備し、適宜に昇圧した水を加熱高温として、縮径主燃焼室（１）に高温水噴射電磁弁（８７Ａａ）より高温水噴射燃焼温度を低下させるＥ型エネルギ保存サイクル機関。
【請求項６００】
電磁弁装着部（９３ａ）に高温水噴射電磁弁（８７Ａｂ）を後退して具備し、適宜に昇圧した水を加熱高温として、縮径主燃焼室（１）に高温水噴射電磁弁（８７Ａａ）より高温水噴射燃焼温度を低下させるエネルギ保存サイクル機関。
【請求項６０１】
電磁弁装着部（９３ａ）に高温水噴射電磁弁（８７Ａｂ）を後退して具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼温度を低下させるＨ型エネルギ保存サイクル機関。
【請求項６０２】
電磁弁装着部（９３ａ）に高温水噴射電磁弁（８７Ａｂ）を後退して具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼温度を低下させるＤ型エネルギ保存サイクル機関。
【請求項６０３】
電磁弁装着部（９３ａ）に高温水噴射電磁弁（８７Ａｂ）を後退して具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼温度を低下させるＥ型エネルギ保存サイクル機関。
【請求項６０４】
電磁弁装着部（９３ａ）に高温水噴射電磁弁（８７Ａｂ）を後退して具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼温度を低下させるエネルギ保存サイクル機関。
【請求項６０５】
電磁弁装着部（９３ａ）に高温水噴射電磁弁（８７Ａｂ）を後退して具備し、適宜に昇圧した水を加熱高温として、縮径主燃焼室（１）に高温水噴射電磁弁（８７Ａａ）より高温水噴射し、夫々の気化爆発力により重力パワーを最大にし、燃焼温度を低下させるＨ型エネルギ保存サイクル機関。
【請求項６０６】
電磁弁装着部（９３ａ）に高温水噴射電磁弁（８７Ａｂ）を後退して具備し、適宜に昇圧した水を加熱高温として、縮径主燃焼室（１）に高温水噴射電磁弁（８７Ａａ）より高温水噴射し、夫々の気化爆発力により重力パワーを最大にし、燃焼温度を低下させるＤ型エネルギ保存サイクル機関。
【請求項６０７】
電磁弁装着部（９３ａ）に高温水噴射電磁弁（８７Ａｂ）を後退して具備し、適宜に昇圧した水を加熱高温として、縮径主燃焼室（１）に高温水噴射電磁弁（８７Ａａ）より高温水噴射し、夫々の気化爆発力により重力パワーを最大にし、燃焼温度を低下させるＥ型エネルギ保存サイクル機関。
【請求項６０８】
電磁弁装着部（９３ａ）に高温水噴射電磁弁（８７Ａｂ）を後退して具備し、適宜に昇圧した水を加熱高温として、縮径主燃焼室（１）に高温水噴射電磁弁（８７Ａａ）より高温水噴射し、夫々の気化爆発力により重力パワーを最大にし、燃焼温度を低下させるエネルギ保存サイクル機関。
【請求項６０９】
電磁弁装着部（９３ａ）に高温水噴射電磁弁（８７Ａｂ）を後退して具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼温度を低下させ燃焼ガスを高温水で噴射するＨ型エネルギ保存サイクル機関。
【請求項６１０】
電磁弁装着部（９３ａ）に高温水噴射電磁弁（８７Ａｂ）を後退して具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼温度を低下させ燃焼ガスを高温水で噴射するＤ型エネルギ保存サイクル機関。
【請求項６１１】
電磁弁装着部（９３ａ）に高温水噴射電磁弁（８７Ａｂ）を後退して具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼温度を低下させ燃焼ガスを高温水で噴射するＥ型エネルギ保存サイクル機関。
【請求項６１２】
電磁弁装着部（９３ａ）に高温水噴射電磁弁（８７Ａｂ）を後退して具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼温度を低下させ燃焼ガスを高温水で噴射するエネルギ保存サイクル機関。
【請求項６１３】
電磁弁装着部（９３ａ）に高温水噴射電磁弁（８７Ａｂ）を後退して具備し、適宜に昇圧した水を加熱高温として、縮径主燃焼室（１）に高温水噴射電磁弁（８７Ａａ）より高温水噴射燃焼温度を低下させ燃焼ガスを高温水で噴射するＨ型エネルギ保存サイクル機関。
【請求項６１４】
電磁弁装着部（９３ａ）に高温水噴射電磁弁（８７Ａｂ）を後退して具備し、適宜に昇圧した水を加熱高温として、縮径主燃焼室（１）に高温水噴射電磁弁（８７Ａａ）より高温水噴射燃焼温度を低下させ燃焼ガスを高温水で噴射するＤ型エネルギ保存サイクル機関。
【請求項６１５】
電磁弁装着部（９３ａ）に高温水噴射電磁弁（８７Ａｂ）を後退して具備し、適宜に昇圧した水を加熱高温として、縮径主燃焼室（１）に高温水噴射電磁弁（８７Ａａ）より高温水噴射燃焼温度を低下させ燃焼ガスを高温水で噴射するＥ型エネルギ保存サイクル機関。
【請求項６１６】
電磁弁装着部（９３ａ）に高温水噴射電磁弁（８７Ａｂ）を後退して具備し、適宜に昇圧した水を加熱高温として、縮径主燃焼室（１）に高温水噴射電磁弁（８７Ａａ）より高温水噴射燃焼温度を低下させ燃焼ガスを高温水で噴射するエネルギ保存サイクル機関。
【請求項６１７】
電磁弁装着部（９３ａ）に高温水噴射電磁弁（８７Ａｂ）を後退して具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼温度を低下させ燃焼ガスを高温水で噴射するＨ型エネルギ保存サイクル機関。
【請求項６１８】
電磁弁装着部（９３ａ）に高温水噴射電磁弁（８７Ａｂ）を後退して具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼温度を低下させ燃焼ガスを高温水で噴射するＤ型エネルギ保存サイクル機関。
【請求項６１９】
電磁弁装着部（９３ａ）に高温水噴射電磁弁（８７Ａｂ）を後退して具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼温度を低下させ燃焼ガスを高温水で噴射するＥ型エネルギ保存サイクル機関。
【請求項６２０】
電磁弁装着部（９３ａ）に高温水噴射電磁弁（８７Ａｂ）を後退して具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼温度を低下させ燃焼ガスを高温水で噴射するエネルギ保存サイクル機関。
【請求項６２１】
電磁弁装着部（９３ａ）に高温水噴射電磁弁（８７Ａｂ）を後退して具備し、適宜に昇圧した水を加熱高温として、縮径主燃焼室（１）に高温水噴射電磁弁（８７Ａａ）より高温水噴射し、夫々の気化爆発力により重力パワーを最大にし、燃焼温度を低下させ燃焼ガスを高温水で噴射するＨ型エネルギ保存サイクル機関。
【請求項６２２】
電磁弁装着部（９３ａ）に高温水噴射電磁弁（８７Ａｂ）を後退して具備し、適宜に昇圧した水を加熱高温として、縮径主燃焼室（１）に高温水噴射電磁弁（８７Ａａ）より高温水噴射し、夫々の気化爆発力により重力パワーを最大にし、燃焼温度を低下させ燃焼ガスを高温水で噴射するＤ型エネルギ保存サイクル機関。
【請求項６２３】
電磁弁装着部（９３ａ）に高温水噴射電磁弁（８７Ａｂ）を後退して具備し、適宜に昇圧した水を加熱高温として、縮径主燃焼室（１）に高温水噴射電磁弁（８７Ａａ）より高温水噴射し、夫々の気化爆発力により重力パワーを最大にし、燃焼温度を低下させ燃焼ガスを高温水で噴射するＥ型エネルギ保存サイクル機関。
【請求項６２４】
電磁弁装着部（９３ａ）に高温水噴射電磁弁（８７Ａｂ）を後退して具備し、適宜に昇圧した水を加熱高温として、縮径主燃焼室（１）に高温水噴射電磁弁（８７Ａａ）より高温水噴射し、夫々の気化爆発力により重力パワーを最大にし、燃焼温度を低下させ燃焼ガスを高温水で噴射するエネルギ保存サイクル機関。
【請求項６２５】
電磁弁装着部（９３ａ）に高温水噴射電磁弁（８７Ａｂ）を後退して具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼温度を低下させ燃焼ガスを高温水で噴射して断熱膨張低温燃焼ガスを核に水分を凝集するＨ型エネルギ保存サイクル機関。
【請求項６２６】
電磁弁装着部（９３ａ）に高温水噴射電磁弁（８７Ａｂ）を後退して具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼温度を低下させ燃焼ガスを高温水で噴射して断熱膨張低温燃焼ガスを核に水分を凝集するＤ型エネルギ保存サイクル機関。
【請求項６２７】
電磁弁装着部（９３ａ）に高温水噴射電磁弁（８７Ａｂ）を後退して具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼温度を低下させ燃焼ガスを高温水で噴射して断熱膨張低温燃焼ガスを核に水分を凝集するＥ型エネルギ保存サイクル機関。
【請求項６２８】
電磁弁装着部（９３ａ）に高温水噴射電磁弁（８７Ａｂ）を後退して具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼温度を低下させ燃焼ガスを高温水で噴射して断熱膨張低温燃焼ガスを核に水分を凝集するエネルギ保存サイクル機関。
【請求項６２９】
電磁弁装着部（９３ａ）に高温水噴射電磁弁（８７Ａｂ）を後退して具備し、適宜に昇圧した水を加熱高温として、縮径主燃焼室（１）に高温水噴射電磁弁（８７Ａａ）より高温水噴射燃焼温度を低下させ燃焼ガスを高温水で噴射して断熱膨張低温燃焼ガスを核に水分を凝集するＨ型エネルギ保存サイクル機関。
【請求項６３０】
電磁弁装着部（９３ａ）に高温水噴射電磁弁（８７Ａｂ）を後退して具備し、適宜に昇圧した水を加熱高温として、縮径主燃焼室（１）に高温水噴射電磁弁（８７Ａａ）より高温水噴射燃焼温度を低下させ燃焼ガスを高温水で噴射して断熱膨張低温燃焼ガスを核に水分を凝集するＤ型エネルギ保存サイクル機関。
【請求項６３１】
電磁弁装着部（９３ａ）に高温水噴射電磁弁（８７Ａｂ）を後退して具備し、適宜に昇圧した水を加熱高温として、縮径主燃焼室（１）に高温水噴射電磁弁（８７Ａａ）より高温水噴射燃焼温度を低下させ燃焼ガスを高温水で噴射して断熱膨張低温燃焼ガスを核に水分を凝集するＥ型エネルギ保存サイクル機関。
【請求項６３２】
電磁弁装着部（９３ａ）に高温水噴射電磁弁（８７Ａｂ）を後退して具備し、適宜に昇圧した水を加熱高温として、縮径主燃焼室（１）に高温水噴射電磁弁（８７Ａａ）より高温水噴射燃焼温度を低下させ燃焼ガスを高温水で噴射して断熱膨張低温燃焼ガスを核に水分を凝集するエネルギ保存サイクル機関。
【請求項６３３】
電磁弁装着部（９３ａ）に高温水噴射電磁弁（８７Ａｂ）を後退して具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼温度を低下させ燃焼ガスを高温水で噴射して断熱膨張低温燃焼ガスを核に水分を凝集するＨ型エネルギ保存サイクル機関。
【請求項６３４】
電磁弁装着部（９３ａ）に高温水噴射電磁弁（８７Ａｂ）を後退して具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼温度を低下させ燃焼ガスを高温水で噴射して断熱膨張低温燃焼ガスを核に水分を凝集するＤ型エネルギ保存サイクル機関。
【請求項６３５】
電磁弁装着部（９３ａ）に高温水噴射電磁弁（８７Ａｂ）を後退して具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼温度を低下させ燃焼ガスを高温水で噴射して断熱膨張低温燃焼ガスを核に水分を凝集するＥ型エネルギ保存サイクル機関。
【請求項６３６】
電磁弁装着部（９３ａ）に高温水噴射電磁弁（８７Ａｂ）を後退して具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼温度を低下させ燃焼ガスを高温水で噴射して断熱膨張低温燃焼ガスを核に水分を凝集するエネルギ保存サイクル機関。
【請求項６３７】
電磁弁装着部（９３ａ）に高温水噴射電磁弁（８７Ａｂ）を後退して具備し、適宜に昇圧した水を加熱高温として、縮径主燃焼室（１）に高温水噴射電磁弁（８７Ａａ）より高温水噴射し、夫々の気化爆発力により重力パワーを最大にし、燃焼温度を低下させ燃焼ガスを高温水で噴射して断熱膨張低温燃焼ガスを核に水分を凝集するＨ型エネルギ保存サイクル機関。
【請求項６３８】
電磁弁装着部（９３ａ）に高温水噴射電磁弁（８７Ａｂ）を後退して具備し、適宜に昇圧した水を加熱高温として、縮径主燃焼室（１）に高温水噴射電磁弁（８７Ａａ）より高温水噴射し、夫々の気化爆発力により重力パワーを最大にし、燃焼温度を低下させ燃焼ガスを高温水で噴射して断熱膨張低温燃焼ガスを核に水分を凝集するＤ型エネルギ保存サイクル機関。
【請求項６３９】
電磁弁装着部（９３ａ）に高温水噴射電磁弁（８７Ａｂ）を後退して具備し、適宜に昇圧した水を加熱高温として、縮径主燃焼室（１）に高温水噴射電磁弁（８７Ａａ）より高温水噴射し、夫々の気化爆発力により重力パワーを最大にし、燃焼温度を低下させ燃焼ガスを高温水で噴射して断熱膨張低温燃焼ガスを核に水分を凝集するＥ型エネルギ保存サイクル機関。
【請求項６４０】
電磁弁装着部（９３ａ）に高温水噴射電磁弁（８７Ａｂ）を後退して具備し、適宜に昇圧した水を加熱高温として、縮径主燃焼室（１）に高温水噴射電磁弁（８７Ａａ）より高温水噴射し、夫々の気化爆発力により重力パワーを最大にし、燃焼温度を低下させ燃焼ガスを高温水で噴射して断熱膨張低温燃焼ガスを核に水分を凝集するエネルギ保存サイクル機関。
【請求項６４１】
電磁弁装着部（９３ａ）に高温水噴射電磁弁（８７Ａｂ）を後退して具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼温度を低下させ燃焼ガスを高温水で噴射して断熱膨張低温燃焼ガスを核に水分を凝集し、ＣＯ２排気を０に近付けるＨ型エネルギ保存サイクル機関。
【請求項６４２】
電磁弁装着部（９３ａ）に高温水噴射電磁弁（８７Ａｂ）を後退して具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼温度を低下させ燃焼ガスを高温水で噴射して断熱膨張低温燃焼ガスを核に水分を凝集し、ＣＯ２排気を０に近付けるＤ型エネルギ保存サイクル機関。
【請求項６４３】
電磁弁装着部（９３ａ）に高温水噴射電磁弁（８７Ａｂ）を後退して具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼温度を低下させ燃焼ガスを高温水で噴射して断熱膨張低温燃焼ガスを核に水分を凝集し、ＣＯ２排気を０に近付けるＥ型エネルギ保存サイクル機関。
【請求項６４４】
電磁弁装着部（９３ａ）に高温水噴射電磁弁（８７Ａｂ）を後退して具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼温度を低下させ燃焼ガスを高温水で噴射して断熱膨張低温燃焼ガスを核に水分を凝集し、ＣＯ２排気を０に近付けるエネルギ保存サイクル機関。
【請求項６４５】
電磁弁装着部（９３ａ）に高温水噴射電磁弁（８７Ａｂ）を後退して具備し、適宜に昇圧した水を加熱高温として、縮径主燃焼室（１）に高温水噴射電磁弁（８７Ａａ）より高温水噴射燃焼温度を低下させ燃焼ガスを高温水で噴射して断熱膨張低温燃焼ガスを核に水分を凝集し、ＣＯ２排気を０に近付けるＨ型エネルギ保存サイクル機関。
【請求項６４６】
電磁弁装着部（９３ａ）に高温水噴射電磁弁（８７Ａｂ）を後退して具備し、適宜に昇圧した水を加熱高温として、縮径主燃焼室（１）に高温水噴射電磁弁（８７Ａａ）より高温水噴射燃焼温度を低下させ燃焼ガスを高温水で噴射して断熱膨張低温燃焼ガスを核に水分を凝集し、ＣＯ２排気を０に近付けるＤ型エネルギ保存サイクル機関。
【請求項６４７】
電磁弁装着部（９３ａ）に高温水噴射電磁弁（８７Ａｂ）を後退して具備し、適宜に昇圧した水を加熱高温として、縮径主燃焼室（１）に高温水噴射電磁弁（８７Ａａ）より高温水噴射燃焼温度を低下させ燃焼ガスを高温水で噴射して断熱膨張低温燃焼ガスを核に水分を凝集し、ＣＯ２排気を０に近付けるＥ型エネルギ保存サイクル機関。
【請求項６４８】
電磁弁装着部（９３ａ）に高温水噴射電磁弁（８７Ａｂ）を後退して具備し、適宜に昇圧した水を加熱高温として、縮径主燃焼室（１）に高温水噴射電磁弁（８７Ａａ）より高温水噴射燃焼温度を低下させ燃焼ガスを高温水で噴射して断熱膨張低温燃焼ガスを核に水分を凝集し、ＣＯ２排気を０に近付けるエネルギ保存サイクル機関。
【請求項６４９】
電磁弁装着部（９３ａ）に高温水噴射電磁弁（８７Ａｂ）を後退して具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼温度を低下させ燃焼ガスを高温水で噴射して断熱膨張低温燃焼ガスを核に水分を凝集し、ＣＯ２排気を０に近付けるＨ型エネルギ保存サイクル機関。
【請求項６５０】
電磁弁装着部（９３ａ）に高温水噴射電磁弁（８７Ａｂ）を後退して具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼温度を低下させ燃焼ガスを高温水で噴射して断熱膨張低温燃焼ガスを核に水分を凝集し、ＣＯ２排気を０に近付けるＤ型エネルギ保存サイクル機関。
【請求項６５１】
電磁弁装着部（９３ａ）に高温水噴射電磁弁（８７Ａｂ）を後退して具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼温度を低下させ燃焼ガスを高温水で噴射して断熱膨張低温燃焼ガスを核に水分を凝集し、ＣＯ２排気を０に近付けるＥ型エネルギ保存サイクル機関。
【請求項６５２】
電磁弁装着部（９３ａ）に高温水噴射電磁弁（８７Ａｂ）を後退して具備し、送水ポンプ兼磁気摩擦動力伝達装置（５５）により昇圧した水を加熱高温として、縮径主燃焼室（１）に高温水噴射電磁弁（８７Ａａ）より高温水噴射し、夫々の気化爆発力により重力パワーを最大にし、燃焼温度を低下させ燃焼ガスを高温水で噴射して断熱膨張低温燃焼ガスを核に水分を凝集し、ＣＯ２排気を０に近付けるエネルギ保存サイクル機関。
【請求項６５３】
電磁弁装着部（９３ａ）に高温水噴射電磁弁（８７Ａｂ）を後退して具備し、適宜に昇圧した水を加熱高温として、縮径主燃焼室（１）に高温水噴射電磁弁（８７Ａａ）より高温水噴射し、夫々の気化爆発力により重力パワーを最大にし、燃焼温度を低下させ燃焼ガスを高温水で噴射して断熱膨張低温燃焼ガスを核に水分を凝集し、ＣＯ２排気を０に近付けるＨ型エネルギ保存サイクル機関。
【請求項６５４】
電磁弁装着部（９３ａ）に高温水噴射電磁弁（８７Ａｂ）を後退して具備し、適宜に昇圧した水を加熱高温として、縮径主燃焼室（１）に高温水噴射電磁弁（８７Ａａ）より高温水噴射し、夫々の気化爆発力により重力パワーを最大にし、燃焼温度を低下させ燃焼ガスを高温水で噴射して断熱膨張低温燃焼ガスを核に水分を凝集し、ＣＯ２排気を０に近付けるＤ型エネルギ保存サイクル機関。
【請求項６５５】
電磁弁装着部（９３ａ）に高温水噴射電磁弁（８７Ａｂ）を後退して具備し、適宜に昇圧した水を加熱高温として、縮径主燃焼室（１）に高温水噴射電磁弁（８７Ａａ）より高温水噴射し、夫々の気化爆発力により重力パワーを最大にし、燃焼温度を低下させ燃焼ガスを高温水で噴射して断熱膨張低温燃焼ガスを核に水分を凝集し、ＣＯ２排気を０に近付けるＥ型エネルギ保存サイクル機関。
【請求項６５６】
電磁弁装着部（９３ａ）に高温水噴射電磁弁（８７Ａｂ）を後退して具備し、適宜に昇圧した水を加熱高温として、縮径主燃焼室（１）に高温水噴射電磁弁（８７Ａａ）より高温水噴射し、夫々の気化爆発力により重力パワーを最大にし、燃焼温度を低下させ燃焼ガスを高温水で噴射して断熱膨張低温燃焼ガスを核に水分を凝集し、ＣＯ２排気を０に近付けるエネルギ保存サイクル機関。
【請求項６５７】
送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇させると共に、電磁加熱縮径ピストン（２２）の拡径部に高温水噴射電磁弁（８７Ａｂ）の嵌入用凹部（８６）を具備し、拡径部に直接高温水噴射するＨ型エネルギ保存サイクル機関。
【請求項６５８】
送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇させると共に、電磁加熱縮径ピストン（２２）の拡径部に高温水噴射電磁弁（８７Ａｂ）の嵌入用凹部（８６）を具備し、拡径部に直接高温水噴射するＤ型エネルギ保存サイクル機関。
【請求項６５９】
送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇させると共に、電磁加熱縮径ピストン（２２）の拡径部に高温水噴射電磁弁（８７Ａｂ）の嵌入用凹部（８６）を具備し、拡径部に直接高温水噴射するＥ型エネルギ保存サイクル機関。
【請求項６６０】
送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇させると共に、電磁加熱縮径ピストン（２２）の拡径部に高温水噴射電磁弁（８７Ａｂ）の嵌入用凹部（８６）を具備し、拡径部に直接高温水噴射するエネルギ保存サイクル機関。
【請求項６６１】
送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇させると共に、電磁加熱縮径ピストン（２２）の拡径部に高温水噴射電磁弁（８７Ａｂ）ノズルの嵌入用凹部（８６）を具備し、拡径部に直接高温水噴射するＨ型エネルギ保存サイクル機関。
【請求項６６２】
送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇させると共に、電磁加熱縮径ピストン（２２）の拡径部に高温水噴射電磁弁（８７Ａｂ）ノズルの嵌入用凹部（８６）を具備し、拡径部に直接高温水噴射するＤ型エネルギ保存サイクル機関。
【請求項６６３】
送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇させると共に、電磁加熱縮径ピストン（２２）の拡径部に高温水噴射電磁弁（８７Ａｂ）ノズルの嵌入用凹部（８６）を具備し、拡径部に直接高温水噴射するＥ型エネルギ保存サイクル機関。
【請求項６６４】
送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇させると共に、電磁加熱縮径ピストン（２２）の拡径部に高温水噴射電磁弁（８７Ａｂ）ノズルの嵌入用凹部（８６）を具備し、拡径部に直接高温水噴射するエネルギ保存サイクル機関。
【請求項６６５】
適宜に昇圧した水を加熱高温として、縮径主燃焼室（１）に高温水噴射電磁弁（８７Ａａ）より高温水噴射燃焼圧力を上昇させると共に、電磁加熱縮径ピストン（２２）の拡径部に高温水噴射電磁弁（８７Ａｂ）の嵌入用凹部（８６）を具備し、拡径部に直接高温水噴射するＨ型エネルギ保存サイクル機関。
【請求項６６６】
適宜に昇圧した水を加熱高温として、縮径主燃焼室（１）に高温水噴射電磁弁（８７Ａａ）より高温水噴射燃焼圧力を上昇させると共に、電磁加熱縮径ピストン（２２）の拡径部に高温水噴射電磁弁（８７Ａｂ）の嵌入用凹部（８６）を具備し、拡径部に直接高温水噴射するＤ型エネルギ保存サイクル機関。
【請求項６６７】
適宜に昇圧した水を加熱高温として、縮径主燃焼室（１）に高温水噴射電磁弁（８７Ａａ）より高温水噴射燃焼圧力を上昇させると共に、電磁加熱縮径ピストン（２２）の拡径部に高温水噴射電磁弁（８７Ａｂ）の嵌入用凹部（８６）を具備し、拡径部に直接高温水噴射するＥ型エネルギ保存サイクル機関。
【請求項６６８】
適宜に昇圧した水を加熱高温として、縮径主燃焼室（１）に高温水噴射電磁弁（８７Ａａ）より高温水噴射燃焼圧力を上昇させると共に、電磁加熱縮径ピストン（２２）の拡径部に高温水噴射電磁弁（８７Ａｂ）の嵌入用凹部（８６）を具備し、拡径部に直接高温水噴射するエネルギ保存サイクル機関。
【請求項６６９】
適宜に昇圧した水を加熱高温として、縮径主燃焼室（１）に高温水噴射電磁弁（８７Ａａ）より高温水噴射燃焼圧力を上昇させると共に、電磁加熱縮径ピストン（２２）の拡径部に高温水噴射電磁弁（８７Ａｂ）ノズルの嵌入用凹部（８６）を具備し、拡径部に直接高温水噴射するＨ型エネルギ保存サイクル機関。
【請求項６７０】
適宜に昇圧した水を加熱高温として、縮径主燃焼室（１）に高温水噴射電磁弁（８７Ａａ）より高温水噴射燃焼圧力を上昇させると共に、電磁加熱縮径ピストン（２２）の拡径部に高温水噴射電磁弁（８７Ａｂ）ノズルの嵌入用凹部（８６）を具備し、拡径部に直接高温水噴射するＤ型エネルギ保存サイクル機関。
【請求項６７１】
適宜に昇圧した水を加熱高温として、縮径主燃焼室（１）に高温水噴射電磁弁（８７Ａａ）より高温水噴射燃焼圧力を上昇させると共に、電磁加熱縮径ピストン（２２）の拡径部に高温水噴射電磁弁（８７Ａｂ）ノズルの嵌入用凹部（８６）を具備し、拡径部に直接高温水噴射するＥ型エネルギ保存サイクル機関。
【請求項６７２】
適宜に昇圧した水を加熱高温として、縮径主燃焼室（１）に高温水噴射電磁弁（８７Ａａ）より高温水噴射燃焼圧力を上昇させると共に、電磁加熱縮径ピストン（２２）の拡径部に高温水噴射電磁弁（８７Ａｂ）ノズルの嵌入用凹部（８６）を具備し、拡径部に直接高温水噴射するエネルギ保存サイクル機関。
【請求項６７３】
送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇させると共に、電磁加熱縮径ピストン（２２）の拡径部に高温水噴射電磁弁（８７Ａｂ）の嵌入用凹部（８６）を具備し、嵌入用凹部に嵌合自在に設けた高温水噴射電磁弁（８７Ａｂ）より拡径部に直接高温水噴射するＨ型エネルギ保存サイクル機関。
【請求項６７４】
送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇させると共に、電磁加熱縮径ピストン（２２）の拡径部に高温水噴射電磁弁（８７Ａｂ）の嵌入用凹部（８６）を具備し、嵌入用凹部に嵌合自在に設けた高温水噴射電磁弁（８７Ａｂ）より拡径部に直接高温水噴射するＤ型エネルギ保存サイクル機関。
【請求項６７５】
送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇させると共に、電磁加熱縮径ピストン（２２）の拡径部に高温水噴射電磁弁（８７Ａｂ）の嵌入用凹部（８６）を具備し、嵌入用凹部に嵌合自在に設けた高温水噴射電磁弁（８７Ａｂ）より拡径部に直接高温水噴射するＥ型エネルギ保存サイクル機関。
【請求項６７６】
送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇させると共に、電磁加熱縮径ピストン（２２）の拡径部に高温水噴射電磁弁（８７Ａｂ）の嵌入用凹部（８６）を具備し、嵌入用凹部に嵌合自在に設けた高温水噴射電磁弁（８７Ａｂ）より拡径部に直接高温水噴射するエネルギ保存サイクル機関。
【請求項６７７】
送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇させると共に、電磁加熱縮径ピストン（２２）の拡径部に高温水噴射電磁弁（８７Ａｂ）ノズルの嵌入用凹部（８６）を具備し、嵌入用凹部に嵌合自在に設けた高温水噴射電磁弁（８７Ａｂ）より拡径部に直接高温水噴射するＨ型エネルギ保存サイクル機関。
【請求項６７８】
送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇させると共に、電磁加熱縮径ピストン（２２）の拡径部に高温水噴射電磁弁（８７Ａｂ）ノズルの嵌入用凹部（８６）を具備し、嵌入用凹部に嵌合自在に設けた高温水噴射電磁弁（８７Ａｂ）より拡径部に直接高温水噴射するＤ型エネルギ保存サイクル機関。
【請求項６７９】
送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇させると共に、電磁加熱縮径ピストン（２２）の拡径部に高温水噴射電磁弁（８７Ａｂ）ノズルの嵌入用凹部（８６）を具備し、嵌入用凹部に嵌合自在に設けた高温水噴射電磁弁（８７Ａｂ）より拡径部に直接高温水噴射するＥ型エネルギ保存サイクル機関。
【請求項６８０】
送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇させると共に、電磁加熱縮径ピストン（２２）の拡径部に高温水噴射電磁弁（８７Ａｂ）ノズルの嵌入用凹部（８６）を具備し、嵌入用凹部に嵌合自在に設けた高温水噴射電磁弁（８７Ａｂ）より拡径部に直接高温水噴射するエネルギ保存サイクル機関。
【請求項６８１】
適宜に昇圧した水を加熱高温として、縮径主燃焼室（１）に高温水噴射電磁弁（８７Ａａ）より高温水噴射燃焼圧力を上昇させると共に、電磁加熱縮径ピストン（２２）の拡径部に高温水噴射電磁弁（８７Ａｂ）の嵌入用凹部（８６）を具備し、嵌入用凹部に嵌合自在に設けた高温水噴射電磁弁（８７Ａｂ）より拡径部に直接高温水噴射するＨ型エネルギ保存サイクル機関。
【請求項６８２】
適宜に昇圧した水を加熱高温として、縮径主燃焼室（１）に高温水噴射電磁弁（８７Ａａ）より高温水噴射燃焼圧力を上昇させると共に、電磁加熱縮径ピストン（２２）の拡径部に高温水噴射電磁弁（８７Ａｂ）の嵌入用凹部（８６）を具備し、嵌入用凹部に嵌合自在に設けた高温水噴射電磁弁（８７Ａｂ）より拡径部に直接高温水噴射するＤ型エネルギ保存サイクル機関。
【請求項６８３】
適宜に昇圧した水を加熱高温として、縮径主燃焼室（１）に高温水噴射電磁弁（８７Ａａ）より高温水噴射燃焼圧力を上昇させると共に、電磁加熱縮径ピストン（２２）の拡径部に高温水噴射電磁弁（８７Ａｂ）の嵌入用凹部（８６）を具備し、嵌入用凹部に嵌合自在に設けた高温水噴射電磁弁（８７Ａｂ）より拡径部に直接高温水噴射するＥ型エネルギ保存サイクル機関。
【請求項６８４】
適宜に昇圧した水を加熱高温として、縮径主燃焼室（１）に高温水噴射電磁弁（８７Ａａ）より高温水噴射燃焼圧力を上昇させると共に、電磁加熱縮径ピストン（２２）の拡径部に高温水噴射電磁弁（８７Ａｂ）の嵌入用凹部（８６）を具備し、嵌入用凹部に嵌合自在に設けた高温水噴射電磁弁（８７Ａｂ）より拡径部に直接高温水噴射するエネルギ保存サイクル機関。
【請求項６８５】
適宜に昇圧した水を加熱高温として、縮径主燃焼室（１）に高温水噴射電磁弁（８７Ａａ）より高温水噴射燃焼圧力を上昇させると共に、電磁加熱縮径ピストン（２２）の拡径部に高温水噴射電磁弁（８７Ａｂ）ノズルの嵌入用凹部（８６）を具備し、嵌入用凹部に嵌合自在に設けた高温水噴射電磁弁（８７Ａｂ）より拡径部に直接高温水噴射するＨ型エネルギ保存サイクル機関。
【請求項６８６】
適宜に昇圧した水を加熱高温として、縮径主燃焼室（１）に高温水噴射電磁弁（８７Ａａ）より高温水噴射燃焼圧力を上昇させると共に、電磁加熱縮径ピストン（２２）の拡径部に高温水噴射電磁弁（８７Ａｂ）ノズルの嵌入用凹部（８６）を具備し、嵌入用凹部に嵌合自在に設けた高温水噴射電磁弁（８７Ａｂ）より拡径部に直接高温水噴射するＤ型エネルギ保存サイクル機関。
【請求項６８７】
適宜に昇圧した水を加熱高温として、縮径主燃焼室（１）に高温水噴射電磁弁（８７Ａａ）より高温水噴射燃焼圧力を上昇させると共に、電磁加熱縮径ピストン（２２）の拡径部に高温水噴射電磁弁（８７Ａｂ）ノズルの嵌入用凹部（８６）を具備し、嵌入用凹部に嵌合自在に設けた高温水噴射電磁弁（８７Ａｂ）より拡径部に直接高温水噴射するＥ型エネルギ保存サイクル機関。
【請求項６８８】
適宜に昇圧した水を加熱高温として、縮径主燃焼室（１）に高温水噴射電磁弁（８７Ａａ）より高温水噴射燃焼圧力を上昇させると共に、電磁加熱縮径ピストン（２２）の拡径部に高温水噴射電磁弁（８７Ａｂ）ノズルの嵌入用凹部（８６）を具備し、嵌入用凹部に嵌合自在に設けた高温水噴射電磁弁（８７Ａｂ）より拡径部に直接高温水噴射するエネルギ保存サイクル機関。
【請求項６８９】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射することで、蒸気機関としても短時間使用可能としたＨ型エネルギ保存サイクル機関。
【請求項６９０】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射することで、蒸気機関としても短時間使用可能としたＤ型エネルギ保存サイクル機関。
【請求項６９１】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射することで、蒸気機関としても短時間使用可能としたＥ型エネルギ保存サイクル機関。
【請求項６９２】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射することで、蒸気機関としても短時間使用可能としたエネルギ保存サイクル機関。
【請求項６９３】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射することで、蒸気機関としても短時間使用可能としたＨ型エネルギ保存サイクル機関。
【請求項６９４】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射することで、蒸気機関としても短時間使用可能としたＤ型エネルギ保存サイクル機関。
【請求項６９５】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射することで、蒸気機関としても短時間使用可能としたＥ型エネルギ保存サイクル機関。
【請求項６９６】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射することで、蒸気機関としても短時間使用可能としたエネルギ保存サイクル機関。
【請求項６９７】
電磁加熱縮径ピストン（２２）の拡径部に高温水噴射電磁弁（８７Ａｂ）の嵌入用凹部（８６）を具備し、適宜に昇圧した水を加熱高温として、縮径主燃焼室（１）に高温水噴射電磁弁（８７Ａａ）より高温水噴射することで、蒸気機関としても短時間使用可能としたＨ型エネルギ保存サイクル機関。
【請求項６９８】
電磁加熱縮径ピストン（２２）の拡径部に高温水噴射電磁弁（８７Ａｂ）の嵌入用凹部（８６）を具備し、適宜に昇圧した水を加熱高温として、縮径主燃焼室（１）に高温水噴射電磁弁（８７Ａａ）より高温水噴射することで、蒸気機関としても短時間使用可能としたＤ型エネルギ保存サイクル機関。
【請求項６９９】
電磁加熱縮径ピストン（２２）の拡径部に高温水噴射電磁弁（８７Ａｂ）の嵌入用凹部（８６）を具備し、適宜に昇圧した水を加熱高温として、縮径主燃焼室（１）に高温水噴射電磁弁（８７Ａａ）より高温水噴射することで、蒸気機関としても短時間使用可能としたＥ型エネルギ保存サイクル機関。
【請求項７００】
電磁加熱縮径ピストン（２２）の拡径部に高温水噴射電磁弁（８７Ａｂ）の嵌入用凹部（８６）を具備し、適宜に昇圧した水を加熱高温として、縮径主燃焼室（１）に高温水噴射電磁弁（８７Ａａ）より高温水噴射することで、蒸気機関としても短時間使用可能としたエネルギ保存サイクル機関。
【請求項７０１】
電磁加熱縮径ピストン（２２）の拡径部に高温水噴射電磁弁（８７Ａｂ）ノズルの嵌入用凹部（８６）を具備し、適宜に昇圧した水を加熱高温として、縮径主燃焼室（１）に高温水噴射電磁弁（８７Ａａ）より高温水噴射することで、蒸気機関としても短時間使用可能としたＨ型エネルギ保存サイクル機関。
【請求項７０２】
電磁加熱縮径ピストン（２２）の拡径部に高温水噴射電磁弁（８７Ａｂ）ノズルの嵌入用凹部（８６）を具備し、適宜に昇圧した水を加熱高温として、縮径主燃焼室（１）に高温水噴射電磁弁（８７Ａａ）より高温水噴射することで、蒸気機関としても短時間使用可能としたＤ型エネルギ保存サイクル機関。
【請求項７０３】
電磁加熱縮径ピストン（２２）の拡径部に高温水噴射電磁弁（８７Ａｂ）ノズルの嵌入用凹部（８６）を具備し、適宜に昇圧した水を加熱高温として、縮径主燃焼室（１）に高温水噴射電磁弁（８７Ａａ）より高温水噴射することで、蒸気機関としても短時間使用可能としたＥ型エネルギ保存サイクル機関。
【請求項７０４】
電磁加熱縮径ピストン（２２）の拡径部に高温水噴射電磁弁（８７Ａｂ）ノズルの嵌入用凹部（８６）を具備し、適宜に昇圧した水を加熱高温として、縮径主燃焼室（１）に高温水噴射電磁弁（８７Ａａ）より高温水噴射することで、蒸気機関としても短時間使用可能としたエネルギ保存サイクル機関。
【請求項７０５】
送水ポンプ兼磁気摩擦動力伝達装置（５５）により昇圧した水を加熱高温として、縮径主燃焼室（１）に高温水噴射電磁弁（８７Ａａ）より高温水噴射すると共に、電磁加熱縮径ピストン（２２）の拡径部に高温水噴射電磁弁（８７Ａｂ）の嵌入用凹部（８６）を具備し、拡径部に直接高温水噴射することで、蒸気機関としても短時間使用可能としたＨ型エネルギ保存サイクル機関。
【請求項７０６】
送水ポンプ兼磁気摩擦動力伝達装置（５５）により昇圧した水を加熱高温として、縮径主燃焼室（１）に高温水噴射電磁弁（８７Ａａ）より高温水噴射すると共に、電磁加熱縮径ピストン（２２）の拡径部に高温水噴射電磁弁（８７Ａｂ）の嵌入用凹部（８６）を具備し、拡径部に直接高温水噴射することで、蒸気機関としても短時間使用可能としたＤ型エネルギ保存サイクル機関。
【請求項７０７】
送水ポンプ兼磁気摩擦動力伝達装置（５５）により昇圧した水を加熱高温として、縮径主燃焼室（１）に高温水噴射電磁弁（８７Ａａ）より高温水噴射すると共に、電磁加熱縮径ピストン（２２）の拡径部に高温水噴射電磁弁（８７Ａｂ）の嵌入用凹部（８６）を具備し、拡径部に直接高温水噴射することで、蒸気機関としても短時間使用可能としたＥ型エネルギ保存サイクル機関。
【請求項７０８】
送水ポンプ兼磁気摩擦動力伝達装置（５５）により昇圧した水を加熱高温として、縮径主燃焼室（１）に高温水噴射電磁弁（８７Ａａ）より高温水噴射すると共に、電磁加熱縮径ピストン（２２）の拡径部に高温水噴射電磁弁（８７Ａｂ）の嵌入用凹部（８６）を具備し、拡径部に直接高温水噴射することで、蒸気機関としても短時間使用可能としたエネルギ保存サイクル機関。
【請求項７０９】
送水ポンプ兼磁気摩擦動力伝達装置（５５）により昇圧した水を加熱高温として、縮径主燃焼室（１）に高温水噴射電磁弁（８７Ａａ）より高温水噴射すると共に、電磁加熱縮径ピストン（２２）の拡径部に高温水噴射電磁弁（８７Ａｂ）ノズルの嵌入用凹部（８６）を具備し、拡径部に直接高温水噴射することで、蒸気機関としても短時間使用可能としたＨ型エネルギ保存サイクル機関。
【請求項７１０】
送水ポンプ兼磁気摩擦動力伝達装置（５５）により昇圧した水を加熱高温として、縮径主燃焼室（１）に高温水噴射電磁弁（８７Ａａ）より高温水噴射すると共に、電磁加熱縮径ピストン（２２）の拡径部に高温水噴射電磁弁（８７Ａｂ）ノズルの嵌入用凹部（８６）を具備し、拡径部に直接高温水噴射することで、蒸気機関としても短時間使用可能としたＤ型エネルギ保存サイクル機関。
【請求項７１１】
送水ポンプ兼磁気摩擦動力伝達装置（５５）により昇圧した水を加熱高温として、縮径主燃焼室（１）に高温水噴射電磁弁（８７Ａａ）より高温水噴射すると共に、電磁加熱縮径ピストン（２２）の拡径部に高温水噴射電磁弁（８７Ａｂ）ノズルの嵌入用凹部（８６）を具備し、拡径部に直接高温水噴射することで、蒸気機関としても短時間使用可能としたＥ型エネルギ保存サイクル機関。
【請求項７１２】
送水ポンプ兼磁気摩擦動力伝達装置（５５）により昇圧した水を加熱高温として、縮径主燃焼室（１）に高温水噴射電磁弁（８７Ａａ）より高温水噴射すると共に、電磁加熱縮径ピストン（２２）の拡径部に高温水噴射電磁弁（８７Ａｂ）ノズルの嵌入用凹部（８６）を具備し、拡径部に直接高温水噴射することで、蒸気機関としても短時間使用可能としたエネルギ保存サイクル機関。
【請求項７１３】
適宜に昇圧した水を加熱高温として、縮径主燃焼室（１）に高温水噴射電磁弁（８７Ａａ）より高温水噴射すると共に、電磁加熱縮径ピストン（２２）の拡径部に高温水噴射電磁弁（８７Ａｂ）の嵌入用凹部（８６）を具備し、拡径部に直接高温水噴射することで、蒸気機関としても短時間使用可能としたＨ型エネルギ保存サイクル機関。
【請求項７１４】
適宜に昇圧した水を加熱高温として、縮径主燃焼室（１）に高温水噴射電磁弁（８７Ａａ）より高温水噴射すると共に、電磁加熱縮径ピストン（２２）の拡径部に高温水噴射電磁弁（８７Ａｂ）の嵌入用凹部（８６）を具備し、拡径部に直接高温水噴射することで、蒸気機関としても短時間使用可能としたＤ型エネルギ保存サイクル機関。
【請求項７１５】
適宜に昇圧した水を加熱高温として、縮径主燃焼室（１）に高温水噴射電磁弁（８７Ａａ）より高温水噴射すると共に、電磁加熱縮径ピストン（２２）の拡径部に高温水噴射電磁弁（８７Ａｂ）の嵌入用凹部（８６）を具備し、拡径部に直接高温水噴射することで、蒸気機関としても短時間使用可能としたＥ型エネルギ保存サイクル機関。
【請求項７１６】
適宜に昇圧した水を加熱高温として、縮径主燃焼室（１）に高温水噴射電磁弁（８７Ａａ）より高温水噴射すると共に、電磁加熱縮径ピストン（２２）の拡径部に高温水噴射電磁弁（８７Ａｂ）の嵌入用凹部（８６）を具備し、拡径部に直接高温水噴射することで、蒸気機関としても短時間使用可能としたエネルギ保存サイクル機関。
【請求項７１７】
適宜に昇圧した水を加熱高温として、縮径主燃焼室（１）に高温水噴射電磁弁（８７Ａａ）より高温水噴射すると共に、電磁加熱縮径ピストン（２２）の拡径部に高温水噴射電磁弁（８７Ａｂ）ノズルの嵌入用凹部（８６）を具備し、拡径部に直接高温水噴射することで、蒸気機関としても短時間使用可能としたＨ型エネルギ保存サイクル機関。
【請求項７１８】
適宜に昇圧した水を加熱高温として、縮径主燃焼室（１）に高温水噴射電磁弁（８７Ａａ）より高温水噴射すると共に、電磁加熱縮径ピストン（２２）の拡径部に高温水噴射電磁弁（８７Ａｂ）ノズルの嵌入用凹部（８６）を具備し、拡径部に直接高温水噴射することで、蒸気機関としても短時間使用可能としたＤ型エネルギ保存サイクル機関。
【請求項７１９】
適宜に昇圧した水を加熱高温として、縮径主燃焼室（１）に高温水噴射電磁弁（８７Ａａ）より高温水噴射すると共に、電磁加熱縮径ピストン（２２）の拡径部に高温水噴射電磁弁（８７Ａｂ）ノズルの嵌入用凹部（８６）を具備し、拡径部に直接高温水噴射することで、蒸気機関としても短時間使用可能としたＥ型エネルギ保存サイクル機関。
【請求項７２０】
適宜に昇圧した水を加熱高温として、縮径主燃焼室（１）に高温水噴射電磁弁（８７Ａａ）より高温水噴射すると共に、電磁加熱縮径ピストン（２２）の拡径部に高温水噴射電磁弁（８７Ａｂ）ノズルの嵌入用凹部（８６）を具備し、拡径部に直接高温水噴射することで、蒸気機関としても短時間使用可能としたエネルギ保存サイクル機関。
【請求項７２１】
送水ポンプ兼磁気摩擦動力伝達装置（５５）により昇圧した水を加熱高温として、縮径主燃焼室（１）に高温水噴射電磁弁（８７Ａａ）より高温水噴射すると共に、電磁加熱縮径ピストン（２２）の拡径部に高温水噴射電磁弁（８７Ａｂ）の嵌入用凹部（８６）を具備し、嵌入用凹部に嵌合自在に設けた高温水噴射電磁弁（８７Ａｂ）より拡径部に直接高温水噴射することで、蒸気機関としても短時間使用可能としたＨ型エネルギ保存サイクル機関。
【請求項７２２】
送水ポンプ兼磁気摩擦動力伝達装置（５５）により昇圧した水を加熱高温として、縮径主燃焼室（１）に高温水噴射電磁弁（８７Ａａ）より高温水噴射すると共に、電磁加熱縮径ピストン（２２）の拡径部に高温水噴射電磁弁（８７Ａｂ）の嵌入用凹部（８６）を具備し、嵌入用凹部に嵌合自在に設けた高温水噴射電磁弁（８７Ａｂ）より拡径部に直接高温水噴射することで、蒸気機関としても短時間使用可能としたＤ型エネルギ保存サイクル機関。
【請求項７２３】
送水ポンプ兼磁気摩擦動力伝達装置（５５）により昇圧した水を加熱高温として、縮径主燃焼室（１）に高温水噴射電磁弁（８７Ａａ）より高温水噴射すると共に、電磁加熱縮径ピストン（２２）の拡径部に高温水噴射電磁弁（８７Ａｂ）の嵌入用凹部（８６）を具備し、嵌入用凹部に嵌合自在に設けた高温水噴射電磁弁（８７Ａｂ）より拡径部に直接高温水噴射することで、蒸気機関としても短時間使用可能としたＥ型エネルギ保存サイクル機関。
【請求項７２４】
送水ポンプ兼磁気摩擦動力伝達装置（５５）により昇圧した水を加熱高温として、縮径主燃焼室（１）に高温水噴射電磁弁（８７Ａａ）より高温水噴射すると共に、電磁加熱縮径ピストン（２２）の拡径部に高温水噴射電磁弁（８７Ａｂ）の嵌入用凹部（８６）を具備し、嵌入用凹部に嵌合自在に設けた高温水噴射電磁弁（８７Ａｂ）より拡径部に直接高温水噴射することで、蒸気機関としても短時間使用可能としたエネルギ保存サイクル機関。
【請求項７２５】
送水ポンプ兼磁気摩擦動力伝達装置（５５）により昇圧した水を加熱高温として、縮径主燃焼室（１）に高温水噴射電磁弁（８７Ａａ）より高温水噴射すると共に、電磁加熱縮径ピストン（２２）の拡径部に高温水噴射電磁弁（８７Ａｂ）ノズルの嵌入用凹部（８６）を具備し、嵌入用凹部に嵌合自在に設けた高温水噴射電磁弁（８７Ａｂ）より拡径部に直接高温水噴射することで、蒸気機関としても短時間使用可能としたＨ型エネルギ保存サイクル機関。
【請求項７２６】
送水ポンプ兼磁気摩擦動力伝達装置（５５）により昇圧した水を加熱高温として、縮径主燃焼室（１）に高温水噴射電磁弁（８７Ａａ）より高温水噴射すると共に、電磁加熱縮径ピストン（２２）の拡径部に高温水噴射電磁弁（８７Ａｂ）ノズルの嵌入用凹部（８６）を具備し、嵌入用凹部に嵌合自在に設けた高温水噴射電磁弁（８７Ａｂ）より拡径部に直接高温水噴射することで、蒸気機関としても短時間使用可能としたＤ型エネルギ保存サイクル機関。
【請求項７２７】
送水ポンプ兼磁気摩擦動力伝達装置（５５）により昇圧した水を加熱高温として、縮径主燃焼室（１）に高温水噴射電磁弁（８７Ａａ）より高温水噴射すると共に、電磁加熱縮径ピストン（２２）の拡径部に高温水噴射電磁弁（８７Ａｂ）ノズルの嵌入用凹部（８６）を具備し、嵌入用凹部に嵌合自在に設けた高温水噴射電磁弁（８７Ａｂ）より拡径部に直接高温水噴射することで、蒸気機関としても短時間使用可能としたＥ型エネルギ保存サイクル機関。
【請求項７２８】
送水ポンプ兼磁気摩擦動力伝達装置（５５）により昇圧した水を加熱高温として、縮径主燃焼室（１）に高温水噴射電磁弁（８７Ａａ）より高温水噴射すると共に、電磁加熱縮径ピストン（２２）の拡径部に高温水噴射電磁弁（８７Ａｂ）ノズルの嵌入用凹部（８６）を具備し、嵌入用凹部に嵌合自在に設けた高温水噴射電磁弁（８７Ａｂ）より拡径部に直接高温水噴射することで、蒸気機関としても短時間使用可能としたエネルギ保存サイクル機関。
【請求項７２９】
適宜に昇圧した水を加熱高温として、縮径主燃焼室（１）に高温水噴射電磁弁（８７Ａａ）より高温水噴射すると共に、電磁加熱縮径ピストン（２２）の拡径部に高温水噴射電磁弁（８７Ａｂ）の嵌入用凹部（８６）を具備し、嵌入用凹部に嵌合自在に設けた高温水噴射電磁弁（８７Ａｂ）より拡径部に直接高温水噴射することで、蒸気機関としても短時間使用可能としたＨ型エネルギ保存サイクル機関。
【請求項７３０】
適宜に昇圧した水を加熱高温として、縮径主燃焼室（１）に高温水噴射電磁弁（８７Ａａ）より高温水噴射すると共に、電磁加熱縮径ピストン（２２）の拡径部に高温水噴射電磁弁（８７Ａｂ）の嵌入用凹部（８６）を具備し、嵌入用凹部に嵌合自在に設けた高温水噴射電磁弁（８７Ａｂ）より拡径部に直接高温水噴射することで、蒸気機関としても短時間使用可能としたＤ型エネルギ保存サイクル機関。
【請求項７３１】
適宜に昇圧した水を加熱高温として、縮径主燃焼室（１）に高温水噴射電磁弁（８７Ａａ）より高温水噴射すると共に、電磁加熱縮径ピストン（２２）の拡径部に高温水噴射電磁弁（８７Ａｂ）の嵌入用凹部（８６）を具備し、嵌入用凹部に嵌合自在に設けた高温水噴射電磁弁（８７Ａｂ）より拡径部に直接高温水噴射することで、蒸気機関としても短時間使用可能としたＥ型エネルギ保存サイクル機関。
【請求項７３２】
適宜に昇圧した水を加熱高温として、縮径主燃焼室（１）に高温水噴射電磁弁（８７Ａａ）より高温水噴射すると共に、電磁加熱縮径ピストン（２２）の拡径部に高温水噴射電磁弁（８７Ａｂ）の嵌入用凹部（８６）を具備し、嵌入用凹部に嵌合自在に設けた高温水噴射電磁弁（８７Ａｂ）より拡径部に直接高温水噴射することで、蒸気機関としても短時間使用可能としたエネルギ保存サイクル機関。
【請求項７３３】
適宜に昇圧した水を加熱高温として、縮径主燃焼室（１）に高温水噴射電磁弁（８７Ａａ）より高温水噴射すると共に、電磁加熱縮径ピストン（２２）の拡径部に高温水噴射電磁弁（８７Ａｂ）ノズルの嵌入用凹部（８６）を具備し、嵌入用凹部に嵌合自在に設けた高温水噴射電磁弁（８７Ａｂ）より拡径部に直接高温水噴射することで、蒸気機関としても短時間使用可能としたＨ型エネルギ保存サイクル機関。
【請求項７３４】
適宜に昇圧した水を加熱高温として、縮径主燃焼室（１）に高温水噴射電磁弁（８７Ａａ）より高温水噴射すると共に、電磁加熱縮径ピストン（２２）の拡径部に高温水噴射電磁弁（８７Ａｂ）ノズルの嵌入用凹部（８６）を具備し、嵌入用凹部に嵌合自在に設けた高温水噴射電磁弁（８７Ａｂ）より拡径部に直接高温水噴射することで、蒸気機関としても短時間使用可能としたＤ型エネルギ保存サイクル機関。
【請求項７３５】
適宜に昇圧した水を加熱高温として、縮径主燃焼室（１）に高温水噴射電磁弁（８７Ａａ）より高温水噴射すると共に、電磁加熱縮径ピストン（２２）の拡径部に高温水噴射電磁弁（８７Ａｂ）ノズルの嵌入用凹部（８６）を具備し、嵌入用凹部に嵌合自在に設けた高温水噴射電磁弁（８７Ａｂ）より拡径部に直接高温水噴射することで、蒸気機関としても短時間使用可能としたＥ型エネルギ保存サイクル機関。
【請求項７３６】
適宜に昇圧した水を加熱高温として、縮径主燃焼室（１）に高温水噴射電磁弁（８７Ａａ）より高温水噴射すると共に、電磁加熱縮径ピストン（２２）の拡径部に高温水噴射電磁弁（８７Ａｂ）ノズルの嵌入用凹部（８６）を具備し、嵌入用凹部に嵌合自在に設けた高温水噴射電磁弁（８７Ａｂ）より拡径部に直接高温水噴射することで、蒸気機関としても短時間使用可能としたエネルギ保存サイクル機関。
【請求項７３７】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇し、隔離燃焼解除時に再燃焼させるＨ型エネルギ保存サイクル機関。
【請求項７３８】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇し、隔離燃焼解除時に再燃焼させるＤ型エネルギ保存サイクル機関。
【請求項７３９】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇し、隔離燃焼解除時に再燃焼させるＥ型エネルギ保存サイクル機関。
【請求項７４０】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇し、隔離燃焼解除時に再燃焼させるエネルギ保存サイクル機関。
【請求項７４１】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇し、隔離燃焼解除時に再燃焼させるＨ型エネルギ保存サイクル機関。
【請求項７４２】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇し、隔離燃焼解除時に再燃焼させるＤ型エネルギ保存サイクル機関。
【請求項７４３】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇し、隔離燃焼解除時に再燃焼させるＥ型エネルギ保存サイクル機関。
【請求項７４４】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇し、隔離燃焼解除時に再燃焼させるエネルギ保存サイクル機関。
【請求項７４５】
電磁加熱縮径ピストン（２２）の拡径部に高温水噴射電磁弁（８７Ａｂ）の嵌入用凹部（８６）を具備し、適宜に昇圧した水を加熱高温として、縮径主燃焼室（１）に高温水噴射電磁弁（８７Ａａ）より高温水噴射燃焼圧力を上昇し、隔離燃焼解除時に再燃焼させるＨ型エネルギ保存サイクル機関。
【請求項７４６】
電磁加熱縮径ピストン（２２）の拡径部に高温水噴射電磁弁（８７Ａｂ）の嵌入用凹部（８６）を具備し、適宜に昇圧した水を加熱高温として、縮径主燃焼室（１）に高温水噴射電磁弁（８７Ａａ）より高温水噴射燃焼圧力を上昇し、隔離燃焼解除時に再燃焼させるＤ型エネルギ保存サイクル機関。
【請求項７４７】
電磁加熱縮径ピストン（２２）の拡径部に高温水噴射電磁弁（８７Ａｂ）の嵌入用凹部（８６）を具備し、適宜に昇圧した水を加熱高温として、縮径主燃焼室（１）に高温水噴射電磁弁（８７Ａａ）より高温水噴射燃焼圧力を上昇し、隔離燃焼解除時に再燃焼させるＥ型エネルギ保存サイクル機関。
【請求項７４８】
電磁加熱縮径ピストン（２２）の拡径部に高温水噴射電磁弁（８７Ａｂ）の嵌入用凹部（８６）を具備し、適宜に昇圧した水を加熱高温として、縮径主燃焼室（１）に高温水噴射電磁弁（８７Ａａ）より高温水噴射燃焼圧力を上昇し、隔離燃焼解除時に再燃焼させるエネルギ保存サイクル機関。
【請求項７４９】
電磁加熱縮径ピストン（２２）の拡径部に高温水噴射電磁弁（８７Ａｂ）ノズルの嵌入用凹部（８６）を具備し、適宜に昇圧した水を加熱高温として、縮径主燃焼室（１）に高温水噴射電磁弁（８７Ａａ）より高温水噴射燃焼圧力を上昇し、隔離燃焼解除時に再燃焼させるＨ型エネルギ保存サイクル機関。
【請求項７５０】
電磁加熱縮径ピストン（２２）の拡径部に高温水噴射電磁弁（８７Ａｂ）ノズルの嵌入用凹部（８６）を具備し、適宜に昇圧した水を加熱高温として、縮径主燃焼室（１）に高温水噴射電磁弁（８７Ａａ）より高温水噴射燃焼圧力を上昇し、隔離燃焼解除時に再燃焼させるＤ型エネルギ保存サイクル機関。
【請求項７５１】
電磁加熱縮径ピストン（２２）の拡径部に高温水噴射電磁弁（８７Ａｂ）ノズルの嵌入用凹部（８６）を具備し、適宜に昇圧した水を加熱高温として、縮径主燃焼室（１）に高温水噴射電磁弁（８７Ａａ）より高温水噴射燃焼圧力を上昇し、隔離燃焼解除時に再燃焼させるＥ型エネルギ保存サイクル機関。
【請求項７５２】
電磁加熱縮径ピストン（２２）の拡径部に高温水噴射電磁弁（８７Ａｂ）ノズルの嵌入用凹部（８６）を具備し、適宜に昇圧した水を加熱高温として、縮径主燃焼室（１）に高温水噴射電磁弁（８７Ａａ）より高温水噴射燃焼圧力を上昇し、隔離燃焼解除時に再燃焼させるエネルギ保存サイクル機関。
【請求項７５３】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇し、隔離燃焼解除時に拡径燃焼室（１０）内再燃焼させるＨ型エネルギ保存サイクル機関。
【請求項７５４】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇し、隔離燃焼解除時に拡径燃焼室（１０）内再燃焼させるＤ型エネルギ保存サイクル機関。
【請求項７５５】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇し、隔離燃焼解除時に拡径燃焼室（１０）内再燃焼させるＥ型エネルギ保存サイクル機関。
【請求項７５６】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇し、隔離燃焼解除時に拡径燃焼室（１０）内再燃焼させるエネルギ保存サイクル機関。
【請求項７５７】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇し、隔離燃焼解除時に拡径燃焼室（１０）内再燃焼させるＨ型エネルギ保存サイクル機関。
【請求項７５８】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇し、隔離燃焼解除時に拡径燃焼室（１０）内再燃焼させるＤ型エネルギ保存サイクル機関。
【請求項７５９】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇し、隔離燃焼解除時に拡径燃焼室（１０）内再燃焼させるＥ型エネルギ保存サイクル機関。
【請求項７６０】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇し、隔離燃焼解除時に拡径燃焼室（１０）内再燃焼させるエネルギ保存サイクル機関。
【請求項７６１】
電磁加熱縮径ピストン（２２）の拡径部に高温水噴射電磁弁（８７Ａｂ）の嵌入用凹部（８６）を具備し、適宜に昇圧した水を加熱高温として、縮径主燃焼室（１）に高温水噴射電磁弁（８７Ａａ）より高温水噴射燃焼圧力を上昇し、隔離燃焼解除時に拡径燃焼室（１０）内再燃焼させるＨ型エネルギ保存サイクル機関。
【請求項７６２】
電磁加熱縮径ピストン（２２）の拡径部に高温水噴射電磁弁（８７Ａｂ）の嵌入用凹部（８６）を具備し、適宜に昇圧した水を加熱高温として、縮径主燃焼室（１）に高温水噴射電磁弁（８７Ａａ）より高温水噴射燃焼圧力を上昇し、隔離燃焼解除時に拡径燃焼室（１０）内再燃焼させるＤ型エネルギ保存サイクル機関。
【請求項７６３】
電磁加熱縮径ピストン（２２）の拡径部に高温水噴射電磁弁（８７Ａｂ）の嵌入用凹部（８６）を具備し、適宜に昇圧した水を加熱高温として、縮径主燃焼室（１）に高温水噴射電磁弁（８７Ａａ）より高温水噴射燃焼圧力を上昇し、隔離燃焼解除時に拡径燃焼室（１０）内再燃焼させるＥ型エネルギ保存サイクル機関。
【請求項７６４】
電磁加熱縮径ピストン（２２）の拡径部に高温水噴射電磁弁（８７Ａｂ）の嵌入用凹部（８６）を具備し、適宜に昇圧した水を加熱高温として、縮径主燃焼室（１）に高温水噴射電磁弁（８７Ａａ）より高温水噴射燃焼圧力を上昇し、隔離燃焼解除時に拡径燃焼室（１０）内再燃焼させるエネルギ保存サイクル機関。
【請求項７６５】
電磁加熱縮径ピストン（２２）の拡径部に高温水噴射電磁弁（８７Ａｂ）ノズルの嵌入用凹部（８６）を具備し、適宜に昇圧した水を加熱高温として、縮径主燃焼室（１）に高温水噴射電磁弁（８７Ａａ）より高温水噴射燃焼圧力を上昇し、隔離燃焼解除時に拡径燃焼室（１０）内再燃焼させるＨ型エネルギ保存サイクル機関。
【請求項７６６】
電磁加熱縮径ピストン（２２）の拡径部に高温水噴射電磁弁（８７Ａｂ）ノズルの嵌入用凹部（８６）を具備し、適宜に昇圧した水を加熱高温として、縮径主燃焼室（１）に高温水噴射電磁弁（８７Ａａ）より高温水噴射燃焼圧力を上昇し、隔離燃焼解除時に拡径燃焼室（１０）内再燃焼させるＤ型エネルギ保存サイクル機関。
【請求項７６７】
電磁加熱縮径ピストン（２２）の拡径部に高温水噴射電磁弁（８７Ａｂ）ノズルの嵌入用凹部（８６）を具備し、適宜に昇圧した水を加熱高温として、縮径主燃焼室（１）に高温水噴射電磁弁（８７Ａａ）より高温水噴射燃焼圧力を上昇し、隔離燃焼解除時に拡径燃焼室（１０）内再燃焼させるＥ型エネルギ保存サイクル機関。
【請求項７６８】
電磁加熱縮径ピストン（２２）の拡径部に高温水噴射電磁弁（８７Ａｂ）ノズルの嵌入用凹部（８６）を具備し、適宜に昇圧した水を加熱高温として、縮径主燃焼室（１）に高温水噴射電磁弁（８７Ａａ）より高温水噴射燃焼圧力を上昇し、隔離燃焼解除時に拡径燃焼室（１０）内再燃焼させるエネルギ保存サイクル機関。
【請求項７６９】
送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇し、隔離燃焼解除時に拡径燃焼室（１０）内再燃焼させると共に、電磁加熱縮径ピストン（２２）の拡径部に高温水噴射電磁弁（８７Ａｂ）の嵌入用凹部（８６）を具備し、嵌入用凹部に嵌合自在に設けた高温水噴射電磁弁（８７Ａｂ）より拡径部に直接高温水噴射するＨ型エネルギ保存サイクル機関。
【請求項７７０】
送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇し、隔離燃焼解除時に拡径燃焼室（１０）内再燃焼させると共に、電磁加熱縮径ピストン（２２）の拡径部に高温水噴射電磁弁（８７Ａｂ）の嵌入用凹部（８６）を具備し、嵌入用凹部に嵌合自在に設けた高温水噴射電磁弁（８７Ａｂ）より拡径部に直接高温水噴射するＤ型エネルギ保存サイクル機関。
【請求項７７１】
送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇し、隔離燃焼解除時に拡径燃焼室（１０）内再燃焼させると共に、電磁加熱縮径ピストン（２２）の拡径部に高温水噴射電磁弁（８７Ａｂ）の嵌入用凹部（８６）を具備し、嵌入用凹部に嵌合自在に設けた高温水噴射電磁弁（８７Ａｂ）より拡径部に直接高温水噴射するＥ型エネルギ保存サイクル機関。
【請求項７７２】
送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇し、隔離燃焼解除時に拡径燃焼室（１０）内再燃焼させると共に、電磁加熱縮径ピストン（２２）の拡径部に高温水噴射電磁弁（８７Ａｂ）の嵌入用凹部（８６）を具備し、嵌入用凹部に嵌合自在に設けた高温水噴射電磁弁（８７Ａｂ）より拡径部に直接高温水噴射するエネルギ保存サイクル機関。
【請求項７７３】
送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇し、隔離燃焼解除時に拡径燃焼室（１０）内再燃焼させると共に、電磁加熱縮径ピストン（２２）の拡径部に高温水噴射電磁弁（８７Ａｂ）ノズルの嵌入用凹部（８６）を具備し、嵌入用凹部に嵌合自在に設けた高温水噴射電磁弁（８７Ａｂ）より拡径部に直接高温水噴射するＨ型エネルギ保存サイクル機関。
【請求項７７４】
送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇し、隔離燃焼解除時に拡径燃焼室（１０）内再燃焼させると共に、電磁加熱縮径ピストン（２２）の拡径部に高温水噴射電磁弁（８７Ａｂ）ノズルの嵌入用凹部（８６）を具備し、嵌入用凹部に嵌合自在に設けた高温水噴射電磁弁（８７Ａｂ）より拡径部に直接高温水噴射するＤ型エネルギ保存サイクル機関。
【請求項７７５】
送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇し、隔離燃焼解除時に拡径燃焼室（１０）内再燃焼させると共に、電磁加熱縮径ピストン（２２）の拡径部に高温水噴射電磁弁（８７Ａｂ）ノズルの嵌入用凹部（８６）を具備し、嵌入用凹部に嵌合自在に設けた高温水噴射電磁弁（８７Ａｂ）より拡径部に直接高温水噴射するＥ型エネルギ保存サイクル機関。
【請求項７７６】
送水ポンプ兼磁気摩擦動力伝達装置（５５）により昇圧した水を加熱高温として、縮径主燃焼室（１）に高温水噴射電磁弁（８７Ａａ）より高温水噴射燃焼圧力を上昇し、隔離燃焼解除時に拡径燃焼室（１０）内再燃焼させると共に、電磁加熱縮径ピストン（２２）の拡径部に高温水噴射電磁弁（８７Ａｂ）ノズルの嵌入用凹部（８６）を具備し、嵌入用凹部に嵌合自在に設けた高温水噴射電磁弁（８７Ａｂ）より拡径部に直接高温水噴射するエネルギ保存サイクル機関。
【請求項７７７】
適宜に昇圧した水を加熱高温として、縮径主燃焼室（１）に高温水噴射電磁弁（８７Ａａ）より高温水噴射燃焼圧力を上昇し、隔離燃焼解除時に拡径燃焼室（１０）内再燃焼させると共に、電磁加熱縮径ピストン（２２）の拡径部に高温水噴射電磁弁（８７Ａｂ）の嵌入用凹部（８６）を具備し、嵌入用凹部に嵌合自在に設けた高温水噴射電磁弁（８７Ａｂ）より拡径部に直接高温水噴射するＨ型エネルギ保存サイクル機関。
【請求項７７８】
適宜に昇圧した水を加熱高温として、縮径主燃焼室（１）に高温水噴射電磁弁（８７Ａａ）より高温水噴射燃焼圧力を上昇し、隔離燃焼解除時に拡径燃焼室（１０）内再燃焼させると共に、電磁加熱縮径ピストン（２２）の拡径部に高温水噴射電磁弁（８７Ａｂ）の嵌入用凹部（８６）を具備し、嵌入用凹部に嵌合自在に設けた高温水噴射電磁弁（８７Ａｂ）より拡径部に直接高温水噴射するＤ型エネルギ保存サイクル機関。
【請求項７７９】
適宜に昇圧した水を加熱高温として、縮径主燃焼室（１）に高温水噴射電磁弁（８７Ａａ）より高温水噴射燃焼圧力を上昇し、隔離燃焼解除時に拡径燃焼室（１０）内再燃焼させると共に、電磁加熱縮径ピストン（２２）の拡径部に高温水噴射電磁弁（８７Ａｂ）の嵌入用凹部（８６）を具備し、嵌入用凹部に嵌合自在に設けた高温水噴射電磁弁（８７Ａｂ）より拡径部に直接高温水噴射するＥ型エネルギ保存サイクル機関。
【請求項７８０】
適宜に昇圧した水を加熱高温として、縮径主燃焼室（１）に高温水噴射電磁弁（８７Ａａ）より高温水噴射燃焼圧力を上昇し、隔離燃焼解除時に拡径燃焼室（１０）内再燃焼させると共に、電磁加熱縮径ピストン（２２）の拡径部に高温水噴射電磁弁（８７Ａｂ）の嵌入用凹部（８６）を具備し、嵌入用凹部に嵌合自在に設けた高温水噴射電磁弁（８７Ａｂ）より拡径部に直接高温水噴射するエネルギ保存サイクル機関。
【請求項７８１】
適宜に昇圧した水を加熱高温として、縮径主燃焼室（１）に高温水噴射電磁弁（８７Ａａ）より高温水噴射燃焼圧力を上昇し、隔離燃焼解除時に拡径燃焼室（１０）内再燃焼させると共に、電磁加熱縮径ピストン（２２）の拡径部に高温水噴射電磁弁（８７Ａｂ）ノズルの嵌入用凹部（８６）を具備し、嵌入用凹部に嵌合自在に設けた高温水噴射電磁弁（８７Ａｂ）より拡径部に直接高温水噴射するＨ型エネルギ保存サイクル機関。
【請求項７８２】
適宜に昇圧した水を加熱高温として、縮径主燃焼室（１）に高温水噴射電磁弁（８７Ａａ）より高温水噴射燃焼圧力を上昇し、隔離燃焼解除時に拡径燃焼室（１０）内再燃焼させると共に、電磁加熱縮径ピストン（２２）の拡径部に高温水噴射電磁弁（８７Ａｂ）ノズルの嵌入用凹部（８６）を具備し、嵌入用凹部に嵌合自在に設けた高温水噴射電磁弁（８７Ａｂ）より拡径部に直接高温水噴射するＤ型エネルギ保存サイクル機関。
【請求項７８３】
適宜に昇圧した水を加熱高温として、縮径主燃焼室（１）に高温水噴射電磁弁（８７Ａａ）より高温水噴射燃焼圧力を上昇し、隔離燃焼解除時に拡径燃焼室（１０）内再燃焼させると共に、電磁加熱縮径ピストン（２２）の拡径部に高温水噴射電磁弁（８７Ａｂ）ノズルの嵌入用凹部（８６）を具備し、嵌入用凹部に嵌合自在に設けた高温水噴射電磁弁（８７Ａｂ）より拡径部に直接高温水噴射するＥ型エネルギ保存サイクル機関。
【請求項７８４】
適宜に昇圧した水を加熱高温として、縮径主燃焼室（１）に高温水噴射電磁弁（８７Ａａ）より高温水噴射燃焼圧力を上昇し、隔離燃焼解除時に拡径燃焼室（１０）内再燃焼させると共に、電磁加熱縮径ピストン（２２）の拡径部に高温水噴射電磁弁（８７Ａｂ）ノズルの嵌入用凹部（８６）を具備し、嵌入用凹部に嵌合自在に設けた高温水噴射電磁弁（８７Ａｂ）より拡径部に直接高温水噴射するエネルギ保存サイクル機関。
【請求項７８５】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を超臨界圧力高温水として縮径主燃焼室（１）に高温水噴射電磁弁（８７Ａａ）より水噴射させることで、蒸気機関としても短時間使用可能としたＨ型エネルギ保存サイクル機関。
【請求項７８６】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を超臨界圧力高温水として縮径主燃焼室（１）に高温水噴射電磁弁（８７Ａａ）より水噴射させることで、蒸気機関としても短時間使用可能としたＤ型エネルギ保存サイクル機関。
【請求項７８７】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を超臨界圧力高温水として縮径主燃焼室（１）に高温水噴射電磁弁（８７Ａａ）より水噴射させることで、蒸気機関としても短時間使用可能としたＥ型エネルギ保存サイクル機関。
【請求項７８８】
電磁加熱縮径ピストン（２２）の拡径部に高温水噴射電磁弁（８７Ａｂ）の嵌入用凹部（８６）を具備し、送水ポンプ兼磁気摩擦動力伝達装置（５５）により昇圧した水を超臨界圧力高温水として縮径主燃焼室（１）に高温水噴射電磁弁（８７Ａａ）より水噴射させることで、蒸気機関としても短時間使用可能としたエネルギ保存サイクル機関。
【請求項７８９】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を超臨界圧力高温水として縮径主燃焼室（１）に高温水噴射電磁弁（８７Ａａ）より水噴射させることで、蒸気機関としても短時間使用可能としたＨ型エネルギ保存サイクル機関。
【請求項７９０】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を超臨界圧力高温水として縮径主燃焼室（１）に高温水噴射電磁弁（８７Ａａ）より水噴射させることで、蒸気機関としても短時間使用可能としたＤ型エネルギ保存サイクル機関。
【請求項７９１】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を超臨界圧力高温水として縮径主燃焼室（１）に高温水噴射電磁弁（８７Ａａ）より水噴射させることで、蒸気機関としても短時間使用可能としたＥ型エネルギ保存サイクル機関。
【請求項７９２】
電磁加熱縮径ピストン（２２）の拡径部に高温水噴射電磁弁（８７Ａｂ）ノズルの嵌入用凹部（８６）を具備し、送水ポンプ兼磁気摩擦動力伝達装置（５５）により昇圧した水を超臨界圧力高温水として縮径主燃焼室（１）に高温水噴射電磁弁（８７Ａａ）より水噴射させることで、蒸気機関としても短時間使用可能としたエネルギ保存サイクル機関。
【請求項７９３】
電磁加熱縮径ピストン（２２）の拡径部に高温水噴射電磁弁（８７Ａｂ）の嵌入用凹部（８６）を具備し、適宜に昇圧した水を超臨界圧力高温水として縮径主燃焼室（１）に高温水噴射電磁弁（８７Ａａ）より水噴射させることで、蒸気機関としても短時間使用可能としたＨ型エネルギ保存サイクル機関。
【請求項７９４】
電磁加熱縮径ピストン（２２）の拡径部に高温水噴射電磁弁（８７Ａｂ）の嵌入用凹部（８６）を具備し、適宜に昇圧した水を超臨界圧力高温水として縮径主燃焼室（１）に高温水噴射電磁弁（８７Ａａ）より水噴射させることで、蒸気機関としても短時間使用可能としたＤ型エネルギ保存サイクル機関。
【請求項７９５】
電磁加熱縮径ピストン（２２）の拡径部に高温水噴射電磁弁（８７Ａｂ）の嵌入用凹部（８６）を具備し、適宜に昇圧した水を超臨界圧力高温水として縮径主燃焼室（１）に高温水噴射電磁弁（８７Ａａ）より水噴射させることで、蒸気機関としても短時間使用可能としたＥ型エネルギ保存サイクル機関。
【請求項７９６】
電磁加熱縮径ピストン（２２）の拡径部に高温水噴射電磁弁（８７Ａｂ）の嵌入用凹部（８６）を具備し、適宜に昇圧した水を超臨界圧力高温水として縮径主燃焼室（１）に高温水噴射電磁弁（８７Ａａ）より水噴射させることで、蒸気機関としても短時間使用可能としたエネルギ保存サイクル機関。
【請求項７９７】
電磁加熱縮径ピストン（２２）の拡径部に高温水噴射電磁弁（８７Ａｂ）ノズルの嵌入用凹部（８６）を具備し、適宜に昇圧した水を超臨界圧力高温水として縮径主燃焼室（１）に高温水噴射電磁弁（８７Ａａ）より水噴射させることで、蒸気機関としても短時間使用可能としたＨ型エネルギ保存サイクル機関。
【請求項７９８】
電磁加熱縮径ピストン（２２）の拡径部に高温水噴射電磁弁（８７Ａｂ）ノズルの嵌入用凹部（８６）を具備し、適宜に昇圧した水を超臨界圧力高温水として縮径主燃焼室（１）に高温水噴射電磁弁（８７Ａａ）より水噴射させることで、蒸気機関としても短時間使用可能としたＤ型エネルギ保存サイクル機関。
【請求項７９９】
電磁加熱縮径ピストン（２２）の拡径部に高温水噴射電磁弁（８７Ａｂ）ノズルの嵌入用凹部（８６）を具備し、適宜に昇圧した水を超臨界圧力高温水として縮径主燃焼室（１）に高温水噴射電磁弁（８７Ａａ）より水噴射させることで、蒸気機関としても短時間使用可能としたＥ型エネルギ保存サイクル機関。
【請求項８００】
電磁加熱縮径ピストン（２２）の拡径部に高温水噴射電磁弁（８７Ａｂ）ノズルの嵌入用凹部（８６）を具備し、適宜に昇圧した水を超臨界圧力高温水として縮径主燃焼室（１）に高温水噴射電磁弁（８７Ａａ）より水噴射させることで、蒸気機関としても短時間使用可能としたエネルギ保存サイクル機関。
【請求項８０１】
送水ポンプ兼磁気摩擦動力伝達装置（５５）により昇圧した水を超臨界圧力高温水として縮径主燃焼室（１）に高温水噴射電磁弁（８７Ａａ）より水噴射すると共に、電磁加熱縮径ピストン（２２）の拡径部に高温水噴射電磁弁（８７Ａｂ）の嵌入用凹部（８６）を具備し、拡径部に直接高温水噴射することで、蒸気機関としても短時間使用可能としたＨ型エネルギ保存サイクル機関。
【請求項８０２】
送水ポンプ兼磁気摩擦動力伝達装置（５５）により昇圧した水を超臨界圧力高温水として縮径主燃焼室（１）に高温水噴射電磁弁（８７Ａａ）より水噴射すると共に、電磁加熱縮径ピストン（２２）の拡径部に高温水噴射電磁弁（８７Ａｂ）の嵌入用凹部（８６）を具備し、拡径部に直接高温水噴射することで、蒸気機関としても短時間使用可能としたＤ型エネルギ保存サイクル機関。
【請求項８０３】
送水ポンプ兼磁気摩擦動力伝達装置（５５）により昇圧した水を超臨界圧力高温水として縮径主燃焼室（１）に高温水噴射電磁弁（８７Ａａ）より水噴射すると共に、電磁加熱縮径ピストン（２２）の拡径部に高温水噴射電磁弁（８７Ａｂ）の嵌入用凹部（８６）を具備し、拡径部に直接高温水噴射することで、蒸気機関としても短時間使用可能としたＥ型エネルギ保存サイクル機関。
【請求項８０４】
送水ポンプ兼磁気摩擦動力伝達装置（５５）により昇圧した水を超臨界圧力高温水として縮径主燃焼室（１）に高温水噴射電磁弁（８７Ａａ）より水噴射すると共に、電磁加熱縮径ピストン（２２）の拡径部に高温水噴射電磁弁（８７Ａｂ）の嵌入用凹部（８６）を具備し、拡径部に直接高温水噴射することで、蒸気機関としても短時間使用可能としたエネルギ保存サイクル機関。
【請求項８０５】
送水ポンプ兼磁気摩擦動力伝達装置（５５）により昇圧した水を超臨界圧力高温水として縮径主燃焼室（１）に高温水噴射電磁弁（８７Ａａ）より水噴射すると共に、電磁加熱縮径ピストン（２２）の拡径部に高温水噴射電磁弁（８７Ａｂ）ノズルの嵌入用凹部（８６）を具備し、拡径部に直接高温水噴射することで、蒸気機関としても短時間使用可能としたＨ型エネルギ保存サイクル機関。
【請求項８０６】
送水ポンプ兼磁気摩擦動力伝達装置（５５）により昇圧した水を超臨界圧力高温水として縮径主燃焼室（１）に高温水噴射電磁弁（８７Ａａ）より水噴射すると共に、電磁加熱縮径ピストン（２２）の拡径部に高温水噴射電磁弁（８７Ａｂ）ノズルの嵌入用凹部（８６）を具備し、拡径部に直接高温水噴射することで、蒸気機関としても短時間使用可能としたＤ型エネルギ保存サイクル機関。
【請求項８０７】
送水ポンプ兼磁気摩擦動力伝達装置（５５）により昇圧した水を超臨界圧力高温水として縮径主燃焼室（１）に高温水噴射電磁弁（８７Ａａ）より水噴射すると共に、電磁加熱縮径ピストン（２２）の拡径部に高温水噴射電磁弁（８７Ａｂ）ノズルの嵌入用凹部（８６）を具備し、拡径部に直接高温水噴射することで、蒸気機関としても短時間使用可能としたＥ型エネルギ保存サイクル機関。
【請求項８０８】
送水ポンプ兼磁気摩擦動力伝達装置（５５）により昇圧した水を超臨界圧力高温水として縮径主燃焼室（１）に高温水噴射電磁弁（８７Ａａ）より水噴射すると共に、電磁加熱縮径ピストン（２２）の拡径部に高温水噴射電磁弁（８７Ａｂ）ノズルの嵌入用凹部（８６）を具備し、拡径部に直接高温水噴射することで、蒸気機関としても短時間使用可能としたエネルギ保存サイクル機関。
【請求項８０９】
適宜に昇圧した水を超臨界圧力高温水として縮径主燃焼室（１）に高温水噴射電磁弁（８７Ａａ）より水噴射すると共に、電磁加熱縮径ピストン（２２）の拡径部に高温水噴射電磁弁（８７Ａｂ）の嵌入用凹部（８６）を具備し、拡径部に直接高温水噴射することで、蒸気機関としても短時間使用可能としたＨ型エネルギ保存サイクル機関。
【請求項８１０】
適宜に昇圧した水を超臨界圧力高温水として縮径主燃焼室（１）に高温水噴射電磁弁（８７Ａａ）より水噴射すると共に、電磁加熱縮径ピストン（２２）の拡径部に高温水噴射電磁弁（８７Ａｂ）の嵌入用凹部（８６）を具備し、拡径部に直接高温水噴射することで、蒸気機関としても短時間使用可能としたＤ型エネルギ保存サイクル機関。
【請求項８１１】
適宜に昇圧した水を超臨界圧力高温水として縮径主燃焼室（１）に高温水噴射電磁弁（８７Ａａ）より水噴射すると共に、電磁加熱縮径ピストン（２２）の拡径部に高温水噴射電磁弁（８７Ａｂ）の嵌入用凹部（８６）を具備し、拡径部に直接高温水噴射することで、蒸気機関としても短時間使用可能としたＥ型エネルギ保存サイクル機関。
【請求項８１２】
適宜に昇圧した水を超臨界圧力高温水として縮径主燃焼室（１）に高温水噴射電磁弁（８７Ａａ）より水噴射すると共に、電磁加熱縮径ピストン（２２）の拡径部に高温水噴射電磁弁（８７Ａｂ）の嵌入用凹部（８６）を具備し、拡径部に直接高温水噴射することで、蒸気機関としても短時間使用可能としたエネルギ保存サイクル機関。
【請求項８１３】
適宜に昇圧した水を超臨界圧力高温水として縮径主燃焼室（１）に高温水噴射電磁弁（８７Ａａ）より水噴射すると共に、電磁加熱縮径ピストン（２２）の拡径部に高温水噴射電磁弁（８７Ａｂ）ノズルの嵌入用凹部（８６）を具備し、拡径部に直接高温水噴射することで、蒸気機関としても短時間使用可能としたＨ型エネルギ保存サイクル機関。
【請求項８１４】
適宜に昇圧した水を超臨界圧力高温水として縮径主燃焼室（１）に高温水噴射電磁弁（８７Ａａ）より水噴射すると共に、電磁加熱縮径ピストン（２２）の拡径部に高温水噴射電磁弁（８７Ａｂ）ノズルの嵌入用凹部（８６）を具備し、拡径部に直接高温水噴射することで、蒸気機関としても短時間使用可能としたＤ型エネルギ保存サイクル機関。
【請求項８１５】
適宜に昇圧した水を超臨界圧力高温水として縮径主燃焼室（１）に高温水噴射電磁弁（８７Ａａ）より水噴射すると共に、電磁加熱縮径ピストン（２２）の拡径部に高温水噴射電磁弁（８７Ａｂ）ノズルの嵌入用凹部（８６）を具備し、拡径部に直接高温水噴射することで、蒸気機関としても短時間使用可能としたＥ型エネルギ保存サイクル機関。
【請求項８１６】
適宜に昇圧した水を超臨界圧力高温水として縮径主燃焼室（１）に高温水噴射電磁弁（８７Ａａ）より水噴射すると共に、電磁加熱縮径ピストン（２２）の拡径部に高温水噴射電磁弁（８７Ａｂ）ノズルの嵌入用凹部（８６）を具備し、拡径部に直接高温水噴射することで、蒸気機関としても短時間使用可能としたエネルギ保存サイクル機関。
【請求項８１７】
送水ポンプ兼磁気摩擦動力伝達装置（５５）により昇圧した水を超臨界圧力高温水として縮径主燃焼室（１）に高温水噴射電磁弁（８７Ａａ）より水噴射すると共に、電磁加熱縮径ピストン（２２）の拡径部に高温水噴射電磁弁（８７Ａｂ）の嵌入用凹部（８６）を具備し、嵌入用凹部に嵌合自在に設けた高温水噴射電磁弁（８７Ａｂ）より拡径部に直接高温水噴射することで、蒸気機関としても短時間使用可能としたＨ型エネルギ保存サイクル機関。
【請求項８１８】
送水ポンプ兼磁気摩擦動力伝達装置（５５）により昇圧した水を超臨界圧力高温水として縮径主燃焼室（１）に高温水噴射電磁弁（８７Ａａ）より水噴射すると共に、電磁加熱縮径ピストン（２２）の拡径部に高温水噴射電磁弁（８７Ａｂ）の嵌入用凹部（８６）を具備し、嵌入用凹部に嵌合自在に設けた高温水噴射電磁弁（８７Ａｂ）より拡径部に直接高温水噴射することで、蒸気機関としても短時間使用可能としたＤ型エネルギ保存サイクル機関。
【請求項８１９】
送水ポンプ兼磁気摩擦動力伝達装置（５５）により昇圧した水を超臨界圧力高温水として縮径主燃焼室（１）に高温水噴射電磁弁（８７Ａａ）より水噴射すると共に、電磁加熱縮径ピストン（２２）の拡径部に高温水噴射電磁弁（８７Ａｂ）の嵌入用凹部（８６）を具備し、嵌入用凹部に嵌合自在に設けた高温水噴射電磁弁（８７Ａｂ）より拡径部に直接高温水噴射することで、蒸気機関としても短時間使用可能としたＥ型エネルギ保存サイクル機関。
【請求項８２０】
送水ポンプ兼磁気摩擦動力伝達装置（５５）により昇圧した水を超臨界圧力高温水として縮径主燃焼室（１）に高温水噴射電磁弁（８７Ａａ）より水噴射すると共に、電磁加熱縮径ピストン（２２）の拡径部に高温水噴射電磁弁（８７Ａｂ）の嵌入用凹部（８６）を具備し、嵌入用凹部に嵌合自在に設けた高温水噴射電磁弁（８７Ａｂ）より拡径部に直接高温水噴射することで、蒸気機関としても短時間使用可能としたエネルギ保存サイクル機関。
【請求項８２１】
送水ポンプ兼磁気摩擦動力伝達装置（５５）により昇圧した水を超臨界圧力高温水として縮径主燃焼室（１）に高温水噴射電磁弁（８７Ａａ）より水噴射すると共に、電磁加熱縮径ピストン（２２）の拡径部に高温水噴射電磁弁（８７Ａｂ）ノズルの嵌入用凹部（８６）を具備し、嵌入用凹部に嵌合自在に設けた高温水噴射電磁弁（８７Ａｂ）より拡径部に直接高温水噴射することで、蒸気機関としても短時間使用可能としたＨ型エネルギ保存サイクル機関。
【請求項８２２】
送水ポンプ兼磁気摩擦動力伝達装置（５５）により昇圧した水を超臨界圧力高温水として縮径主燃焼室（１）に高温水噴射電磁弁（８７Ａａ）より水噴射すると共に、電磁加熱縮径ピストン（２２）の拡径部に高温水噴射電磁弁（８７Ａｂ）ノズルの嵌入用凹部（８６）を具備し、嵌入用凹部に嵌合自在に設けた高温水噴射電磁弁（８７Ａｂ）より拡径部に直接高温水噴射することで、蒸気機関としても短時間使用可能としたＤ型エネルギ保存サイクル機関。
【請求項８２３】
送水ポンプ兼磁気摩擦動力伝達装置（５５）により昇圧した水を超臨界圧力高温水として縮径主燃焼室（１）に高温水噴射電磁弁（８７Ａａ）より水噴射すると共に、電磁加熱縮径ピストン（２２）の拡径部に高温水噴射電磁弁（８７Ａｂ）ノズルの嵌入用凹部（８６）を具備し、嵌入用凹部に嵌合自在に設けた高温水噴射電磁弁（８７Ａｂ）より拡径部に直接高温水噴射することで、蒸気機関としても短時間使用可能としたＥ型エネルギ保存サイクル機関。
【請求項８２４】
送水ポンプ兼磁気摩擦動力伝達装置（５５）により昇圧した水を超臨界圧力高温水として縮径主燃焼室（１）に高温水噴射電磁弁（８７Ａａ）より水噴射すると共に、電磁加熱縮径ピストン（２２）の拡径部に高温水噴射電磁弁（８７Ａｂ）ノズルの嵌入用凹部（８６）を具備し、嵌入用凹部に嵌合自在に設けた高温水噴射電磁弁（８７Ａｂ）より拡径部に直接高温水噴射することで、蒸気機関としても短時間使用可能としたエネルギ保存サイクル機関。
【請求項８２５】
適宜に昇圧した水を超臨界圧力高温水として縮径主燃焼室（１）に高温水噴射電磁弁（８７Ａａ）より水噴射すると共に、電磁加熱縮径ピストン（２２）の拡径部に高温水噴射電磁弁（８７Ａｂ）の嵌入用凹部（８６）を具備し、嵌入用凹部に嵌合自在に設けた高温水噴射電磁弁（８７Ａｂ）より拡径部に直接高温水噴射することで、蒸気機関としても短時間使用可能としたＨ型エネルギ保存サイクル機関。
【請求項８２６】
適宜に昇圧した水を超臨界圧力高温水として縮径主燃焼室（１）に高温水噴射電磁弁（８７Ａａ）より水噴射すると共に、電磁加熱縮径ピストン（２２）の拡径部に高温水噴射電磁弁（８７Ａｂ）の嵌入用凹部（８６）を具備し、嵌入用凹部に嵌合自在に設けた高温水噴射電磁弁（８７Ａｂ）より拡径部に直接高温水噴射することで、蒸気機関としても短時間使用可能としたＤ型エネルギ保存サイクル機関。
【請求項８２７】
適宜に昇圧した水を超臨界圧力高温水として縮径主燃焼室（１）に高温水噴射電磁弁（８７Ａａ）より水噴射すると共に、電磁加熱縮径ピストン（２２）の拡径部に高温水噴射電磁弁（８７Ａｂ）の嵌入用凹部（８６）を具備し、嵌入用凹部に嵌合自在に設けた高温水噴射電磁弁（８７Ａｂ）より拡径部に直接高温水噴射することで、蒸気機関としても短時間使用可能としたＥ型エネルギ保存サイクル機関。
【請求項８２８】
適宜に昇圧した水を超臨界圧力高温水として縮径主燃焼室（１）に高温水噴射電磁弁（８７Ａａ）より水噴射すると共に、電磁加熱縮径ピストン（２２）の拡径部に高温水噴射電磁弁（８７Ａｂ）の嵌入用凹部（８６）を具備し、嵌入用凹部に嵌合自在に設けた高温水噴射電磁弁（８７Ａｂ）より拡径部に直接高温水噴射することで、蒸気機関としても短時間使用可能としたエネルギ保存サイクル機関。
【請求項８２９】
適宜に昇圧した水を超臨界圧力高温水として縮径主燃焼室（１）に高温水噴射電磁弁（８７Ａａ）より水噴射すると共に、電磁加熱縮径ピストン（２２）の拡径部に高温水噴射電磁弁（８７Ａｂ）ノズルの嵌入用凹部（８６）を具備し、嵌入用凹部に嵌合自在に設けた高温水噴射電磁弁（８７Ａｂ）より拡径部に直接高温水噴射することで、蒸気機関としても短時間使用可能としたＨ型エネルギ保存サイクル機関。
【請求項８３０】
適宜に昇圧した水を超臨界圧力高温水として縮径主燃焼室（１）に高温水噴射電磁弁（８７Ａａ）より水噴射すると共に、電磁加熱縮径ピストン（２２）の拡径部に高温水噴射電磁弁（８７Ａｂ）ノズルの嵌入用凹部（８６）を具備し、嵌入用凹部に嵌合自在に設けた高温水噴射電磁弁（８７Ａｂ）より拡径部に直接高温水噴射することで、蒸気機関としても短時間使用可能としたＤ型エネルギ保存サイクル機関。
【請求項８３１】
適宜に昇圧した水を超臨界圧力高温水として縮径主燃焼室（１）に高温水噴射電磁弁（８７Ａａ）より水噴射すると共に、電磁加熱縮径ピストン（２２）の拡径部に高温水噴射電磁弁（８７Ａｂ）ノズルの嵌入用凹部（８６）を具備し、嵌入用凹部に嵌合自在に設けた高温水噴射電磁弁（８７Ａｂ）より拡径部に直接高温水噴射することで、蒸気機関としても短時間使用可能としたＥ型エネルギ保存サイクル機関。
【請求項８３２】
適宜に昇圧した水を超臨界圧力高温水として縮径主燃焼室（１）に高温水噴射電磁弁（８７Ａａ）より水噴射すると共に、電磁加熱縮径ピストン（２２）の拡径部に高温水噴射電磁弁（８７Ａｂ）ノズルの嵌入用凹部（８６）を具備し、嵌入用凹部に嵌合自在に設けた高温水噴射電磁弁（８７Ａｂ）より拡径部に直接高温水噴射することで、蒸気機関としても短時間使用可能としたエネルギ保存サイクル機関。
【請求項８３３】
電磁加熱縮径ピストン（２２）の拡径部に高温水噴射電磁弁（８７Ａｂ）の嵌入用凹部（８６）を具備し、送水ポンプ（７５）により昇圧した水を縮径主燃焼室（１）に高温水噴射電磁弁（８７Ａａ）より水噴射燃焼させるＨ型エネルギ保存サイクル機関。
【請求項８３４】
電磁加熱縮径ピストン（２２）の拡径部に高温水噴射電磁弁（８７Ａｂ）の嵌入用凹部（８６）を具備し、送水ポンプ（７５）により昇圧した水を縮径主燃焼室（１）に高温水噴射電磁弁（８７Ａａ）より水噴射燃焼させるＤ型エネルギ保存サイクル機関。
【請求項８３５】
電磁加熱縮径ピストン（２２）の拡径部に高温水噴射電磁弁（８７Ａｂ）の嵌入用凹部（８６）を具備し、送水ポンプ（７５）により昇圧した水を縮径主燃焼室（１）に高温水噴射電磁弁（８７Ａａ）より水噴射燃焼させるＥ型エネルギ保存サイクル機関。
【請求項８３６】
電磁加熱縮径ピストン（２２）の拡径部に高温水噴射電磁弁（８７Ａｂ）の嵌入用凹部（８６）を具備し、送水ポンプ（７５）により昇圧した水を縮径主燃焼室（１）に高温水噴射電磁弁（８７Ａａ）より水噴射燃焼させるエネルギ保存サイクル機関。
【請求項８３７】
電磁加熱縮径ピストン（２２）の拡径部に高温水噴射電磁弁（８７Ａｂ）ノズルの嵌入用凹部（８６）を具備し、送水ポンプ（７５）により昇圧した水を縮径主燃焼室（１）に高温水噴射電磁弁（８７Ａａ）より水噴射燃焼させるＨ型エネルギ保存サイクル機関。
【請求項８３８】
電磁加熱縮径ピストン（２２）の拡径部に高温水噴射電磁弁（８７Ａｂ）ノズルの嵌入用凹部（８６）を具備し、送水ポンプ（７５）により昇圧した水を縮径主燃焼室（１）に高温水噴射電磁弁（８７Ａａ）より水噴射燃焼させるＤ型エネルギ保存サイクル機関。
【請求項８３９】
電磁加熱縮径ピストン（２２）の拡径部に高温水噴射電磁弁（８７Ａｂ）ノズルの嵌入用凹部（８６）を具備し、送水ポンプ（７５）により昇圧した水を縮径主燃焼室（１）に高温水噴射電磁弁（８７Ａａ）より水噴射燃焼させるＥ型エネルギ保存サイクル機関。
【請求項８４０】
電磁加熱縮径ピストン（２２）の拡径部に高温水噴射電磁弁（８７Ａｂ）ノズルの嵌入用凹部（８６）を具備し、送水ポンプ（７５）により昇圧した水を縮径主燃焼室（１）に高温水噴射電磁弁（８７Ａａ）より水噴射燃焼させるエネルギ保存サイクル機関。
【請求項８４１】
電磁加熱縮径ピストン（２２）の拡径部に高温水噴射電磁弁（８７Ａｂ）の嵌入用凹部（８６）を具備し、適宜に昇圧した水を縮径主燃焼室（１）に高温水噴射電磁弁（８７Ａａ）より水噴射燃焼させるＨ型エネルギ保存サイクル機関。
【請求項８４２】
電磁加熱縮径ピストン（２２）の拡径部に高温水噴射電磁弁（８７Ａｂ）の嵌入用凹部（８６）を具備し、適宜に昇圧した水を縮径主燃焼室（１）に高温水噴射電磁弁（８７Ａａ）より水噴射燃焼させるＤ型エネルギ保存サイクル機関。
【請求項８４３】
電磁加熱縮径ピストン（２２）の拡径部に高温水噴射電磁弁（８７Ａｂ）の嵌入用凹部（８６）を具備し、適宜に昇圧した水を縮径主燃焼室（１）に高温水噴射電磁弁（８７Ａａ）より水噴射燃焼させるＥ型エネルギ保存サイクル機関。
【請求項８４４】
電磁加熱縮径ピストン（２２）の拡径部に高温水噴射電磁弁（８７Ａｂ）の嵌入用凹部（８６）を具備し、適宜に昇圧した水を縮径主燃焼室（１）に高温水噴射電磁弁（８７Ａａ）より水噴射燃焼させるエネルギ保存サイクル機関。
【請求項８４５】
電磁加熱縮径ピストン（２２）の拡径部に高温水噴射電磁弁（８７Ａｂ）ノズルの嵌入用凹部（８６）を具備し、適宜に昇圧した水を縮径主燃焼室（１）に高温水噴射電磁弁（８７Ａａ）より水噴射燃焼させるＨ型エネルギ保存サイクル機関。
【請求項８４６】
電磁加熱縮径ピストン（２２）の拡径部に高温水噴射電磁弁（８７Ａｂ）ノズルの嵌入用凹部（８６）を具備し、適宜に昇圧した水を縮径主燃焼室（１）に高温水噴射電磁弁（８７Ａａ）より水噴射燃焼させるＤ型エネルギ保存サイクル機関。
【請求項８４７】
電磁加熱縮径ピストン（２２）の拡径部に高温水噴射電磁弁（８７Ａｂ）ノズルの嵌入用凹部（８６）を具備し、適宜に昇圧した水を縮径主燃焼室（１）に高温水噴射電磁弁（８７Ａａ）より水噴射燃焼させるＥ型エネルギ保存サイクル機関。
【請求項８４８】
電磁加熱縮径ピストン（２２）の拡径部に高温水噴射電磁弁（８７Ａｂ）ノズルの嵌入用凹部（８６）を具備し、適宜に昇圧した水を縮径主燃焼室（１）に高温水噴射電磁弁（８７Ａａ）より水噴射燃焼させるエネルギ保存サイクル機関。
【請求項８４９】
送水ポンプ（７５）により昇圧した水を加熱高温として、縮径主燃焼室（１）に水噴射燃焼させると共に、電磁加熱縮径ピストン（２２）の拡径部に高温水噴射電磁弁（８７Ａｂ）ノズルの嵌入用凹部（８６）を具備し、拡径部に直接水噴射するＨ型エネルギ保存サイクル機関。
【請求項８５０】
送水ポンプ（７５）により昇圧した水を加熱高温として、縮径主燃焼室（１）に水噴射燃焼させると共に、電磁加熱縮径ピストン（２２）の拡径部に高温水噴射電磁弁（８７Ａｂ）ノズルの嵌入用凹部（８６）を具備し、拡径部に直接水噴射するＤ型エネルギ保存サイクル機関。
【請求項８５１】
送水ポンプ（７５）により昇圧した水を加熱高温として、縮径主燃焼室（１）に水噴射燃焼させると共に、電磁加熱縮径ピストン（２２）の拡径部に高温水噴射電磁弁（８７Ａｂ）ノズルの嵌入用凹部（８６）を具備し、拡径部に直接水噴射するＥ型エネルギ保存サイクル機関。
【請求項８５２】
送水ポンプ（７５）により昇圧した水を加熱高温として、縮径主燃焼室（１）に水噴射燃焼させると共に、電磁加熱縮径ピストン（２２）の拡径部に高温水噴射電磁弁（８７Ａｂ）ノズルの嵌入用凹部（８６）を具備し、拡径部に直接水噴射するエネルギ保存サイクル機関。
【請求項８５３】
送水ポンプ（７５）により昇圧した水を加熱高温として、縮径主燃焼室（１）に水噴射燃焼させると共に、電磁加熱縮径ピストン（２２）の拡径部に高温水噴射電磁弁（８７Ａｂ）ノズルの嵌入用凹部（８６）を具備し、嵌入用凹部に嵌合自在に設けた高温水噴射電磁弁（８７Ａｂ）より拡径部に直接水噴射するＨ型エネルギ保存サイクル機関。
【請求項８５４】
送水ポンプ（７５）により昇圧した水を加熱高温として、縮径主燃焼室（１）に水噴射燃焼させると共に、電磁加熱縮径ピストン（２２）の拡径部に高温水噴射電磁弁（８７Ａｂ）ノズルの嵌入用凹部（８６）を具備し、嵌入用凹部に嵌合自在に設けた高温水噴射電磁弁（８７Ａｂ）より拡径部に直接水噴射するＤ型エネルギ保存サイクル機関。
【請求項８５５】
送水ポンプ（７５）により昇圧した水を加熱高温として、縮径主燃焼室（１）に水噴射燃焼させると共に、電磁加熱縮径ピストン（２２）の拡径部に高温水噴射電磁弁（８７Ａｂ）ノズルの嵌入用凹部（８６）を具備し、嵌入用凹部に嵌合自在に設けた高温水噴射電磁弁（８７Ａｂ）より拡径部に直接水噴射するＥ型エネルギ保存サイクル機関。
【請求項８５６】
送水ポンプ（７５）により昇圧した水を加熱高温として、縮径主燃焼室（１）に水噴射燃焼させると共に、電磁加熱縮径ピストン（２２）の拡径部に高温水噴射電磁弁（８７Ａｂ）ノズルの嵌入用凹部（８６）を具備し、嵌入用凹部に嵌合自在に設けた高温水噴射電磁弁（８７Ａｂ）より拡径部に直接水噴射するエネルギ保存サイクル機関。
【請求項８５７】
電磁加熱縮径ピストン（２２）の拡径部に高温水噴射電磁弁（８７Ａｂ）ノズルの嵌入用凹部（８６）を具備し、送水ポンプ（７５）により昇圧した水を加熱高温として、縮径主燃焼室（１）に高温水噴射電磁弁（８７Ａａ）より高温水噴射燃焼させるＨ型エネルギ保存サイクル機関。
【請求項８５８】
電磁加熱縮径ピストン（２２）の拡径部に高温水噴射電磁弁（８７Ａｂ）ノズルの嵌入用凹部（８６）を具備し、送水ポンプ（７５）により昇圧した水を加熱高温として、縮径主燃焼室（１）に高温水噴射電磁弁（８７Ａａ）より水噴射燃焼させるＤ型エネルギ保存サイクル機関。
【請求項８５９】
電磁加熱縮径ピストン（２２）の拡径部に高温水噴射電磁弁（８７Ａｂ）ノズルの嵌入用凹部（８６）を具備し、送水ポンプ（７５）により昇圧した水を加熱高温として、縮径主燃焼室（１）に高温水噴射電磁弁（８７Ａａ）より水噴射燃焼させるＥ型エネルギ保存サイクル機関。
【請求項８６０】
電磁加熱縮径ピストン（２２）の拡径部に高温水噴射電磁弁（８７Ａｂ）ノズルの嵌入用凹部（８６）を具備し、送水ポンプ（７５）により昇圧した水を加熱高温として、縮径主燃焼室（１）に高温水噴射電磁弁（８７Ａａ）より水噴射燃焼させるエネルギ保存サイクル機関。
【請求項８６１】
電磁加熱縮径ピストン（２２）の拡径部に高温水噴射電磁弁（８７Ａｂ）ノズルの嵌入用凹部（８６）を具備し、送水ポンプ（７５）により昇圧した水を超臨界圧力高温水として、縮径主燃焼室（１）に高温水噴射電磁弁（８７Ａａ）より超臨界圧力高温水噴射燃焼させるＨ型エネルギ保存サイクル機関。
【請求項８６２】
電磁加熱縮径ピストン（２２）の拡径部に高温水噴射電磁弁（８７Ａｂ）ノズルの嵌入用凹部（８６）を具備し、送水ポンプ（７５）により昇圧した水を超臨界圧力高温水として、縮径主燃焼室（１）に高温水噴射電磁弁（８７Ａａ）より超臨界圧力高温水噴射燃焼させるＤ型エネルギ保存サイクル機関。
【請求項８６３】
電磁加熱縮径ピストン（２２）の拡径部に高温水噴射電磁弁（８７Ａｂ）ノズルの嵌入用凹部（８６）を具備し、送水ポンプ（７５）により昇圧した水を超臨界圧力高温水として、縮径主燃焼室（１）に高温水噴射電磁弁（８７Ａａ）より超臨界圧力高温水噴射燃焼させるＥ型エネルギ保存サイクル機関。
【請求項８６４】
電磁加熱縮径ピストン（２２）の拡径部に高温水噴射電磁弁（８７Ａｂ）ノズルの嵌入用凹部（８６）を具備し、送水ポンプ（７５）により昇圧した水を超臨界圧力高温水として、縮径主燃焼室（１）に高温水噴射電磁弁（８７Ａａ）より超臨界圧力高温水噴射燃焼させるエネルギ保存サイクル機関。
【請求項８６５】
電磁加熱縮径ピストン（２２）の拡径部に高温水噴射電磁弁（８７Ａｂ）ノズルの嵌入用凹部（８６）を具備し、送水ポンプ（７５）により昇圧した水を加熱高温として、縮径主燃焼室（１）に高温水噴射電磁弁（８７Ａａ）より水噴射することで、蒸気機関としても短時間使用可能としたＨ型エネルギ保存サイクル機関。
【請求項８６６】
電磁加熱縮径ピストン（２２）の拡径部に高温水噴射電磁弁（８７Ａｂ）ノズルの嵌入用凹部（８６）を具備し、送水ポンプ（７５）により昇圧した水を加熱高温として、縮径主燃焼室（１）に高温水噴射電磁弁（８７Ａａ）より水噴射することで、蒸気機関としても短時間使用可能としたＤ型エネルギ保存サイクル機関。
【請求項８６７】
電磁加熱縮径ピストン（２２）の拡径部に高温水噴射電磁弁（８７Ａｂ）ノズルの嵌入用凹部（８６）を具備し、送水ポンプ（７５）により昇圧した水を加熱高温として、縮径主燃焼室（１）に高温水噴射電磁弁（８７Ａａ）より水噴射することで、蒸気機関としても短時間使用可能としたＥ型エネルギ保存サイクル機関。
【請求項８６８】
電磁加熱縮径ピストン（２２）の拡径部に高温水噴射電磁弁（８７Ａｂ）ノズルの嵌入用凹部（８６）を具備し、送水ポンプ（７５）により昇圧した水を加熱高温として、縮径主燃焼室（１）に高温水噴射電磁弁（８７Ａａ）より水噴射することで、蒸気機関としても短時間使用可能としたエネルギ保存サイクル機関。
【請求項８６９】
動力伝達装置として使用する送水ポンプ兼磁気摩擦動力伝達装置（５５）により昇圧した水を、縮径主燃焼室（１）に高温水噴射電磁弁（８７Ａａ）より高温水噴射燃焼させると共に、電磁加熱縮径ピストン（２２）の拡径部に高温水噴射電磁弁（８７Ａｂ）ノズルの嵌入用凹部（８６）を具備し、高温水噴射電磁弁（８７Ａｂ）より拡径部に直接高温水噴射するＨ型エネルギ保存サイクル機関。
【請求項８７０】
動力伝達装置として使用する送水ポンプ兼磁気摩擦動力伝達装置（５５）により昇圧した水を、縮径主燃焼室（１）に高温水噴射電磁弁（８７Ａａ）より高温水噴射燃焼させると共に、電磁加熱縮径ピストン（２２）の拡径部に高温水噴射電磁弁（８７Ａｂ）ノズルの嵌入用凹部（８６）を具備し、高温水噴射電磁弁（８７Ａｂ）より拡径部に直接高温水噴射するＤ型エネルギ保存サイクル機関。
【請求項８７１】
動力伝達装置として使用する送水ポンプ兼磁気摩擦動力伝達装置（５５）により昇圧した水を、縮径主燃焼室（１）に高温水噴射電磁弁（８７Ａａ）より高温水噴射燃焼させると共に、電磁加熱縮径ピストン（２２）の拡径部に高温水噴射電磁弁（８７Ａｂ）ノズルの嵌入用凹部（８６）を具備し、高温水噴射電磁弁（８７Ａｂ）より拡径部に直接高温水噴射するＥ型エネルギ保存サイクル機関。
【請求項８７２】
動力伝達装置として使用する送水ポンプ兼磁気摩擦動力伝達装置（５５）により昇圧した水を、縮径主燃焼室（１）に高温水噴射電磁弁（８７Ａａ）より高温水噴射燃焼させると共に、電磁加熱縮径ピストン（２２）の拡径部に高温水噴射電磁弁（８７Ａｂ）ノズルの嵌入用凹部（８６）を具備し、高温水噴射電磁弁（８７Ａｂ）より拡径部に直接高温水噴射するエネルギ保存サイクル機関。
【請求項８７３】
動力伝達装置として使用する送水ポンプ兼磁気摩擦動力伝達装置（５５）により昇圧した水を、縮径主燃焼室（１）に高温水噴射電磁弁（８７Ａａ）より高温水噴射燃焼させると共に、電磁加熱縮径ピストン（２２）の拡径部に高温水噴射電磁弁（８７Ａｂ）ノズルの嵌入用凹部（８６）を具備し、嵌入用凹部に嵌合自在に設けた高温水噴射電磁弁（８７Ａｂ）ノズルより拡径部に直接高温水噴射するＨ型エネルギ保存サイクル機関。
【請求項８７４】
動力伝達装置として使用する送水ポンプ兼磁気摩擦動力伝達装置（５５）により昇圧した水を、縮径主燃焼室（１）に高温水噴射電磁弁（８７Ａａ）より高温水噴射燃焼させると共に、電磁加熱縮径ピストン（２２）の拡径部に高温水噴射電磁弁（８７Ａｂ）ノズルの嵌入用凹部（８６）を具備し、嵌入用凹部に嵌合自在に設けた高温水噴射電磁弁（８７Ａｂ）ノズルより拡径部に直接高温水噴射するＤ型エネルギ保存サイクル機関。
【請求項８７５】
動力伝達装置として使用する送水ポンプ兼磁気摩擦動力伝達装置（５５）により昇圧した水を、縮径主燃焼室（１）に高温水噴射電磁弁（８７Ａａ）より高温水噴射燃焼させると共に、電磁加熱縮径ピストン（２２）の拡径部に高温水噴射電磁弁（８７Ａｂ）ノズルの嵌入用凹部（８６）を具備し、嵌入用凹部に嵌合自在に設けた高温水噴射電磁弁（８７Ａｂ）ノズルより拡径部に直接高温水噴射するＥ型エネルギ保存サイクル機関。
【請求項８７６】
動力伝達装置として使用する送水ポンプ兼磁気摩擦動力伝達装置（５５）により昇圧した水を、縮径主燃焼室（１）に高温水噴射電磁弁（８７Ａａ）より高温水噴射燃焼させると共に、電磁加熱縮径ピストン（２２）の拡径部に高温水噴射電磁弁（８７Ａｂ）ノズルの嵌入用凹部（８６）を具備し、嵌入用凹部に嵌合自在に設けた高温水噴射電磁弁（８７Ａｂ）ノズルより拡径部に直接高温水噴射するエネルギ保存サイクル機関。
【請求項８７７】
電磁加熱縮径ピストン（２２）の拡径部に高温水噴射電磁弁（８７Ａｂ）ノズルの嵌入用凹部（８６）を具備し、動力伝達装置として使用する送水ポンプ兼磁気摩擦動力伝達装置（５５）により昇圧した水を、縮径主燃焼室（１）に高温水噴射電磁弁（８７Ａａ）より高温水噴射燃焼させるＨ型エネルギ保存サイクル機関。
【請求項８７８】
電磁加熱縮径ピストン（２２）の拡径部に高温水噴射電磁弁（８７Ａｂ）ノズルの嵌入用凹部（８６）を具備し、動力伝達装置として使用する送水ポンプ兼磁気摩擦動力伝達装置（５５）により昇圧した水を、縮径主燃焼室（１）に高温水噴射電磁弁（８７Ａａ）より高温水噴射燃焼させるＤ型エネルギ保存サイクル機関。
【請求項８７９】
電磁加熱縮径ピストン（２２）の拡径部に高温水噴射電磁弁（８７Ａｂ）ノズルの嵌入用凹部（８６）を具備し、動力伝達装置として使用する送水ポンプ兼磁気摩擦動力伝達装置（５５）により昇圧した水を、縮径主燃焼室（１）に高温水噴射電磁弁（８７Ａａ）より高温水噴射燃焼させるＥ型エネルギ保存サイクル機関。
【請求項８８０】
電磁加熱縮径ピストン（２２）の拡径部に高温水噴射電磁弁（８７Ａｂ）ノズルの嵌入用凹部（８６）を具備し、動力伝達装置として使用する送水ポンプ兼磁気摩擦動力伝達装置（５５）により昇圧した水を、縮径主燃焼室（１）に高温水噴射電磁弁（８７Ａａ）より高温水噴射燃焼させるエネルギ保存サイクル機関。
【請求項８８１】
動力伝達装置として使用する送水ポンプ兼磁気摩擦動力伝達装置（５５）により昇圧した水を、縮径主燃焼室（１）に高温水噴射電磁弁（８７Ａａ）より水噴射燃焼させると共に、電磁加熱縮径ピストン（２２）の拡径部に高温水噴射電磁弁（８７Ａｂ）ノズルの嵌入用凹部（８６）を具備し、拡径部に直接高温水噴射するＨ型エネルギ保存サイクル機関。
【請求項８８２】
動力伝達装置として使用する送水ポンプ兼磁気摩擦動力伝達装置（５５）により昇圧した水を、縮径主燃焼室（１）に高温水噴射電磁弁（８７Ａａ）より水噴射燃焼させると共に、電磁加熱縮径ピストン（２２）の拡径部に高温水噴射電磁弁（８７Ａｂ）ノズルの嵌入用凹部（８６）を具備し、拡径部に直接高温水噴射するＤ型エネルギ保存サイクル機関。
【請求項８８３】
動力伝達装置として使用する送水ポンプ兼磁気摩擦動力伝達装置（５５）により昇圧した水を、縮径主燃焼室（１）に高温水噴射電磁弁（８７Ａａ）より水噴射燃焼させると共に、電磁加熱縮径ピストン（２２）の拡径部に高温水噴射電磁弁（８７Ａｂ）ノズルの嵌入用凹部（８６）を具備し、拡径部に直接高温水噴射するＥ型エネルギ保存サイクル機関。
【請求項８８４】
動力伝達装置として使用する送水ポンプ兼磁気摩擦動力伝達装置（５５）により昇圧した水を、縮径主燃焼室（１）に高温水噴射電磁弁（８７Ａａ）より水噴射燃焼させると共に、電磁加熱縮径ピストン（２２）の拡径部に高温水噴射電磁弁（８７Ａｂ）ノズルの嵌入用凹部（８６）を具備し、拡径部に直接高温水噴射するエネルギ保存サイクル機関。
【請求項８８５】
電磁加熱縮径ピストン（２２）の拡径部に高温水噴射電磁弁（８７Ａｂ）ノズルの嵌入用凹部（８６）を具備し、動力伝達装置として使用する送水ポンプ兼磁気摩擦動力伝達装置（５５）により昇圧した水を加熱高温として、縮径主燃焼室（１）に高温水噴射電磁弁（８７Ａａ）ノズル噴口部（９４）より高温水噴射燃焼させるＨ型エネルギ保存サイクル機関。
【請求項８８６】
電磁加熱縮径ピストン（２２）の拡径部に高温水噴射電磁弁（８７Ａｂ）ノズルの嵌入用凹部（８６）を具備し、動力伝達装置として使用する送水ポンプ兼磁気摩擦動力伝達装置（５５）により昇圧した水を加熱高温として、縮径主燃焼室（１）に高温水噴射電磁弁（８７Ａａ）ノズル噴口部（９４）より高温水噴射燃焼させるＤ型エネルギ保存サイクル機関。
【請求項８８７】
電磁加熱縮径ピストン（２２）の拡径部に高温水噴射電磁弁（８７Ａｂ）ノズルの嵌入用凹部（８６）を具備し、動力伝達装置として使用する送水ポンプ兼磁気摩擦動力伝達装置（５５）により昇圧した水を加熱高温として、縮径主燃焼室（１）に高温水噴射電磁弁（８７Ａａ）ノズル噴口部（９４）より高温水噴射燃焼させるＥ型エネルギ保存サイクル機関。
【請求項８８８】
電磁加熱縮径ピストン（２２）の拡径部に高温水噴射電磁弁（８７Ａｂ）ノズルの嵌入用凹部（８６）を具備し、動力伝達装置として使用する送水ポンプ兼磁気摩擦動力伝達装置（５５）により昇圧した水を加熱高温として、縮径主燃焼室（１）に高温水噴射電磁弁（８７Ａａ）ノズル噴口部（９４）より高温水噴射燃焼させるエネルギ保存サイクル機関。
【請求項８８９】
縮径主燃焼室（１）に具備した高温水噴射電磁弁（８７Ａａ）より高温水を噴射して、気化爆発力により重力パワーを最大にして燃焼温度を低下させると共に、水平継手（３５）を設けて、夫々の拡径燃焼室シリンダ（３６）及び過給室シリンダ（４８）と凹凸（４４）（４４）により嵌合自在に外嵌固着して、下方に設けた排気穴（５）より排気排水することを特徴とするＨ型エネルギ保存サイクル機関。
【請求項８９０】
縮径主燃焼室（１）に具備した高温水噴射電磁弁（８７Ａａ）より高温水を噴射して、気化爆発力により重力パワーを最大にして燃焼温度を低下させると共に、水平継手（３５）を設けて、夫々の拡径燃焼室シリンダ（３６）（３６）と凹凸（４４）（４４）により嵌合自在に外嵌固着して、下方に設けた排気穴（５）より排気排水することを特徴とするＤ型エネルギ保存サイクル機関。
【請求項８９１】
縮径主燃焼室（１）に具備した高温水噴射電磁弁（８７Ａａ）より高温水を噴射して、気化爆発力により重力パワーを最大にして燃焼温度を低下させると共に、水平継手（３５）（３５）を設けて、夫々の拡径燃焼室シリンダ（３６）（３６）（３６）（３６）と凹凸（４４）（４４）（４４）（４４）により嵌合自在に外嵌固着して、下方に設けた排気穴（５）より排気排水することを特徴とするＥ型エネルギ保存サイクル機関。
【請求項８９２】
縮径主燃焼室（１）に具備した高温水噴射電磁弁（８７Ａａ）より高温水を噴射して、気化爆発力により重力パワーを最大にして燃焼温度を低下させて断熱膨張極低温燃焼ガスを核に水分を凝集すると共に、水平継手（３５）を設けて、夫々の拡径燃焼室シリンダ（３６）及び過給室シリンダ（４８）と凹凸（４４）（４４）により嵌合自在に外嵌固着して、下方に設けた排気穴（５）より排気排水することを特徴とするＨ型エネルギ保存サイクル機関。
【請求項８９３】
縮径主燃焼室（１）に具備した高温水噴射電磁弁（８７Ａａ）より高温水を噴射して、気化爆発力により重力パワーを最大にして燃焼温度を低下させて断熱膨張極低温燃焼ガスを核に水分を凝集すると共に、水平継手（３５）を設けて、夫々の拡径燃焼室シリンダ（３６）（３６）と凹凸（４４）（４４）により嵌合自在に外嵌固着して、下方に設けた排気穴（５）より排気排水することを特徴とするＤ型エネルギ保存サイクル機関。
【請求項８９４】
縮径主燃焼室（１）に具備した高温水噴射電磁弁（８７Ａａ）より高温水を噴射して、気化爆発力により重力パワーを最大にして燃焼温度を低下させて断熱膨張極低温燃焼ガスを核に水分を凝集すると共に、水平継手（３５）（３５）を設けて、夫々の拡径燃焼室シリンダ（３６）（３６）（３６）（３６）と凹凸（４４）（４４）（４４）（４４）により嵌合自在に外嵌固着して、下方に設けた排気穴（５）より排気排水することを特徴とするＥ型エネルギ保存サイクル機関。
【請求項８９５】
縮径主燃焼室（１）に具備した高温水噴射電磁弁（８７Ａａ）より高温水を噴射して、気化爆発力により重力パワーを最大にして燃焼温度を低下させ断熱膨張極低温燃焼ガスを核に水分を凝集し、ＣＯ２排気を０に近付けると共に、水平継手（３５）を設けて、夫々の拡径燃焼室シリンダ（３６）及び過給室シリンダ（４８）と凹凸（４４）（４４）により嵌合自在に外嵌固着して、下方に設けた排気穴（５）より排気排水することを特徴とするＨ型エネルギ保存サイクル機関。
【請求項８９６】
縮径主燃焼室（１）に具備した高温水噴射電磁弁（８７Ａａ）より高温水を噴射して、気化爆発力により重力パワーを最大にして燃焼温度を低下させ断熱膨張極低温燃焼ガスを核に水分を凝集し、ＣＯ２排気を０に近付けると共に、水平継手（３５）を設けて、夫々の拡径燃焼室シリンダ（３６）（３６）と凹凸（４４）（４４）により嵌合自在に外嵌固着して、下方に設けた排気穴（５）より排気排水することを特徴とするＤ型エネルギ保存サイクル機関。
【請求項８９７】
縮径主燃焼室（１）に具備した高温水噴射電磁弁（８７Ａａ）より高温水を噴射して、気化爆発力により重力パワーを最大にして燃焼温度を低下させて断熱膨張極低温燃焼ガスを核に水分を凝集し、ＣＯ２排気を０に近付けると共に、水平継手（３５）（３５）を設けて、夫々の拡径燃焼室シリンダ（３６）（３６）（３６）（３６）と凹凸（４４）（４４）（４４）（４４）により嵌合自在に外嵌固着して、下方に設けた排気穴（５）より排気排水することを特徴とするＥ型エネルギ保存サイクル機関。
【請求項８９８】
縮径主燃焼室（１）に具備した一方向空気流路（９）より噴射する空気と燃料を燃焼し、高温水噴射電磁弁（８７Ａａ）より高温水を噴射して、気化爆発力により重力パワーを最大にして燃焼温度を低下させると共に、水平継手（３５）を設けて、夫々の拡径燃焼室シリンダ（３６）及び過給室シリンダ（４８）と凹凸（４４）（４４）により嵌合自在に外嵌固着して、下方に設けた排気穴（５）より排気排水することを特徴とするＨ型エネルギ保存サイクル機関。
【請求項８９９】
縮径主燃焼室（１）に具備した一方向空気流路（９）より噴射する空気と燃料を燃焼し、高温水噴射電磁弁（８７Ａａ）より高温水を噴射して、気化爆発力により重力パワーを最大にして燃焼温度を低下させると共に、水平継手（３５）を設けて、夫々の拡径燃焼室シリンダ（３６）（３６）と凹凸（４４）（４４）により嵌合自在に外嵌固着して、下方に設けた排気穴（５）より排気排水することを特徴とするＤ型エネルギ保存サイクル機関。
【請求項９００】
縮径主燃焼室（１）に具備した一方向空気流路（９）より噴射する空気と燃料を燃焼し、高温水噴射電磁弁（８７Ａａ）より高温水を噴射して、気化爆発力により重力パワーを最大にして燃焼温度を低下させると共に、水平継手（３５）（３５）を設けて、夫々の拡径燃焼室シリンダ（３６）（３６）（３６）（３６）と凹凸（４４）（４４）（４４）（４４）により嵌合自在に外嵌固着して、下方に設けた排気穴（５）より排気排水することを特徴とするＥ型エネルギ保存サイクル機関。
【請求項９０１】
縮径主燃焼室（１）に具備した一方向空気流路（９）より噴射する空気と燃料を燃焼し、高温水噴射電磁弁（８７Ａａ）より高温水を噴射して、気化爆発力により重力パワーを最大にして燃焼温度を低下させて断熱膨張極低温燃焼ガスを核に水分を凝集すると共に、水平継手（３５）を設けて、夫々の拡径燃焼室シリンダ（３６）及び過給室シリンダ（４８）と凹凸（４４）（４４）により嵌合自在に外嵌固着して、下方に設けた排気穴（５）より排気排水することを特徴とするＨ型エネルギ保存サイクル機関。
【請求項９０２】
縮径主燃焼室（１）に具備した一方向空気流路（９）より噴射する空気と燃料を燃焼し、高温水噴射電磁弁（８７Ａａ）より高温水を噴射して、気化爆発力により重力パワーを最大にして燃焼温度を低下させて断熱膨張極低温燃焼ガスを核に水分を凝集すると共に、水平継手（３５）を設けて、夫々の拡径燃焼室シリンダ（３６）（３６）と凹凸（４４）（４４）により嵌合自在に外嵌固着して、下方に設けた排気穴（５）より排気排水することを特徴とするＤ型エネルギ保存サイクル機関。
【請求項９０３】
縮径主燃焼室（１）に具備した一方向空気流路（９）より噴射する空気と燃料を燃焼し、高温水噴射電磁弁（８７Ａａ）より高温水を噴射して、気化爆発力により重力パワーを最大にして燃焼温度を低下させて断熱膨張極低温燃焼ガスを核に水分を凝集すると共に、水平継手（３５）（３５）を設けて、夫々の拡径燃焼室シリンダ（３６）（３６）（３６）（３６）と凹凸（４４）（４４）（４４）（４４）により嵌合自在に外嵌固着して、下方に設けた排気穴（５）より排気排水することを特徴とするＥ型エネルギ保存サイクル機関。
【請求項９０４】
縮径主燃焼室（１）に具備した一方向空気流路（９）より噴射する空気と燃料を燃焼し、高温水噴射電磁弁（８７Ａａ）より高温水を噴射して、気化爆発力により重力パワーを最大にして燃焼温度を低下させて断熱膨張極低温燃焼ガスを核に水分を凝集し、ＣＯ２排気を０に近付けると共に、水平継手（３５）を設けて、夫々の拡径燃焼室シリンダ（３６）及び過給室シリンダ（４８）と凹凸（４４）（４４）により嵌合自在に外嵌固着して、下方に設けた排気穴（５）より排気排水することを特徴とするＨ型エネルギ保存サイクル機関。
【請求項９０５】
縮径主燃焼室（１）に具備した一方向空気流路（９）より噴射する空気と燃料を燃焼し、高温水噴射電磁弁（８７Ａａ）より高温水を噴射して、気化爆発力により重力パワーを最大にして燃焼温度を低下させて断熱膨張極低温燃焼ガスを核に水分を凝集し、ＣＯ２排気を０に近付けると共に、水平継手（３５）を設けて、夫々の拡径燃焼室シリンダ（３６）（３６）と凹凸（４４）（４４）により嵌合自在に外嵌固着して、下方に設けた排気穴（５）より排気排水することを特徴とするＤ型エネルギ保存サイクル機関。
【請求項９０６】
縮径主燃焼室（１）に具備した一方向空気流路（９）より噴射する空気と燃料を燃焼し、高温水噴射電磁弁（８７Ａａ）より高温水を噴射して、気化爆発力により重力パワーを最大にして燃焼温度を低下させて断熱膨張極低温燃焼ガスを核に水分を凝集し、ＣＯ２排気を０に近付けると共に、水平継手（３５）（３５）を設けて、夫々の拡径燃焼室シリンダ（３６）（３６）（３６）（３６）と凹凸（４４）（４４）（４４）（４４）により嵌合自在に外嵌固着して、下方に設けた排気穴（５）より排気排水することを特徴とするＥ型エネルギ保存サイクル機関。
【請求項９０７】
縮径主燃焼室（１）に具備した一方向空気流路（９）より噴射する空気と燃料を燃焼し、高温水噴射電磁弁（８７Ａａ）より高温水を噴射して、気化爆発力により重力パワーを最大にして燃焼温度を低下させると共に、シリンダヘッド（１５）に具備した高温水噴射電磁弁（８７Ａｂ）より直接電磁加熱縮径ピストン（２２）の拡径部に水噴射して拡径ピストン（２１）を駆動するＨ型エネルギ保存サイクル機関。
【請求項９０８】
縮径主燃焼室（１）に具備した一方向空気流路（９）より噴射する空気と燃料を燃焼し、高温水噴射電磁弁（８７Ａａ）より高温水を噴射して、気化爆発力により重力パワーを最大にして燃焼温度を低下させると共に、シリンダヘッド（１５）に具備した高温水噴射電磁弁（８７Ａｂ）より直接電磁加熱縮径ピストン（２２）の拡径部に水噴射して拡径ピストン（２１）を駆動するＤ型エネルギ保存サイクル機関。
【請求項９０９】
縮径主燃焼室（１）に具備した一方向空気流路（９）より噴射する空気と燃料を燃焼し、高温水噴射電磁弁（８７Ａａ）より高温水を噴射して、気化爆発力により重力パワーを最大にして燃焼温度を低下させると共に、シリンダヘッド（１５）に具備した高温水噴射電磁弁（８７Ａｂ）より直接電磁加熱縮径ピストン（２２）の拡径部に水噴射して拡径ピストン（２１）を駆動するＥ型エネルギ保存サイクル機関。
【請求項９１０】
縮径主燃焼室（１）に具備した一方向空気流路（９）より噴射する空気と燃料を燃焼し、高温水噴射電磁弁（８７Ａａ）より高温水を噴射して、気化爆発力により重力パワーを最大にして燃焼温度を低下させると共に、シリンダヘッド（１５）に具備した高温水噴射電磁弁（８７Ａｂ）より直接電磁加熱縮径ピストン（２２）の拡径部に水噴射して拡径ピストン（２１）を駆動するエネルギ保存サイクル機関。
【請求項９１１】
縮径主燃焼室（１）に具備した一方向空気流路（９）より噴射する空気と燃料を燃焼し、高温水噴射電磁弁（８７Ａａ）より高温水を噴射して、気化爆発力により重力パワーを最大にして燃焼温度を低下させて断熱膨張極低温燃焼ガスを核に水分を凝集すると共に、シリンダヘッド（１５）に具備した高温水噴射電磁弁（８７Ａｂ）より直接電磁加熱縮径ピストン（２２）の拡径部に水噴射して拡径ピストン（２１）を駆動するＨ型エネルギ保存サイクル機関。
【請求項９１２】
縮径主燃焼室（１）に具備した一方向空気流路（９）より噴射する空気と燃料を燃焼し、高温水噴射電磁弁（８７Ａａ）より高温水を噴射して、気化爆発力により重力パワーを最大にして燃焼温度を低下させて断熱膨張極低温燃焼ガスを核に水分を凝集すると共に、シリンダヘッド（１５）に具備した高温水噴射電磁弁（８７Ａｂ）より直接電磁加熱縮径ピストン（２２）の拡径部に水噴射して拡径ピストン（２１）を駆動するＤ型エネルギ保存サイクル機関。
【請求項９１３】
縮径主燃焼室（１）に具備した一方向空気流路（９）より噴射する空気と燃料を燃焼し、高温水噴射電磁弁（８７Ａａ）より高温水を噴射して、気化爆発力により重力パワーを最大にして燃焼温度を低下させて断熱膨張極低温燃焼ガスを核に水分を凝集すると共に、シリンダヘッド（１５）に具備した高温水噴射電磁弁（８７Ａｂ）より直接電磁加熱縮径ピストン（２２）の拡径部に水噴射して拡径ピストン（２１）を駆動するＥ型エネルギ保存サイクル機関。
【請求項９１４】
縮径主燃焼室（１）に具備した一方向空気流路（９）より噴射する空気と燃料を燃焼し、高温水噴射電磁弁（８７Ａａ）より高温水を噴射して、気化爆発力により重力パワーを最大にして燃焼温度を低下させて断熱膨張極低温燃焼ガスを核に水分を凝集すると共に、シリンダヘッド（１５）に具備した高温水噴射電磁弁（８７Ａｂ）より直接電磁加熱縮径ピストン（２２）の拡径部に水噴射して拡径ピストン（２１）を駆動するエネルギ保存サイクル機関。
【請求項９１５】
縮径主燃焼室（１）に具備した一方向空気流路（９）より噴射する空気と燃料を燃焼し、高温水噴射電磁弁（８７Ａａ）より高温水を噴射して、気化爆発力により重力パワーを最大にして燃焼温度を低下させて断熱膨張極低温燃焼ガスを核に水分を凝集し、ＣＯ２排気を０に近付けると共に、シリンダヘッド（１５）に具備した高温水噴射電磁弁（８７Ａｂ）より直接電磁加熱縮径ピストン（２２）の拡径部に水噴射して拡径ピストン（２１）を駆動するＨ型エネルギ保存サイクル機関。
【請求項９１６】
縮径主燃焼室（１）に具備した一方向空気流路（９）より噴射する空気と燃料を燃焼し、高温水噴射電磁弁（８７Ａａ）より高温水を噴射して、気化爆発力により重力パワーを最大にして燃焼温度を低下させて断熱膨張極低温燃焼ガスを核に水分を凝集し、ＣＯ２排気を０に近付けると共に、シリンダヘッド（１５）に具備した高温水噴射電磁弁（８７Ａｂ）より直接電磁加熱縮径ピストン（２２）の拡径部に水噴射して拡径ピストン（２１）を駆動するＤ型エネルギ保存サイクル機関。
【請求項９１７】
縮径主燃焼室（１）に具備した一方向空気流路（９）より噴射する空気と燃料を燃焼し、高温水噴射電磁弁（８７Ａａ）より高温水を噴射して、燃焼温度を低下させて断熱膨張極低温燃焼ガスを核に水分を凝集し、ＣＯ２排気を０に近付けると共に、シリンダヘッド（１５）に具備した高温水噴射電磁弁（８７Ａｂ）より直接電磁加熱縮径ピストン（２２）の拡径部に水噴射して拡径ピストン（２１）を駆動するＥ型エネルギ保存サイクル機関。
【請求項９１８】
縮径主燃焼室（１）に具備した一方向空気流路（９）より噴射する空気と燃料を燃焼し、高温水噴射電磁弁（８７Ａａ）より高温水を噴射して、燃焼温度を低下させて断熱膨張極低温燃焼ガスを核に水分を凝集し、ＣＯ２排気を０に近付けると共に、シリンダヘッド（１５）に具備した高温水噴射電磁弁（８７Ａｂ）より直接電磁加熱縮径ピストン（２２）の拡径部に水噴射して拡径ピストン（２１）を駆動するエネルギ保存サイクル機関。
【請求項９１９】
縮径主燃焼室（１）に具備した一方向空気流路（９）より噴射する空気と燃料を燃焼し、送水ポンプ（７５）により昇圧して高温水噴射電磁弁（８７Ａａ）より高温水を噴射して、燃焼温度を低下させて断熱膨張極低温燃焼ガスを核に水分を凝集し、ＣＯ２排気を０に近付けると共に、シリンダヘッド（１５）に具備した高温水噴射電磁弁（８７Ａｂ）より直接電磁加熱縮径ピストン（２２）の拡径部に水噴射して拡径ピストン（２１）を駆動するＨ型エネルギ保存サイクル機関。
【請求項９２０】
縮径主燃焼室（１）に具備した一方向空気流路（９）より噴射する空気と燃料を燃焼し、送水ポンプ（７５）により昇圧して高温水噴射電磁弁（８７Ａａ）より高温水を噴射して、燃焼温度を低下させて断熱膨張極低温燃焼ガスを核に水分を凝集し、ＣＯ２排気を０に近付けると共に、シリンダヘッド（１５）に具備した高温水噴射電磁弁（８７Ａｂ）より直接電磁加熱縮径ピストン（２２）の拡径部に水噴射して拡径ピストン（２１）を駆動するＤ型エネルギ保存サイクル機関。
【請求項９２１】
縮径主燃焼室（１）に具備した一方向空気流路（９）より噴射する空気と燃料を燃焼し、送水ポンプ（７５）により昇圧して高温水噴射電磁弁（８７Ａａ）より高温水を噴射して、燃焼温度を低下させて断熱膨張極低温燃焼ガスを核に水分を凝集し、ＣＯ２排気を０に近付けると共に、シリンダヘッド（１５）に具備した高温水噴射電磁弁（８７Ａｂ）より直接電磁加熱縮径ピストン（２２）の拡径部に水噴射して拡径ピストン（２１）を駆動するＥ型エネルギ保存サイクル機関。
【請求項９２２】
縮径主燃焼室（１）に具備した一方向空気流路（９）より噴射する空気と燃料を燃焼し、送水ポンプ（７５）により昇圧して高温水噴射電磁弁（８７Ａａ）より高温水を噴射して、燃焼温度を低下させて断熱膨張極低温燃焼ガスを核に水分を凝集し、ＣＯ２排気を０に近付けると共に、シリンダヘッド（１５）に具備した高温水噴射電磁弁（８７Ａｂ）より直接電磁加熱縮径ピストン（２２）の拡径部に水噴射して拡径ピストン（２１）を駆動するエネルギ保存サイクル機関。
【請求項９２３】
縮径主燃焼室（１）に具備した一方向空気流路（９）より噴射する空気と燃料を燃焼し、送水ポンプ兼磁気摩擦動力伝達装置（５５）により昇圧して高温水噴射電磁弁（８７Ａａ）より高温水を噴射して、燃焼温度を低下させて断熱膨張極低温燃焼ガスを核に水分を凝集し、ＣＯ２排気を０に近付けると共に、シリンダヘッド（１５）に具備した高温水噴射電磁弁（８７Ａｂ）より直接電磁加熱縮径ピストン（２２）の拡径部に水噴射して拡径ピストン（２１）を駆動するＨ型エネルギ保存サイクル機関。
【請求項９２４】
縮径主燃焼室（１）に具備した一方向空気流路（９）より噴射する空気と燃料を燃焼し、送水ポンプ兼磁気摩擦動力伝達装置（５５）により昇圧して高温水噴射電磁弁（８７Ａａ）より高温水を噴射して、燃焼温度を低下させて断熱膨張極低温燃焼ガスを核に水分を凝集し、ＣＯ２排気を０に近付けると共に、シリンダヘッド（１５）に具備した高温水噴射電磁弁（８７Ａｂ）より直接電磁加熱縮径ピストン（２２）の拡径部に水噴射して拡径ピストン（２１）を駆動するＤ型エネルギ保存サイクル機関。
【請求項９２５】
縮径主燃焼室（１）に具備した一方向空気流路（９）より噴射する空気と燃料を燃焼し、送水ポンプ兼磁気摩擦動力伝達装置（５５）により昇圧して高温水噴射電磁弁（８７Ａａ）より高温水を噴射して、燃焼温度を低下させて断熱膨張極低温燃焼ガスを核に水分を凝集し、ＣＯ２排気を０に近付けると共に、シリンダヘッド（１５）に具備した高温水噴射電磁弁（８７Ａｂ）より直接電磁加熱縮径ピストン（２２）の拡径部に水噴射して拡径ピストン（２１）を駆動するＥ型エネルギ保存サイクル機関。
【請求項９２６】
縮径主燃焼室（１）に具備した一方向空気流路（９）より噴射する空気と燃料を燃焼し、送水ポンプ兼磁気摩擦動力伝達装置（５５）により昇圧して高温水噴射電磁弁（８７Ａａ）より高温水を噴射して、燃焼温度を低下させて断熱膨張極低温燃焼ガスを核に水分を凝集し、ＣＯ２排気を０に近付けると共に、シリンダヘッド（１５）に具備した高温水噴射電磁弁（８７Ａｂ）より直接電磁加熱縮径ピストン（２２）の拡径部に水噴射して拡径ピストン（２１）を駆動するエネルギ保存サイクル機関。
【請求項９２７】
縮径主燃焼室（１）に具備した一方向空気流路（９）より噴射する空気と燃料を燃焼し、送水ポンプ兼二重反転磁気摩擦動力伝達装置（８５）により昇圧して高温水噴射電磁弁（８７Ａａ）より高温水を噴射して、燃焼温度を低下させて断熱膨張極低温燃焼ガスを核に水分を凝集し、ＣＯ２排気を０に近付けると共に、シリンダヘッド（１５）に具備した高温水噴射電磁弁（８７Ａｂ）より直接電磁加熱縮径ピストン（２２）の拡径部に水噴射して拡径ピストン（２１）を駆動するＨ型エネルギ保存サイクル機関。
【請求項９２８】
縮径主燃焼室（１）に具備した一方向空気流路（９）より噴射する空気と燃料を燃焼し、送水ポンプ兼二重反転磁気摩擦動力伝達装置（８５）により昇圧して高温水噴射電磁弁（８７Ａａ）より高温水を噴射して、燃焼温度を低下させて断熱膨張極低温燃焼ガスを核に水分を凝集し、ＣＯ２排気を０に近付けると共に、シリンダヘッド（１５）に具備した高温水噴射電磁弁（８７Ａｂ）より直接電磁加熱縮径ピストン（２２）の拡径部に水噴射して拡径ピストン（２１）を駆動するＤ型エネルギ保存サイクル機関。
【請求項９２９】
縮径主燃焼室（１）に具備した一方向空気流路（９）より噴射する空気と燃料を燃焼し、送水ポンプ兼二重反転磁気摩擦動力伝達装置（８５）により昇圧して高温水噴射電磁弁（８７Ａａ）より高温水を噴射して、燃焼温度を低下させて断熱膨張極低温燃焼ガスを核に水分を凝集し、ＣＯ２排気を０に近付けると共に、シリンダヘッド（１５）に具備した高温水噴射電磁弁（８７Ａｂ）より直接電磁加熱縮径ピストン（２２）の拡径部に水噴射して拡径ピストン（２１）を駆動するＥ型エネルギ保存サイクル機関。
【請求項９３０】
縮径主燃焼室（１）に具備した一方向空気流路（９）より噴射する空気と燃料を燃焼し、送水ポンプ兼二重反転磁気摩擦動力伝達装置（８５）により昇圧して高温水噴射電磁弁（８７Ａａ）より高温水を噴射して、燃焼温度を低下させて断熱膨張極低温燃焼ガスを核に水分を凝集し、ＣＯ２排気を０に近付けると共に、シリンダヘッド（１５）に具備した高温水噴射電磁弁（８７Ａｂ）より直接電磁加熱縮径ピストン（２２）の拡径部に水噴射して拡径ピストン（２１）を駆動するエネルギ保存サイクル機関。
【請求項９３１】
前記縮径主燃焼室（１）に空気を噴射する一方向空気流路（９）に逆止弁（９７）を使用することを特徴とするエネルギ保存サイクル機関。
【請求項９３２】
前記縮径主燃焼室（１）に空気を噴射する一方向空気流路（９）に逆止弁（９７）を使用し、シリンダヘッド（１５）に拡径燃焼室（１０）側から取付けることを特徴とするエネルギ保存サイクル機関。
【請求項９３３】
前記縮径主燃焼室（１）に空気を噴射する一方向空気流路（９）の逆止弁（９７）を、シリンダヘッド（１５）に拡径燃焼室（１０）側からねじ込み使用することを特徴とするエネルギ保存サイクル機関。
【請求項９３４】
前記縮径主燃焼室（１）に空気を噴射する一方向空気流路（９）の逆止弁（９７）を、シリンダヘッド（１５）に拡径燃焼室（１０）側からねじ込み使用し、弁体（９９）を弁座（９８）に発条（９６）により付勢押圧することを特徴とするエネルギ保存サイクル機関。
【請求項９３５】
前記縮径主燃焼室（１）に空気を噴射する一方向空気流路（９）の逆止弁（９７）を、シリンダヘッド（１５）に拡径燃焼室（１０）側からねじ込み使用し、弁体（９９）を弁座（９８）に発条（９６）により付勢押圧し、空圧差により開弁閉弁することを特徴とするエネルギ保存サイクル機関。
【請求項９３６】
前記縮径主燃焼室（１）に高温水を噴射する電磁弁に高温水噴射電磁弁（８７Ａａ）を使用することを特徴とするエネルギ保存サイクル機関。
【請求項９３７】
前記縮径主燃焼室（１）に高温水を噴射する電磁弁に高温水噴射電磁弁（８７Ｂａ）を使用することを特徴とするエネルギ保存サイクル機関。
【請求項９３８】
前記縮径主燃焼室（１）に高温水を噴射する弁に公知の各種流用噴射弁（１００）を使用することを特徴とするエネルギ保存サイクル機関。
【請求項９３９】
前記縮径主燃焼室（１）に超臨界圧力高温水を噴射する電磁弁に高温水噴射電磁弁（８７Ａａ）を使用することを特徴とするエネルギ保存サイクル機関。
【請求項９４０】
前記縮径主燃焼室（１）に超臨界圧力高温水を噴射する電磁弁に高温水噴射電磁弁（８７Ｂａ）を使用することを特徴とするエネルギ保存サイクル機関。
【請求項９４１】
前記縮径主燃焼室（１）に超臨界圧力高温水を噴射する弁に公知の各種流用噴射弁（１００）を使用することを特徴とするエネルギ保存サイクル機関。
【請求項９４２】
前記縮径主燃焼室（１）に高温水を噴射する電磁弁に高温水噴射電磁弁（８７Ａａ）を使用し、ノズル噴口部（９４）を含むノズルを砲身状にすることを特徴とするエネルギ保存サイクル機関。
【請求項９４３】
前記縮径主燃焼室（１）に高温水を噴射する電磁弁に高温水噴射電磁弁（８７Ｂａ）を使用し、ノズル噴口部（９４）を含むノズルを砲身状にすることを特徴とするエネルギ保存サイクル機関。
【請求項９４４】
前記縮径主燃焼室（１）に高温水を噴射する弁に公知の各種流用噴射弁（１００）を使用し、ノズル噴口部（９４）を含むノズルを砲身状にすることを特徴とするエネルギ保存サイクル機関。
【請求項９４５】
前記縮径主燃焼室（１）に超臨界圧力高温水を噴射する電磁弁に高温水噴射電磁弁（８７Ａａ）を使用し、ノズル噴口部（９４）を含むノズルを砲身状にすることを特徴とするエネルギ保存サイクル機関。
【請求項９４６】
前記縮径主燃焼室（１）に超臨界圧力高温水を噴射する電磁弁に高温水噴射電磁弁（８７Ｂａ）を使用し、ノズル噴口部（９４）を含むノズルを砲身状にすることを特徴とするエネルギ保存サイクル機関。
【請求項９４７】
前記縮径主燃焼室（１）に超臨界圧力高温水を噴射する弁に公知の各種流用噴射弁（１００）を使用し、ノズル噴口部（９４）を含むノズルを砲身状にすることを特徴とするエネルギ保存サイクル機関。
【請求項９４８】
前記縮径主燃焼室（１）に高温水を噴射する電磁弁に高温水噴射電磁弁（８７Ａａ）を使用し、ノズル噴口部（９４）を含むノズルを砲身状にして燃焼熱により加熱高温にすることを特徴とするエネルギ保存サイクル機関。
【請求項９４９】
前記縮径主燃焼室（１）に高温水を噴射する電磁弁に高温水噴射電磁弁（８７Ｂａ）を使用し、ノズル噴口部（９４）を含むノズルを砲身状にして燃焼熱により加熱高温にすることを特徴とするエネルギ保存サイクル機関。
【請求項９５０】
前記縮径主燃焼室（１）に高温水を噴射する弁に公知の各種流用噴射弁（１００）を使用し、ノズル噴口部（９４）を含むノズルを砲身状にして燃焼熱により加熱高温にすることを特徴とするエネルギ保存サイクル機関。
【請求項９５１】
前記縮径主燃焼室（１）に超臨界圧力高温水を噴射する電磁弁に高温水噴射電磁弁（８７Ａａ）を使用し、ノズル噴口部（９４）を含むノズルを砲身状にして燃焼熱により加熱高温にすることを特徴とするエネルギ保存サイクル機関。
【請求項９５２】
前記縮径主燃焼室（１）に超臨界圧力高温水を噴射する電磁弁に高温水噴射電磁弁（８７Ｂａ）を使用し、ノズル噴口部（９４）を含むノズルを砲身状にして燃焼熱により加熱高温にすることを特徴とするエネルギ保存サイクル機関。
【請求項９５３】
前記縮径主燃焼室（１）に超臨界圧力高温水を噴射する弁に公知の各種流用噴射弁（１００）を使用し、ノズル噴口部（９４）を含むノズルを砲身状にして燃焼熱により加熱高温にすることを特徴とするエネルギ保存サイクル機関。
【請求項９５４】
前記縮径主燃焼室（１）に高温水を噴射する電磁弁に高温水噴射電磁弁（８７Ａａ）を使用し、ノズル噴口部（９４）を含むノズルを砲身状にして内部螺旋溝を設けたことを特徴とするエネルギ保存サイクル機関。
【請求項９５５】
前記縮径主燃焼室（１）に高温水を噴射する電磁弁に高温水噴射電磁弁（８７Ｂａ）を使用し、ノズル噴口部（９４）を含むノズルを砲身状にして内部螺旋溝を設けたことを特徴とするエネルギ保存サイクル機関。
【請求項９５６】
前記縮径主燃焼室（１）に高温水を噴射する弁に公知の各種流用噴射弁（１００）を使用し、ノズル噴口部（９４）を含むノズルを砲身状にして内部螺旋溝を設けたことを特徴とするエネルギ保存サイクル機関。
【請求項９５７】
前記縮径主燃焼室（１）に超臨界圧力高温水を噴射する電磁弁に高温水噴射電磁弁（８７Ａａ）を使用し、ノズル噴口部（９４）を含むノズルを砲身状にして内部螺旋溝を設けたことを特徴とするエネルギ保存サイクル機関。
【請求項９５８】
前記縮径主燃焼室（１）に超臨界圧力高温水を噴射する電磁弁に高温水噴射電磁弁（８７Ｂａ）を使用し、ノズル噴口部（９４）を含むノズルを砲身状にして内部螺旋溝を設けたことを特徴とするエネルギ保存サイクル機関。
【請求項９５９】
前記縮径主燃焼室（１）に超臨界圧力高温水を噴射する弁に公知の各種流用噴射弁（１００）を使用し、ノズル噴口部（９４）を含むノズルを砲身状にして内部螺旋溝を設けたことを特徴とするエネルギ保存サイクル機関。
【請求項９６０】
前記縮径主燃焼室（１）に高温水を噴射する電磁弁に高温水噴射電磁弁（８７Ａａ）を使用し、ノズル噴口部（９４）を含むノズルを砲身状にして内部螺旋溝を設けて燃焼熱により加熱高温にしたことを特徴とするエネルギ保存サイクル機関。
【請求項９６１】
前記縮径主燃焼室（１）に高温水を噴射する電磁弁に高温水噴射電磁弁（８７Ｂａ）を使用し、ノズル噴口部（９４）を含むノズルを砲身状にして内部螺旋溝を設けて燃焼熱により加熱高温にしたことを特徴とするエネルギ保存サイクル機関。
【請求項９６２】
前記縮径主燃焼室（１）に高温水を噴射する弁に公知の各種流用噴射弁（１００）を使用し、ノズル噴口部（９４）を含むノズルを砲身状にして内部螺旋溝を設けて燃焼熱により加熱高温にしたことを特徴とするエネルギ保存サイクル機関。
【請求項９６３】
前記縮径主燃焼室（１）に超臨界圧力高温水を噴射する電磁弁に高温水噴射電磁弁（８７Ａａ）を使用し、ノズル噴口部（９４）を含むノズルを砲身状にして内部螺旋溝を設けて燃焼熱により加熱高温にしたことを特徴とするエネルギ保存サイクル機関。
【請求項９６４】
前記縮径主燃焼室（１）に超臨界圧力高温水を噴射する電磁弁に高温水噴射電磁弁（８７Ｂａ）を使用し、ノズル噴口部（９４）を含むノズルを砲身状にして内部螺旋溝を設けて燃焼熱により加熱高温にしたことを特徴とするエネルギ保存サイクル機関。
【請求項９６５】
前記縮径主燃焼室（１）に超臨界圧力高温水を噴射する弁に公知の各種流用噴射弁（１００）を使用し、ノズル噴口部（９４）を含むノズルを砲身状にして内部螺旋溝を設けて燃焼熱により加熱高温にしたことを特徴とするエネルギ保存サイクル機関。
【請求項９６６】
前記縮径主燃焼室（１）に高温水を噴射する電磁弁に高温水噴射電磁弁（８７Ａａ）を使用し、ノズル噴口部（９４）を含むノズルを砲身状にして内部螺旋溝を設けて末広にしたことを特徴とするエネルギ保存サイクル機関。
【請求項９６７】
前記縮径主燃焼室（１）に高温水を噴射する電磁弁に高温水噴射電磁弁（８７Ｂａ）を使用し、ノズル噴口部（９４）を含むノズルを砲身状にして内部螺旋溝を設けて末広にしたことを特徴とするエネルギ保存サイクル機関。
【請求項９６８】
前記縮径主燃焼室（１）に高温水を噴射する弁に公知の各種流用噴射弁（１００）を使用し、ノズル噴口部（９４）を含むノズルを砲身状にして内部螺旋溝を設けて末広にしたことを特徴とするエネルギ保存サイクル機関。
【請求項９６９】
前記縮径主燃焼室（１）に超臨界圧力高温水を噴射する電磁弁に高温水噴射電磁弁（８７Ａａ）を使用し、ノズル噴口部（９４）を含むノズルを砲身状にして内部螺旋溝を設けて末広にしたことを特徴とするエネルギ保存サイクル機関。
【請求項９７０】
前記縮径主燃焼室（１）に超臨界圧力高温水を噴射する電磁弁に高温水噴射電磁弁（８７Ｂａ）を使用し、ノズル噴口部（９４）を含むノズルを砲身状にして内部螺旋溝を設けて末広にしたことを特徴とするエネルギ保存サイクル機関。
【請求項９７１】
前記縮径主燃焼室（１）に超臨界圧力高温水を噴射する弁に公知の各種流用噴射弁（１００）を使用し、ノズル噴口部（９４）を含むノズルを砲身状にして内部螺旋溝を設けて末広にしたことを特徴とするエネルギ保存サイクル機関。
【請求項９７２】
前記縮径主燃焼室（１）に高温水を噴射する電磁弁に高温水噴射電磁弁（８７Ａａ）を使用し、ノズル噴口部（９４）を含むノズルを砲身状にして内部螺旋溝を設けて末広にし、燃焼熱により加熱高温にすることを特徴とするエネルギ保存サイクル機関。
【請求項９７３】
前記縮径主燃焼室（１）に高温水を噴射する電磁弁に高温水噴射電磁弁（８７Ｂａ）を使用し、ノズル噴口部（９４）を含むノズルを砲身状にして内部螺旋溝を設けて末広にし、燃焼熱により加熱高温にすることを特徴とするエネルギ保存サイクル機関。
【請求項９７４】
前記縮径主燃焼室（１）に高温水を噴射する弁に公知の各種流用噴射弁（１００）を使用し、ノズル噴口部（９４）を含むノズルを砲身状にして内部螺旋溝を設けて末広にし、燃焼熱により加熱高温にすることを特徴とするエネルギ保存サイクル機関。
【請求項９７５】
前記縮径主燃焼室（１）に超臨界圧力高温水を噴射する電磁弁に高温水噴射電磁弁（８７Ａａ）を使用し、ノズル噴口部（９４）を含むノズルを砲身状にして内部螺旋溝を設けて末広にし、燃焼熱により加熱高温にすることを特徴とするエネルギ保存サイクル機関。
【請求項９７６】
前記縮径主燃焼室（１）に超臨界圧力高温水を噴射する電磁弁に高温水噴射電磁弁（８７Ｂａ）を使用し、ノズル噴口部（９４）を含むノズルを砲身状にして内部螺旋溝を設けて末広にし、燃焼熱により加熱高温にすることを特徴とするエネルギ保存サイクル機関。
【請求項９７７】
前記縮径主燃焼室（１）に超臨界圧力高温水を噴射する弁に公知の各種流用噴射弁（１００）を使用し、ノズル噴口部（９４）を含むノズルを砲身状にして内部螺旋溝を設けて末広にし、燃焼熱により加熱高温にすることを特徴とするエネルギ保存サイクル機関。
【請求項９７８】
前記縮径主燃焼室（１）に高温水を噴射する電磁弁に高温水噴射電磁弁（８７Ａａ）を使用し、重力パワーを増大することを特徴とするエネルギ保存サイクル機関。
【請求項９７９】
前記縮径主燃焼室（１）に高温水を噴射する電磁弁に高温水噴射電磁弁（８７Ｂａ）を使用し、重力パワーを増大することを特徴とするエネルギ保存サイクル機関。
【請求項９８０】
前記縮径主燃焼室（１）に高温水を噴射する弁に公知の各種流用噴射弁（１００）を使用し、重力パワーを増大することを特徴とするエネルギ保存サイクル機関。
【請求項９８１】
前記縮径主燃焼室（１）に超臨界圧力高温水を噴射する電磁弁に高温水噴射電磁弁（８７Ａａ）を使用し、重力パワーを増大することを特徴とするエネルギ保存サイクル機関。
【請求項９８２】
前記縮径主燃焼室（１）に超臨界圧力高温水を噴射する電磁弁に高温水噴射電磁弁（８７Ｂａ）を使用し、重力パワーを増大することを特徴とするエネルギ保存サイクル機関。
【請求項９８３】
前記縮径主燃焼室（１）に超臨界圧力高温水を噴射する弁に公知の各種流用噴射弁（１００）を使用し、重力パワーを増大することを特徴とするエネルギ保存サイクル機関。
【請求項９８４】
前記高温水噴射電磁弁（８７Ａａ）は縮径主燃焼室熱交換器（２）に連絡することを特徴とするエネルギ保存サイクル機関。
【請求項９８５】
前記高温水噴射電磁弁（８７Ａａ）は縮径主燃焼室熱交換器（２）の１以上複数の導水管（３）に連絡することを特徴とするエネルギ保存サイクル機関。
【請求項９８６】
前記高温水噴射電磁弁（８７Ａａ）に換えて高温水噴射電磁弁（８７Ｂａ）を使用することを特徴とするエネルギ保存サイクル機関。
【請求項９８７】
前記高温水噴射電磁弁（８７Ａａ）に換えて高温水噴射電磁弁（８７Ｂａ）を使用することを特徴とするエネルギ保存サイクル機関。
【請求項９８８】
前記高温水噴射電磁弁（８７Ａａ）に換えて公知の各種流用噴射弁（１００）を使用することを特徴とするエネルギ保存サイクル機関。
【請求項９８９】
前記電磁加熱縮径ピストン（２２）の拡径部に高温水を噴射する電磁弁に高温水噴射電磁弁（８７Ａｂ）を使用することを特徴とするエネルギ保存サイクル機関。
【請求項９９０】
前記電磁加熱縮径ピストン（２２）の拡径部に高温水を噴射する高温水噴射電磁弁（８７Ａｂ）に換えて高温水噴射電磁弁（８７Ｂｂ）を使用することを特徴とするエネルギ保存サイクル機関。
【請求項９９１】
前記電磁加熱縮径ピストン（２２）の拡径部に高温水を噴射する高温水噴射電磁弁（８７Ａｂ）に換えて公知の各種流用噴射弁（１００）を使用することを特徴とするエネルギ保存サイクル機関。
【請求項９９２】
前記電磁加熱縮径ピストン（２２）の頭頂部に高温水を噴射する電磁弁に高温水噴射電磁弁（８７Ａａ）を使用することを特徴とするエネルギ保存サイクル機関。
【請求項９９３】
前記電磁加熱縮径ピストン（２２）の頭頂部に高温水を噴射する電磁弁に高温水噴射電磁弁（８７Ｂａ）を使用することを特徴とするエネルギ保存サイクル機関。
【請求項９９４】
前記電磁加熱縮径ピストン（２２）の任意に変形させた頭頂部に高温水を噴射する電磁弁に高温水噴射電磁弁（８７Ａａ）を使用することを特徴とするエネルギ保存サイクル機関。
【請求項９９５】
前記電磁加熱縮径ピストン（２２）の任意に変形させた頭頂部に高温水を噴射する電磁弁に高温水噴射電磁弁（８７Ｂａ）を使用することを特徴とするエネルギ保存サイクル機関。
【請求項９９６】
前記電磁加熱縮径ピストン（２２）の任意に変形させた頭頂部を特徴とするエネルギ保存サイクル機関。
【請求項９９７】
前記電磁加熱縮径ピストン（２２）の任意に変形させた頭頂部に超臨界圧力高温水を噴射することを特徴とするエネルギ保存サイクル機関。
【請求項９９８】
前記電磁加熱縮径ピストン（２２）の拡径部に高温水を噴射する電磁弁に高温水噴射電磁弁（８７Ａｂ）を使用することを特徴とするエネルギ保存サイクル機関。
【請求項９９９】
前記電磁加熱縮径ピストン（２２）の拡径部に高温水を噴射する電磁弁に高温水噴射電磁弁（８７Ｂｂ）を使用することを特徴とするエネルギ保存サイクル機関。
【請求項１０００】
前記電磁加熱縮径ピストン（２２）の拡径部に超臨界圧力高温水を噴射する電磁弁に高温水噴射電磁弁（８７Ａｂ）を使用することを特徴とするエネルギ保存サイクル機関。
【請求項１００１】
前記電磁加熱縮径ピストン（２２）の拡径部に超臨界圧力高温水を噴射する電磁弁に高温水噴射電磁弁（８７Ｂｂ）を使用することを特徴とするエネルギ保存サイクル機関。
【請求項１００２】
前記電磁加熱縮径ピストン（２２）の拡径部に高温水を噴射する電磁弁に高温水噴射電磁弁（８７Ａｂ）を使用し、そのノズルを砲身状に長大化することを特徴とするエネルギ保存サイクル機関。
【請求項１００３】
前記電磁加熱縮径ピストン（２２）の拡径部に高温水を噴射する電磁弁に高温水噴射電磁弁（８７Ｂｂ）を使用し、そのノズルを砲身状に長大化することを特徴とするエネルギ保存サイクル機関。
【請求項１００４】
前記電磁加熱縮径ピストン（２２）の拡径部に超臨界圧力高温水を噴射する電磁弁に高温水噴射電磁弁（８７Ａｂ）を使用し、そのノズルを砲身状に長大化することを特徴とするエネルギ保存サイクル機関。
【請求項１００５】
前記電磁加熱縮径ピストン（２２）の拡径部に超臨界圧力高温水を噴射する電磁弁に高温水噴射電磁弁（８７Ｂｂ）を使用し、そのノズルを砲身状に長大化することを特徴とするエネルギ保存サイクル機関。
【請求項１００６】
前記電磁加熱縮径ピストン（２２）の拡径部に高温水を噴射する電磁弁に高温水噴射電磁弁（８７Ａｂ）を使用し、そのノズルを砲身状に長大化して加熱高温手段（１０１）に挿入することを特徴とするエネルギ保存サイクル機関。
【請求項１００７】
前記電磁加熱縮径ピストン（２２）の拡径部に高温水を噴射する電磁弁に高温水噴射電磁弁（８７Ｂｂ）を使用し、そのノズルを砲身状に長大化して加熱高温手段（１０１）に挿入することを特徴とするエネルギ保存サイクル機関。
【請求項１００８】
前記電磁加熱縮径ピストン（２２）の拡径部に超臨界圧力高温水を噴射する電磁弁に高温水噴射電磁弁（８７Ａｂ）を使用し、そのノズルを砲身状に長大化して加熱高温手段（１０１）に挿入することを特徴とするエネルギ保存サイクル機関。
【請求項１００９】
前記電磁加熱縮径ピストン（２２）の拡径部に超臨界圧力高温水を噴射する電磁弁に高温水噴射電磁弁（８７Ｂｂ）を使用し、そのノズルを砲身状に長大化して加熱高温手段（１０１）に挿入することを特徴とするエネルギ保存サイクル機関。
【請求項１０１０】
前記電磁加熱縮径ピストン（２２）の拡径部に高温水を噴射する電磁弁に高温水噴射電磁弁（８７Ａｂ）を使用し、そのノズルを砲身状に長大化して内部螺旋溝を設けて加熱高温手段（１０１）に挿入することを特徴とするエネルギ保存サイクル機関。
【請求項１０１１】
前記電磁加熱縮径ピストン（２２）の拡径部に高温水を噴射する電磁弁に高温水噴射電磁弁（８７Ｂｂ）を使用し、そのノズルを砲身状に長大化して内部螺旋溝を設けて加熱高温手段（１０１）に挿入することを特徴とするエネルギ保存サイクル機関。
【請求項１０１２】
前記電磁加熱縮径ピストン（２２）の拡径部に超臨界圧力高温水を噴射する電磁弁に高温水噴射電磁弁（８７Ａｂ）を使用し、そのノズルを砲身状に長大化して内部螺旋溝を設けて加熱高温手段（１０１）に挿入することを特徴とするエネルギ保存サイクル機関。
【請求項１０１３】
前記電磁加熱縮径ピストン（２２）の拡径部に超臨界圧力高温水を噴射する電磁弁に高温水噴射電磁弁（８７Ｂｂ）を使用し、そのノズルを砲身状に長大化して内部螺旋溝を設けて加熱高温手段（１０１）に挿入することを特徴とするエネルギ保存サイクル機関。
【請求項１０１４】
前記電磁加熱縮径ピストン（２２）の拡径部に高温水を噴射する電磁弁に高温水噴射電磁弁（８７Ａｂ）を使用し、そのノズルを砲身状に長大化して内部螺旋溝を設けて末広にし、加熱高温手段（１０１）に挿入することを特徴とするエネルギ保存サイクル機関。
【請求項１０１５】
前記電磁加熱縮径ピストン（２２）の拡径部に高温水を噴射する電磁弁に高温水噴射電磁弁（８７Ｂｂ）を使用し、そのノズルを砲身状に長大化して内部螺旋溝を設けて末広にし、加熱高温手段（１０１）に挿入することを特徴とするエネルギ保存サイクル機関。
【請求項１０１６】
前記電磁加熱縮径ピストン（２２）の拡径部に超臨界圧力高温水を噴射する電磁弁に高温水噴射電磁弁（８７Ａｂ）を使用し、そのノズルを砲身状に長大化して内部螺旋溝を設けて末広にし、加熱高温手段（１０１）に挿入することを特徴とするエネルギ保存サイクル機関。
【請求項１０１７】
前記電磁加熱縮径ピストン（２２）の拡径部に超臨界圧力高温水を噴射する電磁弁に高温水噴射電磁弁（８７Ｂｂ）を使用し、そのノズルを砲身状に長大化して内部螺旋溝を設けて末広にし、加熱高温手段（１０１）に挿入することを特徴とするエネルギ保存サイクル機関。
【請求項１０１８】
前記高温水噴射電磁弁（８７Ａｂ）のノズルを挿入する加熱高温手段（１０１）は電磁弁装着部（９３ａ）に断熱材（３０）を介して具備することを特徴とするエネルギ保存サイクル機関。
【請求項１０１９】
前記高温水噴射電磁弁（８７Ｂｂ）のノズルを挿入する加熱高温手段（１０１）は電磁弁装着部（９３ａ）に断熱材（３０）を介して具備することを特徴とするエネルギ保存サイクル機関。
【請求項１０２０】
前記高温水噴射電磁弁（８７Ａｂ）のノズルを挿入する加熱高温手段（１０１）は電気抵抗により加熱高温にすることを特徴とするエネルギ保存サイクル機関。
【請求項１０２１】
前記高温水噴射電磁弁（８７Ｂｂ）のノズルを挿入する加熱高温手段（１０１）は電気抵抗により加熱高温にすることを特徴とするエネルギ保存サイクル機関。
【請求項１０２２】
前記高温水噴射電磁弁（８７Ａｂ）のノズルを挿入する加熱高温手段（１０１）は電磁加熱高温にすることを特徴とするエネルギ保存サイクル機関。
【請求項１０２３】
前記高温水噴射電磁弁（８７Ｂｂ）のノズルを挿入する加熱高温手段（１０１）は電磁加熱高温にすることを特徴とするエネルギ保存サイクル機関。
【請求項１０２４】
前記高温水噴射電磁弁（８７Ａｂ）は縮径主燃焼室熱交換器（２）に連絡することを特徴とするエネルギ保存サイクル機関。
【請求項１０２５】
前記高温水噴射電磁弁（８７Ｂｂ）は縮径主燃焼室熱交換器（２）に連絡することを特徴とするエネルギ保存サイクル機関。
【請求項１０２６】
前記高温水噴射電磁弁（８７Ａｂ）は縮径主燃焼室熱交換器（２）の１以上複数の導水管（３）に連絡することを特徴とするエネルギ保存サイクル機関。
【請求項１０２７】
前記高温水噴射電磁弁（８７Ａｂ）に換えて高温水噴射電磁弁（８７Ｂｂ）を使用することを特徴とするエネルギ保存サイクル機関。
【請求項１０２８】
前記高温水噴射電磁弁（８７Ａａ）は外箱（７７）に複数の電磁石（５８）を固着して夫々のコイル（８２）の電流方向を逆転可能に具備し、弁棒（２３）に固着して電磁石（５８）に吸引反発可能に複数の棒磁石（５７）を使用することを特徴とするエネルギ保存サイクル機関。
【請求項１０２９】
前記高温水噴射電磁弁（８７Ａｂ）は外箱（７７）に複数の電磁石（５８）を固着して夫々のコイル（８２）の電流方向を逆転可能に具備し、弁棒（２３）に固着して電磁石（５８）に吸引反発可能に複数の棒磁石（５７）を使用することを特徴とするエネルギ保存サイクル機関。
【請求項１０３０】
前記高温水噴射電磁弁（８７Ｂａ）は外箱（７７）に電磁石（５８）を固着してコイル（８２）の電流方向を逆転可能に具備し、弁棒（２３）に固着して電磁石（５８）に吸引反発可能に複数の棒磁石（５７）を使用することを特徴とするエネルギ保存サイクル機関。
【請求項１０３１】
前記高温水噴射電磁弁（８７Ｂｂ）は外箱（７７）に電磁石（５８）を固着してコイル（８２）の電流方向を逆転可能に具備し、弁棒（２３）に固着して電磁石（５８）に吸引反発可能に複数の棒磁石（５７）を使用することを特徴とするエネルギ保存サイクル機関。
【請求項１０３２】
前記高温水噴射電磁弁（８７Ａａ）は外箱（７７）に複数の電磁石（５８）を固着して夫々のコイル（８２）の電流方向を逆転可能に具備し、弁棒（２３）に固着して電磁石（５８）に吸引反発可能に複数の棒磁石（５７）を使用し、下部に断熱壁（９０）を介して冷却室（９１）を具備することを特徴とするエネルギ保存サイクル機関。
【請求項１０３３】
前記高温水噴射電磁弁（８７Ａｂ）は外箱（７７）に複数の電磁石（５８）を固着して夫々のコイル（８２）の電流方向を逆転可能に具備し、弁棒（２３）に固着して電磁石（５８）に吸引反発可能に複数の棒磁石（５７）を使用し、下部に断熱壁（９０）を介して冷却室（９１）を具備することを特徴とするエネルギ保存サイクル機関。
【請求項１０３４】
前記高温水噴射電磁弁（８７Ｂａ）は外箱（７７）に電磁石（５８）を固着してコイル（８２）の電流方向を逆転可能に具備し、弁棒（２３）に固着して電磁石（５８）に吸引反発可能に複数の棒磁石（５７）を使用し、下部に断熱壁（９０）を介して冷却室（９１）を具備することを特徴とするエネルギ保存サイクル機関。
【請求項１０３５】
前記高温水噴射電磁弁（８７Ｂｂ）は外箱（７７）に電磁石（５８）を固着してコイル（８２）の電流方向を逆転可能に具備し、弁棒（２３）に固着して電磁石（５８）に吸引反発可能に複数の棒磁石（５７）を使用し、下部に断熱壁（９０）を介して冷却室（９１）を具備することを特徴とするエネルギ保存サイクル機関。
【請求項１０３６】
前記高温水噴射電磁弁（８７Ａａ）は外箱（７７）に複数の電磁石（５８）を固着して夫々のコイル（８２）の電流方向を逆転可能に具備し、弁棒（２３）に固着して電磁石（５８）に吸引反発可能に複数の棒磁石（５７）を使用し、下部に断熱壁（９０）を介して冷却室（９１）を具備し、冷却可能に入口送水路（７９）を弁棒（２３）の上部に設けて出口送水路（７９）を外箱（７７）に具備することを特徴とするエネルギ保存サイクル機関。
【請求項１０３７】
前記高温水噴射電磁弁（８７Ａｂ）は外箱（７７）に複数の電磁石（５８）を固着して夫々のコイル（８２）の電流方向を逆転可能に具備し、弁棒（２３）に固着して電磁石（５８）に吸引反発可能に複数の棒磁石（５７）を使用し、下部に断熱壁（９０）を介して冷却室（９１）を具備し、冷却可能に入口送水路（７９）を弁棒（２３）の上部に設けて出口送水路（７９）を外箱（７７）に具備することを特徴とするエネルギ保存サイクル機関。
【請求項１０３８】
前記高温水噴射電磁弁（８７Ｂａ）は外箱（７７）に電磁石（５８）を固着してコイル（８２）の電流方向を逆転可能に具備し、弁棒（２３）に固着して電磁石（５８）に吸引反発可能に複数の棒磁石（５７）を使用し、下部に断熱壁（９０）を介して冷却室（９１）を具備し、冷却可能に入口送水路（７９）を弁棒（２３）の上部に設けて出口送水路（７９）を外箱（７７）に具備することを特徴とするエネルギ保存サイクル機関。
【請求項１０３９】
前記高温水噴射電磁弁（８７Ｂｂ）は外箱（７７）に電磁石（５８）を固着してコイル（８２）の電流方向を逆転可能に具備し、弁棒（２３）に固着して電磁石（５８）に吸引反発可能に複数の棒磁石（５７）を使用し、下部に断熱壁（９０）を介して冷却室（９１）を具備し、冷却可能に入口送水路（７９）を弁棒（２３）の上部に設けて出口送水路（７９）を外箱（７７）に具備することを特徴とするエネルギ保存サイクル機関。
【請求項１０４０】
前記高温水噴射電磁弁（８７Ａａ）は外箱（７７）に複数の電磁石（５８）を固着して夫々のコイル（８２）の電流方向を逆転可能に具備し、弁棒（２３）に固着して電磁石（５８）に吸引反発可能に複数の棒磁石（５７）を使用し、下部に断熱壁（９０）を介して冷却室（９１）を具備し、冷却可能に入口送水路（７９）及び出口送水路（７９）を外箱（７７）に具備することを特徴とするエネルギ保存サイクル機関。
【請求項１０４１】
前記高温水噴射電磁弁（８７Ａｂ）は外箱（７７）に複数の電磁石（５８）を固着して夫々のコイル（８２）の電流方向を逆転可能に具備し、弁棒（２３）に固着して電磁石（５８）に吸引反発可能に複数の棒磁石（５７）を使用し、下部に断熱壁（９０）を介して冷却室（９１）を具備し、冷却可能に入口送水路（７９）及び出口送水路（７９）を外箱（７７）に具備することを特徴とするエネルギ保存サイクル機関。
【請求項１０４２】
前記高温水噴射電磁弁（８７Ｂａ）は外箱（７７）に電磁石（５８）を固着してコイル（８２）の電流方向を逆転可能に具備し、弁棒（２３）に固着して電磁石（５８）に吸引反発可能に複数の棒磁石（５７）を使用し、下部に断熱壁（９０）を介して冷却室（９１）を具備し、冷却可能に入口送水路（７９）及び出口送水路（７９）を外箱（７７）に具備することを特徴とするエネルギ保存サイクル機関。
【請求項１０４３】
前記高温水噴射電磁弁（８７Ｂｂ）は外箱（７７）に電磁石（５８）を固着してコイル（８２）の電流方向を逆転可能に具備し、弁棒（２３）に固着して電磁石（５８）に吸引反発可能に複数の棒磁石（５７）を使用し、下部に断熱壁（９０）を介して冷却室（９１）を具備し、冷却可能に入口送水路（７９）及び出口送水路（７９）を外箱（７７）に具備することを特徴とするエネルギ保存サイクル機関。
【請求項１０４４】
前記高温水噴射電磁弁（８７Ａａ）は縮径主燃焼室（１）の電磁弁装着部（９３）に固着することを特徴とするエネルギ保存サイクル機関。
【請求項１０４５】
前記高温水噴射電磁弁（８７Ａｂ）は電磁弁装着部（９３ａ）の円筒端部に固着することを特徴とするエネルギ保存サイクル機関。
【請求項１０４６】
前記高温水噴射電磁弁（８７Ａａ）は縮径主燃焼室（１）の電磁弁装着部（９３）に固着し、縮径主燃焼室熱交換器（２）に連絡することを特徴とするエネルギ保存サイクル機関。
【請求項１０４７】
前記高温水噴射電磁弁（８７Ａｂ）は電磁弁装着部（９３ａ）の円筒端部に固着し、縮径主燃焼室熱交換器（２）に連絡することを特徴とするエネルギ保存サイクル機関。
【請求項１０４８】
前記高温水噴射電磁弁（８７Ａａ）は縮径主燃焼室（１）の電磁弁装着部（９３）に固着し、縮径主燃焼室熱交換器（２）の１以上複数の導水管（３）に連絡することを特徴とするエネルギ保存サイクル機関。
【請求項１０４９】
前記高温水噴射電磁弁（８７Ａｂ）は電磁弁装着部（９３ａ）の円筒端部に固着し、縮径主燃焼室熱交換器（２）の１以上複数の導水管（３）に連絡することを特徴とするエネルギ保存サイクル機関。
【請求項１０５０】
前記高温水噴射電磁弁（８７Ａａ）は縮径主燃焼室（１）の電磁弁装着部（９３）にボルト締め固着し、縮径主燃焼室熱交換器（２）の１以上複数の導水管（３）に連絡することを特徴とするエネルギ保存サイクル機関。
【請求項１０５１】
前記高温水噴射電磁弁（８７Ａｂ）は電磁弁装着部（９３ａ）の円筒端部にボルト締め固着し、縮径主燃焼室熱交換器（２）の１以上複数の導水管（３）に連絡することを特徴とするエネルギ保存サイクル機関。
【請求項１０５２】
前記高温水噴射電磁弁（８７Ａａ）は縮径主燃焼室（１）の電磁弁装着部（９３）にねじ締め固着し、縮径主燃焼室熱交換器（２）の１以上複数の導水管（３）に連絡することを特徴とするエネルギ保存サイクル機関。
【請求項１０５３】
前記高温水噴射電磁弁（８７Ａｂ）は電磁弁装着部（９３ａ）の円筒端部にねじ締め固着し、縮径主燃焼室熱交換器（２）の１以上複数の導水管（３）に連絡することを特徴とするエネルギ保存サイクル機関。
【請求項１０５４】
前記高温水噴射電磁弁（８７Ａａ）は縮径主燃焼室（１）の電磁弁装着部（９３）に固着し、縮径主燃焼室熱交換器（２）の１以上複数の導水管（３）に連絡して高温水を高温水溜（９５）に導入することを特徴とするエネルギ保存サイクル機関。
【請求項１０５５】
前記高温水噴射電磁弁（８７Ａｂ）は電磁弁装着部（９３ａ）の円筒端部に固着し、縮径主燃焼室熱交換器（２）の１以上複数の導水管（３）に連絡して高温水を高温水溜（９５）に導入することを特徴とするエネルギ保存サイクル機関。
【請求項１０５６】
前記高温水噴射電磁弁（８７Ａａ）は縮径主燃焼室（１）の電磁弁装着部（９３）に固着し、縮径主燃焼室熱交換器（２）の１以上複数の導水管（３）に連絡して超臨界圧力高温水を高温水溜（９５）に導入することを特徴とするエネルギ保存サイクル機関。
【請求項１０５７】
前記高温水噴射電磁弁（８７Ａｂ）は電磁弁装着部（９３ａ）の円筒端部に固着し、縮径主燃焼室熱交換器（２）の１以上複数の導水管（３）に連絡して超臨界圧力高温水を高温水溜（９５）に導入することを特徴とするエネルギ保存サイクル機関。
【請求項１０５８】
前記高温水噴射電磁弁（８７Ａａ）は通電停止前に閉弁制御し、閉弁装置（９２）を閉弁方向に付勢して停止操作することを特徴とするエネルギ保存サイクル機関。
【請求項１０５９】
前記高温水噴射電磁弁（８７Ａａ）は通電停止前に電磁石（５８）を閉弁制御し、閉弁後に閉弁装置（９２）を閉弁制御して停止操作することを特徴とするエネルギ保存サイクル機関。
【請求項１０６０】
前記高温水噴射電磁弁（８７Ａｂ）は通電停止前に電磁石（５８）を閉弁制御し、閉弁後に閉弁装置（９２）を閉弁制御して停止操作することを特徴とするエネルギ保存サイクル機関。
【請求項１０６１】
前記高温水噴射電磁弁（８７Ａｂ）は通電停止前に閉弁制御し、閉弁装置（９２）を閉弁方向に付勢して停止操作することを特徴とするエネルギ保存サイクル機関。
【請求項１０６２】
前記高温水噴射電磁弁（８７Ａａ）は始動時に閉弁装置（９２）により全開可能にすることを特徴とするエネルギ保存サイクル機関。
【請求項１０６３】
前記高温水噴射電磁弁（８７Ａｂ）は始動時に閉弁装置（９２）により全開可能にすることを特徴とするエネルギ保存サイクル機関。
【請求項１０６４】
前記高温水噴射電磁弁（８７Ａａ）は始動前に閉弁制御を確認し、閉弁装置（９２）により全開可能にすることを特徴とするエネルギ保存サイクル機関。
【請求項１０６５】
前記高温水噴射電磁弁（８７Ａｂ）は始動前に閉弁制御を確認し、閉弁装置（９２）により全開可能にすることを特徴とするエネルギ保存サイクル機関。
【請求項１０６６】
前記高温水噴射電磁弁（８７Ａａ）は始動前に閉弁制御を確認し、閉弁装置（９２）を開弁制御して全開可能にすることを特徴とするエネルギ保存サイクル機関。
【請求項１０６７】
前記高温水噴射電磁弁（８７Ａｂ）は始動前に閉弁制御を確認し、閉弁装置（９２）を開弁制御して全開可能にすることを特徴とするエネルギ保存サイクル機関。
【請求項１０６８】
前記高温水噴射電磁弁（８７Ａａ）は弁棒（２３）を閉弁方向に付勢する発条（９６）を具備することを特徴とするエネルギ保存サイクル機関。
【請求項１０６９】
前記高温水噴射電磁弁（８７Ａｂ）は弁棒（２３）を閉弁方向に付勢する発条（９６）を具備することを特徴とするエネルギ保存サイクル機関。
【請求項１０７０】
前記高温水噴射電磁弁（８７Ａａ）は弁棒（２３）を開弁方向に付勢するとき、夫々の電磁石（５８）の上部を同極は反発する方向に通電して下部を異極は吸引する磁石にすることを特徴とするエネルギ保存サイクル機関。
【請求項１０７１】
前記高温水噴射電磁弁（８７Ａｂ）は弁棒（２３）を開弁方向に付勢するとき、夫々の電磁石（５８）の上部を同極は反発する方向に通電して下部を異極は吸引する磁石にすることを特徴とするエネルギ保存サイクル機関。
【請求項１０７２】
前記高温水噴射電磁弁（８７Ａａ）は弁棒（２３）を閉弁方向に付勢するとき、夫々の電磁石（５８）の下部を同極は反発する方向に通電して上部を異極は吸引する磁石にし、公知の各種流用噴射弁（１００）より噴射することを特徴とするエネルギ保存サイクル機関。
【請求項１０７３】
前記高温水噴射電磁弁（８７Ａｂ）は弁棒（２３）を閉弁方向に付勢するとき、夫々の電磁石（５８）の下部を同極は反発する方向に通電して上部を異極は吸引する磁石にし、公知の各種流用噴射弁（１００）より噴射することを特徴とするエネルギ保存サイクル機関。
【請求項１０７４】
前記高温水噴射電磁弁（８７Ａａ）は弁棒（２３）を閉弁方向に付勢するとき、夫々の電磁石（５８）の下部を同極は反発する方向に通電して上部を異極は吸引する磁石にし、公知の各種流用噴射弁（１００）の砲身状ノズルより噴射することを特徴とするエネルギ保存サイクル機関。
【請求項１０７５】
前記高温水噴射電磁弁（８７Ａｂ）は弁棒（２３）を閉弁方向に付勢するとき、夫々の電磁石（５８）の下部を同極は反発する方向に通電して上部を異極は吸引する磁石にし、公知の各種流用噴射弁（１００）の砲身状ノズルより噴射することを特徴とするエネルギ保存サイクル機関。
【請求項１０７６】
前記高温水噴射電磁弁（８７Ａａ）は弁棒（２３）を閉弁方向に付勢するとき、夫々の電磁石（５８）の下部を同極は反発する方向に通電して上部を異極は吸引する磁石にし、公知の各種流用噴射弁（１００）の加熱砲身状ノズルより噴射することを特徴とするエネルギ保存サイクル機関。
【請求項１０７７】
前記高温水噴射電磁弁（８７Ａｂ）は弁棒（２３）を閉弁方向に付勢するとき、夫々の電磁石（５８）の下部を同極は反発する方向に通電して上部を異極は吸引する磁石にし、公知の各種流用噴射弁（１００）の加熱砲身状ノズルより噴射することを特徴とするエネルギ保存サイクル機関。
【請求項１０７８】
前記高温水噴射電磁弁（８７Ａａ）は弁棒（２３）を閉弁方向に付勢するとき、夫々の電磁石（５８）の下部を同極は反発する方向に通電して上部を異極は吸引する磁石にし、公知の各種流用噴射弁（１００）の加熱砲身状末広ノズルより噴射することを特徴とするエネルギ保存サイクル機関。
【請求項１０７９】
前記高温水噴射電磁弁（８７Ａｂ）は弁棒（２３）を閉弁方向に付勢するとき、夫々の電磁石（５８）の下部を同極は反発する方向に通電して上部を異極は吸引する磁石にし、公知の各種流用噴射弁（１００）の加熱砲身状末広ノズルより噴射することを特徴とするエネルギ保存サイクル機関。
【請求項１０８０】
前記高温水噴射電磁弁（８７Ｂａ）は縮径主燃焼室（１）の電磁弁装着部（９３）に固着することを特徴とするエネルギ保存サイクル機関。
【請求項１０８１】
前記高温水噴射電磁弁（８７Ｂｂ）は電磁弁装着部（９３ａ）の円筒端部に固着することを特徴とするエネルギ保存サイクル機関。
【請求項１０８２】
前記高温水噴射電磁弁（８７Ｂａ）は縮径主燃焼室（１）の電磁弁装着部（９３）に固着し、縮径主燃焼室熱交換器（２）に連絡することを特徴とするエネルギ保存サイクル機関。
【請求項１０８３】
前記高温水噴射電磁弁（８７Ｂｂ）は電磁弁装着部（９３ａ）の円筒端部に固着し、縮径主燃焼室熱交換器（２）に連絡することを特徴とするエネルギ保存サイクル機関。
【請求項１０８４】
前記高温水噴射電磁弁（８７Ｂａ）は縮径主燃焼室（１）の電磁弁装着部（９３）に固着し、縮径主燃焼室熱交換器（２）の１以上複数の導水管（３）に連絡することを特徴とするエネルギ保存サイクル機関。
【請求項１０８５】
前記高温水噴射電磁弁（８７Ｂｂ）は電磁弁装着部（９３ａ）の円筒端部に固着し、縮径主燃焼室熱交換器（２）の１以上複数の導水管（３）に連絡することを特徴とするエネルギ保存サイクル機関。
【請求項１０８６】
前記高温水噴射電磁弁（８７Ｂａ）は縮径主燃焼室（１）の電磁弁装着部（９３）にボルト締め固着し、縮径主燃焼室熱交換器（２）の１以上複数の導水管（３）に連絡することを特徴とするエネルギ保存サイクル機関。
【請求項１０８７】
前記高温水噴射電磁弁（８７Ｂｂ）は電磁弁装着部（９３ａ）の円筒端部にボルト締め固着し、縮径主燃焼室熱交換器（２）の１以上複数の導水管（３）に連絡することを特徴とするエネルギ保存サイクル機関。
【請求項１０８８】
前記高温水噴射電磁弁（８７Ｂａ）は縮径主燃焼室（１）の電磁弁装着部（９３）にねじ締め固着し、縮径主燃焼室熱交換器（２）の１以上複数の導水管（３）に連絡することを特徴とするエネルギ保存サイクル機関。
【請求項１０８９】
前記高温水噴射電磁弁（８７Ｂｂ）は電磁弁装着部（９３ａ）の円筒端部にねじ締め固着し、縮径主燃焼室熱交換器（２）の１以上複数の導水管（３）に連絡することを特徴とするエネルギ保存サイクル機関。
【請求項１０９０】
前記高温水噴射電磁弁（８７Ｂａ）は縮径主燃焼室（１）の電磁弁装着部（９３）に固着し、縮径主燃焼室熱交換器（２）の１以上複数の導水管（３）に連絡して高温水を高温水溜（９５）に導入することを特徴とするエネルギ保存サイクル機関。
【請求項１０９１】
前記高温水噴射電磁弁（８７Ｂｂ）は電磁弁装着部（９３ａ）の円筒端部に固着し、縮径主燃焼室熱交換器（２）の１以上複数の導水管（３）に連絡して高温水を高温水溜（９５）に導入することを特徴とするエネルギ保存サイクル機関。
【請求項１０９２】
前記高温水噴射電磁弁（８７Ｂａ）は縮径主燃焼室（１）の電磁弁装着部（９３）に固着し、縮径主燃焼室熱交換器（２）の１以上複数の導水管（３）に連絡して高温水を高温水溜（９５）に導入することを特徴とするエネルギ保存サイクル機関。
【請求項１０９３】
前記高温水噴射電磁弁（８７Ｂｂ）は電磁弁装着部（９３ａ）の円筒端部に固着し、縮径主燃焼室熱交換器（２）の１以上複数の導水管（３）に連絡して高温水を高温水溜（９５）に導入することを特徴とするエネルギ保存サイクル機関。
【請求項１０９４】
前記高温水噴射電磁弁（８７Ｂａ）は縮径主燃焼室（１）の電磁弁装着部（９３）に固着し、縮径主燃焼室熱交換器（２）の１以上複数の導水管（３）に連絡して超臨界圧力高温水を高温水溜（９５）に導入することを特徴とするエネルギ保存サイクル機関。
【請求項１０９５】
前記高温水噴射電磁弁（８７Ｂｂ）は電磁弁装着部（９３ａ）の円筒端部に固着し、縮径主燃焼室熱交換器（２）の１以上複数の導水管（３）に連絡して超臨界圧力高温水を高温水溜（９５）に導入することを特徴とするエネルギ保存サイクル機関。
【請求項１０９６】
前記高温水噴射電磁弁（８７Ｂａ）は通電停止前に閉弁制御し、閉弁装置（９２）を閉弁制御して閉弁方向に付勢して閉弁停止することを特徴とするエネルギ保存サイクル機関。
【請求項１０９７】
前記高温水噴射電磁弁（８７Ｂｂ）は通電停止前に閉弁制御し、閉弁装置（９２）を閉弁制御して閉弁方向に付勢して閉弁停止することを特徴とするエネルギ保存サイクル機関。
【請求項１０９８】
前記高温水噴射電磁弁（８７Ｂａ）は通電時前に閉弁制御を確認し、閉弁装置（９２）を開弁制御により全開可能にすることを特徴とするエネルギ保存サイクル機関。
【請求項１０９９】
前記高温水噴射電磁弁（８７Ｂｂ）は通電時前に閉弁制御を確認し、閉弁装置（９２）を開弁制御により全開可能にすることを特徴とするエネルギ保存サイクル機関。
【請求項１１００】
前記高温水噴射電磁弁（８７Ｂａ）は通電時前に閉弁制御を確認し、閉弁装置（９２）を開弁により全開可能にすることを特徴とするエネルギ保存サイクル機関。
【請求項１１０１】
前記高温水噴射電磁弁（８７Ｂｂ）は通電時前に閉弁制御を確認し、閉弁装置（９２）を開弁により全開可能にすることを特徴とするエネルギ保存サイクル機関。
【請求項１１０２】
前記高温水噴射電磁弁（８７Ｂａ）は通電時前に閉弁制御を確認し、閉弁装置（９２）を開弁制御により全開始動可能にすることを特徴とするエネルギ保存サイクル機関。
【請求項１１０３】
前記高温水噴射電磁弁（８７Ｂｂ）は通電時前に閉弁制御を確認し、閉弁装置（９２）を開弁制御により全開始動可能にすることを特徴とするエネルギ保存サイクル機関。
【請求項１１０４】
前記高温水噴射電磁弁（８７Ｂａ）は通電時前に閉弁制御を確認し、閉弁装置（９２）を開弁により全開始動可能にすることを特徴とするエネルギ保存サイクル機関。
【請求項１１０５】
前記高温水噴射電磁弁（８７Ｂｂ）は通電時前に閉弁制御を確認し、閉弁装置（９２）を開弁により全開始動可能にすることを特徴とするエネルギ保存サイクル機関。
【請求項１１０６】
前記高温水噴射電磁弁（８７Ｂａ）は弁棒（２３）を閉弁方向に付勢する発条（９６）を具備することを特徴とするエネルギ保存サイクル機関。
【請求項１１０７】
前記高温水噴射電磁弁（８７Ｂｂ）は弁棒（２３）を閉弁方向に付勢する発条（９６）を具備することを特徴とするエネルギ保存サイクル機関。
【請求項１１０８】
前記高温水噴射電磁弁（８７Ｂａ）は弁棒（２３）を閉弁方向に付勢するとき、電磁石（５８）の上部を同極は反発する方向に通電して下部を異極は吸引する磁石にすることを特徴とするエネルギ保存サイクル機関。
【請求項１１０９】
前記高温水噴射電磁弁（８７Ｂｂ）は弁棒（２３）を閉弁方向に付勢するとき、電磁石（５８）の上部を同極は反発する方向に通電して下部を異極は吸引する磁石にすることを特徴とするエネルギ保存サイクル機関。
【請求項１１１０】
前記高温水噴射電磁弁（８７Ｂａ）は弁棒（２３）を開弁方向に付勢するとき、電磁石（５８）の下部を同極は反発する方向に通電して上部を異極は吸引する磁石にし、公知の各種流用噴射弁（１００）より噴射することを特徴とするエネルギ保存サイクル機関。
【請求項１１１１】
前記高温水噴射電磁弁（８７Ｂｂ）は弁棒（２３）を開弁方向に付勢するとき、電磁石（５８）の下部を同極は反発する方向に通電して上部を異極は吸引する磁石にし、公知の各種流用噴射弁（１００）より噴射することを特徴とするエネルギ保存サイクル機関。
【請求項１１１２】
前記高温水噴射電磁弁（８７Ｂａ）は弁棒（２３）を開弁方向に付勢するとき、電磁石（５８）の下部を同極は反発する方向に通電して上部を異極は吸引する磁石にし、公知の各種流用噴射弁（１００）のノズルより噴射することを特徴とするエネルギ保存サイクル機関。
【請求項１１１３】
前記高温水噴射電磁弁（８７Ｂｂ）は弁棒（２３）を開弁方向に付勢するとき、電磁石（５８）の下部を同極は反発する方向に通電して上部を異極は吸引する磁石にし、公知の各種流用噴射弁（１００）のノズルより噴射することを特徴とするエネルギ保存サイクル機関。
【請求項１１１４】
前記高温水噴射電磁弁（８７Ｂａ）は弁棒（２３）を開弁方向に付勢するとき、電磁石（５８）の下部を同極は反発する方向に通電して上部を異極は吸引する磁石にし、公知の各種流用噴射弁（１００）の加熱高温ノズルより噴射することを特徴とするエネルギ保存サイクル機関。
【請求項１１１５】
前記高温水噴射電磁弁（８７Ｂｂ）は弁棒（２３）を開弁方向に付勢するとき、電磁石（５８）の下部を同極は反発する方向に通電して上部を異極は吸引する磁石にし、公知の各種流用噴射弁（１００）の加熱高温ノズルより噴射することを特徴とするエネルギ保存サイクル機関。
【請求項１１１６】
前記高温水噴射電磁弁（８７Ｂａ）は弁棒（２３）を開弁方向に付勢するとき、電磁石（５８）の下部を同極は反発する方向に通電して上部を異極は吸引する磁石にし、公知の各種流用噴射弁（１００）の加熱高温砲身形ノズルより噴射することを特徴とするエネルギ保存サイクル機関。
【請求項１１１７】
前記高温水噴射電磁弁（８７Ｂｂ）は弁棒（２３）を開弁方向に付勢するとき、電磁石（５８）の下部を同極は反発する方向に通電して上部を異極は吸引する磁石にし、公知の各種流用噴射弁（１００）の加熱高温砲身形ノズルより噴射することを特徴とするエネルギ保存サイクル機関。
【請求項１１１８】
前記高温水噴射電磁弁（８７Ｂａ）は弁棒（２３）を開弁方向に付勢するとき、電磁石（５８）の下部を同極は反発する方向に通電して上部を異極は吸引する磁石にし、公知の各種流用噴射弁（１００）の加熱高温砲身形で内部螺旋溝を設けたノズルより噴射することを特徴とするエネルギ保存サイクル機関。
【請求項１１１９】
前記高温水噴射電磁弁（８７Ｂｂ）は弁棒（２３）を開弁方向に付勢するとき、電磁石（５８）の下部を同極は反発する方向に通電して上部を異極は吸引する磁石にし、公知の各種流用噴射弁（１００）の加熱高温砲身形で内部螺旋溝を設けたノズルより噴射することを特徴とするエネルギ保存サイクル機関。
【請求項１１２０】
前記高温水噴射電磁弁（８７Ｂａ）は弁棒（２３）を開弁方向に付勢するとき、電磁石（５８）の下部を同極は反発する方向に通電して上部を異極は吸引する磁石にし、公知の各種流用噴射弁（１００）の加熱高温砲身形で内部螺旋溝を設けて末広としたノズルより噴射することを特徴とするエネルギ保存サイクル機関。
【請求項１１２１】
前記高温水噴射電磁弁（８７Ｂｂ）は弁棒（２３）を開弁方向に付勢するとき、電磁石（５８）の下部を同極は反発する方向に通電して上部を異極は吸引する磁石にし、公知の各種流用噴射弁（１００）の加熱高温砲身形で内部螺旋溝を設けて末広としたノズルより噴射することを特徴とするエネルギ保存サイクル機関。
【請求項１１２２】
前記縮径主燃焼室熱交換器（２）は導水管（３）を螺旋環状に具備したことを特徴とするエネルギ保存サイクル機関。
【請求項１１２３】
前記縮径主燃焼室熱交換器（２）は複数の導水管（３）を螺旋環状に具備したことを特徴とするエネルギ保存サイクル機関。
【請求項１１２４】
前記縮径主燃焼室熱交換器（２）は複数の導水管（３）を螺旋環状に具備して、その一部を露出したことを特徴とするエネルギ保存サイクル機関。
【請求項１１２５】
前記縮径主燃焼室熱交換器（２）は複数の導水管（３）を螺旋環状に具備してその一部を露出し、露出部分を任意の螺旋状にしたことを特徴とするエネルギ保存サイクル機関。
【請求項１１２６】
前記縮径主燃焼室熱交換器（２）は導水管（３）を螺旋環状に二重以上具備したことを特徴とするエネルギ保存サイクル機関。
【請求項１１２７】
前記縮径主燃焼室熱交換器（２）は複数の導水管（３）を螺旋環状に二重以上具備したことを特徴とするエネルギ保存サイクル機関。
【請求項１１２８】
前記縮径主燃焼室熱交換器（２）は複数の導水管（３）を螺旋環状に二重以上具備して、その一部を露出したことを特徴とするエネルギ保存サイクル機関。
【請求項１１２９】
前記縮径主燃焼室熱交換器（２）は複数の導水管（３）を螺旋環状に二重以上具備してその一部を露出し、露出部分を任意の螺旋状にしたことを特徴とするエネルギ保存サイクル機関。
【請求項１１３０】
前記縮径主燃焼室熱交換器（２）は導水管（３）を螺旋環状に具備し、終端を高温水噴射電磁弁（８７Ａａ）に連絡可能としたことを特徴とするエネルギ保存サイクル機関。
【請求項１１３１】
前記縮径主燃焼室熱交換器（２）は複数の導水管（３）を螺旋環状に具備し、終端を高温水噴射電磁弁（８７Ａａ）に連絡可能としたことを特徴とするエネルギ保存サイクル機関。
【請求項１１３２】
前記縮径主燃焼室熱交換器（２）は複数の導水管（３）を螺旋環状に具備し、終端を高温水噴射電磁弁（８７Ａａ）に連絡可能として、その一部を露出したことを特徴とするエネルギ保存サイクル機関。
【請求項１１３３】
前記縮径主燃焼室熱交換器（２）は複数の導水管（３）を螺旋環状に具備し、終端を高温水噴射電磁弁（８７Ａａ）に連絡可能としてその一部を露出し、露出部分を任意の螺旋状にしたことを特徴とするエネルギ保存サイクル機関。
【請求項１１３４】
前記縮径主燃焼室熱交換器（２）は導水管（３）を螺旋環状に二重以上具備し、終端を高温水噴射電磁弁（８７Ａａ）に連絡可能としたことを特徴とするエネルギ保存サイクル機関。
【請求項１１３５】
前記縮径主燃焼室熱交換器（２）は複数の導水管（３）を螺旋環状に二重以上具備し、終端を高温水噴射電磁弁（８７Ａａ）に連絡可能としたことを特徴とするエネルギ保存サイクル機関。
【請求項１１３６】
前記縮径主燃焼室熱交換器（２）は複数の導水管（３）を螺旋環状に二重以上具備し、終端を高温水噴射電磁弁（８７Ａａ）に連絡可能として、その一部を露出したことを特徴とするエネルギ保存サイクル機関。
【請求項１１３７】
前記縮径主燃焼室熱交換器（２）は複数の導水管（３）を螺旋環状に二重以上具備し、終端を高温水噴射電磁弁（８７Ａａ）に連絡可能としてその一部を露出し、露出部分を任意の螺旋状にしたことを特徴とするエネルギ保存サイクル機関。
【請求項１１３８】
前記縮径主燃焼室熱交換器（２）は導水管（３）を螺旋環状に具備し、終端を高温水噴射電磁弁（８７Ｂａ）に連絡可能としたことを特徴とするエネルギ保存サイクル機関。
【請求項１１３９】
前記縮径主燃焼室熱交換器（２）は複数の導水管（３）を螺旋環状に具備し、終端を高温水噴射電磁弁（８７Ｂａ）に連絡可能としたことを特徴とするエネルギ保存サイクル機関。
【請求項１１４０】
前記縮径主燃焼室熱交換器（２）は複数の導水管（３）を螺旋環状に具備し、終端を高温水噴射電磁弁（８７Ｂａ）に連絡可能として、その一部を露出したことを特徴とするエネルギ保存サイクル機関。
【請求項１１４１】
前記縮径主燃焼室熱交換器（２）は複数の導水管（３）を螺旋環状に具備し、終端を高温水噴射電磁弁（８７Ｂａ）に連絡可能としてその一部を露出し、露出部分を任意の螺旋状にしたことを特徴とするエネルギ保存サイクル機関。
【請求項１１４２】
前記縮径主燃焼室熱交換器（２）は導水管（３）を螺旋環状に二重以上具備し、終端を高温水噴射電磁弁（８７Ｂａ）に連絡可能としたことを特徴とするエネルギ保存サイクル機関。
【請求項１１４３】
前記縮径主燃焼室熱交換器（２）は複数の導水管（３）を螺旋環状に二重以上具備し、終端を高温水噴射電磁弁（８７Ｂａ）に連絡可能としたことを特徴とするエネルギ保存サイクル機関。
【請求項１１４４】
前記縮径主燃焼室熱交換器（２）は複数の導水管（３）を螺旋環状に二重以上具備し、終端を高温水噴射電磁弁（８７Ｂａ）に連絡可能として、その一部を露出したことを特徴とするエネルギ保存サイクル機関。
【請求項１１４５】
前記縮径主燃焼室熱交換器（２）は複数の導水管（３）を螺旋環状に二重以上具備し、終端を高温水噴射電磁弁（８７Ｂａ）に連絡可能としてその一部を露出し、露出部分を任意の螺旋状にしたことを特徴とするエネルギ保存サイクル機関。
【請求項１１４６】
前記電磁弁装着部（９３）は縮径主燃焼室（１）に具備することを特徴とするエネルギ保存サイクル機関。
【請求項１１４７】
前記電磁弁装着部（９３ａ）はシリンダヘッド（１５）に具備することを特徴とするエネルギ保存サイクル機関。
【請求項１１４８】
前記電磁弁装着部（９３ａ）はシリンダヘッド（１５）に複数具備することを特徴とするエネルギ保存サイクル機関。
【請求項１１４９】
前記電磁弁装着部（９３ａ）はシリンダヘッド（１５）に多数具備することを特徴とするエネルギ保存サイクル機関。
【請求項１１５０】
前記電磁弁装着部（９３）は導水管（３）に連絡可能としたことを特徴とするエネルギ保存サイクル機関。
【請求項１１５１】
前記電磁弁装着部（９３ａ）は導水管（３）に連絡可能としたことを特徴とするエネルギ保存サイクル機関。
【請求項１１５２】
前記電磁弁装着部（９３）は複数の導水管（３）に連絡可能としたことを特徴とするエネルギ保存サイクル機関。
【請求項１１５３】
前記電磁弁装着部（９３ａ）は複数の導水管（３）に連絡可能としたことを特徴とするエネルギ保存サイクル機関。
【請求項１１５４】
前記電磁弁装着部（９３）は導水管（３）の終端部に連絡したことを特徴とするエネルギ保存サイクル機関。
【請求項１１５５】
前記電磁弁装着部（９３）は複数の導水管（３）の終端部に連絡したことを特徴とするエネルギ保存サイクル機関。
【請求項１１５６】
前記電磁弁装着部（９３）は導水管（３）の高温水終端部に連絡したことを特徴とするエネルギ保存サイクル機関。
【請求項１１５７】
前記電磁弁装着部（９３）は複数の導水管（３）の高温水終端部に連絡したことを特徴とするエネルギ保存サイクル機関。
【請求項１１５８】
前記電磁弁装着部（９３）は導水管（３）の終端部に連絡して、円筒端部に高温水噴射電磁弁（８７Ａａ）をボルト締めしたことを特徴とするエネルギ保存サイクル機関。
【請求項１１５９】
前記電磁弁装着部（９３）は複数の導水管（３）の終端部に連絡して、円筒端部に高温水噴射電磁弁（８７Ａａ）をボルト締めしたことを特徴とするエネルギ保存サイクル機関。
【請求項１１６０】
前記電磁弁装着部（９３）は導水管（３）の高温水終端部に連絡して、円筒端部に高温水噴射電磁弁（８７Ａａ）をボルト締めしたことを特徴とするエネルギ保存サイクル機関。
【請求項１１６１】
前記電磁弁装着部（９３）は複数の導水管（３）の高温水終端部に連絡して、円筒端部に高温水噴射電磁弁（８７Ａａ）をボルト締めしたことを特徴とするエネルギ保存サイクル機関。
【請求項１１６２】
前記電磁弁装着部（９３）は導水管（３）の終端部に連絡して、円筒端部に高温水噴射電磁弁（８７Ｂａ）をボルト締めしたことを特徴とするエネルギ保存サイクル機関。
【請求項１１６３】
前記電磁弁装着部（９３）は複数の導水管（３）の終端部に連絡して、円筒端部に高温水噴射電磁弁（８７Ｂａ）をボルト締めしたことを特徴とするエネルギ保存サイクル機関。
【請求項１１６４】
前記電磁弁装着部（９３）は導水管（３）の高温水終端部に連絡して、円筒端部に高温水噴射電磁弁（８７Ｂａ）をボルト締めしたことを特徴とするエネルギ保存サイクル機関。
【請求項１１６５】
前記電磁弁装着部（９３）は複数の導水管（３）の高温水終端部に連絡して、円筒端部に高温水噴射電磁弁（８７Ｂａ）をボルト締めしたことを特徴とするエネルギ保存サイクル機関。
【請求項１１６６】
前記電磁弁装着部（９３）は導水管（３）の終端部に連絡して、円筒端部に高温水噴射電磁弁（８７Ａａ）をねじ込み固着したことを特徴とするエネルギ保存サイクル機関。
【請求項１１６７】
前記電磁弁装着部（９３）は複数の導水管（３）の終端部に連絡して、円筒端部に高温水噴射電磁弁（８７Ａａ）をねじ込み固着したことを特徴とするエネルギ保存サイクル機関。
【請求項１１６８】
前記電磁弁装着部（９３）は導水管（３）の高温過熱蒸気終端部に連絡して、円筒端部に高温水噴射電磁弁（８７Ａａ）をねじ込み固着したことを特徴とするエネルギ保存サイクル機関。
【請求項１１６９】
前記電磁弁装着部（９３）は複数の導水管（３）の高温過熱蒸気終端部に連絡して、円筒端部に高温水噴射電磁弁（８７Ａａ）をねじ込み固着したことを特徴とするエネルギ保存サイクル機関。
【請求項１１７０】
前記電磁弁装着部（９３）は導水管（３）の終端部に連絡して、円筒端部に高温水噴射電磁弁（８７Ｂａ）をねじ込み固着したことを特徴とするエネルギ保存サイクル機関。
【請求項１１７１】
前記電磁弁装着部（９３）は複数の導水管（３）の終端部に連絡して、円筒端部に高温水噴射電磁弁（８７Ｂａ）をねじ込み固着したことを特徴とするエネルギ保存サイクル機関。
【請求項１１７２】
前記電磁弁装着部（９３）は導水管（３）の高温水終端部に連絡して、円筒端部に高温水噴射電磁弁（８７Ｂａ）をねじ込み固着したことを特徴とするエネルギ保存サイクル機関。
【請求項１１７３】
前記電磁弁装着部（９３）は複数の導水管（３）の高温水終端部に連絡して、円筒端部に高温水噴射電磁弁（８７Ｂａ）をねじ込み固着したことを特徴とするエネルギ保存サイクル機関。
【請求項１１７４】
前記電磁弁装着部（９３ａ）は導水管（３）の最適高温水部に連絡したことを特徴とするエネルギ保存サイクル機関。
【請求項１１７５】
前記電磁弁装着部（９３ａ）は複数の導水管（３）の最適高温水部に連絡したことを特徴とするエネルギ保存サイクル機関。
【請求項１１７６】
前記電磁弁装着部（９３ａ）は導水管（３）の最適高温水部で分岐して連絡したことを特徴とするエネルギ保存サイクル機関。
【請求項１１７７】
前記電磁弁装着部（９３ａ）は複数の導水管（３）の最適高温水部で分岐して連絡したことを特徴とするエネルギ保存サイクル機関。
【請求項１１７８】
前記電磁弁装着部（９３ａ）は導水管（３）の最適高温水部で複数に分岐して連絡したことを特徴とするエネルギ保存サイクル機関。
【請求項１１７９】
前記電磁弁装着部（９３ａ）は複数の導水管（３）の最適高温水部で複数に分岐して連絡したことを特徴とするエネルギ保存サイクル機関。
【請求項１１８０】
前記電磁弁装着部（９３ａ）は導水管（３）の最適高温水部で多数に分岐して連絡したことを特徴とするエネルギ保存サイクル機関。
【請求項１１８１】
前記電磁弁装着部（９３ａ）は複数の導水管（３）の最適高温水部で多数に分岐して連絡したことを特徴とするエネルギ保存サイクル機関。
【請求項１１８２】
前記電磁弁装着部（９３ａ）は導水管（３）に連絡可能として、円筒端部に高温水噴射電磁弁（８７Ａｂ）をボルト締め固着したことを特徴とするエネルギ保存サイクル機関。
【請求項１１８３】
前記電磁弁装着部（９３ａ）は複数の導水管（３）に連絡可能として、円筒端部に高温水噴射電磁弁（８７Ａｂ）をボルト締め固着したことを特徴とするエネルギ保存サイクル機関。
【請求項１１８４】
前記電磁弁装着部（９３ａ）は導水管（３）に連絡可能として、円筒端部に高温水噴射電磁弁（８７Ａｂ）をねじ込み固着したことを特徴とするエネルギ保存サイクル機関。
【請求項１１８５】
前記電磁弁装着部（９３ａ）は複数の導水管（３）に連絡可能として、円筒端部に高温水噴射電磁弁（８７Ａｂ）をねじ込み固着したことを特徴とするエネルギ保存サイクル機関。
【請求項１１８６】
前記電磁弁装着部（９３ａ）は導水管（３）に連絡可能として、円筒端部に高温水噴射電磁弁（８７Ｂｂ）をボルト締め固着したことを特徴とするエネルギ保存サイクル機関。
【請求項１１８７】
前記電磁弁装着部（９３ａ）は複数の導水管（３）に連絡可能として、円筒端部に高温水噴射電磁弁（８７Ｂｂ）をボルト締め固着したことを特徴とするエネルギ保存サイクル機関。
【請求項１１８８】
前記電磁弁装着部（９３ａ）は導水管（３）に連絡可能として、円筒端部に高温水噴射電磁弁（８７Ｂｂ）をねじ込み固着したことを特徴とするエネルギ保存サイクル機関。
【請求項１１８９】
前記電磁弁装着部（９３ａ）は複数の導水管（３）に連絡可能として、円筒端部に高温水噴射電磁弁（８７Ｂｂ）をねじ込み固着したことを特徴とするエネルギ保存サイクル機関。
【請求項１１９０】
前記高温水噴射電磁弁（８７Ａａ）に換えて高温水噴射電磁弁（８７Ｂａ）としたことを特徴とするエネルギ保存サイクル機関。
【請求項１１９１】
前記電磁弁装着部（９３ａ）及び高温水噴射電磁弁（８７Ｂｂ）を具備したことを特徴とするエネルギ保存サイクル機関。
【請求項１１９２】
前記電磁弁装着部（９３ａ）及び高温水噴射電磁弁（８７Ａｂ）を具備したことを特徴とするエネルギ保存サイクル機関。
【請求項１１９３】
前記電磁弁装着部（９３ａ）及び高温水噴射電磁弁（８７Ｂｂ）を複数具備したことを特徴とするエネルギ保存サイクル機関。
【請求項１１９４】
前記電磁弁装着部（９３ａ）及び高温水噴射電磁弁（８７Ａｂ）を複数具備したことを特徴とするエネルギ保存サイクル機関。
【請求項１１９５】
前記電磁弁装着部（９３ａ）及び高温水噴射電磁弁（８７Ｂｂ）を具備したことを特徴とするエネルギ保存サイクル機関。
【請求項１１９６】
前記電磁弁装着部（９３ａ）及び高温水噴射電磁弁（８７Ａｂ）を具備したことを特徴とするエネルギ保存サイクル機関。
【請求項１１９７】
前記電磁弁装着部（９３ａ）及び高温水噴射電磁弁（８７Ｂｂ）を複数具備したことを特徴とするエネルギ保存サイクル機関。
【請求項１１９８】
前記電磁弁装着部（９３ａ）及び高温水噴射電磁弁（８７Ａｂ）を複数具備したことを特徴とするエネルギ保存サイクル機関。
【請求項１１９９】
前記電磁弁装着部（９３）及び高温水噴射電磁弁（８７Ｂａ）を具備したことを特徴とするエネルギ保存サイクル機関。
【請求項１２００】
前記電磁弁装着部（９３）及び高温水噴射電磁弁（８７Ａａ）を具備したことを特徴とするエネルギ保存サイクル機関。
【請求項１２０１】
前記嵌入用凹部（８６）を具備した電磁加熱縮径ピストン（２２）は、電磁加熱拡径部に掃気弁（２６）を設けたものをＨａ型として、Ｈａ型電磁加熱縮径ピストン（２２）として具備することを特徴とするＨ型エネルギ保存サイクル機関。
【請求項１２０２】
前記嵌入用凹部（８６）を具備した電磁加熱縮径ピストン（２２）は、電磁加熱拡径部を湾曲部まで拡大して掃気弁（２６）を設けたものをＩａ型として、Ｉａ型電磁加熱縮径ピストン（２２）として具備することを特徴とするＨ型エネルギ保存サイクル機関。
【請求項１２０３】
前記嵌入用凹部（８６）を具備した電磁加熱縮径ピストン（２２）は、電磁加熱拡径部まで拡大したものをＪａ型として、Ｊａ型電磁加熱縮径ピストン（２２）として具備することを特徴とするエネルギ保存サイクル機関。
【請求項１２０４】
前記嵌入用凹部（８６）を具備した電磁加熱縮径ピストン（２２）は、電磁加熱拡径部を湾曲部まで拡大したものをＫａ型として、Ｋａ型電磁加熱縮径ピストン（２２）として具備することを特徴とするエネルギ保存サイクル機関。
【請求項１２０５】
前記ノズル嵌入用凹部（８６）を具備した電磁加熱縮径ピストン（２２）は、電磁加熱拡径部に掃気弁（２６）を設けたものをＨａ型として、Ｈａ型電磁加熱縮径ピストン（２２）として具備することを特徴とするＨ型エネルギ保存サイクル機関。
【請求項１２０６】
前記ノズル嵌入用凹部（８６）を具備した電磁加熱縮径ピストン（２２）は、電磁加熱拡径部を湾曲部まで拡大して掃気弁（２６）を設けたものをＩａ型として、Ｉａ型電磁加熱縮径ピストン（２２）として具備することを特徴とするＨ型エネルギ保存サイクル機関。
【請求項１２０７】
前記ノズル嵌入用凹部（８６）を具備した電磁加熱縮径ピストン（２２）は、電磁加熱拡径部まで拡大したものをＪａ型として、Ｊａ型電磁加熱縮径ピストン（２２）として具備することを特徴とするエネルギ保存サイクル機関。
【請求項１２０８】
前記ノズル嵌入用凹部（８６）を具備した電磁加熱縮径ピストン（２２）は、電磁加熱拡径部を湾曲部まで拡大したものをＫａ型として、Ｋａ型電磁加熱縮径ピストン（２２）として具備することを特徴とするエネルギ保存サイクル機関。
【請求項１２０９】
前記電磁加熱縮径ピストン（２２）は、電磁加熱拡径部に掃気弁（２６）を設けたものをＨａ型として、Ｈａ型電磁加熱縮径ピストン（２２）として具備することを特徴とするＨ型エネルギ保存サイクル機関。
【請求項１２１０】
前記電磁加熱縮径ピストン（２２）は、電磁加熱拡径部を湾曲部まで拡大して掃気弁（２６）を設けたものをＩａ型として、Ｉａ型電磁加熱縮径ピストン（２２）として具備することを特徴とするＨ型エネルギ保存サイクル機関。
【請求項１２１１】
前記電磁加熱縮径ピストン（２２）は、電磁加熱拡径部まで拡大したものをＪａ型として、Ｊａ型電磁加熱縮径ピストン（２２）として具備することを特徴とするエネルギ保存サイクル機関。
【請求項１２１２】
前記電磁加熱縮径ピストン（２２）は、電磁加熱拡径部を湾曲部まで拡大したものをＫａ型として、Ｋａ型電磁加熱縮径ピストン（２２）として具備することを特徴とするエネルギ保存サイクル機関。
【請求項１２１３】
前記嵌入用凹部（８６）を具備した電磁加熱縮径ピストン（２２）は、拡径ピストン２１にコイル８２を設けて通電し、磁力線の渦電流で加熱高温とし、電磁加熱拡径部に掃気弁（２６）を設けたものをＨａ型として、Ｈａ型電磁加熱縮径ピストン（２２）として具備することを特徴とするＨ型エネルギ保存サイクル機関。
【請求項１２１４】
前記嵌入用凹部（８６）を具備した電磁加熱縮径ピストン（２２）は、拡径ピストン２１にコイル８２を設けて通電し、磁力線の渦電流で加熱高温とし、電磁加熱拡径部を湾曲部まで拡大して掃気弁（２６）を設けたものをＩａ型として、Ｉａ型電磁加熱縮径ピストン（２２）として具備することを特徴とするＨ型エネルギ保存サイクル機関。
【請求項１２１５】
前記嵌入用凹部（８６）を具備した電磁加熱縮径ピストン（２２）は、拡径ピストン２１にコイル８２を設けて通電し、磁力線の渦電流で加熱高温とし、電磁加熱拡径部まで拡大したものをＪａ型として、Ｊａ型電磁加熱縮径ピストン（２２）として具備することを特徴とするエネルギ保存サイクル機関。
【請求項１２１６】
前記嵌入用凹部（８６）を具備した電磁加熱縮径ピストン（２２）は、拡径ピストン２１にコイル８２を設けて通電し、磁力線の渦電流で加熱高温とし、電磁加熱拡径部を湾曲部まで拡大したものをＫａ型として、Ｋａ型電磁加熱縮径ピストン（２２）として具備することを特徴とするエネルギ保存サイクル機関。
【請求項１２１７】
前記ノズル嵌入用凹部（８６）を具備した電磁加熱縮径ピストン（２２）は、拡径ピストン２１にコイル８２を設けて通電し、磁力線の渦電流で加熱高温とし、電磁加熱拡径部に掃気弁（２６）を設けたものをＨａ型として、Ｈａ型電磁加熱縮径ピストン（２２）として具備することを特徴とするＨ型エネルギ保存サイクル機関。
【請求項１２１８】
前記ノズル嵌入用凹部（８６）を具備した電磁加熱縮径ピストン（２２）は、拡径ピストン２１にコイル８２を設けて通電し、磁力線の渦電流で加熱高温とし、電磁加熱拡径部を湾曲部まで拡大して掃気弁（２６）を設けたものをＩａ型として、Ｉａ型電磁加熱縮径ピストン（２２）として具備することを特徴とするＨ型エネルギ保存サイクル機関。
【請求項１２１９】
前記ノズル嵌入用凹部（８６）を具備した電磁加熱縮径ピストン（２２）は、拡径ピストン２１にコイル８２を設けて通電し、磁力線の渦電流で加熱高温とし、電磁加熱拡径部まで拡大したものをＪａ型として、Ｊａ型電磁加熱縮径ピストン（２２）として具備することを特徴とするエネルギ保存サイクル機関。
【請求項１２２０】
前記ノズル嵌入用凹部（８６）を具備した電磁加熱縮径ピストン（２２）は、拡径ピストン２１にコイル８２を設けて通電し、磁力線の渦電流で加熱高温とし、電磁加熱拡径部を湾曲部まで拡大したものをＫａ型として、Ｋａ型電磁加熱縮径ピストン（２２）として具備することを特徴とするエネルギ保存サイクル機関。
【請求項１２２１】
前記電磁加熱縮径ピストン（２２）は、拡径ピストン２１にコイル８２を設けて通電し、磁力線の渦電流で加熱高温とし、電磁加熱拡径部に掃気弁（２６）を設けたものをＨａ型として、Ｈａ型電磁加熱縮径ピストン（２２）として具備することを特徴とするＨ型エネルギ保存サイクル機関。
【請求項１２２２】
前記電磁加熱縮径ピストン（２２）は、拡径ピストン２１にコイル８２を設けて通電し、磁力線の渦電流で加熱高温とし、電磁加熱拡径部を湾曲部まで拡大して掃気弁（２６）を設けたものをＩａ型として、Ｉａ型電磁加熱縮径ピストン（２２）として具備することを特徴とするＨ型エネルギ保存サイクル機関。
【請求項１２２３】
前記電磁加熱縮径ピストン（２２）は、拡径ピストン２１にコイル８２を設けて通電し、磁力線の渦電流で加熱高温とし、電磁加熱拡径部まで拡大したものをＪａ型として、Ｊａ型電磁加熱縮径ピストン（２２）として具備することを特徴とするエネルギ保存サイクル機関。
【請求項１２２４】
前記電磁加熱縮径ピストン（２２）は、拡径ピストン２１にコイル８２を設けて通電し、磁力線の渦電流で加熱高温とし、電磁加熱拡径部を湾曲部まで拡大したものをＫａ型として、Ｋａ型電磁加熱縮径ピストン（２２）として具備することを特徴とするエネルギ保存サイクル機関。
【請求項１２２５】
前記嵌入用凹部（８６）を具備した電磁加熱縮径ピストン（２２）は、電磁加熱高温にすることを特徴とするエネルギ保存サイクル機関。
【請求項１２２６】
前記ノズル嵌入用凹部（８６）を具備した電磁加熱縮径ピストン（２２）は、電磁加熱高温にすることを特徴とするエネルギ保存サイクル機関。
【請求項１２２７】
前記電磁加熱縮径ピストン（２２）は、電磁加熱高温にすることを特徴とするエネルギ保存サイクル機関。
【請求項１２２８】
前記電磁加熱縮径ピストン（２２）は、渦電流の電気抵抗により加熱高温にすることを特徴とするエネルギ保存サイクル機関。
【請求項１２２９】
前記電磁加熱縮径ピストン（２２）は、コイル８２の磁力線の渦電流の電気抵抗により加熱高温にすることを特徴とするエネルギ保存サイクル機関。
【請求項１２３０】
前記嵌入用凹部（８６）を具備した電磁加熱縮径ピストン（２２）は、電磁加熱高温としてシリンダヘッド（１５）に具備した高温水噴射電磁弁（８７ｂ）より直接電磁加熱縮径ピストン（２２）の拡径部に高温水噴射するエネルギ保存サイクル機関。
【請求項１２３１】
前記ノズル嵌入用凹部（８６）を具備した電磁加熱縮径ピストン（２２）は、電磁加熱高温としてシリンダヘッド（１５）に具備した高温水噴射電磁弁（８７ｂ）より直接電磁加熱縮径ピストン（２２）の拡径部に高温水噴射するエネルギ保存サイクル機関。
【請求項１２３２】
前記電磁加熱縮径ピストン（２２）は、電磁加熱高温としてシリンダヘッド（１５）に具備した高温水噴射電磁弁（８７ｂ）より直接電磁加熱縮径ピストン（２２）の拡径部に高温水噴射するエネルギ保存サイクル機関。
【請求項１２３３】
前記嵌入用凹部（８６）を具備した電磁加熱縮径ピストン（２２）は、熱伝導良好な材料で構成して拡径部を電磁加熱高温にすることを特徴とするエネルギ保存サイクル機関。
【請求項１２３４】
前記ノズル嵌入用凹部（８６）を具備した電磁加熱縮径ピストン（２２）は、熱伝導良好な材料で構成して拡径部を電磁加熱高温にすることを特徴とするエネルギ保存サイクル機関。
【請求項１２３５】
前記電磁加熱縮径ピストン（２２）は、熱伝導良好な材料で構成して拡径部を電磁加熱高温にすることを特徴とするエネルギ保存サイクル機関。
【請求項１２３６】
前記嵌入用凹部（８６）を具備した電磁加熱縮径ピストン（２２）は、熱伝導良好な材料で構成して電磁加熱高温としてシリンダヘッド（１５）に具備した高温水噴射電磁弁（８７ｂ）より直接電磁加熱縮径ピストン（２２）の拡径部に高温水噴射するエネルギ保存サイクル機関。
【請求項１２３７】
前記ノズル嵌入用凹部（８６）を具備した電磁加熱縮径ピストン（２２）は、熱伝導良好な材料で構成して電磁加熱高温としてシリンダヘッド（１５）に具備した高温水噴射電磁弁（８７ｂ）より直接電磁加熱縮径ピストン（２２）の拡径部に高温水噴射するエネルギ保存サイクル機関。
【請求項１２３８】
前記電磁加熱縮径ピストン（２２）は、熱伝導良好な材料で構成して電磁加熱高温としてシリンダヘッド（１５）に具備した高温水噴射電磁弁（８７ｂ）より直接電磁加熱縮径ピストン（２２）の拡径部に高温水噴射するエネルギ保存サイクル機関。
【請求項１２３９】
前記嵌入用凹部（８６）を具備した電磁加熱縮径ピストン（２２）は、縮径部を熱伝導良好な材料で構成して拡径部を電磁加熱高温にすることを特徴とするエネルギ保存サイクル機関。
【請求項１２４０】
前記ノズル嵌入用凹部（８６）を具備した電磁加熱縮径ピストン（２２）は、縮径部を熱伝導良好な材料で構成して拡径部を電磁加熱高温にすることを特徴とするエネルギ保存サイクル機関。
【請求項１２４１】
前記電磁加熱縮径ピストン（２２）は、縮径部を熱伝導良好な材料で構成して拡径部を電磁加熱高温にすることを特徴とするエネルギ保存サイクル機関。
【請求項１２４２】
前記嵌入用凹部（８６）を具備した電磁加熱縮径ピストン（２２）は、縮径部を熱伝導良好な材料で構成して電磁加熱高温としてシリンダヘッド（１５）に具備した高温水噴射電磁弁（８７ｂ）より直接電磁加熱縮径ピストン（２２）の拡径部に高温水噴射するエネルギ保存サイクル機関。
【請求項１２４３】
前記嵌入用凹部（８６）を具備した電磁加熱縮径ピストン（２２）は、縮径部をセラミックスで構成して拡径部を電磁加熱高温にすることを特徴とするエネルギ保存サイクル機関。
【請求項１２４４】
前記ノズル嵌入用凹部（８６）を具備した電磁加熱縮径ピストン（２２）は、縮径部を熱伝導良好な材料で構成して電磁加熱高温としてシリンダヘッド（１５）に具備した高温水噴射電磁弁（８７ｂ）より直接電磁加熱縮径ピストン（２２）の拡径部に高温水噴射するエネルギ保存サイクル機関。
【請求項１２４５】
前記ノズル嵌入用凹部（８６）を具備した電磁加熱縮径ピストン（２２）は、縮径部をセラミックスで構成して拡径部を電磁加熱高温にすることを特徴とするエネルギ保存サイクル機関。
【請求項１２４６】
前記電磁加熱縮径ピストン（２２）は、縮径部をセラミックスで構成して拡径部を電磁加熱高温にすることを特徴とするエネルギ保存サイクル機関。
【請求項１２４７】
前記嵌入用凹部（８６）を具備した電磁加熱縮径ピストン（２２）は、縮径部をセラミックスで構成して拡径部を電磁加熱高温としてシリンダヘッド（１５）に具備した高温水噴射電磁弁（８７ｂ）より直接電磁加熱縮径ピストン（２２）の拡径部に高温水噴射するエネルギ保存サイクル機関。
【請求項１２４８】
前記ノズル嵌入用凹部（８６）を具備した電磁加熱縮径ピストン（２２）は、縮径部をセラミックスで構成して拡径部を電磁加熱高温としてシリンダヘッド（１５）に具備した高温水噴射電磁弁（８７ｂ）より直接電磁加熱縮径ピストン（２２）の拡径部に高温水噴射するエネルギ保存サイクル機関。
【請求項１２４９】
前記電磁加熱縮径ピストン（２２）は、縮径部をセラミックスで構成して拡径部を電磁加熱高温としてシリンダヘッド（１５）に具備した高温水噴射電磁弁（８７ｂ）より直接電磁加熱縮径ピストン（２２）の拡径部に高温水噴射するエネルギ保存サイクル機関。
【請求項１２５０】
前記嵌入用凹部（８６）を具備した電磁加熱縮径ピストン（２２）は、表面をセラミックスの被覆で構成して電磁加熱高温にすることを特徴とするエネルギ保存サイクル機関。
【請求項１２５１】
前記ノズル嵌入用凹部（８６）を具備した電磁加熱縮径ピストン（２２）は、表面をセラミックスの被覆で構成して電磁加熱高温にすることを特徴とするエネルギ保存サイクル機関。
【請求項１２５２】
前記電磁加熱縮径ピストン（２２）は、表面をセラミックスの被覆で構成して電磁加熱高温にすることを特徴とするエネルギ保存サイクル機関。
【請求項１２５３】
前記嵌入用凹部（８６）を具備した電磁加熱縮径ピストン（２２）は、表面をセラミックスの被覆で構成して電磁加熱高温としてシリンダヘッド（１５）に具備した高温水噴射電磁弁（８７ｂ）より直接電磁加熱縮径ピストン（２２）の拡径部に高温水噴射するエネルギ保存サイクル機関。
【請求項１２５４】
前記ノズル嵌入用凹部（８６）を具備した電磁加熱縮径ピストン（２２）は、表面をセラミックスの被覆で構成して電磁加熱高温としてシリンダヘッド（１５）に具備した高温水噴射電磁弁（８７ｂ）より直接電磁加熱縮径ピストン（２２）の拡径部に高温水噴射するエネルギ保存サイクル機関。
【請求項１２５５】
前記電磁加熱縮径ピストン（２２）は、表面をセラミックスの被覆で構成して電磁加熱高温としてシリンダヘッド（１５）に具備した高温水噴射電磁弁（８７ｂ）より直接電磁加熱縮径ピストン（２２）の拡径部に高温水噴射するエネルギ保存サイクル機関。
【請求項１２５６】
前記嵌入用凹部（８６）を具備した電磁加熱縮径ピストン（２２）は、縮径部表面をセラミックスの被覆で構成して拡径部を電磁加熱高温にすることを特徴とするエネルギ保存サイクル機関。
【請求項１２５７】
前記ノズル嵌入用凹部（８６）を具備した電磁加熱縮径ピストン（２２）は、縮径部表面をセラミックスの被覆で構成して拡径部を電磁加熱高温にすることを特徴とするエネルギ保存サイクル機関。
【請求項１２５８】
前記電磁加熱縮径ピストン（２２）は、縮径部表面をセラミックスの被覆で構成して拡径部を電磁加熱高温にすることを特徴とするエネルギ保存サイクル機関。
【請求項１２５９】
前記嵌入用凹部（８６）を具備した電磁加熱縮径ピストン（２２）は、縮径部表面をセラミックスの被覆で構成して拡径部を電磁加熱高温としてシリンダヘッド（１５）に具備した高温水噴射電磁弁（８７ｂ）より直接電磁加熱縮径ピストン（２２）の拡径部に高温水噴射するエネルギ保存サイクル機関。
【請求項１２６０】
前記ノズル嵌入用凹部（８６）を具備した電磁加熱縮径ピストン（２２）は、縮径部表面をセラミックスの被覆で構成して拡径部を電磁加熱高温としてシリンダヘッド（１５）に具備した高温水噴射電磁弁（８７ｂ）より直接電磁加熱縮径ピストン（２２）の拡径部に高温水噴射するエネルギ保存サイクル機関。
【請求項１２６１】
前記電磁加熱縮径ピストン（２２）は、縮径部表面をセラミックスの被覆で構成して拡径部を電磁加熱高温としてシリンダヘッド（１５）に具備した高温水噴射電磁弁（８７ｂ）より直接電磁加熱縮径ピストン（２２）の拡径部に高温水噴射するエネルギ保存サイクル機関。
【請求項１２６２】
前記嵌入用凹部（８６）を具備した電磁加熱縮径ピストン（２２）は、断熱材（３０）を設けて電磁加熱高温にすることを特徴とするエネルギ保存サイクル機関。
【請求項１２６３】
前記ノズル嵌入用凹部（８６）を具備した電磁加熱縮径ピストン（２２）は、断熱材（３０）を設けて電磁加熱高温にすることを特徴とするエネルギ保存サイクル機関。
【請求項１２６４】
前記電磁加熱縮径ピストン（２２）は、断熱材（３０）を設けて電磁加熱高温にすることを特徴とするエネルギ保存サイクル機関。
【請求項１２６５】
前記嵌入用凹部（８６）を具備した電磁加熱縮径ピストン（２２）は、断熱材（３０）を設けて電磁加熱高温としてシリンダヘッド（１５）に具備した高温水噴射電磁弁（８７ｂ）より直接電磁加熱縮径ピストン（２２）の拡径部に高温水噴射するエネルギ保存サイクル機関。
【請求項１２６６】
前記ノズル嵌入用凹部（８６）を具備した電磁加熱縮径ピストン（２２）は、断熱材（３０）を設けて電磁加熱高温としてシリンダヘッド（１５）に具備した高温水噴射電磁弁（８７ｂ）より直接電磁加熱縮径ピストン（２２）の拡径部に高温水噴射するエネルギ保存サイクル機関。
【請求項１２６７】
前記電磁加熱縮径ピストン（２２）は、断熱材（３０）を設けて電磁加熱高温としてシリンダヘッド（１５）に具備した高温水噴射電磁弁（８７ｂ）より直接電磁加熱縮径ピストン（２２）の拡径部に高温水噴射するエネルギ保存サイクル機関。
【請求項１２６８】
前記嵌入用凹部（８６）を具備した電磁加熱縮径ピストン（２２）は、熱伝導良好な材料で構成して、断熱材（３０）を設けて電磁加熱高温にすることを特徴とするエネルギ保存サイクル機関。
【請求項１２６９】
前記ノズル嵌入用凹部（８６）を具備した電磁加熱縮径ピストン（２２）は、熱伝導良好な材料で構成して、断熱材（３０）を設けて電磁加熱高温にすることを特徴とするエネルギ保存サイクル機関。
【請求項１２７０】
前記電磁加熱縮径ピストン（２２）は、熱伝導良好な材料で構成して、断熱材（３０）を設けて電磁加熱高温にすることを特徴とするエネルギ保存サイクル機関。
【請求項１２７１】
前記嵌入用凹部（８６）を具備した電磁加熱縮径ピストン（２２）は、熱伝導良好な材料で構成して、断熱材（３０）を設けて電磁加熱高温としてシリンダヘッド（１５）に具備した高温水噴射電磁弁（８７ｂ）より直接電磁加熱縮径ピストン（２２）の拡径部に高温水噴射するエネルギ保存サイクル機関。
【請求項１２７２】
前記ノズル嵌入用凹部（８６）を具備した電磁加熱縮径ピストン（２２）は、熱伝導良好な材料で構成して、断熱材（３０）を設けて電磁加熱高温としてシリンダヘッド（１５）に具備した高温水噴射電磁弁（８７ｂ）より直接電磁加熱縮径ピストン（２２）の拡径部に高温水噴射するエネルギ保存サイクル機関。
【請求項１２７３】
前記電磁加熱縮径ピストン（２２）は、熱伝導良好な材料で構成して、断熱材（３０）を設けて電磁加熱高温としてシリンダヘッド（１５）に具備した高温水噴射電磁弁（８７ｂ）より直接電磁加熱縮径ピストン（２２）の拡径部に高温水噴射するエネルギ保存サイクル機関。
【請求項１２７４】
前記嵌入用凹部（８６）を具備した電磁加熱縮径ピストン（２２）は、縮径部を熱伝導良好な材料で構成して、断熱材（３０）を設けて電磁加熱高温にすることを特徴とするエネルギ保存サイクル機関。
【請求項１２７５】
前記ノズル嵌入用凹部（８６）を具備した電磁加熱縮径ピストン（２２）は、縮径部を熱伝導良好な材料で構成して、断熱材（３０）を設けて電磁加熱高温にすることを特徴とするエネルギ保存サイクル機関。
【請求項１２７６】
前記電磁加熱縮径ピストン（２２）は、縮径部を熱伝導良好な材料で構成して、断熱材（３０）を設けて電磁加熱高温にすることを特徴とするエネルギ保存サイクル機関。
【請求項１２７７】
前記嵌入用凹部（８６）を具備した電磁加熱縮径ピストン（２２）は、縮径部を熱伝導良好な材料で構成して、断熱材（３０）を設けて電磁加熱高温としてシリンダヘッド（１５）に具備した高温水噴射電磁弁（８７ｂ）より直接電磁加熱縮径ピストン（２２）の拡径部に高温水噴射するエネルギ保存サイクル機関。
【請求項１２７８】
前記ノズル嵌入用凹部（８６）を具備した電磁加熱縮径ピストン（２２）は、縮径部を熱伝導良好な材料で構成して、断熱材（３０）を設けて電磁加熱高温としてシリンダヘッド（１５）に具備した高温水噴射電磁弁（８７ｂ）より直接電磁加熱縮径ピストン（２２）の拡径部に高温水噴射するエネルギ保存サイクル機関。
【請求項１２７９】
前記電磁加熱縮径ピストン（２２）は、縮径部を熱伝導良好な材料で構成して、断熱材（３０）を設けて電磁加熱高温としてシリンダヘッド（１５）に具備した高温水噴射電磁弁（８７ｂ）より直接電磁加熱縮径ピストン（２２）の拡径部に高温水噴射するエネルギ保存サイクル機関。
【請求項１２８０】
前記嵌入用凹部（８６）を具備した電磁加熱縮径ピストン（２２）は、縮径部をセラミックスで構成して、断熱材（３０）を設けて電磁加熱高温にすることを特徴とするエネルギ保存サイクル機関。
【請求項１２８１】
前記ノズル嵌入用凹部（８６）を具備した電磁加熱縮径ピストン（２２）は、縮径部をセラミックスで構成して、断熱材（３０）を設けて電磁加熱高温にすることを特徴とするエネルギ保存サイクル機関。
【請求項１２８２】
前記電磁加熱縮径ピストン（２２）は、縮径部をセラミックスで構成して、断熱材（３０）を設けて電磁加熱高温にすることを特徴とするエネルギ保存サイクル機関。
【請求項１２８３】
前記嵌入用凹部（８６）を具備した電磁加熱縮径ピストン（２２）は、縮径部をセラミックスで構成して、断熱材（３０）を設けて電磁加熱高温としてシリンダヘッド（１５）に具備した高温水噴射電磁弁（８７ｂ）より直接電磁加熱縮径ピストン（２２）の拡径部に高温水噴射するエネルギ保存サイクル機関。
【請求項１２８４】
前記ノズル嵌入用凹部（８６）を具備した電磁加熱縮径ピストン（２２）は、縮径部をセラミックスで構成して、断熱材（３０）を設けて電磁加熱高温としてシリンダヘッド（１５）に具備した高温水噴射電磁弁（８７ｂ）より直接電磁加熱縮径ピストン（２２）の拡径部に高温水噴射するエネルギ保存サイクル機関。
【請求項１２８５】
前記電磁加熱縮径ピストン（２２）は、縮径部をセラミックスで構成して、断熱材（３０）を設けて電磁加熱高温としてシリンダヘッド（１５）に具備した高温水噴射電磁弁（８７ｂ）より直接電磁加熱縮径ピストン（２２）の拡径部に高温水噴射するエネルギ保存サイクル機関。
【請求項１２８６】
前記嵌入用凹部（８６）を具備した電磁加熱縮径ピストン（２２）は、表面をセラミックスの被覆で構成して、断熱材（３０）を設けて電磁加熱高温にすることを特徴とするエネルギ保存サイクル機関。
【請求項１２８７】
前記ノズル嵌入用凹部（８６）を具備した電磁加熱縮径ピストン（２２）は、表面をセラミックスの被覆で構成して、断熱材（３０）を設けて電磁加熱高温にすることを特徴とするエネルギ保存サイクル機関。
【請求項１２８８】
前記電磁加熱縮径ピストン（２２）は、表面をセラミックスの被覆で構成して、断熱材（３０）を設けて電磁加熱高温にすることを特徴とするエネルギ保存サイクル機関。
【請求項１２８９】
前記嵌入用凹部（８６）を具備した電磁加熱縮径ピストン（２２）は、表面をセラミックスの被覆で構成して、断熱材（３０）を設けて電磁加熱高温としてシリンダヘッド（１５）に具備した高温水噴射電磁弁（８７ｂ）より直接電磁加熱縮径ピストン（２２）の拡径部に高温水噴射するエネルギ保存サイクル機関。
【請求項１２９０】
前記嵌入用凹部（８６）を具備した電磁加熱縮径ピストン（２２）は、縮径部表面をセラミックスの被覆で構成して、断熱材（３０）を設けて電磁加熱高温にすることを特徴とするエネルギ保存サイクル機関。
【請求項１２９１】
前記ノズル嵌入用凹部（８６）を具備した電磁加熱縮径ピストン（２２）は、表面をセラミックスの被覆で構成して、断熱材（３０）を設けて電磁加熱高温としてシリンダヘッド（１５）に具備した高温水噴射電磁弁（８７ｂ）より直接電磁加熱縮径ピストン（２２）の拡径部に高温水噴射するエネルギ保存サイクル機関。
【請求項１２９２】
前記ノズル嵌入用凹部（８６）を具備した電磁加熱縮径ピストン（２２）は、縮径部表面をセラミックスの被覆で構成して、断熱材（３０）を設けて電磁加熱高温にすることを特徴とするエネルギ保存サイクル機関。
【請求項１２９３】
前記電磁加熱縮径ピストン（２２）は、縮径部表面をセラミックスの被覆で構成して、断熱材（３０）を設けて電磁加熱高温にすることを特徴とするエネルギ保存サイクル機関。
【請求項１２９４】
前記嵌入用凹部（８６）を具備した電磁加熱縮径ピストン（２２）は、縮径部表面をセラミックスの被覆で構成して、断熱材（３０）を設けて電磁加熱高温としてシリンダヘッド（１５）に具備した高温水噴射電磁弁（８７ｂ）より直接電磁加熱縮径ピストン（２２）の拡径部に高温水噴射するエネルギ保存サイクル機関。
【請求項１２９５】
前記ノズル嵌入用凹部（８６）を具備した電磁加熱縮径ピストン（２２）は、縮径部表面をセラミックスの被覆で構成して、断熱材（３０）を設けて電磁加熱高温としてシリンダヘッド（１５）に具備した高温水噴射電磁弁（８７ｂ）より直接電磁加熱縮径ピストン（２２）の拡径部に高温水噴射するエネルギ保存サイクル機関。
【請求項１２９６】
前記電磁加熱縮径ピストン（２２）は、縮径部表面をセラミックスの被覆で構成して、断熱材（３０）を設けて電磁加熱高温としてシリンダヘッド（１５）に具備した高温水噴射電磁弁（８７ｂ）より直接電磁加熱縮径ピストン（２２）の拡径部に高温水噴射するエネルギ保存サイクル機関。
【請求項１２９７】
前記Ｈａ型電磁加熱縮径ピストン（２２）は、電磁加熱高温としてシリンダヘッド（１５）に具備した高温水噴射電磁弁（８７ｂ）より直接Ｈａ型電磁加熱縮径ピストン（２２）の拡径部に高温水噴射するエネルギ保存サイクル機関。
【請求項１２９８】
前記Ｈａ型電磁加熱縮径ピストン（２２）は、熱伝導良好な材料で構成して電磁加熱高温としてシリンダヘッド（１５）に具備した高温水噴射電磁弁（８７ｂ）より直接Ｈａ型電磁加熱縮径ピストン（２２）の拡径部に高温水噴射するエネルギ保存サイクル機関。
【請求項１２９９】
前記Ｈａ型電磁加熱縮径ピストン（２２）は、縮径部を熱伝導良好な材料で構成して電磁加熱高温としてシリンダヘッド（１５）に具備した高温水噴射電磁弁（８７ｂ）より直接Ｈａ型電磁加熱縮径ピストン（２２）の拡径部に高温水噴射するエネルギ保存サイクル機関。
【請求項１３００】
前記Ｈａ型電磁加熱縮径ピストン（２２）は、縮径部をセラミックスで構成して電磁加熱高温としてシリンダヘッド（１５）に具備した高温水噴射電磁弁（８７ｂ）より直接Ｈａ型電磁加熱縮径ピストン（２２）の拡径部に高温水噴射するエネルギ保存サイクル機関。
【請求項１３０１】
前記Ｈａ型電磁加熱縮径ピストン（２２）は、表面をセラミックスの被覆で構成して電磁加熱高温としてシリンダヘッド（１５）に具備した高温水噴射電磁弁（８７ｂ）より直接Ｈａ型電磁加熱縮径ピストン（２２）の拡径部に高温水噴射するエネルギ保存サイクル機関。
【請求項１３０２】
前記Ｈａ型電磁加熱縮径ピストン（２２）は、縮径部表面をセラミックスの被覆で構成して電磁加熱高温としてシリンダヘッド（１５）に具備した高温水噴射電磁弁（８７ｂ）より直接Ｈａ型電磁加熱縮径ピストン（２２）の拡径部に高温水噴射するエネルギ保存サイクル機関。
【請求項１３０３】
前記Ｈａ型電磁加熱縮径ピストン（２２）は、断熱材（３０）を設けて電磁加熱高温としてシリンダヘッド（１５）に具備した高温水噴射電磁弁（８７ｂ）より直接Ｈａ型電磁加熱縮径ピストン（２２）の拡径部に高温水噴射するエネルギ保存サイクル機関。
【請求項１３０４】
前記Ｈａ型電磁加熱縮径ピストン（２２）は、熱伝導良好な材料で構成して、断熱材（３０）を設けて電磁加熱高温としてシリンダヘッド（１５）に具備した高温水噴射電磁弁（８７ｂ）より直接Ｈａ型電磁加熱縮径ピストン（２２）の拡径部に高温水噴射するエネルギ保存サイクル機関。
【請求項１３０５】
前記Ｈａ型電磁加熱縮径ピストン（２２）は、縮径部を熱伝導良好な材料で構成して、断熱材（３０）を設けて電磁加熱高温としてシリンダヘッド（１５）に具備した高温水噴射電磁弁（８７ｂ）より直接Ｈａ型電磁加熱縮径ピストン（２２）の拡径部に高温水噴射するエネルギ保存サイクル機関。
【請求項１３０６】
前記Ｈａ型電磁加熱縮径ピストン（２２）は、縮径部をセラミックスで構成して、断熱材（３０）を設けて電磁加熱高温としてシリンダヘッド（１５）に具備した高温水噴射電磁弁（８７ｂ）より直接Ｈａ型電磁加熱縮径ピストン（２２）の拡径部に高温水噴射するエネルギ保存サイクル機関。
【請求項１３０７】
前記Ｈａ型電磁加熱縮径ピストン（２２）は、表面をセラミックスの被覆で構成して、断熱材（３０）を設けて電磁加熱高温としてシリンダヘッド（１５）に具備した高温水噴射電磁弁（８７ｂ）より直接Ｈａ型電磁加熱縮径ピストン（２２）の拡径部に高温水噴射するエネルギ保存サイクル機関。
【請求項１３０８】
前記Ｈａ型電磁加熱縮径ピストン（２２）は、縮径部表面をセラミックスの被覆で構成して、断熱材（３０）を設けて電磁加熱高温としてシリンダヘッド（１５）に具備した高温水噴射電磁弁（８７ｂ）より直接Ｈａ型電磁加熱縮径ピストン（２２）の拡径部に高温水噴射するエネルギ保存サイクル機関。
【請求項１３０９】
前記Ｉａ型電磁加熱縮径ピストン（２２）は、電磁加熱高温としてシリンダヘッド（１５）に具備した高温水噴射電磁弁（８７ｂ）より直接Ｉａ型電磁加熱縮径ピストン（２２）の拡径部に高温水噴射するエネルギ保存サイクル機関。
【請求項１３１０】
前記Ｉａ型電磁加熱縮径ピストン（２２）は、熱伝導良好な材料で構成して電磁加熱高温としてシリンダヘッド（１５）に具備した高温水噴射電磁弁（８７ｂ）より直接Ｉａ型電磁加熱縮径ピストン（２２）の拡径部に高温水噴射するエネルギ保存サイクル機関。
【請求項１３１１】
前記Ｉａ型電磁加熱縮径ピストン（２２）は、縮径部を熱伝導良好な材料で構成して電磁加熱高温としてシリンダヘッド（１５）に具備した高温水噴射電磁弁（８７ｂ）より直接電磁加熱縮径ピストン（２２）の拡径部に高温水噴射するエネルギ保存サイクル機関。
【請求項１３１２】
前記Ｉａ型電磁加熱縮径ピストン（２２）は、縮径部をセラミックスで構成して電磁加熱高温としてシリンダヘッド（１５）に具備した高温水噴射電磁弁（８７ｂ）より直接Ｉａ型電磁加熱縮径ピストン（２２）の拡径部に高温水噴射するエネルギ保存サイクル機関。
【請求項１３１３】
前記Ｉａ型電磁加熱縮径ピストン（２２）は、表面をセラミックスの被覆で構成して電磁加熱高温としてシリンダヘッド（１５）に具備した高温水噴射電磁弁（８７ｂ）より直接Ｉａ型電磁加熱縮径ピストン（２２）の拡径部に高温水噴射するエネルギ保存サイクル機関。
【請求項１３１４】
前記Ｉａ型電磁加熱縮径ピストン（２２）は、縮径部表面をセラミックスの被覆で構成して電磁加熱高温としてシリンダヘッド（１５）に具備した高温水噴射電磁弁（８７ｂ）より直接Ｉａ型電磁加熱縮径ピストン（２２）の拡径部に高温水噴射するエネルギ保存サイクル機関。
【請求項１３１５】
前記Ｉａ型電磁加熱縮径ピストン（２２）は、断熱材（３０）を設けて電磁加熱高温としてシリンダヘッド（１５）に具備した高温水噴射電磁弁（８７ｂ）より直接Ｉａ型電磁加熱縮径ピストン（２２）の拡径部に高温水噴射するエネルギ保存サイクル機関。
【請求項１３１６】
前記Ｉａ型電磁加熱縮径ピストン（２２）は、熱伝導良好な材料で構成して、断熱材（３０）を設けて電磁加熱高温としてシリンダヘッド（１５）に具備した高温水噴射電磁弁（８７ｂ）より直接Ｉａ型電磁加熱縮径ピストン（２２）の拡径部に高温水噴射するエネルギ保存サイクル機関。
【請求項１３１７】
前記Ｉａ型電磁加熱縮径ピストン（２２）は、縮径部を熱伝導良好な材料で構成して、断熱材（３０）を設けて電磁加熱高温としてシリンダヘッド（１５）に具備した高温水噴射電磁弁（８７ｂ）より直接Ｉａ型電磁加熱縮径ピストン（２２）の拡径部に高温水噴射するエネルギ保存サイクル機関。
【請求項１３１８】
前記Ｉａ型電磁加熱縮径ピストン（２２）は、縮径部をセラミックスで構成して、断熱材（３０）を設けて電磁加熱高温としてシリンダヘッド（１５）に具備した高温水噴射電磁弁（８７ｂ）より直接Ｉａ型電磁加熱縮径ピストン（２２）の拡径部に高温水噴射するエネルギ保存サイクル機関。
【請求項１３１９】
前記Ｉａ型電磁加熱縮径ピストン（２２）は、表面をセラミックスの被覆で構成して、断熱材（３０）を設けて電磁加熱高温としてシリンダヘッド（１５）に具備した高温水噴射電磁弁（８７ｂ）より直接Ｉａ型電磁加熱縮径ピストン（２２）の拡径部に高温水噴射するエネルギ保存サイクル機関。
【請求項１３２０】
前記Ｉａ型電磁加熱縮径ピストン（２２）は、縮径部表面をセラミックスの被覆で構成して、断熱材（３０）を設けて電磁加熱高温としてシリンダヘッド（１５）に具備した高温水噴射電磁弁（８７ｂ）より直接Ｉａ型電磁加熱縮径ピストン（２２）の拡径部に高温水噴射するエネルギ保存サイクル機関。
【請求項１３２１】
前記Ｊａ型電磁加熱縮径ピストン（２２）は、電磁加熱高温としてシリンダヘッド（１５）に具備した高温水噴射電磁弁（８７ｂ）より直接Ｊａ型電磁加熱縮径ピストン（２２）の拡径部に高温水噴射するエネルギ保存サイクル機関。
【請求項１３２２】
前記Ｊａ型電磁加熱縮径ピストン（２２）は、熱伝導良好な材料で構成して電磁加熱高温としてシリンダヘッド（１５）に具備した高温水噴射電磁弁（８７ｂ）より直接Ｊａ型電磁加熱縮径ピストン（２２）の拡径部に高温水噴射するエネルギ保存サイクル機関。
【請求項１３２３】
前記Ｊａ型電磁加熱縮径ピストン（２２）は、縮径部を熱伝導良好な材料で構成して電磁加熱高温としてシリンダヘッド（１５）に具備した高温水噴射電磁弁（８７ｂ）より直接Ｊａ型電磁加熱縮径ピストン（２２）の拡径部に高温水噴射するエネルギ保存サイクル機関。
【請求項１３２４】
前記Ｊａ型電磁加熱縮径ピストン（２２）は、縮径部をセラミックスで構成して電磁加熱高温としてシリンダヘッド（１５）に具備した高温水噴射電磁弁（８７ｂ）より直接Ｊａ型電磁加熱縮径ピストン（２２）の拡径部に高温水噴射するエネルギ保存サイクル機関。
【請求項１３２５】
前記Ｊａ型電磁加熱縮径ピストン（２２）は、表面をセラミックスの被覆で構成して電磁加熱高温としてシリンダヘッド（１５）に具備した高温水噴射電磁弁（８７ｂ）より直接Ｊａ型電磁加熱縮径ピストン（２２）の拡径部に高温水噴射するエネルギ保存サイクル機関。
【請求項１３２６】
前記Ｊａ型電磁加熱縮径ピストン（２２）は、縮径部表面をセラミックスの被覆で構成して電磁加熱高温としてシリンダヘッド（１５）に具備した高温水噴射電磁弁（８７ｂ）より直接Ｊａ型電磁加熱縮径ピストン（２２）の拡径部に高温水噴射するエネルギ保存サイクル機関。
【請求項１３２７】
前記Ｊａ型電磁加熱縮径ピストン（２２）は、断熱材（３０）を設けて電磁加熱高温としてシリンダヘッド（１５）に具備した高温水噴射電磁弁（８７ｂ）より直接Ｊａ型電磁加熱縮径ピストン（２２）の拡径部に高温水噴射するエネルギ保存サイクル機関。
【請求項１３２８】
前記Ｊａ型電磁加熱縮径ピストン（２２）は、熱伝導良好な材料で構成して、断熱材（３０）を設けて電磁加熱高温としてシリンダヘッド（１５）に具備した高温水噴射電磁弁（８７ｂ）より直接Ｊａ型電磁加熱縮径ピストン（２２）の拡径部に高温水噴射するエネルギ保存サイクル機関。
【請求項１３２９】
前記Ｊａ型電磁加熱縮径ピストン（２２）は、縮径部を熱伝導良好な材料で構成して、断熱材（３０）を設けて電磁加熱高温としてシリンダヘッド（１５）に具備した高温水噴射電磁弁（８７ｂ）より直接Ｊａ型電磁加熱縮径ピストン（２２）の拡径部に高温水噴射するエネルギ保存サイクル機関。
【請求項１３３０】
前記Ｊａ型電磁加熱縮径ピストン（２２）は、縮径部をセラミックスで構成して、断熱材（３０）を設けて電磁加熱高温としてシリンダヘッド（１５）に具備した高温水噴射電磁弁（８７ｂ）より直接Ｊａ型電磁加熱縮径ピストン（２２）の拡径部に高温水噴射するエネルギ保存サイクル機関。
【請求項１３３１】
前記Ｊａ型電磁加熱縮径ピストン（２２）は、表面をセラミックスの被覆で構成して、断熱材（３０）を設けて電磁加熱高温としてシリンダヘッド（１５）に具備した高温水噴射電磁弁（８７ｂ）より直接Ｊａ型電磁加熱縮径ピストン（２２）の拡径部に高温水噴射するエネルギ保存サイクル機関。
【請求項１３３２】
前記Ｊａ型電磁加熱縮径ピストン（２２）は、縮径部表面をセラミックスの被覆で構成して、断熱材（３０）を設けて電磁加熱高温としてシリンダヘッド（１５）に具備した高温水噴射電磁弁（８７ｂ）より直接Ｊａ型電磁加熱縮径ピストン（２２）の拡径部に高温水噴射するエネルギ保存サイクル機関。
【請求項１３３３】
前記Ｋａ型電磁加熱縮径ピストン（２２）は、電磁加熱高温としてシリンダヘッド（１５）に具備した高温水噴射電磁弁（８７ｂ）より直接Ｋａ型電磁加熱縮径ピストン（２２）の拡径部に高温水噴射するエネルギ保存サイクル機関。
【請求項１３３４】
前記Ｋａ型電磁加熱縮径ピストン（２２）は、熱伝導良好な材料で構成して電磁加熱高温としてシリンダヘッド（１５）に具備した高温水噴射電磁弁（８７ｂ）より直接Ｋａ型電磁加熱縮径ピストン（２２）の拡径部に高温水噴射するエネルギ保存サイクル機関。
【請求項１３３５】
前記Ｋａ型電磁加熱縮径ピストン（２２）は、縮径部を熱伝導良好な材料で構成して電磁加熱高温としてシリンダヘッド（１５）に具備した高温水噴射電磁弁（８７ｂ）より直接Ｋａ型電磁加熱縮径ピストン（２２）の拡径部に高温水噴射するエネルギ保存サイクル機関。
【請求項１３３６】
前記Ｋａ型電磁加熱縮径ピストン（２２）は、縮径部をセラミックスで構成して電磁加熱高温としてシリンダヘッド（１５）に具備した高温水噴射電磁弁（８７ｂ）より直接Ｋａ型電磁加熱縮径ピストン（２２）の拡径部に高温水噴射するエネルギ保存サイクル機関。
【請求項１３３７】
前記Ｋａ型電磁加熱縮径ピストン（２２）は、表面をセラミックスの被覆で構成して電磁加熱高温としてシリンダヘッド（１５）に具備した高温水噴射電磁弁（８７ｂ）より直接Ｋａ型電磁加熱縮径ピストン（２２）の拡径部に高温水噴射するエネルギ保存サイクル機関。
【請求項１３３８】
前記Ｋａ型電磁加熱縮径ピストン（２２）は、縮径部表面をセラミックスの被覆で構成して電磁加熱高温としてシリンダヘッド（１５）に具備した高温水噴射電磁弁（８７ｂ）より直接Ｋａ型電磁加熱縮径ピストン（２２）の拡径部に高温水噴射するエネルギ保存サイクル機関。
【請求項１３３９】
前記Ｋａ型電磁加熱縮径ピストン（２２）は、断熱材（３０）を設けて電磁加熱高温としてシリンダヘッド（１５）に具備した高温水噴射電磁弁（８７ｂ）より直接Ｋａ型電磁加熱縮径ピストン（２２）の拡径部に高温水噴射するエネルギ保存サイクル機関。
【請求項１３４０】
前記Ｋａ型電磁加熱縮径ピストン（２２）は、熱伝導良好な材料で構成して、断熱材（３０）を設けて電磁加熱高温としてシリンダヘッド（１５）に具備した高温水噴射電磁弁（８７ｂ）より直接Ｋａ型電磁加熱縮径ピストン（２２）の拡径部に高温水噴射するエネルギ保存サイクル機関。
【請求項１３４１】
前記Ｋａ型電磁加熱縮径ピストン（２２）は、縮径部を熱伝導良好な材料で構成して、断熱材（３０）を設けて電磁加熱高温としてシリンダヘッド（１５）に具備した高温水噴射電磁弁（８７ｂ）より直接Ｋａ型電磁加熱縮径ピストン（２２）の拡径部に高温水噴射するエネルギ保存サイクル機関。
【請求項１３４２】
前記Ｋａ型電磁加熱縮径ピストン（２２）は、縮径部をセラミックスで構成して、断熱材（３０）を設けて電磁加熱高温としてシリンダヘッド（１５）に具備した高温水噴射電磁弁（８７ｂ）より直接Ｋａ型電磁加熱縮径ピストン（２２）の拡径部に高温水噴射するエネルギ保存サイクル機関。
【請求項１３４３】
前記Ｋａ型電磁加熱縮径ピストン（２２）は、表面をセラミックスの被覆で構成して、断熱材（３０）を設けて電磁加熱高温としてシリンダヘッド（１５）に具備した高温水噴射電磁弁（８７ｂ）より直接Ｋａ型電磁加熱縮径ピストン（２２）の拡径部に高温水噴射するエネルギ保存サイクル機関。
【請求項１３４４】
前記Ｋａ型電磁加熱縮径ピストン（２２）は、縮径部表面をセラミックスの被覆で構成して、断熱材（３０）を設けて電磁加熱高温としてシリンダヘッド（１５）に具備した高温水噴射電磁弁（８７ｂ）より直接Ｋａ型電磁加熱縮径ピストン（２２）の拡径部に高温水噴射するエネルギ保存サイクル機関。
【請求項１３４５】
前記シリンダヘッド（１５）に具備して高温水噴射する電磁弁（８７）は、高温水噴射電磁弁（８７Ａｂ）・高温水噴射電磁弁（８７Ｂｂ）の何れかを使用するエネルギ保存サイクル機関。
【請求項１３４６】
前記シリンダヘッド（１５）に具備して高温水噴射する電磁弁（８７）は、高温水噴射電磁弁（８７Ａｂ）・高温水噴射電磁弁（８７Ｂｂ）の何れか２以上を使用するエネルギ保存サイクル機関。
【請求項１３４７】
前記エネルギ保存サイクル機関は、動力伝達装置として送水ポンプ兼磁気摩擦動力伝達装置（５５）を具備することを特徴とするエネルギ保存サイクル機関。
【請求項１３４８】
前記エネルギ保存サイクル機関は、動力伝達装置として磁気摩擦動力伝達装置（７６）を具備することを特徴とするエネルギ保存サイクル機関。
【請求項１３４９】
前記エネルギ保存サイクル機関は、動力伝達装置として送水ポンプ兼二重反転磁気摩擦動力伝達装置（８４）を具備することを特徴とするエネルギ保存サイクル機関。
【請求項１３５０】
前記エネルギ保存サイクル機関は、動力伝達装置として二重反転磁気摩擦動力伝達装置（８５）を具備することを特徴とするエネルギ保存サイクル機関。
【請求項１３５１】
前記エネルギ保存サイクル機関は、動力伝達装置として送水ポンプ兼二重反転磁気摩擦動力伝達装置（８４）を具備して、大中小型船舶の推進用プロペラを二重反転させることを特徴とするエネルギ保存サイクル機関。
【請求項１３５２】
前記エネルギ保存サイクル機関は、動力伝達装置として二重反転磁気摩擦動力伝達装置（８５）を具備して、大中小型船舶の推進用プロペラを二重反転させることを特徴とするエネルギ保存サイクル機関。
【請求項１３５３】
前記エネルギ保存サイクル機関は、動力伝達装置として送水ポンプ兼二重反転磁気摩擦動力伝達装置（８４）を具備して、大中小型高速船の推進用プロペラを二重反転させることを特徴とするエネルギ保存サイクル機関。
【請求項１３５４】
前記エネルギ保存サイクル機関は、動力伝達装置として二重反転磁気摩擦動力伝達装置（８５）を具備して、大中小型高速船の推進用プロペラを二重反転させることを特徴とするエネルギ保存サイクル機関。
【請求項１３５５】
前記エネルギ保存サイクル機関は、動力伝達装置として送水ポンプ兼二重反転磁気摩擦動力伝達装置（８４）を具備して、大中小型飛行機の推進用プロペラを二重反転させることを特徴とするエネルギ保存サイクル機関。
【請求項１３５６】
前記エネルギ保存サイクル機関は、動力伝達装置として二重反転磁気摩擦動力伝達装置（８５）を具備して、大中小型飛行機の推進用プロペラを二重反転させることを特徴とするエネルギ保存サイクル機関。
【請求項１３５７】
前記エネルギ保存サイクル機関は、動力伝達装置として送水ポンプ兼二重反転磁気摩擦動力伝達装置（８４）を具備して、大中小型飛行機の浮上推進用プロペラを二重反転させることを特徴とするエネルギ保存サイクル機関。
【請求項１３５８】
前記エネルギ保存サイクル機関は、動力伝達装置として二重反転磁気摩擦動力伝達装置（８５）を具備して、大中小型飛行機の浮上推進用プロペラを二重反転させることを特徴とするエネルギ保存サイクル機関。
【請求項１３５９】
前記エネルギ保存サイクル機関は、動力伝達装置として送水ポンプ兼二重反転磁気摩擦動力伝達装置（８４）を具備して、大中小型ヘリコプターの浮上推進用プロペラを二重反転させることを特徴とするエネルギ保存サイクル機関。
【請求項１３６０】
前記エネルギ保存サイクル機関は、動力伝達装置として二重反転磁気摩擦動力伝達装置（８５）を具備して、大中小型ヘリコプターの浮上推進用プロペラを二重反転させることを特徴とするエネルギ保存サイクル機関。
【請求項１３６１】
前記Ｅ型エネルギ保存サイクル機関は、動力伝達装置として送水ポンプ兼磁気摩擦動力伝達装置（５５）を具備して、完全弾性衝突対向往復運動を同期させることを特徴とするエネルギ保存サイクル機関。
【請求項１３６２】
前記Ｅ型エネルギ保存サイクル機関は、動力伝達装置として送水ポンプ兼磁気摩擦動力伝達装置（５５）を具備して、回転方向上流側及び下流側に設けた電磁石（５８）の吸引力を調整して、完全弾性衝突対向往復運動を最適同期させることを特徴とするエネルギ保存サイクル機関。
【請求項１３６３】
前記Ｅ型エネルギ保存サイクル機関は、動力伝達装置として送水ポンプ兼磁気摩擦動力伝達装置（５５）を具備して、回転方向上流側に設けた電磁石（５８）の吸引力を調整して、完全弾性衝突対向往復運動を最適同期させることを特徴とするエネルギ保存サイクル機関。
【請求項１３６４】
前記Ｅ型エネルギ保存サイクル機関は、動力伝達装置として送水ポンプ兼磁気摩擦動力伝達装置（５５）を具備して、回転方向下流側に設けた電磁石（５８）の吸引力を調整して、完全弾性衝突対向往復運動を最適同期させることを特徴とするエネルギ保存サイクル機関。
【請求項１３６５】
前記エネルギ保存サイクル機関は、送水ポンプとして送水ポンプ兼磁気摩擦動力伝達装置（５５）を具備することを特徴とするエネルギ保存サイクル機関。
【請求項１３６６】
前記エネルギ保存サイクル機関は、超高圧少量送水ポンプとして、送水ポンプ兼磁気摩擦動力伝達装置（５５）を具備することを特徴とするエネルギ保存サイクル機関。
【請求項１３６７】
前記送水ポンプ兼二重反転磁気摩擦動力伝達装置（８４）の着磁摩擦車（６１ａ）は、環筒状の強磁性材料の径方向左右に磁極のＮ極及びＳ極を着磁して、その両側を環板状のヨーク（７４）で挟んで固定し、外径方向動力伝達面（５６）に延長して固着し、該動力伝達面（５６）に低凹凸（６９）を設け、夫々着磁摩擦車（６１ａ）（６１ａ）として、回転方向上流側及び下流側に棒磁石（５７）及び電磁石（５８）のいずれかを設けて異極は吸引する磁石として、転がり接触の着磁摩擦車装置（６５ａ）とし、外箱（７７）及び吸水路（７８）及び送水路（７９）を設けたことを特徴とするエネルギ保存サイクル機関。
【請求項１３６８】
前記送水ポンプ兼二重反転磁気摩擦動力伝達装置（８４）の着磁摩擦車（６１ａ）は、環筒状の強磁性材料の径方向左右に磁極のＮ極及びＳ極を着磁して、その両側を環板状のヨーク（７４）で挟んで固定し、外径方向動力伝達面（５６）に延長して固着し、該動力伝達面（５６）に低凹凸（６９）を設け、夫々着磁摩擦車（６１ａ）（６１ａ）として、回転方向上流側及び下流側のいずれかに棒磁石（５７）及び電磁石（５８）のいずれかを設けて異極は吸引する磁石として、転がり接触の着磁摩擦車装置（６５ａ）とし、外箱（７７）及び吸水路（７８）及び送水路（７９）を設けたことを特徴とするエネルギ保存サイクル機関。
【請求項１３６９】
前記送水ポンプ兼二重反転磁気摩擦動力伝達装置（８４）の着磁摩擦車（６１ｂ）は、環筒状の強磁性材料の内径側と外径側に磁極のＮ極及びＳ極を着磁して、ヨーク（７４）を磁石の内周側から左右外径動力伝達面（５６）に延長し、該動力伝達面のヨークと磁石の間に摩擦増大耐久手段（８０）を環状に動力伝達面側に固着し、その外周面に低凹凸（６９）を設けて、夫々着磁摩擦車（６１ｂ）（６１ｂ）として、回転方向上流側及び下流側に棒磁石（５７）及び電磁石（５８）のいずれかを設けて、異極は吸引する磁石として、転がり接触の着磁摩擦車装置（６５ｂ）とし、外箱（７７）及び吸水路（７８）及び送水路（７９）を設けたことを特徴とするエネルギ保存サイクル機関。
【請求項１３７０】
前記送水ポンプ兼二重反転磁気摩擦動力伝達装置（８４）の着磁摩擦車（６１ｂ）は、環筒状の強磁性材料の内径側と外径側に磁極のＮ極及びＳ極を着磁して、ヨーク（７４）を磁石の内周側から左右外径動力伝達面（５６）に延長し、該動力伝達面のヨークと磁石の間に摩擦増大耐久手段（８０）を環状に動力伝達面側に固着し、その外周面に低凹凸（６９）を設けて、夫々着磁摩擦車（６１ｂ）（６１ｂ）として、回転方向上流側及び下流側のいずれかに棒磁石（５７）及び電磁石（５８）のいずれかを設けて、異極は吸引する磁石として、転がり接触の着磁摩擦車装置（６５ｂ）とし、外箱（７７）及び吸水路（７８）及び送水路（７９）を設けたことを特徴とするエネルギ保存サイクル機関。
【請求項１３７１】
前記送水ポンプ兼二重反転磁気摩擦動力伝達装置（８４）の磁着摩擦車（６３）は、環筒状の強磁性材料の外径動力伝達面（５６）に低凹凸（６９）を設け、夫々磁着摩擦車（６３）（６３）として、回転方向上流側及び下流側に棒磁石（５７）及び電磁石（５８）の何れかを設け、磁石は吸引する磁石として、転がり接触の磁着摩擦車装置（６７）とし、外箱（７７）及び吸水路（７８）及び送水路（７９）を設けたことを特徴とするエネルギ保存サイクル機関。
【請求項１３７２】
前記送水ポンプ兼二重反転磁気摩擦動力伝達装置（８４）の磁着摩擦車（６３）は、環筒状の強磁性材料の外径動力伝達面（５６）に低凹凸（６９）を設け、夫々磁着摩擦車（６３）着磁摩擦車（６１ａ）として、回転方向上流側及び下流側に棒磁石（５７）及び電磁石（５８）のいずれかを設けて、異極は吸引する磁石として、転がり接触の磁気摩擦動力伝達装置（７６）とし、外箱（７７）及び吸水路（７８）及び送水路（７９）を設けたことを特徴とするエネルギ保存サイクル機関。
【請求項１３７３】
前記送水ポンプ兼二重反転磁気摩擦動力伝達装置（８４）の内着磁摩擦車（６２ａ）は、環筒状の強磁性材料の径方向左右に磁極のＮ極及びＳ極を着磁して、その両側を環板状のヨーク（７４）で挟んで、内径方向動力伝達面（５６）まで突出させて固着し、その動力伝達面に低凹凸（６９）を設け、夫々１以上の着磁摩擦車（６１ａ）と噛み合わせて、回転方向上流側及び下流側に棒磁石（５７）及び電磁石（５８）の何れかを設け、異極は吸引する磁石として、転がり接触による内着磁摩擦車装置（６６）とし、外箱（７７）及び吸水路（７８）及び送水路（７９）を設けたことを特徴とするエネルギ保存サイクル機関。
【請求項１３７４】
前記着磁摩擦車（６１ａ）に換えて、各種着磁摩擦車（６１）及び各種磁着摩擦車（６３）のいずれかとし、各種着磁摩擦車（６１）及び各種磁着摩擦車（６３）のいずれかと噛み合う、磁気摩擦動力伝達装置（７６）として、送水ポンプ兼二重反転磁気摩擦動力伝達装置（８４）を構成させたことを特徴とするエネルギ保存サイクル機関。
【請求項１３７５】
前記着磁摩擦車（６１ａ）に換えて、複数の各種着磁摩擦車（６１）及び複数の各種磁着摩擦車（６３）のいずれかとし、複数の各種着磁摩擦車（６１）及び複数の各種磁着摩擦車（６３）のいずれかと噛み合う、磁気摩擦動力伝達装置（７６）として、送水ポンプ兼二重反転磁気摩擦動力伝達装置（８４）を構成させたことを特徴とするエネルギ保存サイクル機関。
【請求項１３７６】
前記内着磁摩擦車（６２ａ）に換えて、各種内着磁摩擦車（６２）及び各種内磁着摩擦車（６４）のいずれかとし、各種着磁摩擦車（６１）及び各種磁着摩擦車（６３）のいずれかと噛み合う、磁気摩擦動力伝達装置（７６）として、送水ポンプ兼二重反転磁気摩擦動力伝達装置（８４）を構成させたことを特徴とするエネルギ保存サイクル機関。
【請求項１３７７】
前記内着磁摩擦車（６２ａ）に換えて、複数の各種内着磁摩擦車（６２）及び複数の各種内磁着摩擦車（６４）のいずれかとし、複数の各種着磁摩擦車（６１）及び複数の各種磁着摩擦車（６３）のいずれかと噛み合う、磁気摩擦動力伝達装置（７６）として、送水ポンプ兼二重反転磁気摩擦動力伝達装置（８４）を構成させたことを特徴とするエネルギ保存サイクル機関。
【請求項１３７８】
前記送水ポンプ兼二重反転磁気摩擦動力伝達装置（８４）の各種着磁摩擦車や各種磁着摩擦車は、夫々適宜に互換して使用することを特徴とするエネルギ保存サイクル機関。
【請求項１３７９】
前記送水ポンプ兼二重反転磁気摩擦動力伝達装置（８４）の各種内着磁摩擦車や各種内磁着摩擦車は、夫々適宜に互換して使用することを特徴とするエネルギ保存サイクル機関。
【請求項１３８０】
前記送水ポンプ兼二重反転磁気摩擦動力伝達装置（８４）により、水を昇圧して廃熱回収熱交換器（２ａ）に供給して使用することを特徴とするエネルギ保存サイクル機関。
【請求項１３８１】
前記送水ポンプ兼二重反転磁気摩擦動力伝達装置（８４）により、水を昇圧して廃熱回収熱交換器（２ａ）及び縮径主燃焼室熱交換器（２）に供給して使用することを特徴とするエネルギ保存サイクル機関。
【請求項１３８２】
前記送水ポンプ兼二重反転磁気摩擦動力伝達装置（８４）により、水を昇圧して縮径主燃焼室熱交換器（２）に供給して使用することを特徴とするエネルギ保存サイクル機関。
【請求項１３８３】
前記送水ポンプ兼二重反転磁気摩擦動力伝達装置（８４）により、水を多段に昇圧して縮径主燃焼室熱交換器（２）に供給して使用することを特徴とするエネルギ保存サイクル機関。
【請求項１３８４】
前記送水ポンプ兼二重反転磁気摩擦動力伝達装置（８４）により、水を多段に昇圧して廃熱回収熱交換器（２ａ）に供給して使用することを特徴とするエネルギ保存サイクル機関。
【請求項１３８５】
前記送水ポンプ兼二重反転磁気摩擦動力伝達装置（８４）により、水を多段に昇圧して廃熱回収熱交換器（２ａ）及び縮径主燃焼室熱交換器（２）に供給して使用することを特徴とするエネルギ保存サイクル機関。
【請求項１３８６】
前記送水ポンプ兼二重反転磁気摩擦動力伝達装置（８４）により、水を昇圧して縮径主燃焼室熱交換器（２）に供給して使用すると共に、該水圧上昇により送水ポンプ（７５）を非接触に近付けることを特徴とするエネルギ保存サイクル機関。
【請求項１３８７】
前記送水ポンプ兼二重反転磁気摩擦動力伝達装置（８４）により、水を昇圧して縮径主燃焼室熱交換器（２）に供給して使用すると共に、該水圧上昇により送水ポンプ（７５）を非接触に近付けて、省エネを図ることを特徴とするエネルギ保存サイクル機関。
【請求項１３８８】
前記送水ポンプ兼二重反転磁気摩擦動力伝達装置（８４）により、水を昇圧して縮径主燃焼室熱交換器（２）に供給し、加熱高温にして使用することを特徴とするエネルギ保存サイクル機関。
【請求項１３８９】
前記送水ポンプ兼二重反転磁気摩擦動力伝達装置（８４）により、水を昇圧して縮径主燃焼室熱交換器（２）に供給し、加熱高温にして縮径主燃焼室（１）に噴射し、燃焼ガスを冷却することを特徴とするエネルギ保存サイクル機関。
【請求項１３９０】
前記送水ポンプ兼二重反転磁気摩擦動力伝達装置（８４）により、水を昇圧して縮径主燃焼室熱交換器（２）に供給し、加熱高温にして縮径主燃焼室（１）に噴射し、ＮＯｘ低減燃焼にすることを特徴とするエネルギ保存サイクル機関。
【請求項１３９１】
前記送水ポンプ兼二重反転磁気摩擦動力伝達装置（８４）により、水を昇圧して廃熱回収熱交換器（２ａ）及び縮径主燃焼室熱交換器（２）に供給し、出来るだけ加熱高温にして縮径主燃焼室（１）に噴射し、ＮＯｘ低減燃焼にすることを特徴とするエネルギ保存サイクル機関。
【請求項１３９２】
前記送水ポンプ兼二重反転磁気摩擦動力伝達装置（８４）により、動力伝達すると共に送水ポンプ（７５）として昇圧して廃熱回収熱交換器（２ａ）及び縮径主燃焼室熱交換器（２）に供給し、出来るだけ加熱高温にして縮径主燃焼室（１）に噴射し、ＮＯｘ低減燃焼にすることを特徴とするエネルギ保存サイクル機関。
【請求項１３９３】
前記送水ポンプ兼二重反転磁気摩擦動力伝達装置（８４）により、水を昇圧して廃熱回収熱交換器（２ａ）及び縮径主燃焼室熱交換器（２）に供給し、出来るだけ加熱高温にして縮径主燃焼室（１）に噴射し、噴射量を増大することを特徴とするエネルギ保存サイクル機関。
【請求項１３９４】
前記送水ポンプ兼二重反転磁気摩擦動力伝達装置（８４）により、動力伝達すると共に送水ポンプ（７５）として昇圧して廃熱回収熱交換器（２ａ）及び縮径主燃焼室熱交換器（２）に供給し、出来るだけ加熱高温にして縮径主燃焼室（１）に噴射し、噴射量を増大することを特徴とするエネルギ保存サイクル機関。
【請求項１３９５】
前記送水ポンプ兼二重反転磁気摩擦動力伝達装置（８４）により、水を昇圧すると共に最適温度に加熱して縮径主燃焼室（１）に噴射し、噴射量を増大して水質量の速度エネルギに変換して動圧及び反動を増大することを特徴とするエネルギ保存サイクル機関。
【請求項１３９６】
前記送水ポンプ兼二重反転磁気摩擦動力伝達装置（８４）により、水を多段に昇圧すると共に最適温度に加熱して縮径主燃焼室（１）に噴射し、噴射量を増大して水質量の速度エネルギに変換して動圧及び反動を増大することを特徴とするエネルギ保存サイクル機関。
【請求項１３９７】
前記送水ポンプ兼二重反転磁気摩擦動力伝達装置（８４）により、水を昇圧すると共に最適温度に加熱して縮径主燃焼室（１）に噴射し、噴射量を増大して水質量の速度エネルギに変換して動圧及び反動を増大し、加熱高温の電磁加熱縮径ピストン（２２）との間に気化膜を設けて摩擦損失を低減することを特徴とするエネルギ保存サイクル機関。
【請求項１３９８】
前記送水ポンプ兼二重反転磁気摩擦動力伝達装置（８４）により、水を多段に昇圧すると共に最適温度に加熱して縮径主燃焼室（１）に噴射し、噴射量を増大して水質量の速度エネルギに変換して動圧及び反動を増大し、加熱高温の電磁加熱縮径ピストン（２２）との間に気化膜を設けて摩擦損失を低減することを特徴とするエネルギ保存サイクル機関。
【請求項１３９９】
前記送水ポンプ兼二重反転磁気摩擦動力伝達装置（８４）により、水を昇圧すると共に最適温度に加熱して縮径主燃焼室（１）に噴射し、噴射量を増大して水質量の速度エネルギに変換して動圧及び反動を増大し、加熱高温の電磁加熱縮径ピストン（２２）との間に気化膜を設けて摩擦損失を低減して出力を増大することを特徴とするエネルギ保存サイクル機関。
【請求項１４００】
前記送水ポンプ兼二重反転磁気摩擦動力伝達装置（８４）により、水を多段に昇圧すると共に最適温度に加熱して縮径主燃焼室（１）に噴射し、噴射量を増大して水質量の速度エネルギに変換して動圧及び反動を増大し、加熱高温の電磁加熱縮径ピストン（２２）との間に気化膜を設けて摩擦損失を低減して出力を増大することを特徴とするエネルギ保存サイクル機関。
【請求項１４０１】
前記送水ポンプ兼磁気摩擦動力伝達装置（５５）により、水を昇圧すると共に最適温度に加熱して縮径主燃焼室（１）に噴射し、噴射量を増大して水質量の速度エネルギに変換して動圧及び反動を増大し、電磁加熱高温の電磁加熱縮径ピストン（２２）との間に気化膜を設けて摩擦損失を低減して出力を増大することを特徴とするエネルギ保存サイクル機関。
【請求項１４０２】
前記送水ポンプ兼磁気摩擦動力伝達装置（５５）により、水を多段に昇圧すると共に最適温度に加熱して縮径主燃焼室（１）に噴射し、噴射量を増大して水質量の速度エネルギに変換して動圧及び反動を増大し、電磁加熱高温の電磁加熱縮径ピストン（２２）との間に気化膜を設けて摩擦損失を低減して出力を増大することを特徴とするエネルギ保存サイクル機関。
【請求項１４０３】
前記送水ポンプ兼二重反転磁気摩擦動力伝達装置（８４）により、水を昇圧すると共に最適温度に加熱して縮径主燃焼室（１）に噴射し、噴射量を増大して動圧及び反動を増大し、加熱高温の電磁加熱縮径ピストン（２２）との間に気化膜を設けて摩擦損失を低減して出力を増大し、下方に設けた排気穴（５）より排気排水することを特徴とするエネルギ保存サイクル機関。
【請求項１４０４】
前記送水ポンプ兼二重反転磁気摩擦動力伝達装置（８４）により、水を昇圧すると共に最適温度に加熱して縮径主燃焼室（１）に噴射し、噴射量を増大して動圧及び反動を増大し、加熱高温の電磁加熱縮径ピストン（２２）との間に気化膜を設けて摩擦損失を低減して出力を増大し、下方に設けた安全弁（５４）より圧力水を排水するエネルギ保存サイクル機関。
【請求項１４０５】
前記送水ポンプ兼二重反転磁気摩擦動力伝達装置（８４）により、水を昇圧して縮径主燃焼室熱交換器（２）に供給し、加熱高温にして拡径燃焼室（１０）に直接噴射するエネルギ保存サイクル機関。
【請求項１４０６】
前記送水ポンプ兼二重反転磁気摩擦動力伝達装置（８４）により、水を昇圧して縮径主燃焼室熱交換器（２）に供給し、加熱高温にして縮径主燃焼室（１）に噴射し、ＮＯｘ低減燃焼にすることを特徴とするエネルギ保存サイクル機関。
【請求項１４０７】
前記送水ポンプ兼二重反転磁気摩擦動力伝達装置（８４）により、水を昇圧して廃熱回収熱交換器（２ａ）及び縮径主燃焼室熱交換器（２）に供給し、最適温度に加熱して縮径主燃焼室（１）に噴射し、ＮＯｘ低減燃焼にすることを特徴とするエネルギ保存サイクル機関。
【請求項１４０８】
前記送水ポンプ兼二重反転磁気摩擦動力伝達装置（８４）により、水を昇圧すると共に摩擦ポンプ（７５）として昇圧して廃熱回収熱交換器（２ａ）及び縮径主燃焼室熱交換器（２）に供給し、最適温度に加熱して縮径主燃焼室（１）に噴射し、ＮＯｘ低減燃焼にすることを特徴とするエネルギ保存サイクル機関。
【請求項１４０９】
前記送水ポンプ兼二重反転磁気摩擦動力伝達装置（８４）により、水を昇圧して廃熱回収熱交換器（２ａ）及び縮径主燃焼室熱交換器（２）に供給し、最適温度に加熱して縮径主燃焼室（１）に噴射し、噴射量を増大することを特徴とするエネルギ保存サイクル機関。
【請求項１４１０】
前記送水ポンプ兼二重反転磁気摩擦動力伝達装置（８４）により、動力伝達すると共に送水ポンプ（７５）として昇圧して廃熱回収熱交換器（２ａ）及び縮径主燃焼室熱交換器（２）に供給し、最適温度に加熱して縮径主燃焼室（１）に噴射し、噴射量を増大することを特徴とするエネルギ保存サイクル機関。
【請求項１４１１】
前記送水ポンプ兼二重反転磁気摩擦動力伝達装置（８４）により、水を昇圧すると共に最適温度に加熱して拡径燃焼室（１０）に直接噴射し、噴射量を増大して水質量の速度エネルギに変換して動圧及び反動を増大することを特徴とするエネルギ保存サイクル機関。
【請求項１４１２】
前記送水ポンプ兼二重反転磁気摩擦動力伝達装置（８４）により、水を昇圧すると共に最適温度に加熱して拡径燃焼室（１０）に直接噴射し、噴射量を増大して水質量の速度エネルギに変換して動圧及び反動を増大し、加熱高温の電磁加熱縮径ピストン（２２）拡径部との間に気化膜を設けて摩擦損失を低減することを特徴とするエネルギ保存サイクル機関。
【請求項１４１３】
前記送水ポンプ兼二重反転磁気摩擦動力伝達装置（８４）により、水を昇圧すると共に最適温度に加熱して拡径燃焼室（１０）に直接噴射し、噴射量を増大して水質量の速度エネルギに変換して動圧及び反動を増大し、加熱高温の電磁加熱縮径ピストン（２２）拡径部との間に気化膜を設けて摩擦損失を低減して出力を増大することを特徴とするエネルギ保存サイクル機関。
【請求項１４１４】
前記送水ポンプ兼二重反転磁気摩擦動力伝達装置（８４）により、水を昇圧すると共に最適温度に加熱して拡径燃焼室（１０）に直接噴射し、噴射量を増大して動圧及び反動を増大し、加熱高温の電磁加熱縮径ピストン（２２）との間に気化膜を設けて摩擦損失を低減して出力を増大し、下方に設けた排気穴（５）より排気排水することを特徴とするエネルギ保存サイクル機関。
【請求項１４１５】
前記送水ポンプ兼二重反転磁気摩擦動力伝達装置（８４）により、水を昇圧すると共に最適温度に加熱して拡径燃焼室（１０）に直接噴射し、噴射量を増大して動圧及び反動を増大し、加熱高温の電磁加熱縮径ピストン（２２）拡径部との間に気化膜を設けて摩擦損失を低減して出力を増大し、下方に設けた安全弁（５４）より圧力水を排水するエネルギ保存サイクル機関。
【請求項１４１６】
前記送水ポンプ兼二重反転磁気摩擦動力伝達装置（８４）により、水を昇圧して縮径主燃焼室熱交換器（２）に供給し、加熱高温にして縮径主燃焼室（１）及び拡径燃焼室（１０）に直接噴射し、燃焼ガスを冷却し出力を増大することを特徴とするエネルギ保存サイクル機関。
【請求項１４１７】
前記送水ポンプ兼二重反転磁気摩擦動力伝達装置（８４）により、水を昇圧して縮径主燃焼室熱交換器（２）に供給し、加熱高温にして縮径主燃焼室（１）及び拡径燃焼室（１０）に直接噴射し、ＮＯｘ低減燃焼及び出力増大することを特徴とするエネルギ保存サイクル機関。
【請求項１４１８】
前記送水ポンプ兼二重反転磁気摩擦動力伝達装置（８４）により、水を昇圧して廃熱回収熱交換器（２ａ）及び縮径主燃焼室熱交換器（２）に供給し、最適温度に加熱して縮径主燃焼室（１）及び拡径燃焼室（１０）に直接噴射し、ＮＯｘ低減燃焼及び出力増大することを特徴とするエネルギ保存サイクル機関。
【請求項１４１９】
前記送水ポンプ兼二重反転磁気摩擦動力伝達装置（８４）により、動力伝達すると共に送水ポンプ（７５）として昇圧して廃熱回収熱交換器（２ａ）及び縮径主燃焼室熱交換器（２）に供給し、最適温度に加熱して縮径主燃焼室（１）及び拡径燃焼室（１０）に直接噴射し、ＮＯｘ低減燃焼及び出力増大することを特徴とするエネルギ保存サイクル機関。
【請求項１４２０】
前記送水ポンプ兼二重反転磁気摩擦動力伝達装置（８４）により、水を昇圧して廃熱回収熱交換器（２ａ）及び縮径主燃焼室熱交換器（２）に供給し、最適温度に加熱して縮径主燃焼室（１）及び拡径燃焼室（１０）に直接噴射し、噴射量及び出力を増大することを特徴とするエネルギ保存サイクル機関。
【請求項１４２１】
前記送水ポンプ兼二重反転磁気摩擦動力伝達装置（８４）により、動力伝達すると共に送水ポンプ（７５）として昇圧して廃熱回収熱交換器（２ａ）及び縮径主燃焼室熱交換器（２）に供給し、最適温度に加熱して縮径主燃焼室（１）及び拡径燃焼室（１０）に直接噴射し、噴射量及び出力を増大することを特徴とするエネルギ保存サイクル機関。
【請求項１４２２】
前記送水ポンプ兼二重反転磁気摩擦動力伝達装置（８４）により、水を昇圧すると共に最適温度に加熱して縮径主燃焼室（１）及び拡径燃焼室（１０）に直接噴射し、噴射量を増大して水質量の速度エネルギに変換して動圧及び反動を増大することを特徴とするエネルギ保存サイクル機関。
【請求項１４２３】
前記送水ポンプ兼二重反転磁気摩擦動力伝達装置（８４）により、水を昇圧すると共に最適温度に加熱して縮径主燃焼室（１）及び拡径燃焼室（１０）に直接噴射し、噴射量を増大して水質量の速度エネルギに変換して動圧及び反動を増大し、加熱高温の電磁加熱縮径ピストン（２２）拡径部との間に気化膜を設けて摩擦損失を低減することを特徴とするエネルギ保存サイクル機関。
【請求項１４２４】
前記送水ポンプ兼二重反転磁気摩擦動力伝達装置（８４）により、水を昇圧すると共に最適温度に加熱して縮径主燃焼室（１）及び拡径燃焼室（１０）に直接噴射し、噴射量を増大して水質量の速度エネルギに変換して動圧及び反動を増大し、加熱高温の電磁加熱縮径ピストン（２２）との間に気化膜を設けて摩擦損失を低減して出力を増大することを特徴とするエネルギ保存サイクル機関。
【請求項１４２５】
前記送水ポンプ兼磁気摩擦動力伝達装置（５５）により、水を昇圧すると共に最適温度に加熱して縮径主燃焼室（１）及び拡径燃焼室（１０）に直接噴射し、噴射量を増大して水質量の速度エネルギに変換して動圧及び反動を増大し、加熱高温の電磁加熱縮径ピストン（２２）との間に気化膜を設けて摩擦損失を低減して出力を増大することを特徴とするエネルギ保存サイクル機関。
【請求項１４２６】
前記送水ポンプ兼二重反転磁気摩擦動力伝達装置（８４）により、水を昇圧すると共に最適温度に加熱して縮径主燃焼室（１）及び拡径燃焼室（１０）に直接噴射し、噴射量を増大して動圧及び反動を増大し、加熱高温の電磁加熱縮径ピストン（２２）との間に気化膜を設けて摩擦損失を低減して出力を増大し、下方に設けた排気穴（５）より排気排水することを特徴とするエネルギ保存サイクル機関。
【請求項１４２７】
前記送水ポンプ兼二重反転磁気摩擦動力伝達装置（８４）により、水を昇圧すると共に最適温度に加熱して縮径主燃焼室（１）及び拡径燃焼室（１０）に直接噴射し、噴射量を増大して動圧及び反動を増大し、加熱高温の電磁加熱縮径ピストン（２２）との間に気化膜を設けて摩擦損失を低減して出力を増大し、下方に設けた安全弁（５４）より圧力水を排水するエネルギ保存サイクル機関。
【請求項１４２８】
前記送水ポンプ兼磁気摩擦動力伝達装置（５５）により、水を昇圧して縮径主燃焼室熱交換器（２）に供給し、加熱高温にして縮径主燃焼室（１）に噴射し、燃焼ガスを冷却することを特徴とするエネルギ保存サイクル機関。
【請求項１４２９】
前記送水ポンプ兼磁気摩擦動力伝達装置（５５）により、水を昇圧して縮径主燃焼室熱交換器（２）に供給し、加熱高温にして縮径主燃焼室（１）に噴射し、ＮＯｘ低減燃焼にすることを特徴とするエネルギ保存サイクル機関。
【請求項１４３０】
前記送水ポンプ兼磁気摩擦動力伝達装置（５５）により、水を昇圧して廃熱回収熱交換器（２ａ）及び縮径主燃焼室熱交換器（２）に供給し、最適温度に加熱して縮径主燃焼室（１）に噴射し、ＮＯｘ低減燃焼にすることを特徴とするエネルギ保存サイクル機関。
【請求項１４３１】
前記送水ポンプ兼磁気摩擦動力伝達装置（５５）により、動力伝達すると共に送水ポンプ（７５）として昇圧して廃熱回収熱交換器（２ａ）及び縮径主燃焼室熱交換器（２）に供給し、最適温度に加熱して縮径主燃焼室（１）に噴射し、ＮＯｘ低減燃焼にすることを特徴とするエネルギ保存サイクル機関。
【請求項１４３２】
前記送水ポンプ兼磁気摩擦動力伝達装置（５５）により、水を昇圧して廃熱回収熱交換器（２ａ）及び縮径主燃焼室熱交換器（２）に供給し、最適温度に加熱して拡径燃焼室（１０）に直接噴射し、噴射量を増大することを特徴とするエネルギ保存サイクル機関。
【請求項１４３３】
前記送水ポンプ兼磁気摩擦動力伝達装置（５５）により、動力伝達すると共に送水ポンプ（７５）として昇圧して廃熱回収熱交換器（２ａ）及び縮径主燃焼室熱交換器（２）に供給し、最適温度に加熱して拡径燃焼室（１０）に直接噴射し、噴射量を増大することを特徴とするエネルギ保存サイクル機関。
【請求項１４３４】
前記送水ポンプ兼磁気摩擦動力伝達装置（５５）により、水を昇圧すると共に最適温度に加熱して拡径燃焼室（１０）に直接噴射し、噴射量を増大して水質量の速度エネルギに変換して動圧及び反動を増大することを特徴とするエネルギ保存サイクル機関。
【請求項１４３５】
前記送水ポンプ兼磁気摩擦動力伝達装置（５５）により、水を昇圧すると共に最適温度に加熱して拡径燃焼室（１０）に直接噴射し、噴射量を増大して水質量の速度エネルギに変換して動圧及び反動を増大し、加熱高温の電磁加熱縮径ピストン（２２）との間に気化膜を設けて摩擦損失を低減することを特徴とするエネルギ保存サイクル機関。
【請求項１４３６】
前記送水ポンプ兼磁気摩擦動力伝達装置（５５）により、水を昇圧すると共に最適温度に加熱して拡径燃焼室（１０）に直接噴射し、噴射量を増大して水質量の速度エネルギに変換して動圧及び反動を増大し、加熱高温の電磁加熱縮径ピストン（２２）との間に気化膜を設けて摩擦損失を低減して出力を増大することを特徴とするエネルギ保存サイクル機関。
【請求項１４３７】
前記送水ポンプ兼磁気摩擦動力伝達装置（５５）により、水を昇圧すると共に最適温度に加熱して拡径燃焼室（１０）に直接噴射し、噴射量を増大して水質量の速度エネルギに変換して動圧及び反動を増大し、加熱高温の電磁加熱縮径ピストン（２２）との間に気化膜を設けて摩擦損失を低減して出力を増大することを特徴とするエネルギ保存サイクル機関。
【請求項１４３８】
前記送水ポンプ兼磁気摩擦動力伝達装置（５５）により、水を昇圧すると共に最適温度に加熱して拡径燃焼室（１０）に直接噴射し、噴射量を増大して動圧及び反動を増大し、加熱高温の電磁加熱縮径ピストン（２２）との間に気化膜を設けて摩擦損失を低減して出力を増大し、下方に設けた排気穴（５）より排気排水することを特徴とするエネルギ保存サイクル機関。
【請求項１４３９】
前記送水ポンプ兼磁気摩擦動力伝達装置（５５）により、水を昇圧すると共に最適温度に加熱して拡径燃焼室（１０）に直接噴射し、噴射量を増大して動圧及び反動を増大し、加熱高温の電磁加熱縮径ピストン（２２）との間に気化膜を設けて摩擦損失を低減して出力を増大し、下方に設けた安全弁（５４）より圧力水を排水するエネルギ保存サイクル機関。
【請求項１４４０】
前記送水ポンプ兼磁気摩擦動力伝達装置（５５）により、水を昇圧して縮径主燃焼室熱交換器（２）に供給し、加熱高温にして縮径主燃焼室（１）及び拡径燃焼室（１０）に直接噴射し、燃焼ガスを冷却し出力を増大することを特徴とするエネルギ保存サイクル機関。
【請求項１４４１】
前記送水ポンプ兼磁気摩擦動力伝達装置（５５）により、水を昇圧して縮径主燃焼室熱交換器（２）に供給し、加熱高温にして縮径主燃焼室（１）及び拡径燃焼室（１０）に直接噴射し、ＮＯｘ低減燃焼及び出力増大することを特徴とするエネルギ保存サイクル機関。
【請求項１４４２】
前記送水ポンプ兼磁気摩擦動力伝達装置（５５）により、水を昇圧して廃熱回収熱交換器（２ａ）及び縮径主燃焼室熱交換器（２）に供給し、最適温度に加熱して縮径主燃焼室（１）及び拡径燃焼室（１０）に直接噴射し、ＮＯｘ低減燃焼及び出力増大することを特徴とするエネルギ保存サイクル機関。
【請求項１４４３】
前記送水ポンプ兼磁気摩擦動力伝達装置（５５）により、動力伝達すると共に送水ポンプ（７５）として昇圧して廃熱回収熱交換器（２ａ）及び縮径主燃焼室熱交換器（２）に供給し、最適温度に加熱して縮径主燃焼室（１）及び拡径燃焼室（１０）に直接噴射し、ＮＯｘ低減燃焼及び出力増大することを特徴とするエネルギ保存サイクル機関。
【請求項１４４４】
前記送水ポンプ兼磁気摩擦動力伝達装置（５５）により、水を昇圧して廃熱回収熱交換器（２ａ）及び縮径主燃焼室熱交換器（２）に供給し、最適温度に加熱して縮径主燃焼室（１）及び拡径燃焼室（１０）に直接噴射し、噴射量を増大することを特徴とするエネルギ保存サイクル機関。
【請求項１４４５】
前記送水ポンプ兼磁気摩擦動力伝達装置（５５）により、動力伝達すると共に送水ポンプ（７５）として昇圧して廃熱回収熱交換器（２ａ）及び縮径主燃焼室熱交換器（２）に供給し、最適温度に加熱して縮径主燃焼室（１）及び拡径燃焼室（１０）に直接噴射し、噴射量を増大することを特徴とするエネルギ保存サイクル機関。
【請求項１４４６】
前記送水ポンプ兼磁気摩擦動力伝達装置（５５）により、水を昇圧すると共に最適温度に加熱して縮径主燃焼室（１）及び拡径燃焼室（１０）に直接噴射し、噴射量を増大して水質量の速度エネルギに変換して動圧及び反動を増大することを特徴とするエネルギ保存サイクル機関。
【請求項１４４７】
前記送水ポンプ兼磁気摩擦動力伝達装置（５５）により、水を昇圧すると共に最適温度に加熱して縮径主燃焼室（１）及び拡径燃焼室（１０）に直接噴射し、噴射量を増大して水質量の速度エネルギに変換して動圧及び反動を増大し、加熱高温の電磁加熱縮径ピストン（２２）との間に気化膜を設けて摩擦損失を低減することを特徴とするエネルギ保存サイクル機関。
【請求項１４４８】
前記送水ポンプ兼磁気摩擦動力伝達装置（５５）により、水を昇圧すると共に最適温度に加熱して縮径主燃焼室（１）及び拡径燃焼室（１０）に直接噴射し、噴射量を増大して水質量の速度エネルギに変換して動圧及び反動を増大し、加熱高温の電磁加熱縮径ピストン（２２）との間に気化膜を設けて摩擦損失を低減して出力を増大することを特徴とするエネルギ保存サイクル機関。
【請求項１４４９】
前記送水ポンプ兼磁気摩擦動力伝達装置（５５）により、水を昇圧すると共に最適温度に加熱して縮径主燃焼室（１）及び拡径燃焼室（１０）に直接噴射し、噴射量を増大して水質量の速度エネルギに変換して動圧及び反動を増大し、加熱高温の電磁加熱縮径ピストン（２２）との間に気化膜を設けて摩擦損失を低減して出力を増大し、下方に設けた排気穴（５）より排気排水することを特徴とするエネルギ保存サイクル機関。
【請求項１４５０】
前記送水ポンプ兼磁気摩擦動力伝達装置（５５）により、水を昇圧すると共に最適温度に加熱して縮径主燃焼室（１）及び拡径燃焼室（１０）に直接噴射し、噴射量を増大して動圧及び反動を増大し、加熱高温の電磁加熱縮径ピストン（２２）との間に気化膜を設けて摩擦損失を低減して出力を増大し、下方に設けた排気穴（５）より排気排水することを特徴とするエネルギ保存サイクル機関。
【請求項１４５１】
前記送水ポンプ兼磁気摩擦動力伝達装置（５５）により、水を昇圧すると共に最適温度に加熱して縮径主燃焼室（１）及び拡径燃焼室（１０）に直接噴射し、噴射量を増大して動圧及び反動を増大し、加熱高温の電磁加熱縮径ピストン（２２）との間に気化膜を設けて摩擦損失を低減して出力を増大し、下方に設けた安全弁（５４）より圧力水を排水するエネルギ保存サイクル機関。
【請求項１４５２】
前記送水ポンプ兼磁気摩擦動力伝達装置（５５）により水を昇圧して拡径燃焼室（１０）に直接噴射する、高温水噴射電磁弁（８７ｂ）を、１以上設けたエネルギ保存サイクル機関。
【請求項１４５３】
前記送水ポンプ兼磁気摩擦動力伝達装置（５５）により水を昇圧して拡径燃焼室（１０）に直接噴射する、高温水噴射電磁弁（８７ｂ）を、多数設けたエネルギ保存サイクル機関。
【請求項１４５４】
前記送水ポンプ兼二重反転磁気摩擦動力伝達装置（８４）により水を昇圧して拡径燃焼室（１０）に直接噴射する、高温水噴射電磁弁（８７ｂ）を、１以上設けたエネルギ保存サイクル機関。
【請求項１４５５】
前記送水ポンプ兼二重反転磁気摩擦動力伝達装置（８４）により水を昇圧して拡径燃焼室（１０）に直接噴射する、高温水噴射電磁弁（８７ｂ）を、多数設けたエネルギ保存サイクル機関。
【請求項１４５６】
前記送水ポンプ兼磁気摩擦動力伝達装置（５５）により水を昇圧して拡径燃焼室（１０）に直接噴射する、任意の高温水噴射装置を、１以上設けたエネルギ保存サイクル機関。
【請求項１４５７】
前記送水ポンプ兼磁気摩擦動力伝達装置（５５）により水を昇圧して拡径燃焼室（１０）に直接噴射する、任意の高温水噴射装置を、多数設けたエネルギ保存サイクル機関。
【請求項１４５８】
前記送水ポンプ兼二重反転磁気摩擦動力伝達装置（８４）により水を昇圧して拡径燃焼室（１０）に直接噴射する、任意の高温水噴射装置を、１以上設けたエネルギ保存サイクル機関。
【請求項１４５９】
前記送水ポンプ兼二重反転磁気摩擦動力伝達装置（８４）により水を昇圧して拡径燃焼室（１０）に直接噴射する、任意の高温水噴射装置を、多数設けたエネルギ保存サイクル機関。
【請求項１４６０】
前記送水ポンプ兼二重反転磁気摩擦動力伝達装置（８４）により、大中小型船舶の推進用プロペラを二重反転させることを特徴とするエネルギ保存サイクル機関。
【請求項１４６１】
前記送水ポンプ兼二重反転磁気摩擦動力伝達装置（８４）により、大中小型高速船の推進用プロペラを二重反転させることを特徴とするエネルギ保存サイクル機関。
【請求項１４６２】
前記送水ポンプ兼二重反転磁気摩擦動力伝達装置（８４）により、大中小型船舶の吸引噴射推進用プロペラを二重反転させることを特徴とするエネルギ保存サイクル機関。
【請求項１４６３】
前記送水ポンプ兼二重反転磁気摩擦動力伝達装置（８４）により、大中小型高速船の吸引噴射推進用プロペラを二重反転させることを特徴とするエネルギ保存サイクル機関。
【請求項１４６４】
前記送水ポンプ兼二重反転磁気摩擦動力伝達装置（８４）により、大中小型飛行機の推進用プロペラを二重反転させることを特徴とするエネルギ保存サイクル機関。
【請求項１４６５】
前記送水ポンプ兼二重反転磁気摩擦動力伝達装置（８４）により、大中小型ヘリコプターの浮上推進用プロペラを二重反転させることを特徴とするエネルギ保存サイクル機関。
【請求項１４６６】
前記送水ポンプ兼二重反転磁気摩擦動力伝達装置（８４）により、大中小型飛行機の浮上推進用プロペラを二重反転させることを特徴とするエネルギ保存サイクル機関。
【請求項１４６７】
前記送水ポンプ兼二重反転磁気摩擦動力伝達装置（８４）により、水を昇圧して縮径主燃焼室熱交換器（２）に供給して使用すると共に、該水圧上昇により摩擦ポンプ（７５）を非接触に近付けて、省エネを図り発生する熱を回収し、該水に物質を混入して公害を低減することを特徴とするエネルギ保存サイクル機関。
【請求項１４６８】
前記送水ポンプ兼二重反転磁気摩擦動力伝達装置（８４）の低凹凸（６９）は、歯車のかみ合い高さを限りなく低下させて、転がり接触動力伝達の低凹凸（６９）としたことを特徴とするエネルギ保存サイクル機関。
【請求項１４６９】
前記送水ポンプ兼二重反転磁気摩擦動力伝達装置（８４）の低凹凸（６９）は、歯車のかみ合い高さを限りなく低下させて、転がり接触動力伝達の低凹凸（６９）とし、歯車と略同型の平凹凸（７０）、ハスバ凹凸（７１）、ヤマバ凹凸（７２）のいずれかとしたことを特徴とするエネルギ保存サイクル機関。
【請求項１４７０】
前記送水ポンプ兼二重反転磁気摩擦動力伝達装置（８４）の低凹凸（６９）は、歯車のかみ合い高さを限りなく低下させて、転がり接触動力伝達とすることで、歯車以外の形状を可能にしたことを特徴とするエネルギ保存サイクル機関。
【請求項１４７１】
前記送水ポンプ兼二重反転磁気摩擦動力伝達装置（８４）の低凹凸（６９）は、歯車のかみ合い高さを限りなく低下させて、転がり接触動力伝達とすることで、噛み合う形状すべてを可能にしたことを特徴とするエネルギ保存サイクル機関。
【請求項１４７２】
前記下方に設けた排気穴（５）より排気排水するＨ型エネルギ保存サイクルは、下方に設けた安全弁（５４）より圧力水を排水することを特徴とするエネルギ保存サイクル機関。
【請求項１４７３】
前記下方に設けた排気穴（５）より排気排水するＨ型エネルギ保存サイクルは、下方に設けた安全弁（５４）より圧力水を排水し、廃熱回収熱交換器（２ａ）により夫々の排気排水より熱回収することを特徴とするエネルギ保存サイクル機関。
【請求項１４７４】
前記下方に設けた排気穴（５）より排気排水するＤ型エネルギ保存サイクルは、下方に設けた安全弁（５４）より圧力水を排水することを特徴とするエネルギ保存サイクル機関。
【請求項１４７５】
前記下方に設けた排気穴（５）より排気排水するＤ型エネルギ保存サイクルは、下方に設けた安全弁（５４）より圧力水を排水し、廃熱回収熱交換器（２ａ）により夫々の排気排水より熱回収することを特徴とするエネルギ保存サイクル機関。
【請求項１４７６】
前記下方に設けた排気穴（５）より排気排水するＥ型エネルギ保存サイクルは、下方に設けた安全弁（５４）より圧力水を排水することを特徴とするエネルギ保存サイクル機関。
【請求項１４７７】
前記下方に設けた排気穴（５）より排気排水するＥ型エネルギ保存サイクルは、下方に設けた安全弁（５４）より圧力水を排水し、廃熱回収熱交換器（２ａ）により夫々の排気排水より熱回収することを特徴とするエネルギ保存サイクル機関。
【請求項１４７８】
前記下方に設けた排気穴（５）より排気排水するＨ型エネルギ保存サイクルは、下方に設けた安全弁（５４）より圧力水を排水し、廃熱回収熱交換器（２ａ）により夫々の排気排水より熱回収して、熱を繰り返し再使用することを特徴とするエネルギ保存サイクル機関。
【請求項１４７９】
前記下方に設けた排気穴（５）より排気排水するＤ型エネルギ保存サイクルは、下方に設けた安全弁（５４）より圧力水を排水し、廃熱回収熱交換器（２ａ）により夫々の排気排水より熱回収して、熱を繰り返し再使用することを特徴とするエネルギ保存サイクル機関。
【請求項１４８０】
前記下方に設けた排気穴（５）より排気排水するＥ型エネルギ保存サイクルは、下方に設けた安全弁（５４）より圧力水を排水し、廃熱回収熱交換器（２ａ）により夫々の排気排水より熱回収して、熱を繰り返し再使用することを特徴とするエネルギ保存サイクル機関。
【請求項１４８１】
前記エネルギ保存サイクル機関は、高温水噴射燃焼としたことを特徴とするエネルギ保存サイクル機関。
【請求項１４８２】
前記エネルギ保存サイクル機関は、高温水噴射燃焼として重力パワーを水により増大することを特徴とするエネルギ保存サイクル機関。
【請求項１４８３】
前記エネルギ保存サイクル機関は、高温水噴射燃焼として該水を限りなく増大して重力パワーを増大することを特徴とするエネルギ保存サイクル機関。
【請求項１４８４】
前記エネルギ保存サイクル機関は、高温水噴射燃焼として該水温及び水質量を限りなく上昇増大して出力及び重力パワーを増大することを特徴とするエネルギ保存サイクル機関。
【請求項１４８５】
前記エネルギ保存サイクル機関は、高温水噴射燃焼として該水質量を限りなく増大して動圧及び出力及び重力パワーを増大することを特徴とするエネルギ保存サイクル機関。
【請求項１４８６】
前記エネルギ保存サイクル機関は、高温水噴射燃焼として水温は選択することを特徴とするエネルギ保存サイクル機関。
【請求項１４８７】
前記エネルギ保存サイクル機関は、高温水噴射燃焼として圧力を選択することを特徴とするエネルギ保存サイクル機関。
【請求項１４８８】
前記エネルギ保存サイクル機関は、高温水噴射燃焼として該水温を縮径主燃焼室熱交換器（２）により上昇することを特徴とするエネルギ保存サイクル機関。
【請求項１４８９】
前記エネルギ保存サイクル機関は、高温水噴射燃焼として該温度を縮径主燃焼室熱交換器（２）により上昇することを特徴とするエネルギ保存サイクル機関。
【請求項１４９０】
前記エネルギ保存サイクル機関は、高温水噴射燃焼として該圧力温度を縮径主燃焼室熱交換器（２）により上昇することを特徴とするエネルギ保存サイクル機関。
【請求項１４９１】
前記エネルギ保存サイクル機関は、過熱蒸気噴射燃焼及び高温水噴射燃焼の何れかとして該水温を廃熱回収熱交換器（２ａ）により上昇することを特徴とするエネルギ保存サイクル機関。
【請求項１４９２】
前記エネルギ保存サイクル機関は、過熱蒸気噴射燃焼及び高温水噴射燃焼の何れかとして該水温を廃熱回収熱交換器（２ａ）及び縮径主燃焼室熱交換器（２）により上昇することを特徴とするエネルギ保存サイクル機関。
【請求項１４９３】
前記エネルギ保存サイクル機関は、過熱蒸気噴射燃焼及び高温水噴射燃焼の何れかとして該水温を縮径主燃焼室熱交換器（２）により繰り返し熱回収して上昇することを特徴とするエネルギ保存サイクル機関。
【請求項１４９４】
前記エネルギ保存サイクル機関は、過熱蒸気噴射燃焼及び高温水噴射燃焼の何れかとして該水温を廃熱回収熱交換器（２ａ）により繰り返し熱回収して上昇することを特徴とするエネルギ保存サイクル機関。
【請求項１４９５】
前記エネルギ保存サイクル機関は、過熱蒸気噴射燃焼及び高温水噴射燃焼の何れかとして該水温を廃熱回収熱交換器（２ａ）及び縮径主燃焼室熱交換器（２）により繰り返し熱回収して上昇することを特徴とするエネルギ保存サイクル機関。
【請求項１４９６】
前記エネルギ保存サイクル機関は、過熱蒸気噴射燃焼及び高温水噴射燃焼の何れかとして該水温を縮径主燃焼室熱交換器（２）により上昇することを特徴とするエネルギ保存サイクル機関。
【請求項１４９７】
前記エネルギ保存サイクル機関は、過熱蒸気噴射燃焼及び高温水噴射燃焼の何れかとして該水温を廃熱回収熱交換器（２ａ）により上昇することを特徴とするエネルギ保存サイクル機関。
【請求項１４９８】
前記エネルギ保存サイクル機関は、過熱蒸気噴射燃焼及び高温水噴射燃焼の何れかとして該水圧を摩擦ポンプ（７５）により上昇することを特徴とするエネルギ保存サイクル機関。
【請求項１４９９】
前記エネルギ保存サイクル機関は、電磁加熱縮径ピストン（２２）を電磁加熱高温とすることで、水等との間の摩擦損失を低減することを特徴とするエネルギ保存サイクル機関。
【請求項１５００】
前記エネルギ保存サイクル機関は、電磁加熱縮径ピストン（２２）を電磁加熱高温とすることを特徴とするエネルギ保存サイクル機関。
【請求項１５０１】
前記エネルギ保存サイクル機関は、電磁加熱縮径ピストン（２２）を電磁加熱高温とすることで、水等との間に気化膜を設けることを特徴とするエネルギ保存サイクル機関。
【請求項１５０２】
前記エネルギ保存サイクル機関は、電磁加熱縮径ピストン（２２）を電磁加熱高温とすることで、水等との間に気化膜を設けて摩擦損失を最低とすることを特徴とするエネルギ保存サイクル機関。
【請求項１５０３】
前記エネルギ保存サイクル機関は、電磁加熱縮径ピストン（２２）を電磁加熱高温とすることで、水等との間に気化膜を設けて摩擦損失を最低の出力最大とすることを特徴とするエネルギ保存サイクル機関。
【請求項１５０４】
前記エネルギ保存サイクル機関は、電磁加熱縮径ピストン（２２）を電磁加熱高温とすることで、水等との間に気化膜を設けて、摩擦損失を最低として両頭拡径ピストン（３７）を動圧反動駆動することを特徴とするエネルギ保存サイクル機関。
【請求項１５０５】
前記エネルギ保存サイクル機関は、高温水噴射燃焼として燃焼ガス質量を増大し、電磁加熱縮径ピストン（２２）を断熱して設けて、加熱高温にすることで、水等との間の摩擦損失を低減して両頭拡径ピストン（３７）を動圧反動駆動することを特徴とするエネルギ保存サイクル機関。
【請求項１５０６】
前記エネルギ保存サイクル機関は、高温水噴射燃焼として燃焼ガス質量を増大し、電磁加熱縮径ピストン（２２）を断熱して設けて、加熱高温にすることで、水等との間の摩擦損失を低減して両頭拡径ピストン（３７）を動圧反動駆動することを特徴とするエネルギ保存サイクル機関。
【請求項１５０７】
前記エネルギ保存サイクル機関は、超臨界圧力水蒸気噴射燃焼として燃焼ガス質量を増大し、電磁加熱縮径ピストン（２２）を断熱して設けて加熱高温にすることで水等との間の摩擦損失を低減して両頭拡径ピストン（３７）を動圧反動駆動することを特徴とするエネルギ保存サイクル機関。
【請求項１５０８】
前記エネルギ保存サイクル機関は、超臨界圧力過熱蒸気噴射燃焼として燃焼ガス質量を増大し、電磁加熱縮径ピストン（２２）を断熱して設けて加熱高温にすることで水等との間の摩擦損失を低減して両頭拡径ピストン（３７）を動圧反動駆動することを特徴とするエネルギ保存サイクル機関。
【請求項１５０９】
前記エネルギ保存サイクル機関は、超臨界圧力高温水噴射燃焼として燃焼ガス質量を増大し、電磁加熱縮径ピストン（２２）を断熱して設けて、加熱高温にすることで、水等との間の摩擦損失を低減して両頭拡径ピストン（３７）を動圧反動駆動することを特徴とするエネルギ保存サイクル機関。
【請求項１５１０】
前記エネルギ保存サイクル機関は、超臨界圧力水蒸気噴射出力発生燃焼として死点後９０°前の瞬時に放出し、電磁加熱縮径ピストン（２２）を断熱して設けて、加熱高温にすることで、水等との間の摩擦損失を低減して両頭拡径ピストン（３７）を動圧反動駆動することを特徴とするエネルギ保存サイクル機関。
【請求項１５１１】
前記エネルギ保存サイクル機関は、超臨界圧力過熱蒸気噴射出力発生燃焼として死点後９０°前の瞬時に放出し、電磁加熱縮径ピストン（２２）を断熱して設けて、加熱高温にすることで、水等との間の摩擦損失を低減して両頭拡径ピストン（３７）を動圧反動駆動することを特徴とするエネルギ保存サイクル機関。
【請求項１５１２】
前記エネルギ保存サイクル機関は、超臨界圧力高温水噴射出力発生燃焼として死点後９０°前の瞬時に放出し、電磁加熱縮径ピストン（２２）を断熱して設けて、加熱高温にすることで、水等との間の摩擦損失を低減して両頭拡径ピストン（３７）を動圧反動駆動することを特徴とするエネルギ保存サイクル機関。
【請求項１５１３】
前記エネルギ保存サイクル機関は、燃料に水を混合した燃焼として燃焼ガス質量を増大し、電磁加熱縮径ピストン（２２）を断熱して設けて加熱高温とすることで、水等との間に気化膜を設けて、摩擦損失最低として両頭拡径ピストン（３７）を動圧反動駆動することを特徴とするエネルギ保存サイクル機関。
【請求項１５１４】
前記エネルギ保存サイクル機関は、水噴射燃焼用の水に物質を混入して、ＣＯ２等の燃焼ガスを水に溶解混合合成を容易にして排出することを特徴とするエネルギ保存サイクル機関。
【請求項１５１５】
前記エネルギ保存サイクル機関は、超臨界圧力高温水噴射燃焼用の水に物質を混入して、ＣＯ２等の燃焼ガスを水に溶解混合合成を容易にして排出することを特徴とするエネルギ保存サイクル機関。
【請求項１５１６】
前記エネルギ保存サイクル機関は、水蒸気噴射燃焼用の水に公知物質（５３）を混入して、ＣＯ２等の燃焼ガスを水に溶解混合合成を容易にして排出することを特徴とするエネルギ保存サイクル機関。
【請求項１５１７】
前記エネルギ保存サイクル機関は、超臨界圧力過熱蒸気噴射燃焼用の水に公知物質（５３）を混入して、ＣＯ２等の燃焼ガスを水に溶解混合合成を容易にして排出することを特徴とするエネルギ保存サイクル機関。
【請求項１５１８】
前記エネルギ保存サイクル機関は、動力伝達装置に送水ポンプ兼二重反転磁気摩擦動力伝達装置（８４）を使用することを特徴とするエネルギ保存サイクル機関。
【請求項１５１９】
前記エネルギ保存サイクル機関は、動力伝達装置に送水ポンプ兼磁気摩擦動力伝達装置（５５）を使用することを特徴とするエネルギ保存サイクル機関。
【請求項１５２０】
前記エネルギ保存サイクル機関は、排水温度を３０℃に近付けることを特徴とするエネルギ保存サイクル機関。
【請求項１５２１】
前記エネルギ保存サイクル機関は、廃熱回収熱交換器（２ａ）により熱回収して、排水温度を３０℃に近付けることを特徴とするエネルギ保存サイクル機関。
【請求項１５２２】
前記エネルギ保存サイクル機関は、廃熱回収熱交換器（２ａ）により繰り返し熱回収して熱回収量を限りなく増大し、排水温度を大気圧３０℃に近付けることを特徴とするエネルギ保存サイクル機関。
【請求項１５２３】
前記エネルギ保存サイクル機関は、廃熱回収熱交換器（２ａ）により繰り返し熱回収して出力を限りなく増大し、排水温度を大気圧３０℃に近付けることを特徴とするエネルギ保存サイクル機関。
【請求項１５２４】
前記エネルギ保存サイクル機関は、廃熱回収熱交換器（２ａ）により繰り返し熱回収して出力及び熱回収量を限りなく増大し、排水温度を大気圧３０℃に近付けることを特徴とするエネルギ保存サイクル機関。
【請求項１５２５】
前記エネルギ保存サイクル機関は、縮径主燃焼室熱交換器（２）及び廃熱回収熱交換器（２ａ）により、排水温度を大気圧３０℃に近付けることを特徴とするエネルギ保存サイクル機関。
【請求項１５２６】
前記エネルギ保存サイクル機関は、縮径主燃焼室熱交換器（２）及び廃熱回収熱交換器（２ａ）により熱回収して、排水温度を大気圧３０℃に近付けることを特徴とするエネルギ保存サイクル機関。
【請求項１５２７】
前記エネルギ保存サイクル機関は、縮径主燃焼室熱交換器（２）及び廃熱回収熱交換器（２ａ）により繰り返し熱回収して熱回収量を限りなく増大し、排水温度を大気圧３０℃に近付けることを特徴とするエネルギ保存サイクル機関。
【請求項１５２８】
前記エネルギ保存サイクル機関は、縮径主燃焼室熱交換器（２）及び廃熱回収熱交換器（２ａ）により繰り返し熱回収して出力を限りなく増大し、排水温度を大気圧３０℃に近付けることを特徴とするエネルギ保存サイクル機関。
【請求項１５２９】
前記エネルギ保存サイクル機関は、縮径主燃焼室熱交換器（２）及び廃熱回収熱交換器（２ａ）により繰り返し熱回収して出力及び熱回収量を限りなく増大し、排水温度を大気圧３０℃に近付けることを特徴とするエネルギ保存サイクル機関。
【請求項１５３０】
前記エネルギ保存サイクル機関は、縮径主燃焼室熱交換器（２）及び廃熱回収熱交換器（２ａ）により繰り返し熱回収して熱回収量を限りなく増大し、超臨界圧力高温水を貯蔵増大することで、燃料無しの蒸気機関としても使用可能としたことを特徴とするエネルギ保存サイクル機関。
【請求項１５３１】
前記エネルギ保存サイクル機関は、縮径主燃焼室熱交換器（２）及び廃熱回収熱交換器（２ａ）により繰り返し熱回収して熱回収量を限りなく増大し、高温水を貯蔵増大することで、燃料無しの蒸気機関としても使用可能としたことを特徴とするエネルギ保存サイクル機関。
【請求項１５３２】
前記エネルギ保存サイクル機関は、縮径主燃焼室熱交換器（２）及び廃熱回収熱交換器（２ａ）により繰り返し熱回収して熱回収量を限りなく増大し、高圧高温水を貯蔵増大することで、燃料無しの蒸気機関としても使用可能としたことを特徴とするエネルギ保存サイクル機関。
【請求項１５３３】
前記エネルギ保存サイクル機関は、該回転力で駆動する装置に蓄電装置を含めたことを特徴とするエネルギ保存サイクル機関。
【請求項１５３４】
前記エネルギ保存サイクル機関は、該回転力で駆動する装置に蓄電装置及び該蓄電装置で駆動する装置を含めたことを特徴とするエネルギ保存サイクル機関。
【請求項１５３５】
前記エネルギ保存サイクル機関は、該回転力で駆動する装置を各種小型船舶としたことを特徴とするエネルギ保存サイクル機関。
【請求項１５３６】
前記エネルギ保存サイクル機関は、該回転力で駆動する装置を各種中型船舶としたことを特徴とするエネルギ保存サイクル機関。
【請求項１５３７】
前記エネルギ保存サイクル機関は、該回転力で駆動する装置を各種大型船舶としたことを特徴とするエネルギ保存サイクル機関。
【請求項１５３８】
前記エネルギ保存サイクル機関は、該回転力で駆動する装置を各種小型高速船としたことを特徴とするエネルギ保存サイクル機関。
【請求項１５３９】
前記エネルギ保存サイクル機関は、該回転力で駆動する装置を各種中型高速船としたことを特徴とするエネルギ保存サイクル機関。
【請求項１５４０】
前記エネルギ保存サイクル機関は、該回転力で駆動する装置を各種大型高速船としたことを特徴とするエネルギ保存サイクル機関。
【請求項１５４１】
前記エネルギ保存サイクル機関は、該回転力で駆動する装置を、燃料無しの蒸気機関としても短時間使用可能とした各種小型船舶としたことを特徴とするエネルギ保存サイクル機関。
【請求項１５４２】
前記エネルギ保存サイクル機関は、該回転力で駆動する装置を、燃料無しの蒸気機関としても短時間使用可能とした各種中型船舶としたことを特徴とするエネルギ保存サイクル機関。
【請求項１５４３】
前記エネルギ保存サイクル機関は、該回転力で駆動する装置を、燃料無しの蒸気機関としても短時間使用可能とした各種大型船舶としたことを特徴とするエネルギ保存サイクル機関。
【請求項１５４４】
前記エネルギ保存サイクル機関は、該回転力で駆動する装置を、燃料無しの蒸気機関としても短時間使用可能とした各種小型高速船としたことを特徴とするエネルギ保存サイクル機関。
【請求項１５４５】
前記エネルギ保存サイクル機関は、該回転力で駆動する装置を、燃料無しの蒸気機関としても短時間使用可能とした各種中型高速船としたことを特徴とするエネルギ保存サイクル機関。
【請求項１５４６】
前記エネルギ保存サイクル機関は、該回転力で駆動する装置を、燃料無しの蒸気機関としても短時間使用可能とした各種大型高速船としたことを特徴とするエネルギ保存サイクル機関。
【請求項１５４７】
前記エネルギ保存サイクル機関は、該回転力で駆動する装置を各種垂直上昇降下飛行機としたことを特徴とするエネルギ保存サイクル機関。
【請求項１５４８】
前記エネルギ保存サイクル機関の回転力で駆動する装置を、各種プロペラ飛行機としたことを特徴とするエネルギ保存サイクル機関。
【請求項１５４９】
前記エネルギ保存サイクル機関の回転力で駆動する装置を、各種ヘリコプターとしたことを特徴とするエネルギ保存サイクル機関。
【請求項１５５０】
前記エネルギ保存サイクル機関の回転力で駆動する装置を、各種飛行物体としたことを特徴とするエネルギ保存サイクル機関。
【請求項１５５１】
前記エネルギ保存サイクル機関は、該回転力で駆動する装置を燃料無しの蒸気機関としても短時間使用可能とした各種垂直上昇降下飛行機としたことを特徴とするエネルギ保存サイクル機関。
【請求項１５５２】
前記エネルギ保存サイクル機関の回転力で駆動する装置を、燃料無しの蒸気機関としても短時間使用可能とした各種プロペラ飛行機としたことを特徴とするエネルギ保存サイクル機関。
【請求項１５５３】
前記エネルギ保存サイクル機関の回転力で駆動する装置を、燃料無しの蒸気機関としても短時間使用可能とした各種ヘリコプターとしたことを特徴とするエネルギ保存サイクル機関。
【請求項１５５４】
前記エネルギ保存サイクル機関の回転力で駆動する装置を、燃料無しの蒸気機関としても短時間使用可能とした各種飛行物体としたことを特徴とするエネルギ保存サイクル機関。
【請求項１５５５】
前記エネルギ保存サイクル機関は、該回転力で駆動する装置を各種小型車両としたことを特徴とするエネルギ保存サイクル機関。
【請求項１５５６】
前記エネルギ保存サイクル機関は、該回転力で駆動する装置を各種中型車両としたことを特徴とするエネルギ保存サイクル機関。
【請求項１５５７】
前記エネルギ保存サイクル機関は、該回転力で駆動する装置を各種大型車両としたことを特徴とするエネルギ保存サイクル機関。
【請求項１５５８】
前記エネルギ保存サイクル機関は、該回転力で駆動する装置を各種小型自動車としたことを特徴とするエネルギ保存サイクル機関。
【請求項１５５９】
前記エネルギ保存サイクル機関は、該回転力で駆動する装置を各種中型自動車としたことを特徴とするエネルギ保存サイクル機関。
【請求項１５６０】
前記エネルギ保存サイクル機関は、該回転力で駆動する装置を各種大型自動車としたことを特徴とするエネルギ保存サイクル機関。
【請求項１５６１】
前記エネルギ保存サイクル機関は、該回転力で駆動する装置を各種小型機械としたことを特徴とするエネルギ保存サイクル機関。
【請求項１５６２】
前記エネルギ保存サイクル機関は、該回転力で駆動する装置を各種中型機械としたことを特徴とするエネルギ保存サイクル機関。
【請求項１５６３】
前記エネルギ保存サイクル機関は、該回転力で駆動する装置を各種大型機械としたことを特徴とするエネルギ保存サイクル機関。
【請求項１５６４】
前記エネルギ保存サイクル機関は、該回転力で駆動する装置を小型汎用機関としたことを特徴とするエネルギ保存サイクル機関。
【請求項１５６５】
前記エネルギ保存サイクル機関は、該回転力で駆動する装置を中型汎用機関としたことを特徴とするエネルギ保存サイクル機関。
【請求項１５６６】
前記エネルギ保存サイクル機関は、該回転力で駆動する装置を大型汎用機関としたことを特徴とするエネルギ保存サイクル機関。
【請求項１５６７】
前記エネルギ保存サイクル機関は、該回転力で駆動する装置を燃料無しの蒸気機関としても短時間使用可能とした各種小型車両としたことを特徴とするエネルギ保存サイクル機関。
【請求項１５６８】
前記エネルギ保存サイクル機関は、該回転力で駆動する装置を燃料無しの蒸気機関としても短時間使用可能とした各種中型車両としたことを特徴とするエネルギ保存サイクル機関。
【請求項１５６９】
前記エネルギ保存サイクル機関は、該回転力で駆動する装置を燃料無しの蒸気機関としても短時間使用可能とした各種大型車両としたことを特徴とするエネルギ保存サイクル機関。
【請求項１５７０】
前記エネルギ保存サイクル機関は、該回転力で駆動する装置を燃料無しの蒸気機関としても短時間使用可能とした各種小型自動車としたことを特徴とするエネルギ保存サイクル機関。
【請求項１５７１】
前記エネルギ保存サイクル機関は、該回転力で駆動する装置を燃料無しの蒸気機関としても短時間使用可能とした各種中型自動車としたことを特徴とするエネルギ保存サイクル機関。
【請求項１５７２】
前記エネルギ保存サイクル機関は、該回転力で駆動する装置を燃料無しの蒸気機関としても短時間使用可能とした各種大型自動車としたことを特徴とするエネルギ保存サイクル機関。
【請求項１５７３】
前記エネルギ保存サイクル機関は、該回転力で駆動する装置を燃料無しの蒸気機関としても短時間使用可能とした各種小型機械としたことを特徴とするエネルギ保存サイクル機関。
【請求項１５７４】
前記エネルギ保存サイクル機関は、該回転力で駆動する装置を燃料無しの蒸気機関としても短時間使用可能とした各種中型機械としたことを特徴とするエネルギ保存サイクル機関。
【請求項１５７５】
前記エネルギ保存サイクル機関は、該回転力で駆動する装置を燃料無しの蒸気機関としても短時間使用可能とした各種大型機械としたことを特徴とするエネルギ保存サイクル機関。
【請求項１５７６】
前記エネルギ保存サイクル機関は、該回転力で駆動する装置を燃料無しの蒸気機関としても短時間使用可能とした小型汎用機関としたことを特徴とするエネルギ保存サイクル機関。
【請求項１５７７】
前記エネルギ保存サイクル機関は、該回転力で駆動する装置を燃料無しの蒸気機関としても短時間使用可能とした中型汎用機関としたことを特徴とするエネルギ保存サイクル機関。
【請求項１５７８】
前記エネルギ保存サイクル機関は、該回転力で駆動する装置を燃料無しの蒸気機関としても短時間使用可能とした大型汎用機関としたことを特徴とするエネルギ保存サイクル機関。
【請求項１５７９】
前記エネルギ保存サイクル機関は、該回転力で駆動する装置を燃料無しの蒸気機関としても短時間使用可能とした小型発電装置としたことを特徴とするエネルギ保存サイクル機関。
【請求項１５８０】
前記エネルギ保存サイクル機関は、該回転力で駆動する装置を燃料無しの蒸気機関としても短時間使用可能とした中型発電装置としたことを特徴とするエネルギ保存サイクル機関。
【請求項１５８１】
前記エネルギ保存サイクル機関は、該回転力で駆動する装置を燃料無しの蒸気機関としても短時間使用可能とした大型発電装置としたことを特徴とするエネルギ保存サイクル機関。
【請求項１５８２】
前記エネルギ保存サイクル機関は、該回転力で駆動する装置を小型発電装置としたことを特徴とするエネルギ保存サイクル機関。
【請求項１５８３】
前記エネルギ保存サイクル機関は、該回転力で駆動する装置を中型発電装置としたことを特徴とするエネルギ保存サイクル機関。
【請求項１５８４】
前記エネルギ保存サイクル機関は、該回転力で駆動する装置を大型発電装置としたことを特徴とするエネルギ保存サイクル機関。
【請求項１５８５】
前記エネルギ保存サイクル機関は、該回転力で駆動する装置を燃料無しの蒸気機関としても短時間使用可能とした熱と電気の小型併給装置としたエネルギ保存サイクル機関。
【請求項１５８６】
前記エネルギ保存サイクル機関は、該回転力で駆動する装置を燃料無しの蒸気機関としても短時間使用可能とした熱と電気の中型併給装置としたエネルギ保存サイクル機関。
【請求項１５８７】
前記エネルギ保存サイクル機関は、該回転力で駆動する装置を燃料無しの蒸気機関としても短時間使用可能とした熱と電気の大型併給装置としたエネルギ保存サイクル機関。
【請求項１５８８】
前記エネルギ保存サイクル機関は、該回転力で駆動する装置を熱と電気の小型併給装置としたエネルギ保存サイクル機関。
【請求項１５８９】
前記エネルギ保存サイクル機関は、該回転力で駆動する装置を熱と電気の中型併給装置としたエネルギ保存サイクル機関。
【請求項１５９０】
前記エネルギ保存サイクル機関は、該回転力で駆動する装置を熱と電気の大型併給装置としたエネルギ保存サイクル機関。
【請求項１５９１】
前記エネルギ保存サイクル機関は、該回転力で駆動する装置は、その種類を問わないことを特徴とするエネルギ保存サイクル機関。
【請求項１５９２】
前記エネルギ保存サイクル機関で燃焼させる燃料は、重油・軽油・水素・メタノール・メタン・ガソリン・天然ガス・プロパンガス・アルコールの何れかにしたことを特徴とするエネルギ保存サイクル機関。
【請求項１５９３】
前記エネルギ保存サイクル機関で燃焼させる燃料は、重油・軽油・水素・メタノール・メタン・ガソリン・天然ガス・プロパンガス・アルコールの何れか１以上にしたことを特徴とするエネルギ保存サイクル機関。
【発明の詳細な説明】
【０００１】
【発明の属する技術分野】
本発明は、熱回収量を最大にするエネルギ保存サイクル機関として、例えば縮径主燃焼室熱交換器の内径を拡径燃焼室の１／７に縮径して、死点近傍でのエネルギ放出量（ピストンの行程容積）を１／４９とした、縮径主燃焼室内隔離燃焼（密閉容器内完全燃焼終了・最高燃焼圧力を圧縮圧力の９倍に近付ける）とし、一定容積以上の縮径主燃焼室では、ガソリン機関並み圧縮比（１〜２ＭＰａ）でディーゼル機関並み最高燃焼圧力（９〜１８ＭＰａ）に近付け、最大の熱回収が可能な熱交換冷却低温燃焼の、ＮＯｘ低減皆無仮想燃焼にします。そして縮径主燃焼室熱交換器＋廃熱回収熱交換器により、例えば既存往復機関排気温度５００℃前後を５０℃前後として、１回転毎に略４００℃回収熱量を限り無く増大し、超臨界圧力等の高温水を増大します。
【０００２】
例えば縮径主燃焼室１に具備した、高温水噴射電磁弁８７ａ又は各種電磁弁や燃料噴射弁等を改良流用した、公知の各種流用噴射弁１００より超臨界圧力等の高温水噴射量を増大して、縮径主燃焼室熱交換器２による熱交換冷却燃焼を含めて、任意に変形させた電磁加熱縮径ピストン２２の頭頂部に高温水を噴射して、燃焼温度を最低に低下させて、死点後９０°前の絶好機に隔離燃焼解除して、低温燃焼ガスを高温水で噴射して、高温水の気化爆発エネルギにより水滴を、適宜に加熱高温としたノズル内では弾丸のように加速して、ノズル噴口部９４の外ではロケットのように加速し、動圧出力を最大にします。
【０００３】
そして拡径燃焼室１０で再燃焼させると同時に、シリンダヘッド１５に具備した複数の高温水噴射電磁弁８７ｂ又は、複数の公知の各種流用噴射弁１００より、電磁加熱高温とした電磁加熱縮径ピストン２２の拡径部に、超臨界圧力高温水を直接噴射し、夫々の高温水の気化爆発力により水滴を、ノズル内では弾丸のように加速してノズル外ではロケットのように加速し、摩擦損失最少で拡径ピストン２１を動圧反動駆動します。熱エネルギ放出を絶好機に集中することで、２／３空気等を利用する１段燃焼時間を最大にし、２段燃焼１／３空気等により再度未燃分皆無を可能として、１段燃焼燃焼ガス温度を最低にして、断熱膨張低温燃焼ガスを核に水分を凝集し、ＣＯ２等を溶解容易にする化学物質の添加を含めて、ＣＯ２排気を０や０に近付け、既存ガソリン機関の５００倍出力等を狙う技術に関する。
【０００４】
例えば電磁加熱縮径ピストン２２の径を拡径ピストン２１の１／７に縮径すると、電磁加熱縮径ピストンの行程容積や熱エネルギ放出量や軸受荷重は１／４９となり、密閉容器内完全燃焼終了に近付き、最高燃焼圧力は圧縮圧力の９倍に近付き、燃焼温度は通常５０００℃を越えます。電磁加熱縮径ピストン２２頂部燃焼室長さを、通常の頂部隙間の４９倍の細長い円筒に近付けられるため、熱回収量を最大にするエネルギ保存サイクルとして、最適の熱交換冷却燃焼の最大の回収熱量が可能な、縮径主燃焼室熱交換器２となります。更に超臨界圧力高温水噴射量を増大すると、燃焼ガス温度を高温水温度に近付け、死点後９０度の絶好機に縮径主燃焼室内隔離燃焼を解除すると、超臨界圧力高温水により燃焼ガスの噴射となり、断熱膨張燃焼ガス温度は−１００℃等に近付き、低温燃焼ガスを核に水分を凝集して、ＣＯ２等の排気０が可能になります。
【０００５】
例えば送水ポンプ兼磁気摩擦動力伝達装置５５により熱回収した、単位容積燃焼ガスの略１０００倍重力パワーの超臨界圧力高温水噴射を、同一燃料量既存ガソリン機関絶好機静圧出力の、仮説倍率＝（４０倍落差２５ＭＰａ×１００倍水質量重力パワー×１／８効率瞬時）＝（既存ガソリン機関の５００倍等アイディア出力・単位ピストン面積最大動圧４０００倍）等とします。縮径主燃焼室１やシリンダヘッド１５に具備した高温水噴射電磁弁８７等より、電磁加熱高温の電磁加熱縮径ピストン２２の拡径部に直接高温水噴射し、拡径ピストン２１を動圧反動駆動して、下部等に設けた排気穴５より排気排水し、飽和蒸気によりターボ過給機１２を駆動し、圧縮行程の終りには安全弁５４より圧力水を排水し、廃熱回収熱交換器２ａにより夫々の排気排水より熱回収して、１００倍質量等の水に燃焼ガスを溶解して排水し、ＣＯ２等の燃焼ガス排気を０や僅少として、地球温暖化を防止する各種エネルギ保存サイクル機関に関する。
【０００６】
【従来の技術】
既存ガソリン機関やディーゼル機関やロータリー機関は、熱を全く利用しない容積利用のため、排気温度も５００℃前後と非常に高く、燃焼ガスの単位重力パワーが水の１／１０００前後と非常に僅少で、死点後９０°の絶好機落差も０．５〜１ＭＰａ前後と僅少な静圧作用のため、同一燃料量の出力が大型で１／５００前後に、中型で１／１００前後に、小型で１／１０前後に低減し、自動車等では燃料電池並出力に低減して大損失の予想です。既存技術はすべて偶々出力を発生したものの改良で、基礎研究皆無の容積利用では、ＣＯ２を排出する等と問題が多く絶対出力が僅少過ぎるため、性能が燃料電池や風力発電に近付くのです。ＣＯ２排気０を含む地球温暖化防止・公害の低減が急務となっております。
【０００７】
即ち、従来技術往復内燃機関駆動の、各種自動車や各種船舶や各種飛行機や各種機械や各種発電機や各種小型機械等から、京都議定書とは逆に、膨大なＣＯ２等の排出増大が加速しており、此の儘ではＣＯ２等の排出が５倍前後に爆発的に増大し、地球温暖化も爆発的に加速してバランスが崩壊し、メタンハイドレートの大分解・ＣＯ２濃度急上昇・灼熱地球・人類滅亡を招きます。既に（東京や大阪ではディーゼル微粒子等の環境汚染で、人がバタバタ死んでいる／石原東京都知事語録）のように、人類は集団自殺の末路に向かって急加速しており、一刻も早く往復内燃機関から排出される、ＣＯ２等の燃焼ガス排気を０乃至大幅に低減するため、行動開始が急がれます。
【０００８】
既存技術は死点で最大の熱エネルギを放出して大損失です。特にロータリー機関はローターの死点とクランクの死点で最大の熱エネルギを放出するため、逆回転力や回転力を発生困難な損失の、不回転放出熱エネルギ損失が６５％乃至７０％前後に増大し、出力を３０％前後に低減して大損失です。既存ガソリン機関も回転力が発生しない死点近傍で、８０％前後の熱エネルギを放出するため、４サイクルガソリン機関の不回転放出熱エネルギ損失が、４０％前後に上昇して出力を６０％前後に低減して大損失です。
【０００９】
更に既存ガソリン機関は基礎研究皆無のため、往復運動で最も重要な運動エネルギが減少しない、完全弾性衝突往復運動に最も遠い往復運動のため、往復運動による運動エネルギの減少損失が３０％前後に上昇し、不回転放出熱エネルギ損失を含めると、既存ガソリン機関の出力は３０％前後に低減して大損失です。またディーゼル機関の場合は、燃焼を遅らせて熱効率の上昇を図るため、４／１等の超長行程機関以外では、燃焼時間の大幅な不足による、各種未燃微粒子黒煙公害が増大します。従って自動車など軽量大出力を必要とする用途には、常識的には使用不可となる欠点がある。
【００１０】
【発明が解決しようとする課題】
ＣＯ２等の排気０乃至僅少にして絶対出力を大幅に増大し、地球温暖化防止を含むディーゼル機関等の未燃微粒子公害等を、皆無にするのが急務となっております。そこで熱回収量を最大にするエネルギ保存サイクル機関として、密閉容器内完全燃焼終了に近づけることで、例えば最高燃焼圧力を圧縮圧力２ＭＰａの９倍の１８ＭＰａに近付け、縮径主燃焼室熱交換器２＋廃熱回収熱交換器２ａにより、熱回収量を最大にします。
【００１１】
そして熱量を利用することで、往復機関最大の長所を活用して、従来排気温度５００℃前後を熱回収して、５０℃前後等の最低に低下させて、一回転の回収熱量を略４００℃として、１回転毎に回収熱量を限りなく増大し、超臨界圧力高温水を増大します。同一熱量を繰り返し限りなく使用し、超臨界圧力高温水の大量噴射隔離燃焼解除と同時に、高温水噴射電磁弁８７より超臨界圧力高温水を、直接電磁過熱縮径ピストン２２に噴射して、拡径ピストン２１を動圧駆動して、燃焼ガスの１００倍水質量等により出力を大幅に増大し、大型エネルギ保存サイクル機関では、既存ガソリン機関の同一燃料量５００倍出力等とし、１００倍質量の水に燃焼ガスを溶解して排出し、ＣＯ２等の排気を０乃至僅少にすることを目的とします。
【００１２】
既存４サイクルガソリン機関は、回転力を発生しない上死点付近で、全熱エネルギの５／６前後を放出するため、不回転放出熱エネルギ損失が４０％前後に増大し、完全弾性衝突往復運動を不採用のため、往復運動により運動エネルギが減少する、運動エネルギ減少損失が３０％前後に増大して、合計損失が７０％前後に増大し、出力が３０％前後に低下して大損失です。
【００１３】
そこでこの発明は熱回収量を最大にするエネルギ保存サイクルとし、熱交換冷却燃焼時間を大幅に増大して、高圧高温燃焼のまま完全燃焼終了し、熱を最も効率良く超臨界圧力高温水等として回収利用し、同一燃料量の出力を５００倍等に増大すると共に、不回転放出熱エネルギ損失４０％前後を０％に近付け、完全弾性衝突往復運動乃至、完全弾性衝突対向往復運動を採用することで、運動エネルギ減少損失３０％前後を０％に近付けます。損失を０％に近付けて熱回収利用することで、出力の略全部を燃焼ガスの１０００倍重力パワーの、水出力として大幅な大落差の大出力とし、極低温燃焼ガスを核に水分を凝集し、ＣＯ２等を水に溶解可能として、ＣＯ２等の排気を０乃至僅少にし、地球温暖化防止を含む公害の大幅な低減を目的とする。
【００１４】
先の出願の各種エネルギ保存サイクル機関の各種使用方法により、大中小型舶用や大中小型自動車用や、大中小型飛行機や大中小型ヘリコプターや大中小型機械用や、各種大中小型汎用機関用や大中小型発電用や大中小型の熱と電気の併給用など、各種大中小型の駆動可能な装置の出力を大幅に上昇します。例えば加熱高温とした電磁加熱縮径ピストン２２やその拡径部に、直接超臨界圧力高温水を噴射して、死点後９０°の絶好機動圧仮説出力を（既存ガソリン機関の４０倍落差×燃焼ガスの２０〜１００倍水質量重力パワー×１／８効率）＝（既存ガソリン機関の１００〜５００倍アイディア出力）等とします。
【００１５】
また絶好機同一ピストン面積燃焼ガスの１／１０容積の高温水動圧を（既存ガソリン機関の４０倍落差×１００倍水質量重力パワー）＝（４０００倍仮説動圧）として、水との間に気化膜を設けて、摩擦損失低減・出力増大を目的とします。そして縮径主燃焼室熱交換器２や廃熱回収熱交換器２ａを可能な限り具備した、小型のエネルギ保存サイクル機関も提供し、用途や出力の増大を目的とします。また明快に説明するため、無理して数字での説明を続けますが、数字に限定するものではありません。
【００１６】
【課題を解決するための手段】
エネルギ保存サイクル機関は、例えば縮径主燃焼室１の内径を、拡径燃焼室１０の１／７に縮径したエネルギ保存サイクルとし、電磁加熱縮径ピストン２２の行程容積を１／４９として、死点付近の熱エネルギ放出量や軸受荷重を１／４９とし、電磁加熱縮径ピストン頂部燃焼室を４９倍厚さの長円筒とした、最適の熱交換冷却燃焼が容易な、縮径主燃焼室熱交換器２内隔離燃焼とします。すると密閉容器内完全燃焼終了・最高燃焼圧力圧縮圧力の９倍に近付き、ガソリン機関の圧縮比２ＭＰａで、ディーゼル機関の最高燃焼圧力１８ＭＰａに近付き、燃焼温度は通常５０００℃を越えるため、熱交換冷却長時間隔離燃焼にすると、発生熱量最大の回収熱量を最大とした、ＮＯｘ低減皆無長時間隔離燃焼となり、高温水大量噴射により、最高燃焼圧力の上昇や燃焼ガス温度の低下を可能にします。
【００１７】
可能な限り縮径主燃焼室熱交換器２及び廃熱回収熱交換器２ａを設け、縮径主燃焼室１の高温水噴射電磁弁８７ａや、公知の各種流用噴射弁１００等より、超臨界圧力等の高温水を大量噴射して、任意に変形させた電磁加熱縮径ピストン２２の頭頂部に噴射し、用途により最高燃焼圧力を上昇して燃焼ガス温度を低下して、隔離燃焼解除時までには燃焼ガス温度を熱交換低下させて、隔離燃焼解除時に燃焼ガスを高温水で噴射して再燃焼可能とし、断熱膨張低温燃焼ガスを核に水分を凝集して、ＣＯ２等の排気を０や僅少等にします。
【００１８】
縮径主燃焼室隔離燃焼解除時の２段燃焼再度未燃分を皆無とし、高温水噴射出力発生燃焼にすると同時に、シリンダヘッド１５に具備した複数等の高温水噴射電磁弁８７ｂや、公知の各種流用噴射弁１００より、絶好機に水滴をノズル内では弾丸のように加速してノズル外ではロケットのように加速し、電磁加熱縮径ピストン２２やその拡径部に、直接超臨界圧力高温水等を噴射して、エネルギ保存サイクル機関の型式Ａ・Ｂ・Ｃ・Ｄ・Ｅ・Ｆ・Ｇ・Ｈ型に関係なく、燃焼ガスの２０〜１００倍質量等の大量の水噴射による、同一燃料量既存ガソリン機関の、１００〜５００倍アイディア出力等を目指します。
【００１９】
熱回収量を最大にするエネルギ保存サイクルとして、密閉容器内完全燃焼終了に近付け、最大量の熱回収と熱交換冷却燃焼にすることで、縮径主燃焼室熱交換器２及び廃熱回収熱交換器２ａにより、従来排気温度５００℃前後を、５０℃以下等の可能な最低温度とします。例えば一回転の回収熱量を４００℃前後とすると、往復機関最大の長所を活用して、回収熱量は１回転毎に４００℃限りなく増大し、超臨界圧力等の高温水熱量が限り無く増大して、高温水噴射電磁弁８７等より噴射する高温水が限り無く増大し、同一熱量を繰り返し噴射使用が可能になります。
【００２０】
中大型エネルギ保存サイクル機関では最終的に、燃焼ガスの２０〜１００倍質量超臨界圧力等の高温水の噴射が可能な燃焼にし、高温水噴射電磁弁８７ａより高温水を噴射して、用途に合わせた燃焼圧力の上昇や燃焼ガスの冷却とし、隔離燃焼解除時に低温燃焼ガスを高温水で噴射して、絶好機に水滴をノズル内では弾丸のように加速してノズル外ではロケットのように加速し、電磁加熱縮径ピストン２２やその拡径部に噴射して、拡径ピストン２１を動圧反動駆動する過程で、断熱膨張−１００℃に近付けた低温燃焼ガスを核に水分を凝集する、２回目の未燃分皆無燃焼や出力発生燃焼等とし、最終的にＣＯ２等の排気を０や僅少にします。
【００２１】
縮径主燃焼室内隔離燃焼解除と略同時に、シリンダヘッド１５に具備した１以上複数の高温水噴射電磁弁８７ｂより、超臨界圧力高温水等を、死点後９０度の絶好機に向かって瞬時に噴射終了し、飽和温度以上に加熱した高温水の気化爆発力により、水滴をノズル内では弾丸のように加速してノズル外ではロケットのように加速し、既存ガソリン機関燃焼ガスの（１０００倍前後単位重力パワーで２〜２０〜１００倍水質量等×４０倍落差×１／８効率）＝（既存ガソリン機関の１０〜１００〜５００倍アイディア出力等）を目指します。そしてＮＯｘ皆無燃焼や出力発生水噴射や、下部に設けた排気穴５から排気排水して、飽和水蒸気によりターボ過給機１２を駆動し、圧縮行程後期の圧力水を安全弁５４より排水して、廃熱回収熱交換器２ａで飽和蒸気や高温水からの熱回収の過程では、２〜１０〜１００倍質量等の水にＣＯ２等を溶解し、５０℃以下等の最低温度で排水し、ＣＯ２等の排気を０乃至僅少にします。
【００２２】
シリンダヘッド１５を含む縮径主燃焼室１には、公知の燃料噴射弁８８や高温水噴射電磁弁８７Ａａや、高温水噴射電磁弁８７Ｂａや図に無い点火装置や、一方向空気流路９や、高温水噴射電磁弁８７Ａｂや高温水噴射電磁弁８７Ｂｂや、公知の各種流用噴射弁１００や他用途品の流用弁や、燃料に水を混合して燃焼させる公知技術等を、適宜に選択して設けます。ターボ過給機１２や回転式過給機１４を運動エネルギの減少しない一方向回転運動とし、公知の制御装置等を適宜に設け、略全出力を高温水出力に変換し、既存ガソリン機関の最大で５００倍出力を狙います。
【００２３】
そして死点近傍での熱エネルギ放出量を、１／９や１／２５や１／４９等適宜に選択した、エネルギ保存サイクルを採用することで、回転を阻止する方向に働く熱エネルギ損失の、既存ガソリン機関の不回転放出熱エネルギ損失４０％前後を、１０％以下に大幅低減して、出力を３０％前後上昇します。更に完全弾性衝突往復運動や、完全弾性衝突対向往復運動を採用することで、従来往復運動により運動エネルギが減少する損失の、既存ガソリン機関の運動エネルギ減少損失３０％前後を、１０％以下に大幅低減し、合計損失を２０％以下に低減して、出力を１００％に近付けます。
【００２４】
出力発生の過程では可能な限り、縮径主燃焼室熱交換器２＋廃熱回収熱交換器２ａを設けて、回収熱量の超臨界圧力等の高温水を最大にし、超臨界圧力高温水噴射出力増大ＮＯｘ低減皆無燃焼や、超臨界圧力高温水噴射拡径ピストン２１の直接駆動の過程で、動圧を最大として最大の回転力を発生させるため、高温水噴射電磁弁８７が最重要になります。そこで超高速度で電磁弁を開閉するため、図９及び図１０及び図１１及び図１２のように、電磁石５８と棒磁石５７を複数組設けて最も強力に高速開閉するものをＡ型とし、電磁石と２個の棒磁石を１組設けたものをＢ型とします。縮径主燃焼室１に高温水を噴射するものをａ型とし、電磁加熱縮径ビストン２２の拡径部に高温水を直接噴射するものをｂ型として、高温水噴射電磁弁８７Ａａ及び、高温水噴射電磁弁８７Ｂａ及び、高温水噴射電磁弁８７Ａｂ及び、高温水噴射電磁弁８７Ｂｂとして設け、何れのノズルも砲身のように最適長さとして、用途に合わせて内部螺旋や末広円筒も採用します。
【００２５】
シリンダヘッド１５の高温水噴射電磁弁８７ｂについては、単位熱量の高温水で最大の気化爆発力を得るため、高温水噴射電磁弁８７ｂのノズルを最適の長さだけ拡径燃焼室１０側に突出して設ける場合は、電磁弁装着部９３ａに高温水噴射電磁弁８７ｂを設けてノズルを突出し、その突出部分に合わせて１以上複数の高温水噴射電磁弁８７ｂのノズルに対応する、電磁加熱縮径ピストン２２の拡径部に、１以上複数の高温水噴射電磁弁８７ｂのノズルが嵌合い容易に、嵌入凹部８６を具備して、絶好機に水滴をノズル内では弾丸のように加速してノズル外ではロケットのように加速し、燃焼ガスの１００倍質量等の１００倍重力パワー等で、高温水噴射拡径ピストン２１の直接動圧反動駆動等により、５００倍アイディア出力等とします。
【００２６】
高温水噴射電磁弁８７ｂを拡径燃焼室１０側から後退して設ける場合は、電磁弁装着部９３ａに高温水噴射電磁弁８７ｂを最適の長さだけ後退して設けて、最適の噴射距離として最大の気化爆発力出力にします。そして後退して設ける場合はその後退距離に合わせて、１以上複数の高温水噴射電磁弁８７ｂのノズルの長さを延長して具備し、絶好機に水滴をノズル内では弾丸のように加速してノズル外ではロケットのように加速し、電磁加熱縮径ピストン２２やその拡径部に噴射して、燃焼ガスの１００倍質量等の１００倍重力パワー等で、高温水噴射拡径ピストン２１の直接動圧反動駆動等により、５００倍アイディア出力等とします。
【００２７】
出力発生の過程では、超臨界圧力等の高温水として大量貯蔵を可能にし、短時間超高速蒸気機関として運転可能として、飛行機等に使用時の安全性を向上します。各種エネルギ保存サイクル機関は、上部に設けた給気穴４より給気して、圧縮行程の死点前７０°前後より、縮径主燃焼室隔離圧縮を始め、一方向空気流路９を介して、拡径燃焼室１０の２／３前後の空気を縮径主燃焼室１に圧入します。そして縮径主燃焼室熱交換器２内隔離長時間熱交換冷却燃焼や、隔離燃焼解除時の出力発生燃焼により、燃焼が大幅に改善されるため、構造が簡単な２サイクルとして、右死点も左死点も爆発行程の完全弾性衝突往復運動乃至、完全弾性衝突対向往復運動にし、更に超短行程超高速を可能にし、構造簡単な両頭拡径ピストン３７の往復運動により、クランク軸１６を直接回転駆動する、Ｄ型乃至Ｅ型エネルギ保存サイクル機関を、主力中核製品とします。
【００２８】
又拡径燃焼室１０を圧縮圧力以下の低圧燃焼室とするため、縮径主燃焼室１の電磁弁装着部９３に具備した、高温水噴射電磁弁８７ａより、縮径主燃焼室１に超臨界圧力等の高温水を噴射して、用途に合わせて最高燃焼圧力を上昇し燃焼温度を低下させ、隔離燃焼解除時には燃焼ガスを高温水で噴射して、断熱膨張低温燃焼ガス等を核に水分を凝集し、ＣＯ２等排気を０に近付けます。隔離燃焼解除と略同時に、シリンダヘッド１５の電磁弁装着部９３ａに具備した、高温水噴射電磁弁８７ｂより高温水を噴射し、水滴を高温水の気化爆発力により弾丸やロケットのように加速して、気化爆発力により５００倍出力等を目指します。噴射する超臨界圧力等の高温水は、最高の出力が得られる様に、最適の噴射距離や水温や水圧を選択して、最適位置に高温水噴射電磁弁８７ｂを設けます。
【００２９】
電磁加熱縮径ピストン２２の形状は、拡径部に掃気弁２６を設けたものをＨａ型として、Ｈａ型電磁加熱縮径ピストン２２とします。拡径部を湾曲部まで拡大したものに掃気弁２６を設けたものをＩａ型とし、Ｉａ型電磁加熱縮径ピストン２２とします。拡径部を設けたものをＪａ型として、Ｊａ型電磁加熱縮径ピストン２２とします。拡径部を湾曲部まで拡大して設けたものをＫａ型とし、Ｋａ型電磁加熱縮径ピストン２２とします。そして公知技術を適宜に取り入れて、拡径ビストン２１に電磁調理器の電磁加熱プレートや、ＩＨジャー炊飯器等と略同様にコイル８２を設け、クランク軸１６に公知の回転接点を設けてコイル８２に通電し、そのコイル電流の磁力線により、鉄係等の電気抵抗の大きい材料の、縮径ピストン２２の拡径部を電磁渦電流による、電気抵抗のジュール熱で加熱高温にします。
【００３０】
そして隔離燃焼解除時の出力発生の過程で、燃焼ガスの１０００倍前後の単位重力パワーの水を、燃焼ガスの１００倍質量等として電磁過熱縮径ピストン２２に超高速噴射し、高温水の気化爆発力により水滴を弾丸やロケットのように加速して、拡径ピストン２１を動圧反動駆動し、クランク軸１６を直接回転させて、回転出力を発生増大します。出力発生増大の過程では、コイル８２の磁力線による渦電流により、加熱高温とした電磁加熱縮径ピストン２２の拡径部と、水との間に気化膜を設けて摩擦損失を僅少とし、同一燃料量大型エネルギ保存サイクル機関の出力を、既存ガソリン機関の５００倍アイディア出力等に増大します。
【００３１】
【発明の実施の形態】
発明の実施の形態や実施例を、図面参照して説明するが、実施形態や実施例と既説明と、その構成が略同じ部分には、同一の名称又は符号を付して、重複説明はできるだけ省略し、特徴的な部分や説明不足部分は、順次追加重複説明する。又発明の意図する所及び予想を具体的に明快に説明するため、アイディアを数字的に説明するが、数字に限定はしません。エネルギ保存サイクル機関は、１段縮径主燃焼室熱交換器内隔離燃焼により、死点後７５°前後まで高圧高温長時間隔離燃焼（密封容器内完全燃焼終了に近付ける）として、１回転毎に最大の熱回収量の繰返し使用とし、１回転毎に繰返し回収熱量を限り無く増大し、大量の超臨界圧力等の高温水噴射出力の増大が可能な、エネルギ保存サイクルにします。
【００３２】
そして縮径主燃焼室熱交換器２内隔離熱交換冷却燃焼解除時には、高温水で燃焼ガスを噴射して出力発生燃焼させると同時に、高温水噴射電磁弁８７ｂより電磁加熱縮径ピストン２２の拡径部に、直接超臨界圧力高温水等を噴射し、絶好機に水滴を弾丸やロケットのように加速して、拡径居ピストン２１を動圧反動駆動します。重力パワーが大気圧水蒸気の１７００倍水質量の、動圧反動駆動力を最大にし、加熱高温の電磁加熱縮径ピストン２２の拡径部との間に気化膜を設け、摩擦損失最少で動圧反動作用させて、同一燃料量既存ガソリン機関の（１０〜１００〜５００倍前後のアイディア出力）の小型〜中型〜大型エネルギ保存サイクル機関を目差します。１００倍質量等の水にＣＯ２を溶解して排出し、中型〜大型エネルギ保存サイクル機関ではＣＯ２等排気０を狙います。
【００３３】
図１のＤ型エネルギ保存サイクル機関の第一実施例を参照して説明する。例えば縮径主燃焼室１の内径を拡径燃焼室１０の１／７に縮径し、ピストンの死点近傍の行程容積を１／４９として、ピストン頂部燃焼室厚さを４９倍（図１では厚さ４９倍を紙面の都合で２５倍にする）として、細長い縮径主燃焼室熱交換器内熱交換冷却燃焼に最適の、密閉容器内完全燃焼終了に近付けます。縮径主燃焼室１には適時開口可能に、高温水噴射電磁弁８７ａや、公知の燃料噴射弁８８や図に無い点火装置を設けて、公知の制御装置により最適開閉着火制御選択可能とし、逆止弁付一方向空気流路９からの空気流と燃料を撹拌混合着火燃焼させ、死点後７５°前後迄長時間隔離熱交換冷却燃焼の過程で、高温水噴射電磁弁８７ａより高温水噴射重力パワーの上昇、又は高温水を噴射して最高燃焼圧力を上昇し、燃焼ガス温度を４００℃前後に低下させて、隔離燃焼解除時に燃焼ガスを高温水で噴射し、絶好機に水滴を弾丸やロケットのように加速して出力を発生し、断熱膨張燃焼ガス温度を−１００℃に近付けます。
【００３４】
そして隔離燃焼解除と略同時に、シリンダヘッド１５に具備した複数の高温水噴射電磁弁８７ｂより、電磁加熱高温の電磁加熱縮径ビストン２２の拡径部に、超臨界圧力等の高温水を直接噴射して、高温水の気化爆発力により水滴を弾丸やロケットのように加速して、水との間に気化膜を設けて、摩擦損失最少で拡径ピストン２１を動圧反動駆動します。ビストンの行程容積を１／４９として、既存ガソリン機関の不回転放出熱エネルギ損失４０％前後を０％に近付け、最高燃焼圧力は圧縮圧力２ＭＰａでは９倍の１８ＭＰａに近付け、縮径主燃焼室熱交換器２による大量熱回収冷却燃焼の、ＮＯｘ低減皆無燃焼で大量の超臨界圧力高温水噴射を可能とし、最高燃焼圧力を超臨界圧力に近付け、断熱膨張低温燃焼ガスを核に水分を凝集して、ＣＯ２排気を０乃至０に近付けます。
【００３５】
廃熱回収熱交換器２ａを設けて、図５図６図７乃至図８の、送水ポンプ兼用の各種磁気摩擦動力伝達装置５５乃至、送水ポンプ兼二重反転磁気摩擦動力伝達装置８４により、自己冷却した水を多段に昇圧して超高圧少量送水する、送水ポンプと動力伝達装置の兼用とすることで、超高速大動力の伝達を可能にします。廃熱回収熱交換器２ａにより飽和蒸気や水温度略１００℃から熱回収して、既存ガソリン機関の排気温度５００℃前後を、熱回収５０℃以下等のＣＯ２を含む水として排気排水します。熱回収した水を、１以上複数の導水管３を螺旋環状に１列以上設けた、二重や三重螺旋環状の、露出導水管３部分も場所により有りの、縮径主燃焼室熱交換器２に送水します。
【００３６】
そして１回転毎に回収熱量を増大して、１００回転の回収熱量を１００回転×４００℃等とし、限り無く熱回収量を増大してＮＯｘ低減皆無燃焼等として、超臨界圧力等の高温水を増大します。死点後７５°前後の縮径主燃焼室熱交換器２内隔離燃焼解除時に、燃焼ガスを高温水で噴射する出力発生燃焼と略同時に、重力パワーが燃焼ガスの１０００倍等の高温水を、シリンダヘッド１５に図１図４図１１図１２のように、定位置又は突出又は適宜に後退させて具備した、１以上複数乃至多数の高温水噴射電磁弁８７ｂより、直接電磁加熱高温とした電磁加熱縮径ピストン２２の拡径部に、超臨界圧力高温水等として高温水温度等に合わせて、気化爆発力利用の最適距離噴射し、絶好機に水滴を弾丸やロケットのように加速して出力を発生し、同一燃料量既存ガソリン機関の５００倍アイディア出力等にします。
【００３７】
死点後９０°の絶好機の動圧×質量出力を（既存ガソリン機関燃焼ガスの４０倍落差×２〜２０〜１００倍水質量重力パワー×１／８効率）＝（既存ガソリン機関の小型１０倍〜中型１００倍〜大型５００倍のエネルギ保存サイクル機関アイディア出力）に増大して、同一ピストン面積の最大動圧を４００００倍狙いにします。図１では紙面の都合で内径／行程＝７６／１５とし、縮径主燃焼室１の長さを１／２に短縮図示しておりますが、例えば縮径主燃焼室１の内径を拡径燃焼室１０の１／７の１１ｍｍに縮径し、ピストン行程１５ｍｍを１／１０に圧縮して、２／３空気を利用する希薄燃焼にすると、ピストンの行程容積及び、死点近傍での熱エネルギ放出量が１／４９となるため、縮径主燃焼室最大圧縮時長さは（４９×１．５ｍｍ×２／３）＝４９ｍｍとなり、１１ｍｍ内径×４９ｍｍの細長い、最適の縮径主燃焼室兼熱交換器２とし、あらゆる燃焼温度の用途に対応可能とします。
【００３８】
送水ポンプ７５と動力伝達装置を兼用して多段に昇圧し、縮径主燃焼室１や拡径燃焼室１０に直接高温水を噴射する、超高圧少量送水する出力発生用の水には、ＣＯ２等の燃焼ガスを溶解合成容易にする、公知物質５３を混入しておきます。そして出力発生の過程では、死点後９０°前の隔離燃焼解除の瞬時に、超臨界圧力高温水等の噴射質量を増大して気化爆発力を増大し、断熱膨張水質量の気化爆発速度エネルギに変換し、加熱高温の電磁加熱縮径ピストン２２の拡径部に、水滴を気化爆発エネルギにより弾丸やロケットのように加速して噴射し、水との間に気化膜を設けて、動圧反動力最大の摩擦損失最少で出力を発生し、大型エネルギ保存サイクル機関で５００倍アイディア出力等に増大します。
【００３９】
排気の過程では下部等に設けた排気穴５より排気排水の過程で、１００℃に近い飽和水蒸気によりターボ過給気１２を駆動し、圧縮行程の最終期に残りの水を圧力水として、排水弁兼用の安全弁５４を下部に設けて排水し、他方の拡径燃焼室１０を掃気すると共に、回転動力により機械式過給機１４を適宜に駆動して、掃気圧力を上昇し、夫々の排気や排水より、廃熱回収熱交換器２ａで熱回収して５０℃以下等にし、ＣＯ２等の燃焼ガスを１００倍質量等の水に溶解混合して排水し、ＣＯ２等の溶解を容易にする公知物質５３の混入を含めて、ＣＯ２等排気を０乃至僅少にします。
【００４０】
燃焼は縮径主燃焼室熱交換器２内高圧長時間隔離熱交換冷却燃焼と、隔離燃焼解除時の拡径燃焼室１０内の、残りの１／３空気等との超高速再燃焼の２段燃焼とし、未燃分を２度皆無として燃焼を完璧に改善し、公害を略完璧に低減します。通常は縮径主燃焼室１内計算燃焼温度が５０００℃以上に上昇するため、縮径主燃焼室熱交換器２内熱交換冷却燃焼により、燃焼温度８００℃前後も設計可能とした、ＮＯｘ低減皆無熱交換冷却燃焼とし、更に高温水大量噴射により燃焼ガス温度を高温水温度に近付け、断熱膨張等により拡径燃焼室１０では、大気圧に近い飽和水蒸気温度や飽和水温度に低下させ、廃熱回収熱交換器２ａによりその熱を熱回収して、既存ガソリン機関の排気温度５００℃前後を、５０℃以下等可能な最低温度にします。
【００４１】
すると回収熱量は１回転毎に４００℃限りなく増大して、同一熱量で繰り返し出力を発生増大の過程で、超臨界圧力等の高温水噴射質量を増大し、膨大な熱エネルギとして貯蔵増大し、短時間高温水噴射気化爆発力で水滴加速の蒸気機関として、飛行機のプロペラ等を非常に安全に駆動します。そして高温高圧の長時間隔離燃焼と２段の超高速出力発生燃焼で、燃焼速度を増大して燃焼を大幅に改善し、超短行程２サイクル両頭拡径ピストン３７の往復運動により、クランク軸１６を直接回転駆動して、右死点も左死点も爆発工程の、完全弾性衝突往復運動にし、既存ガソリン機関の運動エネルギ減少損失３０％前後を、０％に近付けて非常に簡単に構成します。そして不回転放出熱エネルギ損失低減を含めて、出力を１００％に近付けます。
【００４２】
隔離燃焼解除時の拡径燃焼室１０内出力発生２段燃焼により、再度残りの空気と超高速攪拌燃焼して未燃分を皆無にすると共に、ＣＯ２等の燃焼ガスを２〜２０〜１００倍質量の水に溶解可能にして、下部等に設けた排気穴５より排気排水します。排気ダクト１１に移動した排気排水を適宜に使用して、飽和水蒸気等によりターボ過給機１２を駆動し、残りの溶解水は圧縮終期に排水弁兼用の安全弁５４より圧力水として排水し、夫々の排気排水より廃熱回収熱交換器２ａにより熱回収し、用途に合わせて熱回収量やＣＯ２溶解量を増大して、ＣＯ２等燃焼ガス排気を０乃至僅少にします。
【００４３】
図６図７及び図８の、送水ポンプ兼用の各種磁気摩擦動力伝達装置５５及び、送水ポンプ兼二重反転磁気摩擦動力伝達装置８４の複数により、多段に昇圧して熱回収した水は、廃熱回収熱交換器２ａにより熱回収して、縮径主燃焼室熱交換器２に供給し、更に熱回収して超臨界圧力等の高温水にします。縮径主燃焼室熱交換器２内隔離熱交換冷却燃焼を、ＮＯｘ低減皆無燃焼や大量の超臨界圧力高温水噴射とし、最高燃焼圧力の上昇や燃焼ガス温度の低下として、隔離燃焼解除時に燃焼ガスを超臨界圧力等の高温水で噴射し、死点後７０°前後の隔離燃焼解除と略同時に、シリンダヘッド１５に具備した１以上複数の高温水噴射電磁弁８７ｂより、直接電磁加熱縮径ピストン２２の拡径部に噴射終了し、既存ガソリン機関の５００倍アイディア出力等にします。
【００４４】
２段燃焼の拡径燃焼室１０は、両頭拡径ピストン３７を、重力パワーが燃焼ガスの１０００倍前後の、２〜２０〜１００倍水質量等で、動圧反動駆動の出力発生燃焼室とし、１００倍水質量等の給水５２には、ＣＯ２等の燃焼ガスを溶解等容易にする公知物質５３を混入し、１００倍水質量等にＣＯ２等を溶解容易にして、下部等に設けた排気穴５より排気排水します。排気ダクト１１に移動した排気の飽和水蒸気等により、ターボ過給機１２を駆動し、圧縮行程の後期には安全弁５４より圧力水を排水し、夫々の排気排水より廃熱回収熱交換器２ａで熱回収して、ＣＯ２等排気０の５００倍アイディア出力等とします。
【００４５】
また拡径燃焼室１０は直接超臨界圧力高温水噴射により、断熱膨張大幅な容積の増大を回避しながら、圧縮圧力以下等の低圧燃焼室として大幅に軽量化し、低圧専用の超高速撹拌出力発生燃焼室として、２段燃焼による未燃分を皆無の２サイクルにします。そしてピストン行程Ｓとシリンダ内径Ｄの比Ｓ／Ｄ＝１／３等と、燃焼速度の増大により、既存ガソリン機関より回転数の大幅に大きい、高速軽量大出力機関にし、出力当りの製造原価も最大で１／１０に低減を可能にします。そしてエネルギ保存サイクル機関を小型軽量大出力の極限と、製造原価低減の極限と、ＣＯ２排気低減・地球温暖化防止・公害低減の極限を、同時に達成可能な内燃機関とします。
【００４６】
燃焼ガスの１０００倍重力パワーの高温水気化爆発力で、水滴を弾丸やロケットのように加速して最も効率良く出力を発生させるため、両頭拡径ピストン３７に電磁調理器と略同様にコイル８２を設けて、クランク軸１６に図に無い回転接点を設けて通電し、そのコイル電流の磁力線により、電磁加熱縮径ピストン２２の拡径部に渦電流を発生させて、その渦電流の電気抵抗により、電磁加熱縮径ピストン２２の拡径部を電磁加熱高温とし、水との間に気化膜を設けて、摩擦損失最少の重力パワー最大で両頭拡径ピストン３７を動圧反動駆動して、最も効率良く出力を発生させます。
【００４７】
両頭拡径ピストン３７の中央にはクランク軸１６を回転組立て可能に、案内穴４２・４２及び直交するクランク穴４３・４３を設け、案内具３８・３８を固定する固定用溝３９・３９を、図にない案内具側又は、図のように拡径ピストン２１・２１側に設けて、案内具３８・３８を拡径ピストン２１・２１側に、螺子止め固定又はかしめにより公知技術で固定します。案内具３８・３８には案内溝４１ａを谷型に設けて、クランク軸１６が回転自在に、両頭拡径ピストン３７が往復自在に、略中心をクランク軸１６に支持された、略角形乃至略丸形の駆動具４０が案内溝４１ａを、略角形で摺動往復自在に又は略長方形で摺動往復自在に、又は丸形で転動往復自在に設けて、両頭拡径ピストン３７の往復運動により、クランク軸１６を回転させます。
【００４８】
分解組立てを容易にするため、水平継手３５・３５を設けて、上部と下部を用途に合せて整形し、拡径燃焼室シリンダ３６・３６に外嵌嵌合自在に設けて、クランク軸１６を分解組立て容易にすると共に、拡径燃焼室シリンダ３６・３６を、分割又は一体として夫々及び水平継手３５・３５に、夫々凹凸４４又は複数の凹凸４４又は環状の凹凸４４又は複数の環状凹凸４４を設けて、分解組立てを確実正確容易とします。又は、拡径燃焼室シリンダ３６・３６を分割して、夫々に螺旋状の凹凸４４又は複数の螺旋状凹凸４４を設けて、回転自在に組立てて拡径燃焼室１０・１０が、可変圧縮比が可能なＤ型エネルギ保存サイクル機関も可能とします。
【００４９】
始動時には図に無い蓄電池を含む始動電動機兼発電機１７により、入力軸１８及び出力軸１９を介して、機関本体２９のクランク軸１６及び機械式過給機１４を夫々回転駆動し、給気ダクト１３を介して給気穴４より拡径燃焼室１０に給気し、掃除空気として使用後にクランク軸１６の回転により圧縮行程に移行し、死点前７５度前後より隔離圧縮に移行します。隔離圧縮の過程では圧縮圧力の差を利用して、拡径燃焼室１０の空気を一方向空気流路９より縮径主燃焼室１に噴射し、公知の燃料噴射弁８８から噴射される燃料と攪拌混合して、着火燃焼して最高燃焼圧力に移行し、図９図１０の逆止弁９７により逆流を阻止します。縮径主燃焼室熱交換器２内熱交換冷却燃焼して隔離燃焼解除し、拡径燃焼室１０内出力発生燃焼して、下部等の排気穴５より排気排水し給気穴４より掃除空気を供給して、通常の運転に移行し、クランク軸１６の回転により、入力軸１８を介して始動電動機兼発電機１７を駆動して図にない蓄電池を充電し、出力軸１９を介して、機械式過給機１４を駆動し、過給空気圧力を上昇します。
【００５０】
図２の本発明のＨ型エネルギ保存サイクル機関４６の実施例を説明する。小型乃至超小型の出力に対応するものが、図２のＨ型エネルギ保存サイクル機関４６で、図１のＤ型エネルギ保存サイクル機関の燃焼室を半数にして、更に小型小出力にしたものです。エネルギ保存サイクル部分は図１の説明と略同様に、給気穴４も図１と同様に可能ですが、掃気弁２６の１以上複数を可能にしたものです。燃焼室が半減して過給室４５になるため、完全弾性衝突往復運動が減少して運動エネルギの減少損失低減が僅少となり、過給圧力は大幅に増大するため、機械式過給機１４が不要になり、ターボ過給機１２は用途により省略可能になります。
【００５１】
分解組立てを容易にするため、水平継手３５・３５を設けて、上部と下部を用途に合せて整形し、拡径燃焼室シリンダ３６・過給室シリンダ４８に外嵌嵌合自在に設けて、クランク軸１６を分解組立て容易にすると共に、拡径燃焼室シリンダ３６・過給室シリンダ４８を分割又は一体として、夫々及び水平継手３５に、夫々凹凸４４又は複数の凹凸４４又は環状の凹凸４４又は複数の環状凹凸４４を設けて、分解組立てを確実正確容易とします。又は、拡径燃焼室シリンダ３６を過給室シリンダ４８と分割して、夫々に螺旋状の凹凸４４又は複数の螺旋状凹凸４４を設けて、回転自在に組立てて、拡径燃焼室１０及び過給室４５の夫々が、可変圧縮比が可能なＨ型エネルギ保存サイクル機関４６も可能とします。
【００５２】
過給室シリンダ４８には、公知の吸気弁２８を具備した過給室蓋４７を固着します。小型の用途では縮径主燃焼室熱交換器２及び、廃熱回収熱交換器２ａは可能な限り簡単に設け、自己冷却熱回収する過程の水は図６・図７の、送水ポンプ兼磁気摩擦動力伝達装置５５により、動力を伝達する過程で多段に昇圧して超高圧少量送水し、廃熱回収熱交換器２ａ及び縮径主燃焼室熱交換器２により、最大の熱回収量とし、超臨界圧力等の高温水として高温水噴射電磁弁８７より噴射し、超臨界圧力から大気圧近くまで瞬時に断熱膨張させる過程で、気化爆発力により、水滴をノズル内では弾丸のように加速しノズル外ではロケットのように加速して、電磁加熱縮径ピストン２２を動圧反動駆動して、最大の出力にします。
【００５３】
そして図１のＤ型と同様に（図２でも紙面の都合で内径／行程＝８８／３０とし、ピストン頂部隙間２ｍｍ×４９＝９８ｍｍの縮径主燃焼室１の長さを１／３に短縮図示し、１３ｍｍ内径×９８ｍｍの細長い縮径主燃焼室熱交換器２）内ＮＯｘ低減皆無熱交換冷却燃焼や、超臨界圧力等の高温水大量噴射により、用途に合わせて最高燃焼圧力の上昇や燃焼温度を低下させ、隔離燃焼解除時に燃焼ガスを高温水で噴射し、水滴を弾丸やロケットのように加速して出力発生燃焼します。そして縮径主燃焼室１内隔離燃焼解除と略同時に、燃焼ガスの２〜１０倍質量等の超臨界圧力等の高温水を、シリンダヘッド１５に適宜に後退させて又は、図４のように突出してピストン行程等に合わせて最適距離に設けた、高温水噴射電磁弁８７ｂより噴射して、大気圧水蒸気の１７００倍重力パワーの高温水気化爆発力で、水滴を弾丸やロケットのように加速して、既存ガソリン機関の１０倍前後出力にします。
【００５４】
拡径ピストン２１及び過給ピストン２７の中央に、クランク軸１６を組立て可能に、案内穴４２・４２及び直交するクランク穴４３・４３を設け、案内具３８・３８を固定する固定用溝３９・３９を、図にない案内具側又は、図のように拡径ピストン２１及び過給ピストン２７側に設けて、案内具３８・３８を拡径ピストン２１側及び過給ピストン２７側に、螺子止め固定又はかしめにより公知技術で固定します。案内具３８・３８には案内溝４１ａを谷型に設けて、クランク軸１６が回転自在に拡径ピストン及び過給ピストンが往復自在に、略中心をクランク軸１６に支持された、略角形乃至略丸形の駆動具４０が案内溝４１ａを、略角形で摺動往復自在に又は略長方形で摺動往復自在に、又は丸形で転動往復自在に設けて、拡径ピストン２１及び過給ピストン２７の往復運動により、クランク軸１６を回転させます。
【００５５】
図１のターボ過給機１２を含む給気ダクト１３を介して、又は直接過給室蓋４７に具備された１以上の吸気弁２８より、空気を過給室４５に供給又は吸入し、公知の弁棒２３を有する１以上の掃気弁２６を介して、拡径燃焼室１０に掃除空気として供給します。掃除空気として拡径燃焼室１０に供給された空気は、圧縮行程の後半の死点前クランク角度７５度前後より、縮径主燃焼室１と拡径燃焼室１０を、電磁加熱縮径ピストン２２により隔離します。
【００５６】
隔離後は逆止弁９７を具備した一方向空気流路９より、縮径主燃焼室１に空気を噴射して燃料と撹拌混合し、点火時期前進を可能にして点火撹拌燃焼の過程を、例えば１／４９ピストン行程容積として、２／３前後圧縮空気利用の希薄燃焼にすると、密閉容器内完全燃焼終了に近付き、燃焼温度が５０００℃を越えるため、ピストン行程３０ｍｍを１／１０に圧縮して、縮径主燃焼室頂部隙間を（４９×３ｍｍ×２／３）＝９８ｍｍとし、１３ｍｍ内径×９８ｍｍの細長い、縮径主燃焼室熱交換器２内熱交換冷却ＮＯｘ低減皆無燃焼等として、熱回収量の最大や各種用途に合わせた低温燃焼温度を可能にします。
【００５７】
燃焼温度を水温度に移転した燃焼温度８００℃前後も設計可能とし、更に高温水噴射電磁弁８７ａより超臨界圧力等で高温水を大量噴射して、最高燃焼圧力の上昇や燃焼温度を低下させ、隔離燃焼解除時に燃焼ガスを超臨界圧力高温水等で噴射し、再度未燃分を皆無にしながら水滴を弾丸やロケットのように加速して、出力発生燃焼します。死点後７５°前後の縮径主燃焼室内隔離燃焼解除に併せて、多段に昇圧して加熱した超臨界圧力高温水等を、シリンダヘッド１５に具備した１以上複数の高温水噴射電磁弁８７ｂより噴射して、死点後９０°前の瞬時に水滴を弾丸やロケットのように加速して、電磁加熱高温とした電磁加熱縮径ピストン２２を動圧駆動し、高温水噴射量を燃焼ガス質量の２〜１０倍前後に増大し、同一燃料量既存ガソリン機関の１０倍前後出力等に、大幅上昇を図ります。
【００５８】
超臨界圧力等の高温水噴射量を燃焼ガス質量の２〜１０倍前後に増大し、摩擦損失を最少として拡径ピストン２１を動圧駆動して、出力を１０倍前後に増大させる、電磁加熱縮径ピストン２２が最重要となります。そこで断熱材３０を介して、拡径ビストン２１のコイル８２からの磁力線の渦電流の電気抵抗により、電磁加熱高温とする電磁加熱縮径ピストン２２の拡径部を、拡径ピストン２１側から締め付ける等の、各種電磁加熱縮径ピストン２２を選択の過程で、電磁加熱拡径部に掃気弁２６を設けたものを、Ｈａ型電磁加熱縮径ピストン２２とし、電磁加熱拡径部を湾曲部まで拡大して掃気弁２６を設けたものを、Ｉａ型電磁加熱縮径ピストン２２とし、Ｈ型エネルギ保存サイクル機関に使用します。
【００５９】
掃気弁２６に換えて図１のように、拡径燃焼室シリンダ３６に給気穴４を設けて、図２の過給室４５に連絡し、その吸気弁２８を図１の給気ダクト１３に連絡します。そして電磁加熱縮径ピストン２２に拡径部を設けたものを、Ｊａ型電磁加熱縮径ピストン２２とし、電磁加熱縮径ピストン２２の拡径部を湾曲部まで拡大したものを、Ｋａ型電磁加熱縮径ピストン２２として、エネルギ保存サイクル機関の型式に関係なく使用し、水等との間に気化膜を設けて摩擦損失最少で出力を発生し、下部等に設けた排気穴５より排気排水の過程で、用途によりターボ過給機１２を駆動し、残りの水は排水弁兼用の安全弁５４より、圧縮行程の最終過程で圧力水として排水し、用途により夫々を廃熱回収熱交換器２ａ側に排出して熱回収し、１０倍質量等の水にＣＯ２等の燃焼ガスを溶解混合して排出します。
【００６０】
図３・図４の中大型のＥ型エネルギ保存サイクル機関を説明する。図１・図２のＤ型・Ｈ型エネルギ保存サイクル機関と略同様に、分解組立てを容易にするため、左右夫々に水平継手３５・３５を設けて、上半円筒部と下半円筒部を用途に合せて整形し、夫々の拡径燃焼室シリンダ３６に外嵌嵌合自在に設けて、夫々のクランク軸１６及びクランク軸受３４を分解組立て容易にします。夫々の拡径燃焼室シリンダ３６及び水平継手３５に、夫々凹凸４４又は複数の凹凸４４又は環状の凹凸４４又は複数の環状凹凸４４を設け、分解組立てを確実正確とします。更に夫々の拡径燃焼室シリンダ３６を２分割して、拡径燃焼室シリンダ３６・３６として、夫々凹凸４４又は複数の凹凸４４又は環状の凹凸４４又は複数の環状凹凸４４を設けて、分解組立てを確実正確とし、又は夫々に螺旋状の凹凸４４又は複数の螺旋状凹凸４４を設けて、回転自在に組立てて用途により、可変圧縮比が可能なＥ型エネルギ保存サイクル機関とします。
【００６１】
夫々の両頭拡径ピストン３７には、クランク軸１６を回転組立て可能に、案内穴４２・４２及び直交するクランク穴４３・４３を設け、案内具３８・３８を固定する固定用溝３９・３９を、図にない案内具側又は、図のように拡径ピストン２１側に設けて、案内具３８・３８を拡径ピストン２１側に、螺子止め固定又はかしめにより公知技術で固定します。そして案内具３８・３８には案内溝４１ａを谷型に設けて、クランク軸１６が回転自在に両頭拡径ピストン３７を往復自在にします。略中心をクランク軸１６に支持された、駆動具４０が案内溝４１ａ・４１ａを、略角形で摺動往復自在に又は略長方形で摺動往復自在に、又は丸形で転動往復自在に設け、クランク軸１６の回転により、両頭拡径ピストン３７・３７を直接対向往復運動させます。
【００６２】
夫々の給気穴４より、掃除空気として拡径燃焼室１０・１０に供給された空気は、圧縮行程の後半の死点前８０度乃至６０度より、夫々の縮径主燃焼室１と拡径燃焼室１０の隔離を、夫々の両頭拡径ピストン３７のコイル８２からの磁力線により、電磁加熱されて高温の電磁加熱縮径ピストン２２の縮径部により、隔離開始します。隔離後は逆止弁９７を具備した一方向空気流路９より、夫々の縮径主燃焼室１に空気を噴射して、縮径主燃焼室１に２／３前後の圧縮空気を噴射し、公知の燃料噴射弁８８から噴射した燃料と撹拌混合し、燃料噴射時期は、圧縮行程中期より縮径主燃焼室内に限定して、噴射可能とします。
【００６３】
図４では縮径主燃焼室熱交換器２を、拡径燃焼室の１／５に縮径して、電磁加熱縮径ピストン２２の行程容積と、最高燃焼圧力によるクランク軸受３４の軸受荷重を１／２５として（図４でも紙面の都合で内径／行程＝９０／３０とし、縮径主燃焼室１の長さを１／２に短縮して図示し、１８ｍｍ内径×５０ｍｍ×２の細長い縮径主燃焼室熱交換器２とし）密閉容器内完全燃焼終了に近付け、点火時期前進による熱交換冷却燃焼時間の増大や、超臨界圧力等の高温水噴射量の増大を可能にして、熱回収量を最大にする熱交換冷却燃焼に最適の、細長い縮径主燃焼室熱交換器２により、ＮＯｘ低減皆無燃焼にし、熱回収量を最大の超臨界圧力高温水噴射により、絶好機に水滴を弾丸やロケットのように加速して出力を発生等により、同一燃料量既存ガソリン機関の５００倍出力等を狙います。
【００６４】
死点後６０°乃至８０°に縮径主燃焼室隔離燃焼解除して、死点後９０°前の瞬時に多段に昇圧して加熱高温にした、燃焼ガスの１０００倍前後重力パワーの超臨界圧力高温水等を、燃焼ガス質量の２０倍乃至１００倍等に増大して、電磁加熱高温の電磁加熱縮径ピストン２２に噴射し、水等との間に気化膜を設けて、摩擦損失最少の重力パワー最大で拡径ビストン２１を動圧反動駆動し、既存ガソリン機関の１００倍乃至５００倍アイディア出力等に上昇します。従って、高温高圧の燃焼ガスを多段の鍔で減圧して漏洩させ、高温高圧部の摺動部を皆無として摩擦損失を最少とし、燃焼ガスの１００倍質量等の高温水を噴射して、摩擦損失最少で５００倍アイディア出力等を発生させる、加熱高温の電磁加熱縮径ピストン２２も最重要となります。
【００６５】
高温水質量の気化爆発エネルギで水滴を弾丸やロケットのように加速して、最も効率良く出力を発生する、中大型用の電磁加熱縮径ピストン２２は、主として電磁加熱拡径部を設けたＪａ型電磁加熱縮径ピストン２２や、電磁加熱拡径部を湾曲部まで拡大したＫａ型電磁加熱縮径ピストン２２を使用します。そして燃焼温度５０００℃を８００℃等に低下させて隔離燃焼解除前に、縮径主燃焼室１に設けた高温水噴射電磁弁８７ａより、超臨界圧力高温水を大量噴射して、最高燃焼圧力の上昇や燃焼温度の低下を拡大し、隔離燃焼解除時に燃焼ガスを超臨界圧力高温水で噴射し、絶好機に水滴を弾丸やロケットのように加速して、出力発生燃焼の隔離燃焼解除と略同時に、シリンダヘッド１５にノズルを突出して設ける等として、最適噴射距離に設けた複数の高温水噴射電磁弁８７ｂより、電磁加熱縮径ピストン２２の拡径部の、突出ノズル嵌入用の嵌入用凹部８６や、突出ノズルを挿入の加熱高温手段１０１を嵌入用の、嵌入用凹部８６を具備した拡径部に、用途により加熱高温のノズルより摩擦損失最少で、直接超臨界圧力等の高温水を噴射し、水滴を弾丸やロケットのように加速し、重力パワー最大で拡径ピストン２１を動圧反動駆動します。
【００６６】
最適距離・摩擦損失最小・重力パワー最大で、夫々の拡径ピストン２１を動圧反動駆動の過程を、絶好機既存ガソリン機関燃焼ガスの（４０倍落差２５ＭＰａ×最大１００倍水質量重力パワー×１／８効率）＝（既存ガソリン機関の５００倍アイディア出力）等とし、同一ピストン面積の動圧最大を４０００倍に増大します。出力発生排気の過程では、断熱膨張低温燃焼ガスを核に水分を凝集し、下部に設けた排気穴５より排気ダクト１１に排気排水して、飽和水蒸気排気によりターボ過給機１２を駆動し、圧縮行程の終期には排水弁兼用の安全弁５４より排水して、夫々の排気排水から廃熱回収熱交換器２ａにより熱回収して、５０℃前後の用途に合わせた最低温度とし、１００倍質量等の水にＣＯ２等の燃焼ガスを溶解して排出し、ＣＯ２等排気０乃至僅少とします。
【００６７】
完全弾性衝突対向往復運動する、Ｅ型エネルギ保存サイクル機関の、例えば縮径主燃焼室１の内径を、拡径燃焼室１０の１／５に縮径して、死点後７５°前後まで隔離燃焼にすると、熱エネルギの放出量が既存技術の１／２５となります。隔離燃焼解除時には、最高燃焼圧力が圧縮圧力の９倍に近付き、最高燃焼圧力の軸受荷重も既存技術の１／２５となり、最高燃焼圧力が既存技術の２５倍で損失が既存技術と同じになり、ディーゼル機関の損失要因が略０になり、最高燃焼圧力を２５倍にして熱効率を大幅に上昇出来ます。更に過早点火の悪影響も１／２５になり、点火時期の前進を可能にして、高温高圧の長時間隔離燃焼により、縮径主燃焼室熱交換器２に熱負荷を集中し、最大の熱回収量を可能にします。
【００６８】
例えば図４の１／５縮径では（内径１８長さ５０×２の細長い）熱交換冷却燃焼に最適の縮径主燃焼室熱交換器２により、熱回収して燃焼温度を落差の増大が容易な水の温度に変換し、絶好機落差４０倍×１００倍水質量重力パワー等に増大して、高温水噴射電磁弁８７ａより、超臨界圧力等の高温水を大量噴射し、用途に合わせて最高燃焼圧力の上昇や燃焼温度を低下させます。そして隔離燃焼解除時には燃焼ガスを超臨界圧力高温水で噴射して、絶好機に水滴を弾丸やロケットのように加速して、出力発生未燃分皆無燃焼させて、隔離燃焼解除と略同時に、シリンダヘッド１５に具備した高温水噴射電磁弁８７ｂより、直接電磁加熱縮径ピストン２２の拡径部に超臨界圧力高温水を噴射して、気化爆発エネルギで水滴を加速する水滴質量を１００倍等に増大し、既存ガソリン機関の５００倍アイディア出力等に上昇した、ＮＯｘ低減皆無燃焼にします。
【００６９】
各種電磁加熱縮径ピストン２２を、熱伝導良好な材料や縮径部のみ熱伝導良好な材料や、縮径部のみセラミックス製や表面をセラミックスで被覆や、縮径部表面のみセラミックスの被覆で構成したものや、拡径部を電磁加熱高温とするための各種鉄合金を、各種用途に合わせて選択します。そして断熱材３０を介して、コイル８２を具備した拡径ピストン２１側から締め付ける等として、電磁加熱縮径ピストン２２を電磁加熱により加熱高温として、水等との間に気化膜を設けて、摩擦損失最小・重力パワー最大とし、両頭拡径ピストン３７乃至拡径ピストン２１を動圧反動駆動します。高温水噴射して最も効率良く出力を発生する用途に使用するものが、各種電磁加熱縮径ピストン２２を具備した、両頭拡径ピストン３７乃至拡径ピストン２１です。そして安価な用途から大型エネルギ保存サイクル機関用まで、各種電磁加熱縮径ピストン２２を選択して使用します。
【００７０】
図３図４のＥ型エネルギ保存サイクル機関は、図１のＤ型エネルギ保存サイクル機関を、対向に設けたものであるため、例えば大型の縮径主燃焼室１を、夫々拡径燃焼室１０の１／３や１／５や１／７に縮径して、死点近傍での熱エネルギ放出量を、既存ガソリン機関の１／９や１／２５や１／４９にし、縮径主燃焼室熱交換器２内隔離熱交換冷却燃焼を、用途に合わせて夫々密閉容器内完全燃焼終了に近付けます。最高燃焼圧力を夫々圧縮圧力の９倍に近付け、夫々の縮径主燃焼室熱交換器２に熱負荷を集中した燃焼とし、往復機関最大の長所を活用して、熱回収量を１回転毎に限り無く増大し、同一回収熱量を超臨界圧力等の高温水として噴射し、気化爆発エネルギとして水滴を弾丸やロケットのように加速して、限り無く繰り返し使用することで、最大量の高温水噴射が可能な燃焼とします。
【００７１】
そして最大量の高圧高温水噴射を可能にするため、廃熱回収熱交換器２ａ及び縮径主燃焼室熱交換器２を設けて、高圧高温の最高の燃焼条件のまま、夫々縮径主燃焼室熱交換器内隔離熱交換冷却完全燃焼終了させて、超臨界圧力高温水噴射により燃焼ガス温度を更に低下させて、死点後９０°前の瞬時に縮径主燃焼室内隔離燃焼解除して、燃焼ガスを超臨界圧力等の高温水で噴射し、高速撹拌出力発生燃焼させて未燃分を再度皆無として公害を大幅に低減し、燃焼の大幅な改善により超短行程が可能な、夫々のクランク軸１６を両頭拡径ピストン３７で直接駆動の、完全弾性衝突対向往復運動する２サイクル両頭拡径ピストン３７として、構造を大幅に簡単にします。
【００７２】
夫々右死点も左死点も爆発行程の完全弾性衝突対向往復運動にして、既存ガソリン機関の運動エネルギ減少損失３０％前後を０％に近付け、エネルギ保存サイクルにより、既存ガソリン機関の不回転放出熱エネルギ損失４０％前後を、１０％前後に低減し、出力を１００％に近付けます。排気の過程では下部に設けた排気穴５より、排気ダクト１１への排気排水の過程で、飽和蒸気排気によりターボ過給機１２を駆動し、圧縮行程の後期に安全弁５４から圧力水を排水し、夫々の排気排水より廃熱回収熱交換器２ａにより熱回収して、既存ガソリン機関の排気温度５００℃前後を、５０℃以下等の用途に合わせた低温度とします。
【００７３】
送水ポンプ兼磁気摩擦動力伝達装置５５等により、同一熱量を１回転毎に繰り返し熱回収循環供給し、超臨界圧力等の高温水噴射気化爆発エネルギにより、水滴を弾丸やロケットのように加速して、死点後９０°の絶好機出力を（既存ガソリン機関燃焼ガスの４０倍落差２５ＭＰａ×１００倍水質量重力パワー×１／８効率）＝（最大出力を同一燃料量既存ガソリン機関の５００倍アイディア出力）等に増大し、超大型舶用機関では製造原価を１／１０前後にします。そして１００倍質量等の水に、ＣＯ２等の燃焼ガスを溶解容易にする、公知物質５３等を給水５２に混入してＣＯ２等溶解容易とし、ＣＯ２等排気を０等として公害低減・地球温暖化防止します。
【００７４】
図５・図６・図７及び図８を参照して、送水ポンプ兼磁気摩擦動力伝達装置５５及び、送水ポンプ兼二重反転磁気摩擦動力伝達装置８４を説明する。通常の各種歯車式動力伝達装置や各種歯車ポンプは、歯面に大きな荷重を含む、滑り歯面を必須とするため、潤滑油を必要とするのに加えて、摩擦熱損失も非常に大きく、高速回転を含む大動力の伝達装置や、超高圧少量送水の何れにも、使用不可乃至使用不適という問題がある。
【００７５】
このため動力伝達装置の摩擦損失を低減して、超高圧少量送水するには、ころがり接触による、超高速大動力伝達装置と超高圧少量送水装置の合体が必要です。超高速大動力伝達装置と超高圧少量送水を可能にすると共に、潤滑油も不用にするためには、歯車装置の滑り歯面を皆無に近づけたころがり接触の、熱交換自己水冷却して摩擦熱を回収して送水供給する、１以上多段多数の動力伝達装置を含む高圧少量送水の、送水ポンプ７５としても、磁気摩擦動力伝達装置７６としても使用可能な、送水ポンプ兼磁気摩擦動力伝達装置５５や、送水ポンプ兼二重反転磁気摩擦動力伝達装置８４として使用します。
【００７６】
図５の歯車のかみ合い高さを限りなく縮小した、動力伝達面５６の低凹凸６９のハスバ凹凸７１等として、転がり接触動力伝達装置とし、図６図７図８の回転方向５９上流側及び下流側、又は上流側又は下流側に、棒磁石５７又は電磁石５８を設けます。そして磁石の強い吸引力を利用して、各種着磁摩擦車装置６５の送水ポンプ７５や、図にない各種磁着摩擦車装置６７や、各種内着磁摩擦車装置６６や、各種内磁着摩擦車装置６８等の、歯車同様やその他すべての噛み合わせ使用を可能にします。
【００７７】
高圧少量送水送水ポンプ７５と兼用の各種磁気摩擦動力伝達装置７６とし、外箱を設けて外箱７７に吸水路７８や送水路７９を設け、送水ポンプ７５と兼用します。公知技術を含めて全面的に使用し、転がり接触に近付けて、摩擦熱損失を大幅に低減し、更に高圧少量送水ポンプ７５として、摩擦熱を自己冷却熱回収送水する及び、超高速大動力を伝達する磁気摩擦動力伝達装置７６や、潤滑油に換えて無公害の水冷却とし、熱回収して廃熱回収熱交換器２ａや、縮径主燃焼室熱交換器２に多段に昇圧して供給する、送水ポンプ兼磁気摩擦動力伝達装置５５や、送水ポンプ兼二重反転磁気摩擦動力伝達装置８４とするものです。
【００７８】
超高速大動力を伝達する、磁気摩擦動力伝達装置７６とするためには、転がり接触に近付けても、摩擦熱の発生を避けられません。一方エネルギ保存サイクル機関は、超高圧大量の水や熱を利用して出力を発生させるため、超高速大動力を伝達すると共に、熱回収して高圧少量送水する送水ポンプ７５が必要です。
【００７９】
そこで各種歯車に換えて、各種着磁摩擦車６１や各種内着磁摩擦車６２や、各種磁着摩擦車６３や各種内磁着摩擦車６４等を使用し、磁気摩擦動力伝達装置７６として使用の過程で、回転方向上流側及び下流側又は上流側又は下流側に、棒磁石５７乃至電磁石５８を設けます。即ち永久磁石は高温に弱いため用途に合わせて、着磁摩擦車や磁着摩擦車や内着磁摩擦車や内磁着摩擦車の、すべての組み合わせを、磁石の強い吸引力により、互いに互換して使用を可能にし、自己発熱量も回収送水する送水ポンプ兼磁気摩擦動力伝達装置５５や、送水ポンプ兼二重反転磁気摩擦動力伝達装置８４とします。
【００８０】
着磁摩擦車６１や磁着摩擦車６３や内着磁摩擦車６２や内磁着摩擦車６４の、動力伝達面５６には低凹凸６９を設けます。低凹凸６９は噛み合い高さを限りなく低下させて、転がり接触として歯車以外の形状も可能にし、図に無いすべての噛み合う形状全部とします。歯車形低凹凸６９として具体的には、平歯車に換えて平凹凸７０車を、ハスバ歯車に換えてハスバ凹凸７１車を、ヤマバ歯車に換えてヤマバ凹凸７２車を、平内歯車に換えて平内凹凸７０ａ車を、ハスバ内歯車に換えてハスバ内凹凸７１ａ車を、ヤマバ内歯車に換えてヤマバ内凹凸７２ａ車を設ける。
【００８１】
そして公知の各種歯車ポンプと同様に、外箱７７や吸水路７８や送水路７９を設けて、摩擦熱を自己回収して多段に昇圧しながら、燃焼熱を回収して高圧少量送水する送水ポンプ７５と、磁気摩擦動力伝達装置７６や二重反転磁気摩擦動力伝達装置８５兼用とし、超高速大動力を伝達する、送水ポンプ兼用の各種磁気摩擦動力伝達装置５５や送水ポンプ兼二重反転磁気摩擦動力伝達装置８４として使用します。
【００８２】
図５ａの着磁摩擦車６１ａの実施例は、環筒状の強磁性材料の径方向左右に磁極のＮ極及びＳ極を着磁して、その両側を環板状のヨーク７４で挟んで、外径方向動力伝達面５６に延長して固着します。該動力伝達面５６の外周面に低凹凸６９のハスバ凹凸７１を設けて、着磁摩擦車６１ａとして、各要素を互いに互換してかみ合う、着磁摩擦車６１ａと磁着摩擦車６３や、図６の転がり接触の着磁摩擦車装置６５とします。
【００８３】
そして図６図７の着磁摩擦車６１ｃ・６１ｃや６１ｄ・６１ｄを夫々同径として、各種着磁摩擦車装置６５と同様に、外箱７７や吸水路７８や送水路７９を設けて、回転方向上流側及び下流側に棒磁石５７乃至電磁石５８を設けます。そして例えば着磁摩擦車装置６５の回転方向上流側及び下流側に設けた、電磁石５８の吸引力を調整して、Ｅ型エネルギ保存サイクル機関の、完全弾性衝突対向往復運動を、最適接触圧力で同期させ、送水ポンプ７５としても使用します。そして図６図７のように磁石の強い吸引力を最適利用した、送水ポンプ兼用の各種磁気摩擦動力伝達装置５５としても使用します。
【００８４】
図５ｂの内着磁摩擦車６２ａの実施例は、環筒状の強磁性材料の径方向左右に磁極のＮ極及びＳ極を着磁して、その両側を環板状のヨーク７４で挟んで、内径方向動力伝達面５６に延長して固着します。該動力伝達面５６の内周面に低凹凸６９の内平凹凸７０ａを設けて、内着磁摩擦車６２ａとして、各要素を互いに互換してかみ合う、内着磁摩擦車６２ａと磁着摩擦車６３や、図に無い転がり接触の内着磁摩擦車装置６６等とし、図６図７図８の各種着磁摩擦車装置６５と同様に、外箱７７や吸水路７８や送水路７９を設けて、回転方向上流側及び下流側に棒磁石５７乃至電磁石５８を設け、磁石の強い吸引力を利用した、送水ポンプ兼用の各種磁気摩擦動力伝達装置として使用します。
【００８５】
図５ｃの着磁摩擦車６１ｂの実施例は、環筒状の強磁性材料の内径側と外径側に磁極のＮ極及びＳ極を着磁して、ヨーク７４を磁石の内周側から左右外径動力伝達面５６に延長します。該動力伝達面近傍のヨークと磁石の間に、摩擦増大手段８０を環状に設けて固着し、その外周面に低凹凸６９のヤマバ凹凸７２を設けて、夫々着磁摩擦車６１ｂ・６１ｂとし、各要素を互いに互換した噛み合いとしては、磁着摩擦車６３と着磁摩擦車６１ｂや、図６図７図８の各種着磁摩擦車装置６５のように、外箱７７や吸水路７８や送水路７９を設けて、回転方向上流側及び下流側に棒磁石５７乃至電磁石５８を設けて、磁石の強い吸引力を利用した、送水ポンプ兼用の各種磁気摩擦動力伝達装置として使用します。
【００８６】
図５ｄ・図５ｅの磁着摩擦車６３の実施例は、環筒状の強磁性材料乃至磁石に吸着材料の、外径面の動力伝達面５６に、低凹凸６９のハスバ凹凸７１又は平凹凸７０を設けて、夫々各種磁着摩擦車６３・６３とします。又は夫々各要素を互いに互換した噛み合いとして、図６図７図８と略同様に各種磁着摩擦車装置６７を構成し、外箱７７や吸水路７８や送水路７９を設けて、回転方向上流側及び下流側に棒磁石５７乃至電磁石５８を設けて、磁石の強い吸引力を利用した、送水ポンプ兼用の各種磁気摩擦動力伝達装置とします。
【００８７】
図５ｆの内磁着摩擦車６４の実施例は、環筒状の強磁性材料乃至磁石に吸着材料の、内径面の動力伝達面５６に、低凹凸６９のヤマバ凹凸７２ａを設けて、内磁着摩擦車６４とします。例えば夫々各要素を互いに互換した噛み合いとして、転がり接触の各種内磁着摩擦車装置６８等とし、図８と略同様に各種内磁着摩擦車装置６８を構成し、外箱７７や吸水路７８や送水路７９を設けて、回転方向上流側及び下流側に棒磁石５７乃至電磁石５８を設けて、磁石の強い吸引力を利用した、送水ポンプ兼用の各種磁気摩擦動力伝達装置とします。
【００８８】
例えば図６図７の送水ポンプ兼磁気摩擦動力伝達装置５５の実施例は、着磁摩擦車装置６５に、既存歯車ポンプと同様に外箱７７を設け、回転方向下流側に吸水路７８を、回転方向上流側に送水路７９を設けて、回転方向上流側及び下流側に棒磁石５７乃至電磁石５８を設け、磁石の強い吸引力により、各種送水ポンプ７５及び各種磁気摩擦動力伝達装置７６を構成します。そして吸水路７８より補給水を供給して、送水ポンプ兼用の各種磁気摩擦動力伝達装置５５で発生する熱を回収して、図１の廃熱回収熱交換器２ａで回収した燃焼熱と共に、送水路７９・７９により多段に昇圧して、縮径主燃焼室熱交換器２に送水して、熱回収により高温水噴射を可能にします。
【００８９】
しかし着磁摩擦車装置６５等、多種多数の送水ポンプ兼磁気摩擦動力伝達装置５５により、送水ポンプ兼用となるのと動力伝達が主力のため、回転数も変化します。そこで公知の制御装置により、１以上多数の送水路７９や吸水路７８を最適制御して、１以上多段に昇圧して廃熱回収熱交換器２ａや、縮径主燃焼室熱交換器２側に給水し、１以上多数の送水ポンプ７５により摩擦熱を回収して自己水冷却し、超高速大動力を伝達する、各種送水ポンプ兼各種磁気摩擦動力伝達装置として使用します。又は夫々を単独使用可能ともします。
【００９０】
図８の送水ポンプ兼二重反転磁気摩擦動力伝達装置８４の実施例は、図６の送水ポンプ兼磁気摩擦動力伝達装置５５を、多段に設けて水を昇圧し、廃熱回収熱交換器２ａ及び縮径主燃焼室熱交換器２に供給し、加熱高温として縮径主燃焼室１に噴射し、ＮＯｘ低減皆無燃焼や出力発生増大燃焼させる、送水ポンプ兼用の、二重反転磁気摩擦動力伝達装置８５としたものです。既存歯車ポンプと同様に外箱７７を設け、夫々の回転方向下流側に吸水路７８を、夫々の回転方向上流側に送水路７９を設けて、回転方向上流側及び下流側に棒磁石５７乃至電磁石５８を設け、磁石の強い吸引力により、各種送水ポンプ７５及び各種磁気摩擦動力伝達装置７６を構成します。
【００９１】
吸水路７８より補給水を吸水して、送水ポンプ兼二重反転磁気摩擦動力伝達装置８４で発生する熱を、多段に回収して、図１の廃熱回収熱交換器２ａで回収した燃焼熱と共に、夫々の送水路７９により多段に昇圧して、超高圧少量送水にし、縮径主燃焼室熱交換器２により熱回収高温にして、縮径主燃焼室１に超臨界圧力過熱蒸気等として噴射し、ＮＯｘ低減皆無燃焼や出力発生増大燃焼させます。そして二重反転磁気摩擦動力伝達装置８５により、大中小型船舶や大中小型高速船や、大中小型飛行機や大中小型ヘリコプター等のプロペラを、最も効率良く二重反転させることで、推進速度を２倍に近付けると共に、超臨界圧力過熱蒸気等を貯蔵することで、熱を完璧に利用する超高速蒸気機関とし、燃料無しでも短時間使用可能とし、非常に安全な飛行物体や、火災皆無の輸送機器とします。
【００９２】
図９・図１０及び図１１図１２の高温水噴射電磁弁８７Ａａ・８７Ｂａ及び、高温水噴射電磁弁８７Ａｂ・８７Ｂｂの実施例を説明する。エネルギ保存サイクル機関は、死点後９０°の絶好機の瞬時に熱エネルギの放出を集中することで、燃焼を完璧に改善して最大の熱回収量とし、回収熱量を超臨界圧力高温水等の気化爆発力に変換して、絶好機に水滴をノズル内では弾丸のように加速し、ノズル噴口部９４の外ではロケットのように加速して、動圧乃至重力パワーを最大にすることで、同一燃料量既存ガソリン機関の５００倍出力等を狙うため、超短時間に大量の超臨界圧力等の高温水を噴射し、超高速で開弁閉弁する図９・図１０の高温水噴射電磁弁８７Ａａや高温水噴射電磁弁８７Ｂａや、図１１・図１２の高温水噴射電磁弁８７Ａｂや、高温水噴射電磁弁８７Ｂｂや、夫々のノズル噴口部９４を含むノズル長さや形状やノズル温度や容量が最重要になります。
【００９３】
熱回収量を最大にするエネルギ保存サイクル機関は、密閉容器内完全燃焼終了に近付けて、例えば圧縮圧力２ＭＰａで９倍の最高燃焼圧力１８ＭＰａに近付けます。燃焼温度を５０００℃以上にする過程を、前述のように１３ｍｍ内径×９８ｍｍ等の細長い、縮径主燃焼室熱交換器２内隔離冷却長時間燃焼・完全燃焼終了等、燃焼温度は縮径主燃焼室熱交換器２の内径自由自在に設計可能な、超高圧燃焼により熱回収量を大幅な最大として、燃焼温度５０００℃等を８００℃等に低下させ、更に大量の高温水噴射隔離燃焼解除時には４００℃等に低下させます。そして断熱膨張燃焼ガス排気温度は−１００℃等に近付け、低温燃焼ガスを核に水分を凝集して、ＣＯ２等の排気０を容易にします。廃熱回収熱交換器２ａの飽和蒸気温度１００℃回収を含めて、既存ガソリン機関排気温度５００℃前後を５０℃以下等に低下させ、１回転毎に回収熱量を４００℃前後増大して、高温水噴射電磁弁８７より噴射する、超臨界圧力高温水質量を限り無く増大します。
【００９４】
そして図９図１０の縮径主燃焼室１に具備するものをａ型とし、電磁石５８複数と棒磁石５７を組合せて具備したものがＡ型で、第一実施例の高温水噴射電磁弁８７Ａａで、電磁石５８を１個と棒磁石５７を組合せて具備したものがＢ型で、第二実施例の高温水噴射電磁弁８７Ｂａです。高温水噴射電磁弁８７Ａａや高温水噴射電磁弁８７Ｂａにより、超臨界圧力等の高温水を燃焼室温度で加熱高温とした、ノズルやノズル噴口部９４より、絶好機前から絶好機までの短時間に摩擦損失最少で大量噴射して、砲身のように長大化したノズル内では弾丸のように加速し、ノズル噴口部９４より外ではロケットのように加速して、重力パワー乃至動圧を最大にします。用途によりノズル内部に螺旋溝を設けて末広とし、水滴に遠心力を与える等とし、最高燃焼圧力を２５ＭＰａ等に近付け、燃焼ガス温度を低下させて、大落差大質量の燃焼ガスの１０００倍重力パワーの高温水気化爆発力で、燃焼ガスを噴射再燃焼して大出力にします。
【００９５】
図９図１０外箱７７に固着した電磁石５８を１又は複数設けて、その両側に弁棒２３に固着した棒磁石５７を具備して、外箱７７に固着した１以上複数の、電磁石５８のコイル８２の通電方向を逆転することで、弁棒２３に固着した両側の棒磁石５７との反発力と吸引力を逆転し、強力に開弁・閉弁するものです。外箱７７には磁石室８９を断熱する、断熱壁９０及び冷却室９１を棒磁石５７の下部に設け、弁棒２３上部には、磁石室８９を冷却して冷却室９１に送水する送水路７９を具備して、冷却室９１に送水して磁石室８９を断熱し、冷却室９１に設けた送水路７９より排水して、熱回収した後、送水路７９の補給水に合流します。
【００９６】
高温水噴射電磁弁８７Ａａ乃至高温水噴射電磁弁８７Ｂａを始動の場合は、総括制御装置２０によりコイル８２の通電方向を閉弁方向とし、図９上部の閉弁装置９２を図１０のように全開して通電方向を全開で、全開可能として始動準備を完了します。縮径主燃焼室熱交換器２は夫々の電磁弁装着部９３・９３ａ用として、夫々複数の導水管３を螺旋環状に、低温水部から高温水部まで用途に合わせて、１重乃至２重乃至３重等適宜に最適間隔で設けます。そして内側の高温水部複数の導水管３終端を、高温水噴射電磁弁８７Ａａ乃至高温水噴射電磁弁８７Ｂａの高温水溜９３に連絡可能に、電磁弁装着部９３に接続具備します。
【００９７】
そして電磁石５８のコイル８２の通電方向を逆転することで、磁石の強い吸引力と反発力を逆転して、大型弁棒２３を超高速開閉して、絶好機前から絶好機までの短時間に大量の高温水を噴射して、最高燃焼圧力を２５ＭＰａ等の噴射圧力に近付ける等とし、大落差大質量の高温水出力として、燃焼ガスの１０００倍重力パワーで大出力にします。運転停止時も弁棒２３は超臨界圧力等により上方に押圧されるため、停止時は最上部に具備した発条９６と閉弁装置９２を閉方向に制御して、閉弁方向に付勢押圧してコイル８２の通電を停止します。ノズル噴口部９４の形状については、気化爆発エネルギによりノズル内で弾丸のように水滴を加速するため、砲身のように長大として、用途により螺旋状の溝を設けたり末広砲身にし、水滴を遠心力により拡散させます。
【００９８】
圧縮行程の死点前７５度前後より１／４９行程容積等の縮径主燃焼室１の隔離を始め、行程容積差を利用して拡径燃焼室１０の２／３前後空気を、一方向空気流路９を介して縮径主燃焼室１に噴射して燃料と攪拌燃焼し、残りの１／３空気は２段燃焼時の予備とします。一方向空気流路９は、弁座９８に弁体９９を挿入し、弁体９９に発条９６を挿入して逆止弁９７を組立て、逆止弁９７をシリンダヘッド１５にねじ込み、空気圧の差圧を利用して弁座９８に発条９６により付勢押圧の弁体９９を開放して、拡径燃焼室１０の圧縮空気を縮径主燃焼室１に噴射し、逆方向の流れを逆止弁９７により阻止する、一方向空気流路９とします。
【００９９】
複数の送水ポンプ兼磁気摩擦動力伝達装置５５により多段に昇圧して、超高圧少量送水の過程で、廃熱回収熱交換器２ａにより飽和蒸気温度１００℃を熱回収し、縮径主燃焼室熱交換器２により超臨界圧力高温水として、縮径主燃焼室１に大量噴射し、用途により最高燃焼圧力を２５ＭＰａ等の噴射圧力に近付け、燃焼ガス温度を大幅に低下させ、大落差×大高温水質量の、燃焼ガスの１０００倍重力パワーで大出力にします。縮径主燃焼室熱交換器２は、複数の導水管３で構成し、導水管３を螺旋状や螺旋環状に具備し、又は螺旋環状に二重以上設ける、又は用途により内側の導水管３の一部を、螺旋環状や任意の螺旋環状に露出して設けて、高温水温度の上昇を設計により容易にします。
【０１００】
シリンダヘッド１５に具備するものをｂ型とし、電磁石５８複数と棒磁石５７を組合せて具備したものをＡ型として、図１１の第一実施例の高温水噴射電磁弁８７Ａｂです。ｂ型の電磁石５８を１個と棒磁石５７を組合せて具備したものがＢ型で、図１２の第二実施例の高温水噴射電磁弁８７Ｂｂです。縮径主燃焼室熱交換器２の複数の導水管３の夫々の終端部を連絡した、図１１・図１２のシリンダヘッド１５の、複数の電磁弁装着部９３ａには高温水溜９５に連絡可能に、高温水噴射電磁弁８７Ａｂ又は、高温水噴射電磁弁８７Ｂｂをねじ込む等で固着し、そのノズル噴口部９４を含むノズルを、断熱材３０を介して設けた加熱高温手段１０１内に挿入します。
【０１０１】
高温水噴射電磁弁８７ｂのノズル噴口部９４を含むノズルには、摩擦損失を最低にするため加熱高温手段１０１を円筒状に外嵌して、電気抵抗や電磁加熱等により適宜に高温とし、超臨界圧力等の高温水との間に気化膜を設けて、摩擦損失最低とし、電磁加熱縮径ピストン２２の拡径部に、死点後９０°前の絶好機の瞬時に超短時間大量に直接噴射し、絶好機に水滴をノズル内では弾丸のように加速して、ノズル噴口部９４の外ではロケットのように加速し、摩擦損失最少の重力パワー最大で、拡径ピストン２１を直接動圧反動駆動して、同一燃料量既存ガソリン機関の１００倍や５００倍出力等を目指します。
【０１０２】
電磁石５８を１又は複数設けてその両側に棒磁石５７を具備して、外箱７７に固着した電磁石５８のコイル８２の通電方向を逆転することで、弁棒２３に固着した両側の棒磁石５７との反発力と吸引力を同時に逆転し、磁石の強い吸引力と反発力の逆転により強力に開弁・閉弁するものです。外箱７７には磁石室８９を断熱する、断熱壁９０及び冷却室９１を棒磁石５７の下部に設けて、弁棒２３上部には冷却室９１に送水する送水路７９を具備して、冷却室９１に送水して磁石室８９の温度上昇を阻止し、冷却室９１に設けた送水路７９より排水して、熱回収した後補給水に合流します。用途により送水路７９の入口及び出口は、冷却室９１に設けても良い。
【０１０３】
高温水噴射電磁弁８７Ａｂ乃至高温水噴射電磁弁８７Ｂｂを始動の場合は、総括制御装置２０によりコイル８２の通電方向を閉弁方向とし、上部の閉弁装置９２を全開して始動準備を完了します。縮径主燃焼室熱交換器２は複数の導水管３を螺旋環状に、低温水部から高温水部まで１重乃至２重乃至３重等に、用途に合わせて夫々最適間隔で設けます。そして夫々最適の高温水部１以上複数の導水管３の終点を、シリンダヘッド１５の１以上複数の電磁弁装着部９３に連絡し、高温水噴射電磁弁８７Ａｂ又は高温水噴射電磁弁８７Ｂｂの、高温水溜９５に高温水を供給します。
【０１０４】
そして磁石の強い吸引力と反発力の逆転により、弁棒２３を超高速開閉して、死点後９０°前の絶好機の瞬時に超短時間大量の高温水を噴射して、気化爆発エネルギにより水滴をノズル内では弾丸のように加速して、ノズル外ではロケットのように加速し、重力パワー最大で電磁加熱縮径ピストン２２の拡径部に直接噴射して、気化爆発エネルギにより単位ピストン面積絶好機の最大動圧を、既存ガソリン機関の４０００倍等に近付けます。噴口部９４の形状については、気化爆発力により水滴をノズル内では弾丸のように加速するため、砲身のように長大として、用途により加熱高温にします。弁棒２３は超臨界圧力等により上方に付勢押圧されるため、最上部に発条９６を具備して閉方向に押圧します。
【０１０５】
送水ポンプ兼磁気摩擦動力伝達装置５５等複数により、多段に昇圧して超高圧少量送水の過程で、廃熱回収熱交換器２ａにより飽和蒸気等より熱回収して、縮径主燃焼室熱交換器２により超臨界圧力高温水等とし、高温水噴射電磁弁８７ｂより電磁加熱縮径ピストン２２の拡径部に高温水噴射して、絶好機の気化爆発エネルギの動圧出力により、同一燃料量既存ガソリン機関の５００倍出力の一部にします。
【０１０６】
縮径主燃焼室隔離燃焼解除時に、用途により残りの１／３空気と再燃焼と略同時に、シリンダヘッド１５に高温水噴射電磁弁８７Ａｂ又は、高温水噴射電磁弁８７Ｂｂを１以上複数具備して、電磁石５８のコイル８２の電流方向を開弁方向に逆転して、死点後９０°前の絶好機の瞬時に、磁石の強い吸引力と反発力を同時に逆転・再逆転して、磁石の強い吸引力と反発力により弁棒２３を強力に開弁閉弁して高温水噴射終了し、最大動圧を既存ガソリン機関の（４０倍落差２５ＭＰａ×１００倍質量重力パワー＝４０００倍）狙いとし、最大出力を既存ガソリン機関の（４０倍落差×１００倍質量重力パワー×１／８効率＝５００倍アイディア出力）等仮説出力にし、実証試験の準備をします。
【０１０７】
熱回収量を最大にするエネルギ保存サイクルについては、実験結果に基づいたサイクルであるため、エネルギ保存サイクル機関を設計するための簡易実証試験は、回収した熱量の有効利用に限定出来ます。そこで高温水噴射電磁弁８７乃至、コモンレール式燃料噴射システムを利用して、超臨界圧力等の水や燃料を加熱高温とし、例えば超臨界圧力高温水として高温水噴射電磁弁８７より、噴射及び噴射終了すると、高速噴射終了断熱膨張瞬時の過程で、後部圧力低下部に気化爆発が集中し、ノズル内では弾丸の火薬のように水滴を加速して、ノズル外ではロケットの火薬のように水滴を加速する予想です。
【０１０８】
即ち高温水滴を高速噴射終了断熱膨張させると、先頭の水滴は気化爆発力により弾丸やロケットのように加速されますが、加速距離が短く超短時間で動圧に変換して回転力にするため、各噴射距離に合わせた、同一熱量最大の回転力が得られる高温水温度の、実証試験結果が設計には必須です。そこで高温水噴射電磁弁８７の高温水噴射試験を兼ねて、各ノズル噴口部９４を含むノズル内やノズル外での噴射距離で、各高温水温度や高温水圧力に於ける動圧を測定して記録し、各種エネルギ保存サイクル機関の大きさに合わせて、各種高温水噴射電磁弁８７の容量や、ノズル長さや形状及び取り付け数や、電磁加熱縮径ビストン２２からの取り付け距離を確定します。又気化爆発力に疑念の在る場合は、燃料を加熱高温としてコモンレール式燃料噴射システムを改良し、使用可能なときは高温燃料の気化爆発力動圧と、低温燃料の動圧を比較して気化爆発力の有無を検証します。
【０１０９】
図１３を参照して、回転力で駆動する装置を有する、Ｈ型又はＤ型又はＥ型エネルギ保存サイクル機関を説明する。回転力で駆動する装置の主なものは、各種大中小型船舶・各種大中小型飛行機・各種大中小型自動車等車両や車輪・各種大中小型機械・各種大中小型汎用機関・大中小型発電用機関・大中小型熱と電気の併給用機関等、Ｈ型又はＤ型又はＥ型エネルギ保存サイクル機関で駆動可能なもの全部とします。回転力で駆動する装置の駆動方法は、従来技術往復内燃機関で駆動していた方法を含めて、送水ポンプ兼用の各種磁気摩擦動力伝達装置５５や、各種磁気摩擦動力伝達装置７６や、送水ポンプ兼二重反転磁気摩擦動力伝達装置８４等により駆動します。制御装置は従来技術往復内燃機関に換えて、Ｈ型又はＤ型又はＥ型エネルギ保存サイクル機関を使用するため、エネルギ保存サイクル総括制御装置２０を使用します。
【０１１０】
【発明の効果】
高温水噴射電磁弁８７Ａａ乃至８７Ｂａにより、超臨界圧力等の高温水を噴射して、水滴をノズル内では弾丸のように加速して、ノズル外ではロケットのように水滴を加速して動圧を最大にし、最高燃焼圧力の上昇や噴射質量の増大や燃焼ガス温度を低下させて、ＮＯｘ低減出力増大に大きな効果がある。
【０１１１】
電磁加熱縮径ピストン２２の拡径部に、高温水噴射電磁弁８７Ａｂ乃至８７Ｂｂのノズル嵌入用の嵌入用凹部８６を設けたため、高温水噴射電磁弁８７Ａｂ乃至Ｂｂのノズルを突出して設けて、水噴射距離の最適化が可能になり、水との間に気化膜を設けた出力の増大が最高に良くなり、性能が向上する。
【０１１２】
高温水噴射電磁弁８７Ａｂ乃至８７Ｂｂを、シリンダヘッド１５に後退して具備して、ノズルを長大化したため、ピストン行程を僅少としたとき、高温水噴射電磁弁８７Ａｂ乃至Ｂｂを後退して設けて、気化爆発力により水滴をノズル内では弾丸のように加速し、ノズル外ではロケットのように加速して、水噴射距離の最適化が可能になり、水との間に気化膜を設けた出力の増大が最高に良くなり、性能が向上する。
【０１１３】
電磁加熱縮径ピストン２２の拡径部に、気化爆発力により水滴をノズル内では弾丸のように加速し、ノズル外ではロケットのように加速して、重力パワーを最大にするため、超臨界圧力等の高温水は貯蔵増大出来るため、蒸気機関としての性能が上昇し、短時間運転可能のため、非常に安全な飛行物体や、火災皆無に出来る効果がある。
【０１１４】
電磁加熱縮径ピストン２２として、気化爆発力により水滴をノズル内では弾丸のように加速し、ノズル外ではロケットのように加速して、燃焼ガスの１００倍水質量等との間に気化膜を設けて、重力パワー最大の摩擦損失最少で両頭拡径ピストンを動圧反動駆動出来るため、各種エネルギ保存サイクル機関の出力を上昇して、公害低減・地球温暖化防止する効果があります。
【０１１５】
電磁加熱縮径ピストン２２に、気化爆発力によりノズル噴口部９４を含むノズル内では水滴を弾丸のように加速し、ノズル外では水滴をロケットのように加速し、用途により水滴との間に気化膜を設けて、摩擦損失最少で重力パワーを最大にするため、水噴射量の増大効果が上昇し、各種大中小型船舶・各種大中小型飛行機・各種大中小型車両・各種大中小型機械・各種大中小型発電機・各種大中小型汎用機関・大中小型熱と電気の併給用機関を駆動する、大中小型の各種エネルギ保存サイクル機関の性能が向上し、保守・使用が容易になる効果があり。重油や軽油やガソリンや天然ガスやメタノールや水素やプロパンやアルコール等の、燃焼制御や保守が容易になる効果がある。
【図面の簡単な説明】
【図１】本発明のＤ型エネルギ保存サイクル機関の実施例を示す断面図。
【図２】本発明のＨ型エネルギ保存サイクル機関の実施例を示す断面図。
【図３】本発明のＥ型エネルギ保存サイクル機関の実施例を示す断面図。
【図４】本発明のＥ型エネルギ保存サイクル機関中央部の実施例を示す断面図。
【図５】送水ポンプ兼磁気摩擦動力伝達装置の構成部品を示す一部断面図。
【図６】送水ポンプ兼磁気摩擦動力伝達装置の第一実施例を示す一部断面図。
【図７】送水ポンプ兼磁気摩擦動力伝達装置の第二実施例を示す一部断面図。
【図８】送水ポンプ兼二重反転磁気摩擦動力伝達装置の実施例の一部断面図。
【図９】高温水噴射電磁弁８７Ａａ第一実施例の一部断面図。
【図１０】高温水噴射電磁弁８７Ｂａ第二実施例の一部断面図。
【図１１】高温水噴射電磁弁８７Ａｂ第一実施例の一部断面図。
【図１２】高温水噴射電磁弁８７Ｂｂ第二実施例の一部断面図。
【図１３】本発明のエネルギ保存サイクル機関駆動機器の実施形態を示す全体構成図。
【符号の説明】
１：縮径主燃焼室、  ２：縮径主燃焼室熱交換器、  ２ａ：廃熱回収熱交換器、  ３：導水管、  ４：給気穴、  ５：排気穴、  ７：燃料蒸気噴射電磁弁、  ７Ｃ：燃料噴射電磁弁、  ７Ｄ：燃料水噴射電磁弁、  ７Ｅ：水噴射電磁弁、  ９：一方向空気流路、  １０：拡径燃焼室、  １１：排気ダクト、  １２：ターボ過給機、  １３：給気ダクト、  １４：機械式過給機、  １５：シリンダヘッド、  １６：クランク軸、  １７：始動電動機兼発電機、  １８：入力軸、  １９：出力軸、  ２０：エネルギ保存サイクル総括制御装置、  ２１：拡径ピストン、  ２２：電磁加熱縮径ピストン、  ２３：弁棒、  ２６：掃気弁、  ２７：過給ピストン、  ２８：吸気弁、  ２９：機関本体、  ３０：断熱材、  ３１：多段減圧漏洩面、  ３２：減圧溜、  ３４：クランク軸受、  ３５：水平継手、３６：拡径燃焼室シリンダ、  ３７：両頭拡径ピストン、  ３８：案内具、  ３９：固定用溝、  ４０：駆動具、  ４１：案内溝、  ４１ａ：案内溝、  ４２：案内穴、  ４３：クランク穴、  ４４：凹凸、  ４５：過給室、  ４６：Ｈ型エネルギ保存サイクル機関、  ４７：過給室蓋、  ４８：過給室シリンダ、  ５２：給水、  ５３：公知物質、  ５４：安全弁、  ５５：送水ポンプ兼磁気摩擦動力伝達装置、  ５６：動力伝達面、  ５７：棒磁石、  ５８：電磁石、  ５９：回転方向、  ６０：磁極、  ６１：着磁摩擦車、  ６２：内着磁摩擦車、  ６３：磁着摩擦車、  ６４：内磁着摩擦車、  ６５：着磁摩擦車装置、  ６６：内着磁摩擦車装置、  ６７：磁着摩擦車装置、  ６８：内磁着摩擦車装置、  ６９：低凹凸、  ７０：平凹凸、  ７１：ハスバ凹凸、  ７２：ヤマバ凹凸、  ７３：磁石部、  ７４：ヨーク、  ７５：送水ポンプ、  ７６：磁気摩擦動力伝達装置、  ７７：外箱、  ７８：吸水路、  ７９：送水路、  ８０：摩擦増大手段、８１：支軸  ８２：コイル  ８３：磁力線  ８４：送水ポンプ兼二重反転磁気摩擦動力伝達装置  ８５：二重反転磁気摩擦動力伝達装置  ８６：嵌入用凹部  ８７：電磁弁  ８７Ａａ：高温水噴射電磁弁  ８７Ｂａ：高温水噴射電磁弁  ８７Ａｂ：高温水噴射電磁弁  ８７Ｂｂ：高温水噴射電磁弁  ８８：公知の燃料噴射弁  ８９：磁石室  ９０：断熱壁  ９１：冷却室  ９２：閉弁装置  ９３：電磁弁装着部  ９３ａ：電磁弁装着部  ９４：ノズル噴口部  ９５：高温水溜  ９６：発条  ９７：逆止弁  ９８：弁座  ９９：弁体  １００：公知の各種流用噴射弁  １０１：加熱高温手段
【図１】
2004332539.tif 000003
【図２】
2004332539.tif 000004
【図３】
2004332539.tif 000005
【図４】
2004332539.tif 000006
【図５】
2004332539.tif 000007
【図６】
2004332539.tif 000008
【図７】
2004332539.tif 000009
【図８】
2004332539.tif 000010
【図９】
2004332539.tif 000011
【図１０】
2004332539.tif 000012
【図１１】
2004332539.tif 000013
【図１２】
2004332539.tif 000014
【図１３】
2004332539.tif 000015